(57)【要約】【課題】可変入賞装置（普通電動役物）に対する不正行為を防止する。【解決手段】普通図柄プロセスフラグの値が３でない状態は、普通電動役物（可変入賞球装置）が開閉動作していない状態である。そのような状態のときに第２始動入賞口に遊技球の入賞があれば、遊技制御用マイクロコンピュータは、その入賞は異常入賞であると判断することができる。普通図柄プロセスフラグの値が３でなく、スイッチオンバッファ（スイッチの検出信号の入力状態が設定されている。）の内容と第２始動口スイッチ入力ビット判定値との論理積の演算結果が０でない場合には、第２始動入賞口が開状態以外の状態であるにもかかわらず、第２始動入賞口に遊技球が入賞したと判断される場合であるから、そのような状態が検出されたことが所定回発生すると、異常入賞が生じたとする。【選択図】図４４
2008161377.tif 000002
【特許請求の範囲】
【請求項１】
遊技球を用いて所定の遊技を行うことが可能であり、遊技領域に設けられた始動領域に遊技球が入賞したことにもとづいて各々を識別可能な複数種類の識別情報の可変表示を行い表示結果を導出表示する可変表示装置を備え、該可変表示装置に特定表示結果が導出表示されたときに遊技者にとって有利な特定遊技状態に移行させる遊技機であって、
前記始動領域が形成され、前記始動領域に遊技球が入賞しない閉状態と前記始動領域に遊技球が入賞可能な開状態とのいずれかの状態になることが可能な可変入賞装置と、
前記始動領域に入賞した遊技球を検出して検出信号を出力する検出手段と、
遊技の進行を制御する遊技制御手段と、
前記遊技制御手段が送信する演出コマンドにもとづいて、前記可変表示装置を含む演出装置の制御を行う演出制御手段とを備え、
前記遊技制御手段は、
前記可変表示装置における識別情報の可変表示の開始と可変表示時間とを特定可能な可変表示コマンドを送信する可変表示コマンド送信手段と、
始動動作条件の成立に応じて、前記可変入賞装置を開状態にした後閉状態にする開閉動作を複数回実行させる可変入賞装置制御手段と、
前記可変入賞装置が前記開閉動作しているか否かを判定する開閉判定手段と、
前記開閉判定手段によって前記可変入賞装置が前記開閉動作していないと判定されているときに前記検出手段によって遊技球の入賞が検出されたことにもとづいて、異常入賞状態であるか否かを判定する異常入賞判定手段と、
前記異常入賞判定手段によって前記異常入賞状態であると判定されたときに、異常報知の実行を指示するための異常報知コマンドを送信する異常報知コマンド送信手段とを含み、
前記演出制御手段は、
前記可変表示コマンド送信手段が送信した可変表示コマンドにもとづいて前記可変表示装置において識別情報の可変表示を開始し、前記可変表示時間が経過したときに可変表示装置に表示結果を導出表示する可変表示制御手段と、
前記異常報知コマンド送信手段が送信した異常報知コマンドにもとづいて、前記演出装置により異常報知を実行する異常報知手段とを含み、
前記可変入賞装置制御手段は、前記開閉動作における前記可変入賞装置の開状態である時間を閉状態である時間よりも短くし、
前記異常報知手段は、前記可変表示制御手段が前記可変表示装置において識別情報の可変表示を実行しているときにも、前記異常報知コマンドが送信されたときには前記異常報知を実行する
ことを特徴とする遊技機。
【請求項２】
遊技球を用いて所定の遊技を行うことが可能であり、遊技領域に設けられた始動領域に遊技球が入賞したことにもとづいて各々を識別可能な複数種類の識別情報の可変表示を行い表示結果を導出表示する可変表示装置を備え、該可変表示装置に特定表示結果が導出表示されたときに遊技者にとって有利な特定遊技状態に移行させる遊技機であって、
前記始動領域が形成され、前記始動領域に遊技球が入賞しない閉状態と前記始動領域に遊技球が入賞可能な開状態とのいずれかの状態になることが可能な可変入賞装置と、
前記始動領域に入賞した遊技球を検出して検出信号を出力する検出手段と、
遊技の進行を制御する遊技制御手段と、
前記遊技制御手段が送信する演出コマンドにもとづいて、前記可変表示装置を含む演出装置の制御を行う演出制御手段とを備え、
前記遊技制御手段は、
前記可変表示装置における識別情報の可変表示の開始と可変表示時間とを特定可能な可変表示コマンドを送信する可変表示コマンド送信手段と、
始動動作条件の成立に応じて、前記可変入賞装置を開状態にした後閉状態にする開閉動作を複数回実行させる可変入賞装置制御手段と、
前記可変入賞装置が前記開閉動作しているか否かを判定する開閉判定手段と、
前記開閉判定手段によって前記可変入賞装置が前記開閉動作していないと判定されているときに前記検出手段から前記検出信号を入力したことにもとづいて、前記始動領域に入賞した遊技球の入賞累積数を記憶する入賞累積数記憶手段と、
異常入賞数であるか否かを判定するための所定の異常入賞数基準値と前記入賞累積数記憶手段が記憶する前記入賞累積数とにもとづいて、異常入賞状態であるか否かを判定する異常入賞判定手段と、
前記異常入賞判定手段によって前記異常入賞状態であると判定されたときに、異常報知の実行を指示するための異常報知コマンドを送信する異常報知コマンド送信手段とを含み、
前記演出制御手段は、
前記可変表示コマンド送信手段が送信した可変表示コマンドにもとづいて前記可変表示装置において識別情報の可変表示を開始し、前記可変表示時間が経過したときに可変表示装置に表示結果を導出表示する可変表示制御手段と、
前記異常報知コマンド送信手段が送信した異常報知コマンドにもとづいて、前記演出装置により異常報知を実行する異常報知手段とを含み、
前記可変入賞装置制御手段は、前記開閉動作における前記可変入賞装置の開状態である時間を閉状態である時間よりも短くし、
前記異常報知手段は、前記可変表示制御手段が前記可変表示装置において識別情報の可変表示を実行しているときにも、前記異常報知コマンドが送信されたときには前記異常報知を実行する
ことを特徴とする遊技機。
【請求項３】
遊技球を用いて所定の遊技を行うことが可能であり、遊技領域に設けられた第１の始動領域に遊技球が入賞したことにもとづいて第１識別情報の可変表示を行い表示結果を導出表示する第１可変表示手段と、遊技領域に設けられた第２の始動領域に遊技球が入賞したことにもとづいて第２識別情報の可変表示を行い表示結果を導出表示する第２可変表示手段とを備え、前記第１可変表示手段または前記第２可変表示手段に特定表示結果が導出表示されたときに遊技者にとって有利な特定遊技状態に移行させる遊技機であって、
前記第２の始動領域が形成され、前記第２の始動領域に遊技球が入賞しない閉状態と前記第２の始動領域に遊技球が入賞可能な開状態とのいずれかの状態になることが可能な可変入賞装置と、
前記第２の始動領域に入賞した遊技球を検出して検出信号を出力する検出手段と、
第１識別情報と第２識別情報との少なくとも一方の可変表示に対応付けられた第３識別情報の可変表示を行う可変表示装置と、
遊技の進行を制御する遊技制御手段と、
前記遊技制御手段が送信するコマンドにもとづいて、前記可変表示装置を含む演出装置の制御を行う演出制御手段とを備え、
前記遊技制御手段は、
前記可変表示装置における第３識別情報の可変表示の開始と可変表示時間とを特定可能な可変表示コマンドを送信する可変表示コマンド送信手段と、
始動動作条件の成立に応じて、前記可変入賞装置を開状態にした後閉状態にする開閉動作を複数回実行させる可変入賞装置制御手段と、
前記可変入賞装置が前記開閉動作しているか否かを判定する開閉判定手段と、
前記開閉判定手段によって前記可変入賞装置が前記開閉動作していないと判定されているときに前記検出手段によって遊技球の入賞が検出されたことにもとづいて、異常入賞状態であるか否かを判定する異常入賞判定手段と、
前記異常入賞判定手段によって前記異常入賞状態であると判定されたときに、異常報知の実行を指示するための異常報知コマンドを送信する異常報知コマンド送信手段とを含み、
前記演出制御手段は、
前記可変表示コマンド送信手段が送信した可変表示コマンドにもとづいて前記可変表示装置において第３識別情報の可変表示を開始し、前記可変表示時間が経過したときに可変表示装置に表示結果を導出表示する可変表示制御手段と、
前記異常報知コマンド送信手段が送信した異常報知コマンドにもとづいて、前記演出装置により異常報知を実行する異常報知手段とを含み、
前記可変入賞装置制御手段は、前記開閉動作における前記可変入賞装置の開状態である時間を閉状態である時間よりも短くし、
前記異常報知手段は、前記可変表示制御手段が前記可変表示装置において第３識別情報の可変表示を実行しているときにも、前記異常報知コマンドが送信されたときには前記異常報知を実行する
ことを特徴とする遊技機。
【請求項４】
特定遊技状態において遊技球が入賞しない状態から入賞しやすい有利状態に変化可能な特定可変入賞装置を備え、
遊技制御手段は、
第１可変表示手段に特定表示結果が導出表示されたときに前記特定遊技状態における第１の特定遊技状態に移行させる第１特定遊技状態制御手段と、
第２可変表示手段に特定表示結果が導出表示されたときに前記特定遊技状態における第２の特定遊技状態に移行させる第２特定遊技状態制御手段とを含み、
前記第１の特定遊技状態と前記第２の特定遊技状態とのそれぞれにおいて、前記特定可変入賞装置が、第１所定回数、または第１所定回数とは異なる回数である第２所定回数だけ有利状態に制御され、
前記遊技制御手段は、
前記第１の特定遊技状態における前記特定可変入賞装置を有利状態に移行させる回数として、前記第１所定回数と前記第２所定回数とのいずれかを選択する第１有利状態回数選択手段と、
前記第２の特定遊技状態における前記特定可変入賞装置を有利状態に移行させる回数として、前記第１所定回数と前記第２所定回数とのいずれかを選択する第２有利状態回数選択手段とを含み、
前記第２有利状態回数選択手段により前記第１所定回数が選択される割合は、前記第１有利状態回数選択手段により前記第１所定回数が選択される割合とは異なる
請求項３記載の遊技機。
【請求項５】
第１所定回数は、第２所定回数よりも多い回数であり、
第２有利状態回数選択手段は、第１有利状態回数選択手段が前記第１所定回数を選択する割合よりも高い割合で前記第１所定回数を選択する
請求項４記載の遊技機。
【請求項６】
遊技制御手段は、
可変表示の第１の開始条件が成立したときに、第２識別情報の可変表示が行われていないことを条件に、第１可変表示手段に第１識別情報の可変表示を開始させて表示結果を導出表示させ、可変表示の第２の開始条件が成立したときに、第１識別情報の可変表示が行われていないことを条件に、第２可変表示手段に第２識別情報の可変表示を開始させて表示結果を導出表示させる可変表示制御手段と、
所定の上限値までの前記第１の開始条件が成立していない第１の始動領域への遊技球の入賞数を特定可能な第１保留記憶データを記憶する第１保留記憶手段と、
所定の上限値までの前記第２の開始条件が成立していない第２の始動領域への遊技球の入賞数を特定可能な第２保留記憶データを記憶する第２保留記憶手段とを含み、
前記可変表示制御手段は、前記第１保留記憶データおよび前記第２保留記憶データが入賞数があることを示しているときには、前記第１の始動領域と前記第２の始動領域とのうち遊技球が入賞する確率が高い始動領域への入賞にもとづく可変表示の開始条件が成立したとして、第１識別情報の可変表示と第２識別情報の可変表示とのうち、該入賞する確率が高い始動領域への入賞にもとづく可変表示を、他方の始動領域への入賞にもとづく可変表示に優先して実行する
請求項３から請求項５のうちのいずれかに記載の遊技機。
【請求項７】
異常入賞判定手段が異常入賞状態であると判定している状態では、識別情報の可変表示の開始を禁止する可変表示禁止手段を含む
請求項１から請求項６のうちのいずれかに記載の遊技機。
【請求項８】
遊技球を用いて所定の遊技を行うことが可能であり、遊技領域に設けられた始動領域に遊技球が入賞したことにもとづいて遊技球が進入し難いまたは進入しない閉状態から遊技球が進入しやすい開状態となる動作を行う特別可変入賞装置を備え、前記特別可変入賞装置に設けられている特別領域に遊技球が入賞したことにもとづいて遊技状態を遊技者にとって有利な特定遊技状態に移行させることが可能な遊技機であって、
前記始動領域が形成され、前記始動領域に遊技球が入賞しない閉状態と前記始動領域に遊技球が入賞可能な開状態とのいずれかの状態になることが可能な可変入賞装置と、
始動動作条件の成立に応じて、前記可変入賞装置を開状態にした後閉状態にする開閉動作を複数回実行させる可変入賞装置制御手段と、
前記始動領域に入賞した遊技球を検出して検出信号を出力する検出手段と、
遊技の進行を制御する遊技制御手段とを備え、
前記遊技制御手段は、
前記可変入賞装置が前記開閉動作しているか否かを判定する開閉判定手段と、
前記開閉判定手段によって前記可変入賞装置が開閉動作していないと判定されているときに前記検出手段によって遊技球の入賞が検出されたことにもとづいて、異常入賞状態であるか否かを判定する異常入賞判定手段と、
前記異常入賞判定手段によって前記異常入賞状態であると判定されたときに、異常報知を実行する異常報知手段とを含み、
前記可変入賞装置制御手段は、前記開閉動作における前記可変入賞装置の開状態である時間を閉状態である時間よりも短くし、
前記異常報知手段は、前記特別可変入賞装置の状態にかかわらず異常報知を実行可能する
ことを特徴とする遊技機。
【請求項９】
遊技球を用いて所定の遊技を行うことが可能であり、遊技領域に設けられた始動領域に遊技球が入賞したことにもとづいて遊技球が進入し難いまたは進入しない閉状態から遊技球が進入しやすい開状態となる動作を行う特別可変入賞装置を備え、前記特別可変入賞装置に設けられている特別領域に遊技球が入賞したことにもとづいて遊技状態を遊技者にとって有利な特定遊技状態に移行させることが可能な遊技機であって、
前記始動領域が形成され、前記始動領域に遊技球が入賞しない閉状態と前記始動領域に遊技球が入賞可能な開状態とに変化可能な可変入賞装置と、
始動動作条件の成立に応じて、前記可変入賞装置を開状態にした後閉状態にする開閉動作を複数回実行させる可変入賞装置制御手段と、
前記始動領域に入賞した遊技球を検出して検出信号を出力する検出手段と、
遊技の進行を制御する遊技制御手段とを備え、
前記遊技制御手段は、
前記可変入賞装置が前記開閉動作しているか否かを判定する開閉判定手段と、
前記開閉判定手段によって前記可変入賞装置が前記開閉動作していないと判定されているときに前記検出手段から前記検出信号を入力したことにもとづいて、前記始動領域に入賞した遊技球の入賞累積数を記憶する入賞累積数記憶手段と、
異常入賞数であるか否かを判定するための所定の異常入賞数基準値と前記入賞累積数記憶手段が記憶する前記入賞累積数とにもとづいて、異常入賞状態であるか否かを判定する異常入賞判定手段と、
前記異常入賞判定手段によって前記異常入賞状態であると判定されたときに、異常報知を実行する異常報知手段とを含み、
前記可変入賞装置制御手段は、前記開閉動作における前記可変入賞装置の開状態である時間を閉状態である時間よりも短くし、
前記異常報知手段は、前記特別可変入賞装置の状態にかかわらず異常報知を実行可能する
ことを特徴とする遊技機。
【請求項１０】
異常入賞判定手段によって異常入賞状態であると判定されているときに、特別可変入賞装置の動作の開始を禁止する動作禁止手段を備えた
請求項８または請求項９記載の遊技機。
【請求項１１】
始動領域に遊技球が入賞したことに応じて遊技球を払い出す制御を実行する払出制御手段を備え、
前記払出制御手段は、異常入賞判定手段によって異常入賞状態であると判定されているときに、検出手段によって遊技球の入賞が検出されたときには、遊技球を払い出す制御の実行を禁止する払出制御禁止手段を含む
請求項１から請求項１０のうちいずれかに記載の遊技機。
【請求項１２】
特定遊技状態において遊技球が入賞しない状態から入賞しやすい有利状態に変化可能な特定可変入賞装置と、
前記特定可変入賞装置に入賞した遊技球を検出して検出信号を出力する入賞検出手段とを備え、
遊技制御手段は、
前記入賞検出手段からの前記検出信号を入力したか否かを判定する入賞判定手段と、
前記特定遊技状態以外の遊技状態において前記入賞判定手段が前記検出信号を入力したと判定したことにもとづいて、異常報知の実行を指示するための特定異常報知コマンドを送信する特定異常報知コマンド送信手段とを含み、
演出制御手段は、
前記特定異常報知コマンド送信手段が送信した特定異常報知コマンドにもとづいて、演出装置により異常報知を実行する特定異常報知手段を含む
請求項１から請求項１１のうちのいずれかに記載の遊技機。
【請求項１３】
遊技制御手段は、遊技進行状態を示すデータにもとづいて可変入賞装置の状態を制御する状態制御手段を含み、
異常入賞判定手段は、前記遊技進行状態を示すデータが所定範囲の数値を示しているときに、検出手段によって遊技球の入賞が検出されたことにもとづいて異常入賞状態であると判定する
請求項１から請求項１２記載の遊技機。
【請求項１４】
遊技制御手段は、
所定の数値を更新する数値更新手段と、
所定の時期に前記数値更新手段から数値を抽出する数値抽出手段と、
前記数値抽出手段が抽出した数値にもとづいて識別情報の可変表示の表示結果を特定可能な情報を決定する表示結果決定手段と、
遊技機に対する電力供給が開始されたときに、前記数値を初期値に設定する初期化処理を実行する初期化手段とを含み、
前記初期化手段が初期化処理を実行したときに、演出装置により、所定の終了条件が成立するまで初期化処理が実行されたことを示す初期化報知を行う初期化報知手段と、
前記初期化報知手段が初期化報知を行っているときに、異常報知手段による異常報知の開始を禁止する異常報知禁止手段とを備えた
請求項１から請求項１３のうちのいずれかに記載の遊技機。
【発明の詳細な説明】
【技術分野】
【０００１】
本発明は、遊技球を用いて所定の遊技を行うことが可能であり、遊技領域に設けられた所定の始動領域に遊技球が入賞したことにもとづいて各々を識別可能な複数種類の識別情報の可変表示を行い表示結果を導出表示する可変表示装置を備え、可変表示装置に特定表示結果が導出表示されたときに遊技者にとって有利な特定遊技状態に移行させるパチンコ遊技機等の遊技機に関する。
【背景技術】
【０００２】
遊技機として、遊技媒体である遊技球を発射装置によって遊技領域に発射し、遊技領域に設けられている入賞口などの入賞領域に遊技球が入賞すると、所定個の遊技球が景品（賞球）として遊技者に払い出されるものがある。さらに、識別情報を可変表示（「変動」ともいう。）可能な可変表示部が設けられ、可変表示部において識別情報の可変表示の表示結果が特定表示結果となった場合に、遊技状態（遊技機の状態。より具体的には、遊技機が制御されている状態。）を、所定の遊技価値を遊技者に与えるように構成されたものがある。なお、遊技価値とは、遊技機の遊技領域に設けられた可変入賞球装置の状態が打球が入賞しやすい遊技者にとって有利な状態になることや、遊技者にとって有利な状態になるための権利を発生させたりすることや、賞球払出の条件が成立しやすくなる状態になることである。
【０００３】
パチンコ遊技機では、始動入賞口に遊技球が入賞したことにもとづいて可変表示部において開始される特別図柄（識別情報）の可変表示の表示結果として、あらかじめ定められた特定の表示態様（特定表示結果）が導出表示された場合に、「大当り」が発生する。なお、導出表示とは、図柄を停止表示させることである。大当りが発生すると、例えば、大入賞口（入賞領域の一つ）が所定回数（例えば１５回）開放して打球が入賞しやすい大当り遊技状態に移行する。そして、各開放期間において、所定個（例えば１０個）の大入賞口への入賞があると大入賞口は閉成する。すなわち、大当り遊技状態では入賞が生じやすくなって、遊技者は、多数の賞球を獲得することができる。なお、各開放について開放時間（例えば２９．５秒）が決められ、入賞数が所定個に達しなくても開放時間が経過すると大入賞口は閉成する。また、以下、各々の大入賞口の開放期間をラウンドという。
【０００４】
また、可変表示装置において、最終停止図柄（例えば左右中図柄のうち中図柄）となる図柄以外の図柄が、所定時間継続して、特定の表示結果と一致している状態で停止、揺動、拡大縮小もしくは変形している状態、または、複数の図柄が同一図柄で同期して変動したり、表示図柄の位置が入れ替わっていたりして、最終結果が表示される前で大当り発生の可能性が継続している状態（以下、これらの状態をリーチ状態という。）において行われる演出をリーチ演出という。また、リーチ状態やその様子をリーチ態様という。さらに、リーチ演出を含む可変表示をリーチ可変表示という。そして、可変表示装置に変動表示される図柄の表示結果が特定の表示結果でない場合には「はずれ」となり、変動表示状態は終了する。遊技者は、大当りをいかにして発生させるかを楽しみつつ遊技を行う。
【０００５】
遊技球が大入賞口に入賞すると遊技者に対して景品としての遊技球が払い出されるのであるが、一般に、大入賞口以外の普通入賞口に遊技球が入賞した場合に払い出される遊技球数よりも、大入賞口に遊技球が入賞した場合に払い出される遊技球数の方が多い。すると、不正な器具等を用いて大入賞口に遊技球が入賞した状況を作り出して不正に景品としての遊技球を得ようとする不正行為を受けやすくなる。なお、このときに、実際には、大入賞口に遊技球は入賞していない。
【０００６】
そこで、大入賞口が閉じているときに大入賞口への遊技球の入賞を検出すると、異常入賞が生じたとして、異常を報知するとともに、遊技を停止させるように構成された遊技機が提案されている（例えば、特許文献１参照。）。
【０００７】
【特許文献１】特開平５−２２８２４３号公報（段落０１４７，０１５１）
【発明の開示】
【発明が解決しようとする課題】
【０００８】
特許文献１に記載されている遊技機では、大入賞口への異常入賞が検出されると、遊技領域への遊技球の発射が禁止される。遊技球の発射を禁止することによって遊技の継続は不可能になり、不正行為が継続して遊技店が不利益を被ることが防止される。しかし、遊技機には普通図柄が当り図柄になったときに遊技球を入賞しやすくする開閉動作を行う電動チューリップ（普通電動役物）が設けられているが、普通電動役物に関して不正行為を防止する対策が講じられていない。一般に普通電動役物への入賞は、上記の始動入賞口として用いられている。よって、普通電動役物に対する不正行為によって遊技店が不利益を被ることが生じ得る。
【０００９】
そこで、本発明は、可変入賞装置（普通電動役物）に対する不正行為を防止することができる遊技機を提供することを目的とする。
【課題を解決するための手段】
【００１０】
本発明による遊技機は、遊技球を用いて所定の遊技を行うことが可能であり、遊技領域に設けられた始動領域（例えば、第１始動入賞口１３や第２始動入賞口１４）に遊技球が入賞したことにもとづいて各々を識別可能な複数種類の識別情報（例えば、特別図柄や演出図柄）の可変表示を行い表示結果を導出表示する可変表示装置（例えば、第１特別図柄表示器８ａ、第２特別図柄表示器８ｂ、演出表示装置９）を備え、該可変表示装置に特定表示結果（例えば、大当り図柄）が導出表示されたときに遊技者にとって有利な特定遊技状態（例えば、大当り遊技状態）に移行させる遊技機であって、始動領域が形成され、始動領域に遊技球が入賞しない閉状態と始動領域に遊技球が入賞可能な開状態とのいずれかの状態になることが可能な可変入賞装置（例えば、可変入賞球装置１５）と、始動領域に入賞した遊技球を検出して検出信号を出力する検出手段（例えば、第１始動口スイッチ１３ａや第２始動口スイッチ１４ａ）と、遊技の進行を制御する遊技制御手段（例えば、ＣＰＵ５６を含む遊技制御用マイクロコンピュータ５６０）と、遊技制御手段が送信する演出コマンド（例えば、演出制御コマンド）にもとづいて、可変表示装置を含む演出装置（例えば、演出表示装置９、スピーカ、ランプ／ＬＥＤ等）の制御を行う演出制御手段（例えば、演出制御用マイクロコンピュータ１００）とを備え、遊技制御手段は、可変表示装置における識別情報の可変表示の開始と可変表示時間とを特定可能な可変表示コマンド（例えば、変動パターンコマンド）を送信する可変表示コマンド送信手段（例えば、遊技制御用マイクロコンピュータ５６０においてステップＳ１０２の処理を実行する部分）と、始動動作条件の成立（ステップＳ１４３のＹ）に応じて、可変入賞装置を開状態にした後閉状態にする開閉動作を複数回実行させる可変入賞装置制御手段（例えば、遊技制御用マイクロコンピュータ５６０において普通図柄停止処理（ステップＳ１０２Ａ）のうち開放パターンを選択する（ステップＳ７４５およびステップＳ７４６）制御を実行する部分、および普通電動役物開放前処理と普通電動役物開放中処理処理（ステップＳ１０３Ａ，Ｓ１０４Ａ）を実行する部分）と、可変入賞装置が開閉動作しているか否かを判定する開閉判定手段（例えば、遊技制御用マイクロコンピュータ５６０においてステップＳ２６１（図４４）の処理を実行する部分）と、開閉判定手段によって可変入賞装置が開閉動作していないと判定されているときに検出手段によって遊技球の入賞が検出されたことにもとづいて、異常入賞状態であるか否かを判定する異常入賞判定手段（例えば、遊技制御用マイクロコンピュータ５６０においてステップＳ２６２，Ｓ２６３，Ｓ２６４Ａ，Ｓ２６４Ｂの処理を実行する部分）と、異常入賞判定手段によって異常入賞状態であると判定されたときに、異常報知の実行を指示するための異常報知コマンド（例えば、異常入賞報知１指定コマンド）を送信する異常報知コマンド送信手段（例えば、遊技制御用マイクロコンピュータ５６０においてステップＳ２６５を実行する部分）とを含み、演出制御手段は、可変表示コマンド送信手段が送信した可変表示コマンドにもとづいて可変表示装置において識別情報の可変表示を開始し、可変表示時間が経過したときに可変表示装置に表示結果を導出表示する可変表示制御手段（例えば、演出制御用マイクロコンピュータ１００においてステップＳ８００〜Ｓ８０３の処理を実行する部分）と、異常報知コマンド送信手段が送信した異常報知コマンドにもとづいて、演出装置により異常報知を実行する異常報知手段（例えば、演出制御用マイクロコンピュータ１００においてステップＳ７０７（図６２）の処理を実行する部分）とを含み、可変入賞装置制御手段は、開閉動作における可変入賞装置の開状態である時間を閉状態である時間よりも短くし（図３１参照）、異常報知手段は、可変表示制御手段が可変表示装置において識別情報の可変表示を実行しているときにも、異常報知コマンドが送信されたときには異常報知を実行する（例えば、演出制御用マイクロコンピュータ１００において、ステップＳ１０１２，Ｓ１０１４〜Ｓ１０１８，Ｓ８４５Ａ，Ｓ８４５Ｃの処理を実行する）ことを特徴とする。
【００１１】
本発明による他の態様の遊技機は、遊技球を用いて所定の遊技を行うことが可能であり、遊技領域に設けられた始動領域（例えば、第１始動入賞口１３や第２始動入賞口１４）に遊技球が入賞したことにもとづいて各々を識別可能な複数種類の識別情報（例えば、特別図柄や演出図柄）の可変表示を行い表示結果を導出表示する可変表示装置（例えば、第１特別図柄表示器８ａ、第２特別図柄表示器８ｂ、演出表示装置９）を備え、該可変表示装置に特定表示結果（例えば、大当り図柄）が導出表示されたときに遊技者にとって有利な特定遊技状態（例えば、大当り遊技状態）に移行させる遊技機であって、始動領域が形成され、始動領域に遊技球が入賞しない閉状態と始動領域に遊技球が入賞可能な開状態とのいずれかの状態になることが可能な可変入賞装置（例えば、可変入賞球装置１５）と、始動領域に入賞した遊技球を検出して検出信号を出力する検出手段（例えば、第１始動口スイッチ１３ａや第２始動口スイッチ１４ａ）と、遊技の進行を制御する遊技制御手段（例えば、ＣＰＵ５６を含む遊技制御用マイクロコンピュータ５６０）と、遊技制御手段が送信する演出コマンド（例えば、演出制御コマンド）にもとづいて、可変表示装置を含む演出装置（例えば、演出表示装置９、スピーカ、ランプ／ＬＥＤ等）の制御を行う演出制御手段（例えば、演出制御用マイクロコンピュータ１００）とを備え、遊技制御手段は、可変表示装置における識別情報の可変表示の開始と可変表示時間とを特定可能な可変表示コマンド（例えば、変動パターンコマンド）を送信する可変表示コマンド送信手段（例えば、遊技制御用マイクロコンピュータ５６０においてステップＳ１０２の処理を実行する部分）と、始動動作条件の成立（ステップＳ１４３のＹ）に応じて、可変入賞装置を開状態にした後閉状態にする開閉動作を複数回実行させる可変入賞装置制御手段（例えば、遊技制御用マイクロコンピュータ５６０において普通図柄停止処理（ステップＳ１０２Ａ）のうち開放パターンを選択する（ステップＳ７４５およびステップＳ７４６）制御を実行する部分、および普通電動役物開放前処理と普通電動役物開放中処理（ステップＳ１０３Ａ，Ｓ１０４Ａ）を実行する部分）と、可変入賞装置が開閉動作しているか否かを判定する開閉判定手段（例えば、遊技制御用マイクロコンピュータ５６０においてステップＳ２６１（図４４）の処理を実行する部分）と、開閉判定手段によって可変入賞装置が開閉動作していないと判定されたときに検出手段から検出信号を入力したことにもとづいて、始動領域に入賞した遊技球の入賞累積数を記憶する入賞累積数記憶手段（例えば、入賞累積数カウンタ）と、異常入賞数であるか否かを判定するための所定の異常入賞数基準値（例えば５）と入賞累積数記憶手段が記憶する入賞累積数とにもとづいて、異常入賞状態であるか否かを判定する異常入賞判定手段（例えば、遊技制御用マイクロコンピュータ５６０においてステップＳ２６２，Ｓ２６３，Ｓ２６４Ａ，Ｓ２６４Ｂの処理を実行する部分）と、異常入賞判定手段によって異常入賞状態であると判定されたときに、異常報知の実行を指示するための異常報知コマンド（例えば、異常入賞報知１指定コマンド）を送信する異常報知コマンド送信手段（例えば、遊技制御用マイクロコンピュータ５６０においてステップＳ２６５の処理を実行する部分）とを含み、演出制御手段は、可変表示コマンド送信手段が送信した可変表示コマンドにもとづいて可変表示装置において識別情報の可変表示を開始し、可変表示時間が経過したときに可変表示装置に表示結果を導出表示する可変表示制御手段（例えば、演出制御用マイクロコンピュータ１００においてステップＳ８００〜Ｓ８０３の処理を実行する部分）と、異常報知コマンド送信手段が送信した異常報知コマンドにもとづいて、演出装置により異常報知を実行する異常報知手段（例えば、演出制御用マイクロコンピュータ１００においてステップＳ７０７（図６２）の処理を実行する部分）とを含み、可変入賞装置制御手段は、開閉動作における可変入賞装置の開状態である時間を閉状態である時間よりも短くし（図３１参照）、異常報知手段は、可変表示制御手段が可変表示装置において識別情報の可変表示を実行しているときにも、異常報知コマンドが送信されたときには異常報知を実行する（例えば、演出制御用マイクロコンピュータ１００において、ステップＳ１０１２，Ｓ１０１４〜Ｓ１０１８，Ｓ８４５Ａ，Ｓ８４５Ｃの処理を実行する）ことを特徴とする。
【００１２】
本発明によるさらに他の態様の遊技機は、遊技球を用いて所定の遊技を行うことが可能であり、遊技領域に設けられた第１の始動領域（例えば、第１始動入賞口１３）に遊技球が入賞したことにもとづいて第１識別情報（例えば、第１特別図柄）の可変表示を行い表示結果を導出表示する第１可変表示手段（例えば、第１特別図柄表示器８ａ）と、遊技領域に設けられた第２の始動領域（例えば、第２始動入賞口１４）に遊技球が入賞したことにもとづいて第２識別情報（例えば、第２特別図柄）の可変表示を行い表示結果を導出表示する第２可変表示手段（例えば、第２特別図柄表示器８ｂ）とを備え、第１可変表示手段または第２可変表示手段に特定表示結果（例えば大当り図柄）が導出表示されたときに遊技者にとって有利な特定遊技状態（例えば大当り遊技状態）に移行させる遊技機であって、第２の始動領域が形成され、第２の始動領域に遊技球が入賞しない閉状態と第２の始動領域に遊技球が入賞可能な開状態とのいずれかの状態になることが可能な可変入賞装置（例えば、可変入賞球装置１５、普通電動役物）と、第２の始動領域に入賞した遊技球を検出して検出信号を出力する検出手段（例えば、第２始動口スイッチ１４ａ）と、第１識別情報と第２識別情報との少なくとも一方の可変表示に対応付けられた第３識別情報（例えば演出図柄）の可変表示を行う可変表示装置（例えば、演出表示装置９）と、遊技の進行を制御する遊技制御手段（例えば、ＣＰＵ５６を含む遊技制御用マイクロコンピュータ５６０）と、遊技制御手段が送信するコマンド（例えば演出制御コマンド）にもとづいて、可変表示装置を含む演出装置（例えば、演出表示装置９、スピーカ、ランプ／ＬＥＤ等）の制御を行う演出制御手段（例えば、演出制御用ＣＰＵ１０１を含む演出制御用マイクロコンピュータ１００）とを備え、遊技制御手段は、可変表示装置における第３識別情報の可変表示の開始と可変表示時間とを特定可能な可変表示コマンド（例えば、変動パターンコマンド）を送信する可変表示コマンド送信手段（例えば、遊技制御用マイクロコンピュータ５６０において、第１特別図柄プロセス処理におけるステップＳ１０２を実行する部分。第２特別図柄プロセス処理で、第１特別図柄プロセス処理におけるステップＳ１０２の処理に相当する処理を実行する部分）と、始動動作条件の成立（ステップＳ１４３のＹ）に応じて、可変入賞装置を開状態にした後閉状態にする開閉動作を複数回実行させる可変入賞装置制御手段（例えば、遊技制御用マイクロコンピュータ５６０において普通図柄停止処理（ステップＳ１０２Ａ）のうち開放パターンを選択する（ステップＳ７４５およびステップＳ７４６）制御を実行する部分、および普通電動役物開放前処理と普通電動役物開放中処理処理（ステップＳ１０３Ａ，Ｓ１０４Ａ）を実行する部分）と、可変入賞装置が開閉動作しているか否かを判定する開閉判定手段（例えば、遊技制御用マイクロコンピュータ５６０においてステップＳ２６１（図４４）の処理を実行する部分）と、開閉判定手段によって可変入賞装置が開閉動作していないと判定されているときに検出手段によって遊技球の入賞が検出されたことにもとづいて、異常入賞状態であるか否かを判定する異常入賞判定手段（例えば、遊技制御用マイクロコンピュータ５６０においてステップＳ２６４Ｂの処理を実行する部分）と、異常入賞判定手段によって異常入賞状態であると判定されたときに、異常報知の実行を指示するための異常報知コマンド（例えば、異常入賞報知１指定コマンド）を送信する異常報知コマンド送信手段（例えば、遊技制御用マイクロコンピュータ５６０においてステップＳ２６２，Ｓ２６３，Ｓ２６４Ａ，Ｓ２６４Ｂの処理を実行する部分）とを含み、演出制御手段は、可変表示コマンド送信手段が送信した可変表示コマンドにもとづいて可変表示装置において第３識別情報の可変表示を開始し、可変表示時間が経過したときに可変表示装置に表示結果を導出表示する可変表示制御手段（例えば、演出制御用マイクロコンピュータ１００においてステップＳ８００〜Ｓ８０３の処理を実行する部分）と、異常報知コマンド送信手段が送信した異常報知コマンドにもとづいて、演出装置により異常報知を実行する異常報知手段（例えば、演出制御用マイクロコンピュータ１００においてステップＳ７０７（図６２）の処理を実行する部分）とを含み、可変入賞装置制御手段は、開閉動作における可変入賞装置の開状態である時間を閉状態である時間よりも短くし（図３１参照）、異常報知手段は、可変表示制御手段が可変表示装置において第３識別情報の可変表示を実行しているときにも、異常報知コマンドが送信されたときには異常報知を実行する（例えば、演出制御用マイクロコンピュータ１００において、ステップＳ１０１２，Ｓ１０１４〜Ｓ１０１８，Ｓ８４５Ａ，Ｓ８４５Ｃの処理を実行する）ことを特徴とする。
【００１３】
特定遊技状態において遊技球が入賞しない状態から入賞しやすい有利状態に変化可能な特定可変入賞装置（例えば、特定可変入賞球装置２０）を備え、遊技制御手段は、第１可変表示手段に特定表示結果が導出表示されたときに特定遊技状態における第１の特定遊技状態（例えば、第１特別図柄に対応する大当り遊技状態）に移行させる第１特定遊技状態制御手段（例えば、遊技制御用マイクロコンピュータ５６０において、第１特別図柄プロセス処理のステップＳ６２，Ｓ１３９の処理を実行する部分）と、第２可変表示手段に特定表示結果が導出表示されたときに特定遊技状態における第２の特定遊技状態（例えば、第２特別図柄に対応する大当り遊技状態）に移行させる第２特定遊技状態制御手段（例えば、遊技制御用マイクロコンピュータ５６０において第２特別図柄プロセス処理で、第１特別図柄プロセス処理のステップＳ６２，Ｓ１３９の処理の処理に相当する処理を実行する部分）とを含み、第１の特定遊技状態と第２の特定遊技状態とのそれぞれにおいて、特定可変入賞装置が、第１所定回数（例えば１５回）、または第１所定回数とは異なる回数である第２所定回数（例えば２回）だけ有利状態に制御され、遊技制御手段は、第１の特定遊技状態における特定可変入賞装置を有利状態に移行させる回数として、第１所定回数と第２所定回数とのいずれかを選択する第１有利状態回数選択手段（例えば、遊技制御用マイクロコンピュータ５６０において、第１特別図柄プロセス処理におけるステップＳ６３，Ｓ７２，Ｓ７９を実行する部分）と、第２の特定遊技状態における特定可変入賞装置を有利状態に移行させる回数として、第１所定回数と第２所定回数とのいずれかを選択する第２有利状態回数選択手段（例えば、遊技制御用マイクロコンピュータ５６０において、第２特別図柄プロセス処理で、第１特別図柄プロセス処理におけるステップステップＳ６３，Ｓ７２，Ｓ７９の処理に相当する処理を実行する部分）とを含み、第２有利状態回数選択手段は、第１有利状態回数選択手段が第１所定回数を選択する割合（例えば６８％）とは異なる割合（例えば９０％）で第１所定回数を選択するように構成されていてもよい（図７，図８参照）。
【００１４】
第１所定回数（例えば１５回）は、第２所定回数（例えば２回）よりも多い回数であり、第２有利状態回数選択手段は、第１有利状態回数選択手段が第１所定回数を選択する割合（例えば６８％）よりも高い割合（例えば９０％）で第１所定回数を選択するように構成されていてもよい。
【００１５】
遊技制御手段は、可変表示の第１の開始条件（例えば、第１保留記憶数が０でなく、大当り遊技または小当り遊技が行われていないこと）が成立したときに、第２識別情報の可変表示が行われていないことを条件に、第１可変表示手段に第１識別情報の可変表示を開始させて表示結果を導出表示させ、可変表示の第２の開始条件（例えば、第２保留記憶数が０でなく、大当り遊技または小当り遊技が行われていないこと）が成立したときに、第１識別情報の可変表示が行われていないことを条件に、第２可変表示手段に第２識別情報の可変表示を開始させて表示結果を導出表示させる可変表示制御手段（例えば、遊技制御用マイクロコンピュータ５６０において、第１特別図柄プロセス処理におけるステップＳ５１〜Ｓ５２，Ｓ１０３を実行する部分。第２特別図柄プロセス処理におけるステップＳ５１Ｂ〜Ｓ５２Ｂの処理に相当する処理と、第１特別図柄プロセス処理におけるＳ１０３の処理に相当する処理を実行する部分）と、所定の上限値（例えば４）までの第１の開始条件が成立していない第１の始動領域への遊技球の入賞数を特定可能な第１保留記憶データ（例えば、第１保留記憶数カウンタのカウント値）を記憶する第１保留記憶手段（例えば、第１保留記憶数カウンタによって実現される）と、所定の上限値（例えば４）までの第２の開始条件が成立していない第２の始動領域への遊技球の入賞数を特定可能な第２保留記憶データ（例えば、第２保留記憶数カウンタのカウント値）を記憶する第２保留記憶手段（例えば、第２保留記憶数カウンタによって実現される）とを含み、可変表示制御手段は、第１保留記憶データおよび第２保留記憶データが入賞数があることを示しているときには（例えば、ステップＳ５２の処理でＮ、かつ、ステップＳ５３の処理でＮ）、第１の始動領域と第２の始動領域とのうち遊技球が入賞する確率が高い始動領域（例えば、可変入賞球装置１５が開放しているときに第２始動領域、可変入賞球装置１５が閉鎖しているときに第１始動領域）への入賞にもとづく可変表示の開始条件が成立したとして（例えば、ステップＳ５４の処理でＮ、または、ステップＳ５４Ｂの処理でＹ）、第１識別情報の可変表示と第２識別情報の可変表示とのうち、入賞する確率が高い始動領域への入賞にもとづく可変表示を、他方の始動領域への入賞にもとづく可変表示に優先して実行する（第１特別図柄プロセス処理におけるステップＳ１０３、または第２特別図柄プロセス処理で、第１特別図柄プロセス処理におけるステップＳ１０３の処理に相当する処理を実行する）ように構成されていてもよい。
【００１６】
異常入賞判定手段が異常入賞状態であると判定している状態では、識別情報の可変表示の開始を禁止する可変表示禁止手段（例えば、第２の実施の形態で、遊技制御用マイクロコンピュータ５６０においてステップＳ１３１６を実行する部分。第３の実施の形態で、演出制御用マイクロコンピュータ１００においてステップＳ８０９Ａ，Ｓ８０９Ｂを実行する部分。第５の実施の形態で、遊技制御用マイクロコンピュータ５６０においてステップＳ３２５Ａ，Ｓ３２５Ｂを実行する部分、および演出制御用マイクロコンピュータ１００においてステップＳ８０７Ａ，Ｓ８０７Ｂを実行する部分）を含む構成とされていてもよい。
【００１７】
本発明による別の態様の遊技機は、遊技球を用いて所定の遊技を行うことが可能であり、遊技領域に設けられた始動領域（例えば、第２始動入賞口１４）に遊技球が入賞したことにもとづいて遊技球が進入し難いまたは進入しない閉状態から遊技球が進入しやすい開状態となる動作を行う特別可変入賞装置（例えば、第４の実施の形態における役物７５）を備え、特別可変入賞装置に設けられている特別領域（例えば、第１特定領域７３、第２特定領域７４）に遊技球が入賞したことにもとづいて遊技状態を遊技者にとって有利な特定遊技状態（例えば、第２大当り遊技状態）に移行させることが可能な遊技機（例えば、図６６に示すパチンコ遊技機１）であって、始動領域が形成され、始動領域に遊技球が入賞しない閉状態と始動領域に遊技球が入賞可能な開状態とに変化可能な可変入賞装置（例えば、可変入賞球装置１５）と、始動動作条件の成立（ステップＳ１４３のＹ）に応じて、可変入賞装置を開状態にした後閉状態にする開閉動作を複数回実行させる可変入賞装置制御手段（例えば、遊技制御用マイクロコンピュータ５６０において普通図柄停止処理（ステップＳ１０２Ｂ）のうち開放パターンを選択する制御を実行する部分、および普通電動役物開放前処理と普通電動役物開放中処理（ステップＳ１０３Ｂ，Ｓ１０４Ｂ）を実行する部分）と、始動領域に入賞した遊技球を検出して検出信号を出力する検出手段（例えば、第１始動口スイッチ１３ａ、第２始動口スイッチ１４ａ）と、遊技の進行を制御する遊技制御手段（例えば、ＣＰＵ５６を含む遊技制御用マイクロコンピュータ５６０）とを備え、遊技制御手段は、可変入賞装置が開閉動作しているか否かを判定する開閉判定手段（例えば、遊技制御用マイクロコンピュータ５６０においてステップＳ５７０の処理を実行する部分）と、開閉判定手段によって可変入賞装置が開閉動作していないと判定されているときに（例えば、ステップＳ５７０の処理でＮ）検出手段によって遊技球の入賞が検出されたことにもとづいて、異常入賞状態であるか否かを判定する異常入賞判定手段（例えば、遊技制御用マイクロコンピュータ５６０においてステップＳ５７〜Ｓ５７３の処理を実行する部分）と、異常入賞判定手段によって異常入賞状態であると判定されたときに、異常報知を実行する異常報知手段（例えば、演出制御用マイクロコンピュータ１００において、ステップＳ１１１３，Ｓ１１１４の処理を実行する部分）とを含み、可変入賞装置制御手段は、開閉動作における可変入賞装置の開状態である時間を閉状態である時間よりも短くし（図３１参照）、異常報知手段は、特別可変入賞装置の状態にかかわらず異常報知を実行可能とする（例えば、演出制御用マイクロコンピュータ１００において、ステップＳ１１１３，Ｓ１１１４の処理を実行可能とする）ことを特徴とする。
【００１８】
本発明によるさらに別の態様の遊技機は、遊技球を用いて所定の遊技を行うことが可能であり、遊技領域に設けられた始動領域（例えば、第２始動入賞口１４）に遊技球が入賞したことにもとづいて遊技球が進入し難いまたは進入しない閉状態から遊技球が進入しやすい開状態となる動作を行う特別可変入賞装置（例えば、第４の実施の形態における役物７５）を備え、特別可変入賞装置に設けられている特別領域（例えば、第１特定領域７３、第２特定領域７４）に遊技球が入賞したことにもとづいて遊技状態を遊技者にとって有利な特定遊技状態（例えば、第２大当り遊技状態）に移行させることが可能な遊技機（例えば、図６６に示すパチンコ遊技機１）であって、始動領域が形成され、始動領域に遊技球が入賞しない閉状態と始動領域に遊技球が入賞可能な開状態とに変化可能な可変入賞装置（例えば、可変入賞球装置１５）と、始動動作条件の成立（ステップＳ１４３のＹ）に応じて、可変入賞装置を開状態にした後閉状態にする開閉動作を複数回実行させる可変入賞装置制御手段（例えば、遊技制御用マイクロコンピュータ５６０において普通図柄停止処理（ステップＳ１０２Ｂ）のうち開放パターンを選択する制御を実行する部分、および普通電動役物開放前処理と普通電動役物開放中処理（ステップＳ１０３Ｂ，Ｓ１０４Ｂ）を実行する部分）と、始動領域に入賞した遊技球を検出して検出信号を出力する検出手段（例えば、第１始動口スイッチ１３ａや第２始動口スイッチ１４ａ）と、遊技の進行を制御する遊技制御手段（例えば、ＣＰＵ５６を含む遊技制御用マイクロコンピュータ５６０）とを備え、遊技制御手段は、可変入賞装置が開閉動作しているか否かを判定する開閉判定手段（例えば、遊技制御用マイクロコンピュータ５６０においてステップＳ５７０の処理を実行する部分）と、開閉判定手段によって可変入賞装置が開閉動作していないと判定されたときに（例えば、ステップＳ５７０の処理でのＮ）、始動領域に入賞した遊技球の入賞累積数を記憶する入賞累積数記憶手段（例えば、入賞累積数カウンタ）と、異常入賞数であるか否かを判定するための所定の異常入賞数基準値（例えば５）と入賞累積数記憶手段が記憶する入賞累積数（例えば、入賞累積数カウンタのカウント値）とにもとづいて、異常入賞状態であるか否かを判定する異常入賞判定手段（例えば、入賞累積数カウンタの値が所定値以上である場合に、第２始動入賞口１４への異常入賞が生じたと判定する変形例における遊技制御用マイクロコンピュータ５６０）と、異常入賞判定手段によって異常入賞状態であると判定されたときに（ステップＳ２６４ＢのＹ）、異常報知を実行する異常報知手段（例えば、演出制御用マイクロコンピュータ１００において、ステップＳ１１１３，Ｓ１１１４の処理を実行する部分）とを含み、可変入賞装置制御手段は、開閉動作における可変入賞装置の開状態である時間を閉状態である時間よりも短くし（図３１参照）、異常報知手段は、特別可変入賞装置の状態にかかわらず異常報知を実行可能とする（例えば、演出制御用マイクロコンピュータ１００において、ステップＳ１１１３，Ｓ１１１４の処理を実行可能とする）ことを特徴とする。
【００１９】
異常入賞判定手段によって異常入賞状態であると判定されているときに、特別可変入賞装置の動作の開始を禁止する動作禁止手段（例えば、第５の実施の形態で遊技制御用マイクロコンピュータ５６０においてステップＳ３２５Ａ，Ｓ３２５Ｂを実行する部分）を備えていてもよい。
【００２０】
始動領域に遊技球が入賞したことに応じて遊技球を払い出す制御を実行する払出制御手段（例えば、遊技制御用マイクロコンピュータ５６０において、ステップＳ３６２Ａ〜Ｓ３６５、Ｓ３７１〜Ｓ３８２の処理を実行する部分）を備え、払出制御手段は、異常入賞判定手段によって異常入賞状態であると判定されているときに、検出手段によって遊技球の入賞が検出されたときには、遊技球を払い出す制御の実行を禁止する払出制御禁止手段（例えば、遊技制御用マイクロコンピュータ５６０においてステップＳ３６３Ａ，３６３Ｂの処理を実行する部分）を含むように構成されていてもよい。
【００２１】
特定遊技状態において遊技球が入賞しない状態（例えば閉状態）から入賞しやすい有利状態（例えば開状態）に変化可能な特定可変入賞装置（例えば、特定可変入賞球装置２０）と、特定可変入賞装置に入賞した遊技球を検出して検出信号を出力する入賞検出手段（例えば、カウントスイッチ２３）とを備え、遊技制御手段は、入賞検出手段からの検出信号を入力したか否かを判定する入賞判定手段（例えば、遊技制御用マイクロコンピュータ５６０において、ステップＳ３３１〜Ｓ３３８、Ｓ３５１〜Ｓ３６１の処理を実行する部分：特に、カウントスイッチ入力ビット判定値を用いてステップＳ３５５，Ｓ３６１の処理を実行する部分）と、特定遊技状態以外の遊技状態において入賞判定手段が検出信号を入力したと判定したことにもとづいて（例えばステップＳ２５５のＮ、ステップＳ２５８のＮ）、異常報知の実行を指示するための特定異常報知コマンド（例えば、異常入賞報知１指定コマンドおよび異常入賞報知２指定コマンド）を送信する特定異常報知コマンド送信手段（例えば、遊技制御用マイクロコンピュータ５６０においてステップＳ２５９，Ｓ２６５の処理を実行する部分）とを含み、演出制御手段は、特定異常報知コマンド送信手段が送信した特定異常報知コマンドにもとづいて、演出装置により異常報知を実行する特定異常報知手段（例えば、演出制御用マイクロコンピュータ１００においてステップＳ７０７（図６２）の処理を実行する部分）を含むように構成されていてもよい。
【００２２】
遊技制御手段は、遊技進行状態を示すデータ（例えば、普通図柄プロセスフラグ）にもとづいて可変表示装置の状態を制御する状態制御手段（例えば、遊技制御用マイクロコンピュータ５６０において普通図柄プロセス処理（ステップＳ２８）を実行する部分）を含み、異常入賞判定手段は、遊技進行状態を示すデータが所定範囲の数値（例えば「３」未満）を示しているときに（例えばステップＳ２６１の処理でＮ）、検出手段によって遊技球の入賞が検出されたことにもとづいて異常入賞状態であると判定する（例えば、ステップＳ２６１〜Ｓ２６４Ｂの処理）ように構成されていてもよい。
【００２３】
遊技制御手段は、所定の数値を更新する数値更新手段（例えば、乱数回路５０３）と、所定の時期（例えば、第１始動入賞口１３および第２始動入賞口１４に遊技球が入賞したとき）に数値更新手段から数値を抽出する数値抽出手段（例えば、遊技制御用マイクロコンピュータ５６０において、第１特別図柄プロセス処理におけるステップＳ２１３の処理を実行する部分。第２特別図柄プロセス処理で、第１特別図柄プロセス処理におけるステップＳ２１３の処理に相当する処理を実行する部分）と、数値抽出手段が抽出した数値にもとづいて識別情報の可変表示の表示結果を特定可能な情報を決定する表示結果決定手段（例えば、遊技制御用マイクロコンピュータ５６０において、ステップＳ６２，Ｓ６３，Ｓ７２，Ｓ７７，Ｓ７９の処理を実行する部分）と、遊技機に対する電力供給が開始されたときに、数値を初期値に設定する初期化処理を実行する初期化手段（例えば、遊技制御用マイクロコンピュータ５６０において、ステップＳ１２の処理を実行する部分）とを含み、初期化手段が初期化処理を実行したときに、演出装置により、所定の終了条件（例えば、所定期間の経過）が成立するまで初期化処理が実行されたことを示す初期化報知を行う初期化報知手段（例えば、演出制御用マイクロコンピュータ１００において、ステップＳ６３１〜Ｓ６３２Ｃの処理を実行する部分）と、初期化報知手段が初期化報知を行っているときに、異常報知手段による異常報知の開始を禁止する異常報知禁止手段（例えば、遊技制御用マイクロコンピュータ５６０において、ステップＳ４４，Ｓ４５、Ｓ２５１〜Ｓ２５３の処理を実行する部分）とを備えていてもよい。
【発明の効果】
【００２４】
請求項１記載の発明では、可変入賞装置が開閉動作していないと判定されているときに検出手段によって遊技球の入賞が検出されたことにもとづいて、異常入賞状態であるか否かを判定して、演出装置により異常報知を実行し、第３識別情報の可変表示を実行しているときにも異常報知を実行するように構成されているので、可変入賞装置に対する不正行為によって入賞異常が生じたことを報知することができ、その結果、可変入賞装置に対する不正行為を確実に防止することができる。また、入賞異常の報知がなされているときも遊技を継続することが可能であるので、誤動作で報知がなされた場合でも遊技者が不利益を被ることはない。また、開閉動作における可変入賞装置の開状態である時間を閉状態である時間よりも短くなるように制御するので、遊技者に過大な利益が与えられることを防ぐことができる。
【００２５】
請求項２記載の発明では、可変入賞装置が開閉動作していないと判定されているときに検出手段によって遊技球の入賞が検出されたことにもとづいて、始動領域に入賞した遊技球の入賞累積数を記憶し、異常入賞数であるか否かを判定するための所定の異常入賞数基準値と入賞累積数記憶手段が記憶する入賞累積数とにもとづいて、異常入賞状態であるか否かを判定して、演出装置により異常報知を実行し、第３識別情報の可変表示を実行しているときにも異常報知を実行するように構成されているので、請求項１記載の発明の効果に加えて、検出手段からの検出信号にノイズが乗る等に起因して検出信号に誤りが生じたときに直ちに異常報知がなされることを防止できる。
【００２６】
請求項３記載の発明では、第１識別情報と第２識別情報との少なくとも一方の可変表示に対応付けられた第３識別情報の可変表示を行う可変表示装置が設けられた遊技機において、可変入賞装置が開閉動作していないと判定されているときに検出手段によって遊技球の入賞が検出されたことにもとづいて、異常入賞状態であるか否かを判定して、演出装置により異常報知を実行し、第３識別情報の可変表示を実行しているときにも異常報知を実行するように構成されているので、第１識別情報の可変表示と第２識別情報との可変表示を行う遊技機において、可変入賞装置に対する不正行為によって入賞異常が生じたことを報知することができ、その結果、可変入賞装置に対する不正行為を確実に防止することができる。また、入賞異常の報知がなされているときも遊技を継続することが可能であるので、誤動作で報知がなされた場合でも遊技者が不利益を被ることはない。また、開閉動作における可変入賞装置の開状態である時間を閉状態である時間よりも短くなるように制御するので、遊技者に過大な利益が与えられることを防ぐことができる。
【００２７】
請求項４記載の発明では、第１の特定遊技状態と第２の特定遊技状態とのそれぞれにおいて、特定可変入賞装置が、第１所定回数、または第１所定回数とは異なる回数である第２所定回数だけ有利状態に制御され、第２有利状態回数選択手段により第１所定回数が選択される割合は、第１有利状態回数選択手段により第１所定回数が選択される割合とは異なるように構成されているので、第１識別情報の表示結果が特定表示結果になったときと第２識別情報の表示結果が特定表示結果になったときとで特定可変入賞装置の有利状態回数が異なり、遊技のバリエーションが増えることになるので、遊技者に与えられる遊技の興趣が向上する。
【００２８】
請求項５記載の発明では、第１所定回数は、第２所定回数よりも多い回数であり、第２有利状態回数選択手段は、第１有利状態回数選択手段が第１所定回数を選択する割合よりも高い割合で第１所定回数を選択するので、可変入賞装置が開状態のときに遊技球が入賞したことにもとづく第２の特定遊技状態で、第１の特定遊技状態よりも高い割合で、特定可変入賞装置の開放回数が多い状態に移行させ、遊技の興趣を高めることができる。
【００２９】
請求項６記載の発明では、可変表示制御手段が、第１保留記憶データおよび第２保留記憶データが入賞数があることを示しているときには、第１の始動領域と第２の始動領域とのうち遊技球が入賞する確率が高い始動領域への入賞にもとづく可変表示の開始条件が成立したとして、第１識別情報の可変表示と第２識別情報の可変表示とのうち、入賞する確率が高い始動領域への入賞にもとづく可変表示を、他方の始動領域への入賞にもとづく可変表示に優先して実行するので、入賞確率が高い方の始動領域への入賞にもとづく変動を優先的に開始することによって、遊技球の入賞確率が高い側の始動領域への無効始動入賞の発生を低減することができる。
【００３０】
請求項７記載の発明では、異常入賞判定手段が異常入賞状態であると判定している状態では、識別情報の可変表示の開始を禁止するので、不正行為によって特定遊技状態に移行されるのを確実に防止することができる。
【００３１】
請求項８記載の発明では、特別可変入賞装置に設けられている特別領域に遊技球が入賞したことにもとづいて遊技状態を遊技者にとって有利な特定遊技状態に移行させることが可能な遊技機において、可変入賞装置が開閉動作していないと判定されているときに検出手段によって遊技球の入賞が検出されたことにもとづいて、異常入賞状態であるか否かを判定して、演出装置により異常報知を実行し、第３識別情報の可変表示を実行しているときにも異常報知を実行するように構成されているので、可変入賞装置に対する不正行為によって入賞異常が生じたことを報知することができ、その結果、可変入賞装置に対する不正行為を確実に防止することができる。また、入賞異常の報知がなされているときも遊技を継続することが可能であるので、誤動作で報知がなされた場合でも遊技者が不利益を被ることはない。また、開閉動作における可変入賞装置の開状態である時間を閉状態である時間よりも短くなるように制御するので、遊技者に過大な利益が与えられることを防ぐことができる。
【００３２】
請求項９記載の発明では、特別可変入賞装置に設けられている特別領域に遊技球が入賞したことにもとづいて遊技状態を遊技者にとって有利な特定遊技状態に移行させることが可能な遊技機において、可変入賞装置が開閉動作していないと判定されているときに検出手段によって遊技球の入賞が検出されたことにもとづいて、始動領域に入賞した遊技球の入賞累積数を記憶し、異常入賞数であるか否かを判定するための所定の異常入賞数基準値と入賞累積数記憶手段が記憶する入賞累積数とにもとづいて、異常入賞状態であるか否かを判定して、演出装置により異常報知を実行し、第３識別情報の可変表示を実行しているときにも異常報知を実行するように構成されているので、請求項８記載の発明の効果に加えて、検出手段からの検出信号にノイズが乗る等に起因して検出信号に誤りが生じたときに直ちに異常報知がなされることを防止できる。
【００３３】
請求項１０記載の発明では、異常入賞判定手段によって異常入賞状態であると判定されているときに、特別可変入賞装置の動作の開始を禁止するので、不正行為によって特定遊技状態に移行されるのを確実に防止することができる。
【００３４】
請求項１１記載の発明では、異常入賞判定手段によって異常入賞状態であると判定されているときに、検出手段によって遊技球の入賞が検出されたときには、遊技球を払い出す制御の実行を禁止するので、不正行為によって始動領域に入賞した可能性がある場合に、入賞にもとづく賞球払出をしないようにして遊技店に不利益が与えられることを防止できる。
【００３５】
請求項１２記載の発明では、遊技制御手段が入賞検出手段からの検出信号を入力したか否かを判定する入賞判定手段を含み、特定遊技状態以外の遊技状態において入賞判定手段が検出信号を入力したと判定したことにもとづいて異常報知を行うので、特定遊技状態以外の遊技状態を容易に判定することができ、確実に特定可変入賞装置に対する不正行為による入賞異常を報知することができる。
【００３６】
請求項１３記載の発明では、遊技進行状態を示すデータが所定範囲の数値を示しているときに、入賞判定手段が検出信号を入力したと判定すると、異常報知の実行を指示するための異常報知コマンドを送信する異常報知コマンド送信手段とを含むので、特定遊技状態以外の遊技状態を容易に判定することができる。
【００３７】
請求項１４記載の発明では、初期化手段が初期化処理を実行したときに、演出装置により、所定の終了条件が成立するまで初期化処理が実行されたことを示す初期化報知を行い、初期化報知手段が初期化報知を行っているときに、異常報知手段による異常報知の開始を禁止するので、初期化報知が入賞異常報知よりも優先して実行され、識別情報の可変表示の表示結果を特定可能な情報を決定する数値に初期値が設定されたことを遊技機の外部で確実に認識することができる。
【発明を実施するための最良の形態】
【００３８】
以下、本発明の実施の形態を、図面を参照して説明する。
【００３９】
実施の形態１．
まず、遊技機の一例であるパチンコ遊技機１の全体の構成について説明する。図１はパチンコ遊技機（弾球遊技機）１を正面からみた正面図である。
【００４０】
パチンコ遊技機１は、縦長の方形状に形成された外枠（図示せず）と、外枠の内側に開閉可能に取り付けられた遊技枠とで構成される。また、パチンコ遊技機１は、遊技枠に開閉可能に設けられている額縁状に形成されたガラス扉枠２を有する。遊技枠は、外枠に対して開閉自在に設置される前面枠（図示せず）と、機構部品等が取り付けられる機構板（図示せず）と、それらに取り付けられる種々の部品（後述する遊技盤６を除く）とを含む構造体である。
【００４１】
ガラス扉枠２の下部表面には打球供給皿（上皿）３がある。打球供給皿３の下部には、打球供給皿３に収容しきれない遊技球を貯留する余剰球受皿４や、打球を発射する打球操作ハンドル（操作ノブ）５が設けられている。また、ガラス扉枠２の背面には、遊技盤６が着脱可能に取り付けられている。なお、遊技盤６は、それを構成する板状体と、その板状体に取り付けられた種々の部品とを含む構造体である。また、遊技盤６の前面には、打ち込まれた遊技球が流下可能な遊技領域７が形成されている。
【００４２】
遊技領域７の中央付近には、液晶表示装置（ＬＣＤ）で構成された可変表示装置としての演出表示装置９が設けられている。演出表示装置９の表示画面には、第１特別図柄または第２特別図柄の可変表示に同期した演出図柄の可変表示を行う演出図柄表示領域がある。
【００４３】
遊技盤６における下部の左側には、識別情報としての第１特別図柄を可変表示する可変表示装置としての第１特別図柄表示器（第１可変表示手段）８ａが設けられている。この実施の形態では、第１特別図柄表示器８ａは、０〜９の数字を可変表示可能な簡易で小型の表示器（例えば７セグメントＬＥＤ）で実現されている。すなわち、第１特別図柄表示器８ａは、０〜９の数字（または、記号）を可変表示するように構成されている。遊技盤６における下部の右側には、識別情報としての第２特別図柄を可変表示する可変表示装置としての第２特別図柄表示器（第２可変表示手段）８ｂが設けられている。第２特別図柄表示器８ｂは、０〜９の数字を可変表示可能な簡易で小型の表示器（例えば７セグメントＬＥＤ）で実現されている。すなわち、第２特別図柄表示器８ｂは、０〜９の数字（または、記号）を可変表示するように構成されている。
【００４４】
なお、小型の表示器は、方形状に形成されている。また、この実施の形態では、第１特別図柄の種類と第２特別図柄の種類とは同じ（例えば、ともに０〜９の数字）であるが、種類が異なっていてもよい。また、第１特別図柄表示器８ａおよび第２特別図柄表示器８ｂは、それぞれ、例えば、００〜９９の数字（または、２桁の記号）を可変表示するように構成されていてもよい。
【００４５】
また、第１特別図柄と第２特別図柄とを特別図柄と総称することがあり、第１特別図柄表示器８ａと第２特別図柄表示器８ｂとを特別図柄表示器と総称することがある。
【００４６】
演出表示装置９は、演出制御基板に搭載されている演出制御用マイクロコンピュータによって制御される。演出制御用マイクロコンピュータが、第１特別図柄表示器８ａで第１特別図柄の可変表示が実行されているときに、その可変表示に伴って演出表示装置９で演出表示を実行させ、第２特別図柄表示器８ｂで第２特別図柄の可変表示が実行されているときに、その可変表示に伴って演出表示装置で演出表示を実行させるので、遊技の進行状況を把握しやすくすることができる。
【００４７】
第１特別図柄または第２特別図柄の可変表示は、可変表示の実行条件である第１始動条件または第２始動条件が成立（例えば、打球が第１始動入賞口１３または第２始動入賞口１４に入賞したこと）した後、可変表示の開始条件（例えば、特別図柄の可変表示が実行されていない状態であって、かつ、大当り遊技が実行されていない状態）が成立したことにもとづいて開始され、可変表示時間が経過すると表示結果（停止図柄）を導出表示する。なお、入賞とは、入賞口などのあらかじめ入賞領域として定められている領域に遊技球が入ったことである。また、表示結果を導出表示するとは、図柄（識別情報の例）を停止表示させることである。
【００４８】
演出表示装置９の下方には、第１始動入賞口１３を有する入賞装置が設けられている。第１始動入賞口１３に入賞した遊技球は、遊技盤６の背面に導かれ、第１始動口スイッチ１３ａによって検出される。
【００４９】
また、第１始動入賞口（第１始動口）１３を有する入賞装置の下方には、遊技球が入賞可能な第２始動入賞口１４を有する可変入賞球装置１５が設けられている。第２始動入賞口（第２始動口）１４に入賞した遊技球は、遊技盤６の背面に導かれ、第２始動口スイッチ１４ａによって検出される。可変入賞球装置１５は、ソレノイド１６によって開状態とされる。可変入賞球装置１５が開状態になることによって、遊技球が第２始動入賞口１４に入賞可能になり（始動入賞し易くなり）、遊技者にとって有利な状態になる。可変入賞球装置１５が開状態になっている状態では、第１始動入賞口１３よりも、第２始動入賞口１４に遊技球が入賞しやすい。また、可変入賞球装置１５が閉状態になっている状態では、遊技球は第２始動入賞口１４に入賞しない。
【００５０】
第１始動入賞口１３と第２始動入賞口１４とを総称して始動入賞口または始動口ということがある。
【００５１】
可変入賞球装置１５が開放状態に制御されているときには可変入賞球装置１５に向かう遊技球は第２始動入賞口１４に極めて入賞しやすい。そして、第１始動入賞口１３は演出表示装置９の直下に設けられているが、演出表示装置９の下端と第１始動入賞口１３との間の間隔をさらに狭めたり、第１始動入賞口１３の周辺で釘を密に配置したり、第１始動入賞口１３の周辺での釘配列を遊技球を第１始動入賞口１３に導きづらくして、第２始動入賞口１４の入賞率の方を第１始動入賞口１３の入賞率よりもより高くするようにしてもよい。
【００５２】
第１特別図柄表示器８ａの側方には、第１始動入賞口１３に入った有効入賞球数すなわち第１保留記憶数（保留記憶を、始動記憶または始動入賞記憶ともいう。）を表示する４つの表示器からなる第１特別図柄保留記憶表示器１８ａが設けられている。第１特別図柄保留記憶表示器１８ａは、有効始動入賞がある毎に、点灯する表示器の数を１増やす。そして、第１特別図柄表示器８ａでの可変表示が開始される毎に、点灯する表示器の数を１減らす。
【００５３】
第２特別図柄表示器８ｂの側方には、第２始動入賞口１４に入った有効入賞球数すなわち第２保留記憶数を表示する４つの表示器からなる第２特別図柄保留記憶表示器１８ｂが設けられている。第２特別図柄保留記憶表示器１８ｂは、有効始動入賞がある毎に、点灯する表示器の数を１増やす。そして、第２特別図柄表示器８ｂでの可変表示が開始される毎に、点灯する表示器の数を１減らす。
【００５４】
演出表示装置９は、第１特別図柄表示器８ａによる第１特別図柄の可変表示時間中、および第２特別図柄表示器８ｂによる第２特別図柄の可変表示時間中に、装飾用（演出用）の図柄としての演出図柄の可変表示を行う。第１特別図柄表示器８ａにおける第１特別図柄の可変表示と、演出表示装置９における演出図柄の可変表示とは同期している。また、第２特別図柄表示器８ｂにおける第２特別図柄の可変表示と、演出表示装置９における演出図柄の可変表示とは同期している。同期とは、可変表示の開始時点および終了時点が同じであって、可変表示の期間が同じであることをいう。また、第１特別図柄表示器８ａにおいて大当り図柄が停止表示されるときと、第２特別図柄表示器８ｂにおいて大当り図柄が停止表示されるときには、演出表示装置９において大当りを想起させるような演出図柄の組み合わせが停止表示される。
【００５５】
なお、この実施の形態では、図１に示すように、第２始動入賞口１４に対してのみ開閉動作を行う可変入賞球装置１５が設けられているが、第１始動入賞口１３および第２始動入賞口１４のいずれについても開閉動作を行う可変入賞球装置が設けられている構成であってもよい。
【００５６】
また、図１に示すように、可変入賞球装置１５の下方には、第１特別図柄表示器８ａに特定表示結果（大当り図柄）が導出表示されたときと、第２特別図柄表示器８ｂに特定表示結果（大当り図柄）が導出表示されたときに生起する特定遊技状態（大当り遊技状態）においてソレノイド２１によって開状態とされる特定可変入賞球装置２０が設けられている。特定可変入賞球装置２０は、開閉板を備え、大入賞口を形成する。大入賞口に入った遊技球はカウントスイッチ２３で検出される。
【００５７】
遊技領域６には、遊技球の入賞にもとづいてあらかじめ決められている所定数の景品遊技球の払出を行うための入賞口（普通入賞口）２９，３０，３３，３９も設けられている。入賞口２９，３０，３３，３９に入賞した遊技球は、入賞口スイッチ２９ａ，３０ａ，３３ａ，３９ａで検出される。
【００５８】
遊技盤６の右側方下部には、普通図柄表示器１０が設けられている。普通図柄表示器１０は、普通図柄と呼ばれる複数種類の識別情報（例えば、「○」および「×」）を可変表示する。
【００５９】
遊技球がゲート３２を通過しゲートスイッチ３２ａで検出されると、普通図柄表示器１０の表示の可変表示が開始される。この実施の形態では、上下のランプ（点灯時に図柄が視認可能になる）が交互に点灯することによって可変表示が行われ、例えば、可変表示の終了時に下側のランプが点灯すれば当りとなる。そして、普通図柄表示器１０における停止図柄が所定の図柄（当り図柄）である場合に、可変入賞球装置１５が所定回数、所定時間だけ開状態になる。すなわち、可変入賞球装置１５の状態は、普通図柄の停止図柄が当り図柄である場合に、遊技者にとって不利な状態から有利な状態（第２始動入賞口１４に遊技球が入賞可能な状態）に変化する。普通図柄表示器１０の近傍には、ゲート３２を通過した入賞球数を表示する４つのＬＥＤによる表示部を有する普通図柄保留記憶表示器４１が設けられている。ゲート３２への遊技球の通過がある毎に、すなわちゲートスイッチ３２ａによって遊技球が検出される毎に、普通図柄保留記憶表示器４１は点灯するＬＥＤを１増やす。そして、普通図柄表示器１０の可変表示が開始される毎に、点灯するＬＥＤを１減らす。さらに、通常状態に比べて大当りとすることに決定される確率が高い状態である確変状態では、普通図柄表示器１０における停止図柄が当り図柄になる確率が高められるとともに、可変入賞球装置１５の開放時間と開放回数が高められる。また、時短状態（特別図柄の可変表示時間が短縮される遊技状態）において、可変入賞球装置１５の開放時間と開放回数が高められるようにしてもよい。
【００６０】
なお、確変状態では、普通図柄の停止図柄が当り図柄になる確率が向上し、可変入賞球装置１５における開放時間と開放回数が高められる。
【００６１】
遊技盤６の遊技領域７の左右周辺には、遊技中に点滅表示される装飾ランプ２５が設けられ、下部には、入賞しなかった打球が取り込まれるアウト口２６がある。また、遊技領域７の外側の左右上部には、所定の音声出力として効果音や音声を発声する２つのスピーカ２７が設けられている。遊技領域７の外周上部、外周左部および外周右部には、前面枠に設けられた天枠ランプ２８ａ、左枠ランプ２８ｂおよび右枠ランプ２８ｃが設けられている。また、左枠ランプ２８ｂの近傍には賞球残数があるときに点灯する賞球ランプ５１が設けられ、右枠ランプ２８ｃの近傍には補給球が切れたときに点灯する球切れランプ５２が設けられている。
【００６２】
遊技機には、遊技者が打球操作ハンドル５を操作することに応じて駆動モータを駆動し、駆動モータの回転力を利用して遊技球を遊技領域７に発射する打球発射装置（図示せず）が設けられている。打球発射装置から発射された遊技球は、遊技領域７を囲むように円形状に形成された打球レールを通って遊技領域７に入り、その後、遊技領域７を下りてくる。遊技球が第１始動入賞口１３に入り第１始動口スイッチ１３ａで検出されると、第１特別図柄の可変表示を開始できる状態であれば（例えば、特別図柄の可変表示が終了し、第１の開始条件が成立したこと）、第１特別図柄表示器８ａにおいて第１特別図柄の可変表示（変動）が開始されるとともに、演出表示装置９において演出図柄の可変表示が開始される。すなわち、第１特別図柄、および演出図柄の可変表示は、第１始動入賞口１３への入賞に対応する。第１特別図柄の可変表示を開始できる状態でなければ、第１保留記憶数が上限値に達していないことを条件として、第１保留記憶数を１増やす。
【００６３】
遊技球が第２始動入賞口１４に入り第２始動口スイッチ１４ａで検出されると、第２特別図柄の可変表示を開始できる状態であれば（例えば、特別図柄の可変表示が終了し、第２の開始条件が成立したこと）、第２特別図柄表示器８ｂにおいて第２特別図柄の可変表示（変動）が開始されるとともに、演出表示装置９において演出図柄の可変表示が開始される。すなわち、第２特別図柄、および演出図柄の可変表示は、第２始動入賞口１４への入賞に対応する。第２特別図柄の可変表示を開始できる状態でなければ、第２保留記憶数が上限値に達していないことを条件として、第２保留記憶数を１増やす。
【００６４】
図２は、主基板（遊技制御基板）３１における回路構成の一例を示すブロック図である。なお、図２には、払出制御基板３７および演出制御基板８０等も示されている。主基板３１には、プログラムに従ってパチンコ遊技機１を制御する遊技制御用マイクロコンピュータ（遊技制御手段に相当）５６０が搭載されている。遊技制御用マイクロコンピュータ５６０は、ゲーム制御（遊技進行制御）用のプログラム等を記憶するＲＯＭ５４、ワークメモリとして使用される記憶手段としてのＲＡＭ５５、プログラムに従って制御動作を行うＣＰＵ５６およびＩ／Ｏポート部５７を含む。この実施の形態では、ＲＯＭ５４およびＲＡＭ５５は遊技制御用マイクロコンピュータ５６０に内蔵されている。すなわち、遊技制御用マイクロコンピュータ５６０は、１チップマイクロコンピュータである。１チップマイクロコンピュータには、少なくともＣＰＵ５６のほかＲＡＭ５５が内蔵されていればよく、ＲＯＭ５４は外付けであっても内蔵されていてもよい。また、Ｉ／Ｏポート部５７は、外付けであってもよい。
【００６５】
遊技制御用マイクロコンピュータ５６０には、さらに、ハードウェア乱数を発生する乱数回路５０３が内蔵されている。
【００６６】
なお、遊技制御用マイクロコンピュータ５６０においてＣＰＵ５６がＲＯＭ５４に格納されているプログラムに従って制御を実行するので、以下、遊技制御用マイクロコンピュータ５６０（またはＣＰＵ５６）が実行する（または、処理を行う）ということは、具体的には、ＣＰＵ５６がプログラムに従って制御を実行することである。このことは、主基板３１以外の他の基板に搭載されているマイクロコンピュータについても同様である。
【００６７】
また、ＲＡＭ５５は、その一部または全部が電源基板において作成されるバックアップ電源によってバックアップされている不揮発性記憶手段としてのバックアップＲＡＭである。すなわち、遊技機に対する電力供給が停止しても、所定期間（バックアップ電源としてのコンデンサが放電してバックアップ電源が電力供給不能になるまで）は、ＲＡＭ５５の一部または全部の内容は保存される。特に、少なくとも、遊技状態すなわち遊技制御手段の制御状態に応じたデータ（特別図柄プロセスフラグや合算保留記憶数カウンタの値など）と未払出賞球数を示すデータは、バックアップＲＡＭに保存される。遊技制御手段の制御状態に応じたデータとは、停電等が生じた後に復旧した場合に、そのデータにもとづいて、制御状態を停電等の発生前に復旧させるために必要なデータである。また、制御状態に応じたデータと未払出賞球数を示すデータとを遊技の進行状態を示すデータと定義する。なお、この実施の形態では、ＲＡＭ５５の全部が、電源バックアップされているとする。
【００６８】
遊技制御用マイクロコンピュータ５６０のリセット端子には、電源基板からのリセット信号が入力される。電源基板には、遊技制御用マイクロコンピュータ５６０等に供給されるリセット信号を生成するリセット回路が搭載されている。なお、リセット信号がハイレベルになると遊技制御用マイクロコンピュータ５６０等は動作可能状態になり、リセット信号がローレベルになると遊技制御用マイクロコンピュータ５６０等は動作停止状態になる。従って、リセット信号がハイレベルである期間は、遊技制御用マイクロコンピュータ５６０等の動作を許容する許容信号が出力されていることになり、リセット信号がローレベルである期間は、遊技制御用マイクロコンピュータ５６０等の動作を停止させる動作停止信号が出力されていることになる。なお、リセット回路をそれぞれの電気部品制御基板（電気部品を制御するためのマイクロコンピュータが搭載されている基板）に搭載してもよい。
【００６９】
さらに、遊技制御用マイクロコンピュータ５６０の入力ポートには、電源基板からの電源電圧が所定値以下に低下したことを示す電源断信号が入力される。すなわち、電源基板には、遊技機において使用される所定電圧（例えば、ＤＣ３０ＶやＤＣ５Ｖなど）の電圧値を監視して、電圧値があらかじめ定められた所定値にまで低下すると（電源電圧の低下を検出すると）、その旨を示す電源断信号を出力する電源監視回路が搭載されている。また、遊技制御用マイクロコンピュータ５６０の入力ポートには、ＲＡＭの内容をクリアすることを指示するためのクリアスイッチが操作されたことを示すクリア信号が入力される。
【００７０】
また、ゲートスイッチ３２ａ、第１始動口スイッチ１３ａ、第２始動口スイッチ１４ａ、カウントスイッチ２３、および入賞口スイッチ２９ａ，３０ａ，３３ａ，３９ａからの検出信号を遊技制御用マイクロコンピュータ５６０に与える入力ドライバ回路５８も主基板３１に搭載されている。また、可変入賞球装置１５を開閉するソレノイド１６、および大入賞口を形成する特定可変入賞球装置２０を開閉するソレノイド２１を遊技制御用マイクロコンピュータ５６０からの指令に従って駆動する出力回路５９も主基板３１に搭載されている。さらに、電源投入時に遊技制御用マイクロコンピュータ５６０をリセットするためのシステムリセット回路（図示せず）や、大当り遊技状態の発生を示す大当り情報等の情報出力信号をホールコンピュータ等の外部装置に対して出力する情報出力回路（図示せず）も主基板３１に搭載されている。
【００７１】
この実施の形態では、演出制御基板８０に搭載されている演出制御手段（演出制御用マイクロコンピュータで構成される。）が、中継基板７７を介して遊技制御用マイクロコンピュータ５６０からの演出制御コマンドを受信し、演出図柄を可変表示する演出表示装置９の表示制御を行う。
【００７２】
図３は、中継基板７７、演出制御基板８０、ランプドライバ基板３５および音声出力基板７０の回路構成例を示すブロック図である。なお、図３に示す例では、ランプドライバ基板３５および音声出力基板７０には、マイクロコンピュータは搭載されていないが、マイクロコンピュータを搭載してもよい。また、ランプドライバ基板３５および音声出力基板７０を設けずに、演出制御に関して演出制御基板８０のみを設けてもよい。
【００７３】
演出制御基板８０は、演出制御用ＣＰＵ１０１およびＲＡＭを含む演出制御用マイクロコンピュータ１００を搭載している。なお、ＲＡＭは外付けであってもよい。演出制御基板８０において、演出制御用ＣＰＵ１０１は、内蔵または外付けのＲＯＭ（図示せず）に格納されたプログラムに従って動作し、中継基板７７を介して入力される主基板３１からの取込信号（演出制御ＩＮＴ信号）に応じて、入力ドライバ１０２および入力ポート１０３を介して演出制御コマンドを受信する。また、演出制御用ＣＰＵ１０１は、演出制御コマンドにもとづいて、出力ポート１０６を介してＶＤＰ（ビデオディスプレイプロセッサ）１０９に演出表示装置９の表示制御を行わせる。
【００７４】
この実施の形態では、演出制御用マイクロコンピュータ１００と共動して演出表示装置９の表示制御を行うＶＤＰ１０９が演出制御基板８０に搭載されている。ＶＤＰ１０９は、演出制御用マイクロコンピュータ１００とは独立したアドレス空間を有し、そこにＶＲＡＭをマッピングする。ＶＲＡＭは、ＶＤＰによって生成された画像データを展開するためのバッファメモリである。そして、ＶＤＰ１０９は、ＶＲＡＭ内の画像データを演出表示装置９に出力する。
【００７５】
演出制御用ＣＰＵ１０１は、受信した演出制御コマンドに従ってキャラクタＲＯＭ（図示せず）から必要なデータを読み出す。キャラクタＲＯＭは、演出表示装置９に表示されるキャラクタ画像データ、具体的には、人物、文字、図形または記号等（演出図柄を含む）をあらかじめ格納しておくためのものである。演出制御用ＣＰＵ１０１は、キャラクタＲＯＭから読み出したデータをＶＤＰ１０９に出力する。ＶＤＰ１０９は、演出制御用ＣＰＵ１０１から入力されたデータにもとづいて表示制御を実行する。
【００７６】
演出制御コマンドおよび演出制御ＩＮＴ信号は、演出制御基板８０において、まず、入力ドライバ１０２に入力する。入力ドライバ１０２は、中継基板７７から入力された信号を演出制御基板８０の内部に向かう方向にしか通過させない（演出制御基板８０の内部から中継基板７７への方向には信号を通過させない）信号方向規制手段としての単方向性回路でもある。
【００７７】
中継基板７７には、主基板３１から入力された信号を演出制御基板８０に向かう方向にしか通過させない（演出制御基板８０から中継基板７７への方向には信号を通過させない）信号方向規制手段としての単方向性回路７４が搭載されている。単方向性回路として、例えばダイオードやトランジスタが使用される。図３には、ダイオードが例示されている。また、単方向性回路は、各信号毎に設けられる。さらに、単方向性回路である出力ポート５７１を介して主基板３１から演出制御コマンドおよび演出制御ＩＮＴ信号が出力されるので、中継基板７７から主基板３１の内部に向かう信号が規制される。すなわち、中継基板７７からの信号は主基板３１の内部（遊技制御用マイクロコンピュータ５６０側）に入り込まない。なお、出力ポート５７１は、図２に示されたＩ／Ｏポート部５７の一部である。また、出力ポート５７１の外側（中継基板７７側）に、さらに、単方向性回路である信号ドライバ回路が設けられていてもよい。
【００７８】
さらに、演出制御用ＣＰＵ１０１は、出力ポート１０５を介してランプドライバ基板３５に対してランプを駆動する信号を出力する。また、演出制御用ＣＰＵ１０１は、出力ポート１０４を介して音声出力基板７０に対して音番号データを出力する。
【００７９】
ランプドライバ基板３５において、ランプを駆動する信号は、入力ドライバ３５１を介してランプドライバ３５２に入力される。ランプドライバ３５２は、ランプを駆動する信号を増幅して天枠ランプ２８ａ、左枠ランプ２８ｂ、右枠ランプ２８ｃなどの枠側に設けられている各ランプに供給する。また、枠側に設けられている装飾ランプ２５に供給する。
【００８０】
音声出力基板７０において、音番号データは、入力ドライバ７０２を介して音声合成用ＩＣ７０３に入力される。音声合成用ＩＣ７０３は、音番号データに応じた音声や効果音を発生し増幅回路７０５に出力する。増幅回路７０５は、音声合成用ＩＣ７０３の出力レベルを、ボリューム７０６で設定されている音量に応じたレベルに増幅した音声信号をスピーカ２７に出力する。音声データＲＯＭ７０４には、音番号データに応じた制御データが格納されている。音番号データに応じた制御データは、所定期間（例えば演出図柄の変動期間）における効果音または音声の出力態様を時系列的に示すデータの集まりである。
【００８１】
次に、遊技機の動作について説明する。図４は、主基板３１における遊技制御用マイクロコンピュータ５６０が実行するメイン処理を示すフローチャートである。遊技機に対して電源が投入され電力供給が開始されると、リセット信号が入力されるリセット端子の入力レベルがハイレベルになり、遊技制御用マイクロコンピュータ５６０（具体的には、ＣＰＵ５６）は、プログラムの内容が正当か否か確認するための処理であるセキュリティチェック処理を実行した後、ステップＳ１以降のメイン処理を開始する。メイン処理において、ＣＰＵ５６は、まず、必要な初期設定を行う。
【００８２】
初期設定処理において、ＣＰＵ５６は、まず、割込禁止に設定する（ステップＳ１）。次に、割込モードを割込モード２に設定し（ステップＳ２）、スタックポインタにスタックポインタ指定アドレスを設定する（ステップＳ３）。そして、内蔵デバイスの初期化（内蔵デバイス（内蔵周辺回路）であるＣＴＣ（カウンタ／タイマ）およびＰＩＯ（パラレル入出力ポート）の初期化など）を行った後（ステップＳ４）、ＲＡＭをアクセス可能状態に設定する（ステップＳ５）。なお、割込モード２は、ＣＰＵ５６が内蔵する特定レジスタ（Ｉレジスタ）の値（１バイト）と内蔵デバイスが出力する割込ベクタ（１バイト：最下位ビット０）とから合成されるアドレスが、割込番地を示すモードである。
【００８３】
次いで、ＣＰＵ５６は、入力ポートを介して入力されるクリアスイッチ（例えば、電源基板に搭載されている。）の出力信号の状態を確認する（ステップＳ６）。その確認においてオンを検出した場合には、ＣＰＵ５６は、通常の初期化処理を実行する（ステップＳ１０〜Ｓ１５。Ｓ４４，Ｓ４５を含む。）。
【００８４】
クリアスイッチがオンの状態でない場合には、遊技機への電力供給が停止したときにバックアップＲＡＭ領域のデータ保護処理（例えばパリティデータの付加等の電力供給停止時処理）が行われたか否か確認する（ステップＳ７）。そのような保護処理が行われていないことを確認したら、ＣＰＵ５６は初期化処理を実行する。バックアップＲＡＭ領域にバックアップデータがあるか否かは、例えば、電力供給停止時処理においてバックアップＲＡＭ領域に設定されるバックアップフラグの状態によって確認される。
【００８５】
電力供給停止時処理が行われたことを確認したら、ＣＰＵ５６は、バックアップＲＡＭ領域のデータチェックを行う（ステップＳ８）。この実施の形態では、データチェックとしてパリティチェックを行う。よって、ステップＳ８では、算出したチェックサムと、電力供給停止時処理で同一の処理によって算出され保存されているチェックサムとを比較する。不測の停電等の電力供給停止が生じた後に復旧した場合には、バックアップＲＡＭ領域のデータは保存されているはずであるから、チェック結果（比較結果）は正常（一致）になる。チェック結果が正常でないということは、バックアップＲＡＭ領域のデータが、電力供給停止時のデータとは異なっていることを意味する。そのような場合には、内部状態を電力供給停止時の状態に戻すことができないので、電力供給の停止からの復旧時でない電源投入時に実行される初期化処理を実行する。
【００８６】
チェック結果が正常であれば、ＣＰＵ５６は、遊技制御手段の内部状態と演出制御手段等の電気部品制御手段の制御状態を電力供給停止時の状態に戻すための遊技状態復旧処理（ステップＳ４１〜Ｓ４３の処理）を行う。具体的には、ＲＯＭ５４に格納されているバックアップ時設定テーブルの先頭アドレスをポインタに設定し（ステップＳ４１）、バックアップ時設定テーブルの内容を順次作業領域（ＲＡＭ５５内の領域）に設定する（ステップＳ４２）。作業領域はバックアップ電源によって電源バックアップされている。バックアップ時設定テーブルには、作業領域のうち初期化してもよい領域についての初期化データが設定されている。ステップＳ４１およびＳ４２の処理によって、作業領域のうち初期化してはならない部分については、保存されていた内容がそのまま残る。初期化してはならない部分とは、例えば、電力供給停止前の遊技状態を示すデータ（特別図柄プロセスフラグ、確変フラグ、時短フラグなど）、出力ポートの出力状態が保存されている領域（出力ポートバッファ）、未払出賞球数を示すデータが設定されている部分などである。
【００８７】
また、ＣＰＵ５６は、電力供給復旧時の初期化コマンドとしての停電復旧指定コマンドを送信する（ステップＳ４３）。そして、ステップＳ１４に移行する。
【００８８】
なお、この実施の形態では、バックアップフラグとチェックデータとの双方を用いてバックアップＲＡＭ領域のデータが保存されているか否か確認しているが、いずれか一方のみを用いてもよい。すなわち、バックアップフラグとチェックデータとのいずれかを、遊技状態復旧処理を実行するための契機としてもよい。
【００８９】
初期化処理では、ＣＰＵ５６は、まず、ＲＡＭクリア処理を行う（ステップＳ１０）。なお、ＲＡＭクリア処理によって、所定のデータ（例えば大当り判定用乱数を生成するためのカウンタのカウント値のデータ）は０に初期化されるが、任意の値またはあらかじめ決められている値に初期化するようにしてもよい。また、ＲＡＭ５５の全領域を初期化せず、所定のデータ（例えば大当り判定用乱数を生成するためのカウンタのカウント値のデータ）をそのままにしてもよい。また、ＲＯＭ５４に格納されている初期化時設定テーブルの先頭アドレスをポインタに設定し（ステップＳ１１）、初期化時設定テーブルの内容を順次作業領域に設定する（ステップＳ１２）。
【００９０】
ステップＳ１１およびＳ１２の処理によって、例えば、普通図柄判定用乱数カウンタ、普通図柄判定用バッファ、特別図柄バッファ、総賞球数格納バッファ、特別図柄プロセスフラグ、賞球中フラグ、球切れフラグ、払出停止フラグなど制御状態に応じて選択的に処理を行うためのフラグに初期値が設定される。
【００９１】
また、ＣＰＵ５６は、サブ基板（主基板３１以外のマイクロコンピュータが搭載された基板。）を初期化するための初期化指定コマンド（遊技制御用マイクロコンピュータ５６０が初期化処理を実行したことを示すコマンドでもある。）をサブ基板に送信する（ステップＳ１３）。例えば、演出制御用マイクロコンピュータ１００は、初期化指定コマンドを受信すると、演出表示装置９において、遊技機の制御の初期化がなされたことを報知するための画面表示、すなわち初期化報知を行う。
【００９２】
さらに、ＣＰＵ５６は、異常報知禁止フラグをセットするとともに（ステップＳ４４）、停止期間タイマに禁止期間値に相当する値を設定する（ステップＳ４５）。禁止期間値は、後述する異常入賞の報知を禁止する期間を示す値である。また、異常報知禁止フラグは、異常入賞の報知が禁止されていることを示すフラグであり、停止期間タイマがタイムアウトするまでセット状態に維持される。よって、演出表示装置９において初期化報知が開始されてから所定期間は、異常入賞の報知の開始が禁止される。
【００９３】
また、ＣＰＵ５６は、乱数回路５０３を初期設定する乱数回路設定処理を実行する（ステップＳ１４）。ＣＰＵ５６は、例えば、乱数回路設定プログラムに従って処理を実行することによって、乱数回路５０３にランダムＲの値を更新させるための設定を行う。乱数回路５０３は、所定のクロック信号を用いて乱数を発生させる。この実施の形態では、乱数回路５０３は、ＣＰＵ５６から数値が読み出されるときに、０〜９９９９９の数値のいずれかの数値をＣＰＵ５６に出力する。
【００９４】
そして、ステップＳ１５において、ＣＰＵ５６は、所定時間（例えば２ｍｓ）毎に定期的にタイマ割込がかかるように遊技制御用マイクロコンピュータ５６０に内蔵されているＣＴＣのレジスタの設定を行なう。すなわち、初期値として例えば２ｍｓに相当する値が所定のレジスタ（時間定数レジスタ）に設定される。この実施の形態では、２ｍｓ毎に定期的にタイマ割込がかかるとする。
【００９５】
初期化処理の実行（ステップＳ１０〜Ｓ１５）が完了すると、ＣＰＵ５６は、メイン処理で、表示用乱数更新処理（ステップＳ１７）および初期値用乱数更新処理（ステップＳ１８）を繰り返し実行する。表示用乱数更新処理および初期値用乱数更新処理を実行するときには割込禁止状態に設定し（ステップＳ１６）、表示用乱数更新処理および初期値用乱数更新処理の実行が終了すると割込許可状態に設定する（ステップＳ１９）。この実施の形態では、表示用乱数とは、変動パターンを決定するための乱数であり、表示用乱数更新処理とは、表示用乱数を発生するためのカウンタのカウント値を更新する処理である。また、初期値用乱数更新処理とは、初期値用乱数を発生するためのカウンタのカウント値を更新する処理である。この実施の形態では、初期値用乱数とは、普通図柄に関して当りとするか否か決定するための乱数を発生するためのカウンタ（普通図柄当り判定用乱数発生カウンタ）等の、カウント値の初期値を決定するための乱数である。後述する遊技の進行を制御する遊技制御処理（遊技制御用マイクロコンピュータ５６０が、遊技機に設けられている演出表示装置、可変入賞球装置、球払出装置等の遊技用の装置を、自身で制御する処理、または他のマイクロコンピュータに制御させるために指令信号を送信する処理、遊技装置制御処理ともいう）において、普通図柄当り判定用乱数のカウント値が１周（普通図柄当り判定用乱数の取りうる値の最小値から最大値までの間の数値の個数分歩進したこと）すると、そのカウンタに初期値が設定される。
【００９６】
タイマ割込が発生すると、ＣＰＵ５６は、図５に示すステップＳ２０〜Ｓ３５のタイマ割込処理を実行する。タイマ割込処理において、まず、電源断信号が出力されたか否か（オン状態になったか否か）を検出する電源断検出処理を実行する（ステップＳ２０）。電源断信号は、例えば電源基板に搭載されている電圧低下監視回路が、遊技機に供給される電源の電圧の低下を検出した場合に出力する。そして、電源断検出処理において、ＣＰＵ５６は、電源断信号が出力されたことを検出したら、必要なデータをバックアップＲＡＭ領域に保存するための電力供給停止時処理を実行する。次いで、入力ドライバ回路５８を介して、ゲートスイッチ３２ａ、第１始動口スイッチ１３ａ、第２始動口スイッチ１４ａ、カウントスイッチ２３、および入賞口スイッチ２９ａ，３０ａ，３３ａ，３９ａの検出信号を入力し、それらの状態判定を行う（スイッチ処理：ステップＳ２１）。
【００９７】
次に、ＣＰＵ５６は、第１特別図柄表示器８ａ、第２特別図柄表示器８ｂ、普通図柄表示器１０、第１特別図柄保留記憶表示器１８ａ、第２特別図柄保留記憶表示器１８ｂ、普通図柄保留記憶表示器４１の表示制御を行う表示制御処理を実行する（ステップＳ２２）。第１特別図柄表示器８ａ、第２特別図柄表示器８ｂおよび普通図柄表示器１０については、ステップＳ３３，Ｓ３４で設定される出力バッファの内容に応じて各表示器に対して駆動信号を出力する制御を実行する。
【００９８】
また、ＣＰＵ５６は、正規の時期以外の時期において大入賞口に遊技球が入賞したことを検出した場合に異常入賞の報知を行わせるための処理を行う（ステップＳ２３：異常入賞報知処理）。
【００９９】
次に、遊技制御に用いられる大当り図柄決定用の乱数等の各判定用乱数を生成するための各カウンタのカウント値を更新する処理を行う（判定用乱数更新処理：ステップＳ２４）。ＣＰＵ５６は、さらに、初期値用乱数および表示用乱数を生成するためのカウンタのカウント値を更新する処理を行う（初期値用乱数更新処理，表示用乱数更新処理：ステップＳ２５，Ｓ２６）。
【０１００】
図６は、各乱数を示す説明図である。各乱数は、以下のように使用される。
（１）ランダム１：第１特別図柄および第２特別図柄のはずれ図柄（停止図柄）を決定する（はずれ図柄決定用）（はずれ図柄決定用）
（２）ランダム２：大当りを発生させるときの第１特別図柄および第２特別図柄の停止図柄を決定する（大当り図柄決定用）
（３）ランダム３：第１特別図柄および第２特別図柄の変動パターン（変動時間）を決定する（変動パターン決定用）
（４）ランダム４：普通図柄にもとづく当りを発生させるか否か決定する（普通図柄当り判定用）
（５）ランダム５：ランダム４の初期値を決定する（ランダム４初期値決定用）
【０１０１】
図５に示された遊技制御処理におけるステップＳ２４では、遊技制御用マイクロコンピュータ５６０は、（２）の大当り図柄決定用乱数、および（４）の普通図柄当り判定用乱数を生成するためのカウンタのカウントアップ（１加算）を行う。すなわち、それらが判定用乱数であり、それら以外の乱数が表示用乱数または初期値用乱数である。なお、遊技効果を高めるために、上記（１）〜（５）の乱数以外の乱数も用いるようにしてもよい。また、この実施の形態では、大当り判定用乱数は遊技制御用マイクロコンピュータ５６０に内蔵されたハードウェア（乱数回路５０３）が生成する乱数であるが、大当り判定用乱数として、遊技制御用マイクロコンピュータ５６０によってプログラムにもとづいて生成されるソフトウェア乱数を用いてもよい。
【０１０２】
また、この実施の形態では、第１特別図柄の変動に関しても第２特別図柄の変動に関しても図６に示された乱数（特に、ランダム１，２，３）を用いるが、第１特別図柄の変動に関する乱数と第２特別図柄の変動に関する乱数とを別にしてもよい。
【０１０３】
さらに、ＣＰＵ５６は、第１特別図柄プロセス処理を行う（ステップＳ２７Ａ）。第１特別図柄プロセス処理では、第１特別図柄表示器８ａおよび大入賞口を所定の順序で制御するための第１特別図柄プロセスフラグに従って該当する処理を実行する。ＣＰＵ５６は、第１特別図柄プロセスフラグの値を、遊技状態に応じて更新する。また、第２特別図柄プロセス処理を行う（ステップＳ２７Ｂ）。第２特別図柄プロセス処理では、第２特別図柄表示器８ｂおよび大入賞口を所定の順序で制御するための第２特別図柄プロセスフラグに従って該当する処理を実行する。ＣＰＵ５６は、第２特別図柄プロセスフラグの値を、遊技状態に応じて更新する。
【０１０４】
次いで、普通図柄プロセス処理を行う（ステップＳ２８）。普通図柄プロセス処理では、ＣＰＵ５６は、普通図柄表示器１０の表示状態を所定の順序で制御するための普通図柄プロセスフラグに従って該当する処理を実行する。ＣＰＵ５６は、普通図柄プロセスフラグの値を、遊技状態に応じて更新する。
【０１０５】
また、ＣＰＵ５６は、演出制御用マイクロコンピュータ１００に演出制御コマンドを送出する処理を行う（演出制御コマンド制御処理：ステップＳ２９）。
【０１０６】
さらに、ＣＰＵ５６は、例えばホール管理用コンピュータに供給される大当り情報、始動情報、確率変動情報などのデータを出力する情報出力処理を行う（ステップＳ３０）。
【０１０７】
また、ＣＰＵ５６は、第１始動口スイッチ１３ａ、第２始動口スイッチ１４ａ、カウントスイッチ２３および入賞口スイッチ２９ａ，３０ａ，３３ａ，３９ａの検出信号にもとづく賞球個数の設定などを行う賞球処理を実行する（ステップＳ３１）。具体的には、第１始動口スイッチ１３ａ、第２始動口スイッチ１４ａ、カウントスイッチ２３および入賞口スイッチ２９ａ，３０ａ，３３ａ，３９ａのいずれかがオンしたことにもとづく入賞検出に応じて、払出制御基板３７に搭載されている払出制御用マイクロコンピュータに賞球個数を示す払出制御コマンド（賞球個数信号）を出力する。払出制御用マイクロコンピュータは、賞球個数を示す払出制御コマンドに応じて球払出装置９７を駆動する。
【０１０８】
この実施の形態では、出力ポートの出力状態に対応したＲＡＭ領域（出力ポートバッファ）が設けられているのであるが、ＣＰＵ５６は、出力ポートの出力状態に対応したＲＡＭ領域におけるソレノイドのオン／オフに関する内容を出力ポートに出力する（ステップＳ３２：出力処理）。
【０１０９】
また、ＣＰＵ５６は、特別図柄プロセスフラグの値に応じて特別図柄の演出表示を行うための特別図柄表示制御データを特別図柄表示制御データ設定用の出力バッファに設定する特別図柄表示制御処理を行う（ステップＳ３３）。ＣＰＵ５６は、例えば、特別図柄プロセス処理でセットされる開始フラグがセットされると終了フラグがセットされるまで、変動速度が１コマ／０．２秒であれば、０．２秒が経過する毎に、出力バッファに設定される表示制御データの値を＋１する。また、ＣＰＵ５６は、出力バッファに設定された表示制御データに応じて、ステップＳ２２において駆動信号を出力することによって、第１特別図柄表示器８ａおよび第２特別図柄表示器８ｂにおける第１特別図柄および第２特別図柄の可変表示を実行する。
【０１１０】
さらに、ＣＰＵ５６は、普通図柄プロセスフラグの値に応じて普通図柄の演出表示を行うための普通図柄表示制御データを普通図柄表示制御データ設定用の出力バッファに設定する普通図柄表示制御処理を行う（ステップＳ３４）。ＣＰＵ５６は、例えば、普通図柄の変動に関する開始フラグがセットされると終了フラグがセットされるまで、普通図柄の変動速度が０．２秒ごとに表示状態（「○」および「×」）を切り替えるような速度であれば、０．２秒が経過する毎に、出力バッファに設定される表示制御データの値（例えば、「○」を示す１と「×」を示す０）を切り替える。また、ＣＰＵ５６は、出力バッファに設定された表示制御データに応じて、ステップＳ２２において駆動信号を出力することによって、普通図柄表示器１０における普通図柄の演出表示を実行する。
【０１１１】
その後、割込許可状態に設定し（ステップＳ３５）、処理を終了する。
【０１１２】
以上の制御によって、この実施の形態では、遊技制御処理は２ｍｓ毎に起動されることになる。なお、遊技制御処理は、タイマ割込処理におけるステップＳ２１〜Ｓ３４（ステップＳ３０を除く。）の処理に相当する。また、この実施の形態では、タイマ割込処理で遊技制御処理が実行されているが、タイマ割込処理では例えば割込が発生したことを示すフラグのセットのみがなされ、遊技制御処理はメイン処理において実行されるようにしてもよい。
【０１１３】
図７および図８は、大当り判定テーブルを示す説明図である。大当り判定テーブルとは、ランダムＲと比較される大当り判定値が設定されているテーブルである。大当り判定判定テーブルには、通常状態（確変状態でない遊技状態）において用いられる通常時大当り判定テーブル（図７（Ａ）および図８（Ａ）参照）と、確変状態において用いられる確変時大当り判定テーブル（図７（Ｂ）および図８（Ｂ）参照）とがある。
【０１１４】
図７（Ａ），（Ｂ）および図８（Ａ），（Ｂ）の左欄に記載されている数値が大当り判定値である。ＣＰＵ５６は、ランダムＲの値と大当り判定値とを比較し、ランダムＲの値がいずれかの大当り判定値と一致すると、大当りまたは小当りとすることに決定する。ＣＰＵ５６は、所定の時期に、乱数回路５０３のカウント値を抽出して抽出値を大当り判定用乱数値とするのであるが、大当り判定用乱数値が図７に示す大当り判定値に一致すると、第１特別図柄に関して大当り（通常大当り、確変大当りまたは突然確変大当り）または小当りとすることに決定し、大当り判定用乱数値が図８に示す大当り判定値に一致すると、第２特別図柄に関して大当り（通常大当りまたは確変大当り）または小当りとすることに決定する。
【０１１５】
確変大当りとは、大当り遊技後の遊技状態を、通常状態に比べて大当りとすることに決定される確率が高い状態である確変状態に移行させるような大当りである。通常大当りとは、大当り遊技後の遊技状態を確変状態ではない状態に移行させるような大当りである。なお、確変大当りおよび通常大当りの場合には、ラウンド数は、小当りおよび突然確変大当りの場合よりも多く、例えば１５ラウンドである。
【０１１６】
小当りとは、大当り遊技状態において大入賞口の開放回数が２回まで許容される当りである。なお、小当り遊技が終了した場合、遊技状態が確変状態に移行することはない。突然確変大当りとは、大当り遊技状態において大入賞口の開放回数が２回まで許容されるが大入賞口の開放時間が極めて短い大当りであり、かつ、大当り遊技後の遊技状態を確変状態に移行させるような大当りである。つまり、この実施の形態では、突然確変大当りと小当りとは、開放回数が同じである。
【０１１７】
なお、突然確変大当りの大当り遊技では、ラウンド数は、通常大当りおよび確変大当りの場合よりも少なく、かつ、各ラウンドの大入賞口開放許容時間（例えば、通常大当りおよび確変大当りの場合の２９秒に対して、０．５秒）は通常大当りおよび確変大当りの場合よりも短いが、ラウンド数のみを少なくしたり、大入賞口開放許容時間のみを短くするようにしてもよい。
【０１１８】
図７に示す例（第１特別図柄に対応する例）と図８に示す例（第２特別図柄に対応する例）とを比較すると、図８に示す例の方が、１５Ｒ大当り（通常大当りまたは確変大当り）が選択されやすい。すなわち、図７に示す例では、図７に示す例では１５Ｒ大当りの選択割合は６８％であるのに対して、図８に示す例では、１５Ｒ大当りの選択割合は９０％である。なお、第２特別図柄に対応する方の１５Ｒ大当りの選択割合を１００％にしてもよい。
【０１１９】
図９は、遊技制御用マイクロコンピュータ５６０が送信する演出制御コマンドの内容の一例を示す説明図である。図９に示す例において、コマンド８００１（Ｈ）〜８００Ｅ（Ｈ）は、特別図柄の可変表示に対応して演出表示装置９において可変表示される演出図柄の変動パターンを指定する演出制御コマンド（変動パターンコマンド）である。なお、変動パターンを指定する演出制御コマンドは、変動開始を指定するためのコマンドでもある。従って、演出制御用マイクロコンピュータ１００は、コマンド８００１（Ｈ）〜８００Ｅ（Ｈ）のいずれかを受信すると、演出表示装置９において演出図柄の可変表示を開始するように制御する。
【０１２０】
コマンド８Ｃ０１（Ｈ）〜８Ｃ０５（Ｈ）は、大当りとするか否か、および大当り遊技の種類を示す演出制御コマンドである。演出制御用マイクロコンピュータ１００は、コマンド８Ｃ０１（Ｈ）〜８Ｃ０５（Ｈ）の受信に応じて演出図柄の表示結果を決定するので、コマンド８Ｃ０１（Ｈ）〜８Ｃ０５（Ｈ）を表示結果特定コマンドという。
【０１２１】
コマンド８Ｆ００（Ｈ）は、演出図柄の可変表示（変動）を終了して表示結果（停止図柄）を導出表示することを示す演出制御コマンド（図柄確定指定コマンド）である。演出制御用マイクロコンピュータ１００は、図柄確定指定コマンドを受信すると、演出図柄の可変表示（変動）を終了して表示結果を導出表示する。
【０１２２】
コマンド９０００（Ｈ）は、遊技機に対する電力供給が開始されたときに送信される演出制御コマンド（初期化指定コマンド：電源投入指定コマンド）である。コマンド９２００（Ｈ）は、遊技機に対する電力供給が再開されたときに送信される演出制御コマンド（停電復旧指定コマンド）である。遊技制御用マイクロコンピュータ５６０は、遊技機に対する電力供給が開始されたときに、バックアップＲＡＭにデータが保存されている場合には、停電復旧指定コマンドを送信し、そうでない場合には、初期化指定コマンドを送信する。
【０１２３】
コマンド９Ｆ００（Ｈ）は、客待ちデモンストレーションを指定する演出制御コマンド（客待ちデモ指定コマンド）である。
【０１２４】
コマンドＡ００１〜Ａ００４（Ｈ）は、ファンファーレ画面を表示すること、すなわち大当り遊技の開始を指定する演出制御コマンド（大当り開始指定コマンド：ファンファーレ指定コマンド）である。大当り開始指定コマンドには、大当りの種類に応じて、大当り開始１指定〜大当り開始指定４指定コマンドがある。コマンドＡ１ＸＸ（Ｈ）は、ＸＸで示す回数目（ラウンド）の大入賞口開放中の表示を示す演出制御コマンド（大入賞口開放中指定コマンド）である。Ａ２ＸＸ（Ｈ）は、ＸＸで示す回数目（ラウンド）の大入賞口閉鎖を示す演出制御コマンド（大入賞口開放後指定コマンド）である。
【０１２５】
コマンドＡ３０１（Ｈ）は、大当り終了画面を表示すること、すなわち大当り遊技の終了を指定するとともに、非確変大当り（通常大当り）であったことを指定する演出制御コマンド（大当り終了１指定コマンド：エンディング１指定コマンド）である。コマンドＡ３０２（Ｈ）は、大当り終了画面を表示すること、すなわち大当り遊技の終了を指定するとともに、確変大当りであったことを指定する演出制御コマンド（大当り終了２指定コマンド：エンディング２指定コマンド）である。
【０１２６】
コマンドＤ０００（Ｈ）は、始動入賞口（第２始動入賞口１４）への異常入賞の報知を指示する演出制御コマンド（異常入賞報知１指定コマンド）である。コマンドＤ００１（Ｈ）は、大入賞口（特定可変入賞球装置２０）への異常入賞の報知を指示する演出制御コマンド（異常入賞報知２指定コマンド）である。
【０１２７】
演出制御基板８０に搭載されている演出制御用マイクロコンピュータ１００（具体的には、演出制御用ＣＰＵ１０１）は、主基板３１に搭載されている遊技制御用マイクロコンピュータ５６０から上述した演出制御コマンドを受信すると、図９に示された内容に応じて演出表示装置９の表示状態を変更したり、ランプの表示状態を変更したり、音声出力基板７０に対して音番号データを出力したりする。
【０１２８】
図１０は、この実施の形態で用いられる変動パターンの一例を示す説明図である。図１０において、「ＥＸＴ」とは、２バイト構成の演出制御コマンドにおける２バイト目のＥＸＴデータを示す。また、「変動時間」は特別図柄の変動時間（識別情報の可変表示期間）を示す。
【０１２９】
「通常変動」は、リーチ態様を伴わない変動パターンである。「通常変動・短縮」は、リーチ態様を伴わない変動パターンであり、かつ、変動時間が「通常変動」よりも短い変動パターンである。「ノーマルリーチ」は、リーチ態様を伴うが表示結果（停止図柄）が大当り図柄にならない変動パターンである。「リーチＡ」は、「ノーマルリーチ」とは異なるリーチ態様を持つ変動パターンである。リーチ態様が異なるとは、リーチ変動時間（リーチ演出が行われる期間）で演出表示装置９において異なった態様の変動態様（速度や回転方向等）やキャラクタ画像等が現れたり、演出表示装置９における背景図柄が異なることをいう。例えば、「ノーマルリーチ」では単に１種類の変動態様によってリーチ態様が実現されるのに対して、「リーチＡ」では、変動速度や変動方向が異なる複数の変動態様を含むリーチ態様が実現される。また、「リーチＡ・短縮」は、「リーチＡ」に類似したリーチ態様を持つ変動パターンであるが、リーチ変動時間は、「リーチＡ」に比べて短い。「リーチＡ・延長」は、「リーチＡ」に類似したリーチ態様を持つ変動パターンであるが、リーチ変動時間は、「リーチＡ」に比べて長い。
【０１３０】
「リーチＢ」は、「ノーマルリーチ」および「リーチＡ」とは異なるリーチ態様を持つ変動パターンである。また、「リーチＢ・短縮」は、「リーチＢ」に類似したリーチ態様を持つ変動パターンであるが、リーチ変動時間は、「リーチＢ」に比べて短い。「リーチＢ・延長」は、「リーチＢ」に類似したリーチ態様を持つ変動パターンであるが、リーチ変動時間は、「リーチＢ」に比べて長い。「リーチＣ」は、「ノーマルリーチ」、「リーチＡ」および「リーチＢ」とは異なるリーチ態様を持つ変動パターンである。「リーチＣ・短縮」は、「リーチＣ」に類似したリーチ態様を持つ変動パターンであるが、リーチ変動時間は、「リーチＣ」に比べて短い。
【０１３１】
また、「スーパーリーチＡ」は、「ノーマルリーチ」、「リーチＡ」、「リーチＢ」および「リーチＣ」とは異なるリーチ態様を持つ変動パターンであり、例えば動画像によるリーチ態様を持つ変動パターンである。「スーパーリーチＢ」は、「ノーマルリーチ」、「リーチＡ」、「リーチＢ」、「リーチＣ」および「スーパーリーチＡ」とは異なるリーチ態様を持つ変動パターンであり、例えば動画像によるリーチ態様を持つ変動パターンである。「リーチＡ・突確」は、「ノーマルリーチ」、「リーチＡ」、「リーチＢ」、「リーチＣ」、「スーパーリーチＡ」および「スーパーリーチＢ」とは異なるリーチ態様を持つ変動パターンである。なお、「リーチＡ・突確」のリーチ態様は、「リーチＡ」と同様のリーチ態様である。
【０１３２】
この実施の形態では、通常大当りの場合には、遊技制御用マイクロコンピュータ５６０は、「リーチＡ・短縮」、「リーチＡ」、「リーチＢ・短縮」、「リーチＢ」、「リーチＣ・短縮」、「リーチＣ」、「スーパーリーチＡ」または「スーパーリーチＢ」を選択する。また、確変大当りの場合には、遊技制御用マイクロコンピュータ５６０は、「リーチＡ・延長」、「リーチＢ・延長」、「リーチＣ・短縮」、「リーチＣ」、「スーパーリーチＡ」または「スーパーリーチＢ」を選択する。突然確変大当りの場合には、「リーチＡ・突確」を選択する。
【０１３３】
また、図１０に示すように、通常大当りの場合にのみ選択される変動パターンと、確変大当りの場合にのみ選択される変動パターンと、通常大当りのときにも確変大当りのときにも選択されうる変動パターンとがある。
【０１３４】
また、時短状態では、「通常変動・短縮」、「リーチＡ・短縮」、「リーチＢ・短縮」、および「リーチＣ・短縮」の変動パターンが選択される。非時短状態では、それ以外の変動パターンが選択される。ただし、「リーチＡ・突確」の変動パターンは、時短状態でも非時短状態でも使用される。
【０１３５】
なお、この実施の形態では、大当りが発生し、大当り遊技が終了すると、その後、１００回の特別図柄の変動（可変表示）の実行が完了するまで、遊技状態は時短状態になる。また、可変表示が終了すると大当り遊技が開始されるときの特別図柄の可変表示を開始するときに、確変状態にすることに決定された場合には、大当り遊技が終了すると遊技状態が確変状態に移行される。なお、そのときの遊技状態が確変状態であれば、確変状態が継続することになる。
【０１３６】
確変状態に移行されたら、その後、１００回の特別図柄の変動（可変表示）の実行が完了するまでは、確変状態かつ時短状態である。また、大当り遊技が終了した後の非確変状態において、１００回の特別図柄の変動（可変表示）の実行が完了すると遊技状態は通常状態（確変状態でなく、かつ、時短状態でない遊技状態）に移行する。
【０１３７】
次に、遊技制御用マイクロコンピュータ５６０から演出制御用マイクロコンピュータ１００に対する制御コマンドの送出方式について説明する。図１１は、主基板３１から演出制御基板８０に送信される演出制御コマンドの信号線を示す説明図である。図１１に示すように、この実施の形態では、演出制御コマンドは、演出制御信号Ｄ０〜Ｄ７の８本の信号線で主基板３１から中継基板７７を介して演出制御基板８０に送信される。また、主基板３１と演出制御基板８０との間には、取込信号（演出制御ＩＮＴ信号）を送信するための演出制御ＩＮＴ信号の信号線も配線されている。
【０１３８】
図１２に示すように、演出制御コマンドの８ビットの演出制御コマンドデータは、演出制御ＩＮＴ信号に同期して出力される。演出制御基板８０に搭載されている演出制御用マイクロコンピュータ１００は、演出制御ＩＮＴ信号が立ち上がったことを検知して、割込処理によって１バイトのデータの取り込み処理を開始する。従って、演出制御用マイクロコンピュータ１００から見ると、演出制御ＩＮＴ信号は、演出制御コマンドデータの取り込みの契機になる信号に相当する。
【０１３９】
演出制御コマンドは、演出制御用マイクロコンピュータ１００が認識可能に１回だけ送出される。認識可能とは、この例では、演出制御ＩＮＴ信号のレベルが変化することであり、認識可能に１回だけ送出されるとは、例えば演出制御コマンドデータの１バイト目および２バイト目のそれぞれに応じて演出制御ＩＮＴ信号が１回だけパルス状（矩形波状）に出力されることである。なお、演出制御ＩＮＴ信号は図１２に示された極性と逆極性であってもよい。
【０１４０】
図１３および図１４は、主基板３１に搭載される遊技制御用マイクロコンピュータ５６０（具体的には、ＣＰＵ５６）が実行する第１特別図柄プロセス処理（ステップＳ２７Ａ）のプログラムの一例を示すフローチャートである。第１特別図柄プロセス処理では、第１特別図柄表示器８ａおよび大入賞口を制御するための処理が実行される。
【０１４１】
第１特別図柄プロセス処理において、ＣＰＵ５６は、第１始動入賞口１３に遊技球が入賞したことを検出するための第１始動口スイッチ１３ａがオンしていたら、すなわち第１始動入賞が発生していたら、第１始動口スイッチ通過処理を実行する（ステップＳ３１１Ａ，Ｓ３１２Ａ）。そして、ステップＳ３００Ａ〜Ｓ３１０Ａのうちのいずれかの処理を行う。
【０１４２】
ステップＳ３１３Ａの処理によって、第１特別図柄の変動を開始できる場合でも、第２特別図柄の変動中、大当り遊技中および小当り遊技中では、第１特別図柄の変動は開始されない。
【０１４３】
ステップＳ３００Ａ〜Ｓ３１０Ａの処理は、以下のような処理である。
【０１４４】
第１特別図柄通常処理（ステップＳ３００Ａ）：第１特別図柄プロセスフラグの値が０であるときに実行される。遊技制御用マイクロコンピュータ５６０は、第１特別図柄の可変表示が開始できる状態になると、第１保留記憶数（第１始動入賞記憶数）を確認する。第１保留記憶数は第１保留記憶数カウンタのカウント値により確認できる。第１保留記憶数が０でない場合には、大当りとするか否か決定する。そして、内部状態（第１特別図柄プロセスフラグ）をステップＳ３０１Ａに対応した値（この例では１）に更新する。
【０１４５】
第１変動パターン設定処理（ステップＳ３０１Ａ）：第１特別図柄プロセスフラグの値が１であるときに実行される。第１特別図柄の可変表示後の停止図柄を決定する。また、変動パターンを決定し、その変動パターンにおける変動時間（可変表示時間：可変表示を開始してから表示結果が導出表示（停止表示）するまでの時間）を第１特別図柄の可変表示の変動時間とすることに決定する。また、第１特別図柄の変動時間を計測する第１変動時間タイマをスタートさせる。そして、内部状態（第１特別図柄プロセスフラグ）をステップＳ３０２Ａに対応した値（この例では２）に更新する。
【０１４６】
第１表示結果特定コマンド送信処理（ステップＳ３０２Ａ）：第１特別図柄プロセスフラグの値が２であるときに実行される。演出制御用マイクロコンピュータ１００に、表示結果特定コマンドを送信する制御を行う。そして、内部状態（特別図柄プロセスフラグ）をステップＳ３０３Ａに対応した値（この例では３）に更新する。
【０１４７】
第１特別図柄変動中処理（ステップＳ３０３Ａ）：第１特別図柄プロセスフラグの値が３であるときに実行される。第１変動パターン設定処理で選択された変動パターンの変動時間が経過（ステップＳ３０１Ａでセットされる第１変動時間タイマがタイムアウトすなわち第１変動時間タイマの値が０になる）すると、第１特別図柄表示器８ａにおける可変表示を停止して停止図柄を導出表示させる。また、演出制御用マイクロコンピュータ１００に、図柄確定指定コマンドを送信する制御を行う。また、第１特別図柄の停止図柄を停止表示させる時間（図柄停止時間）を第１特別図柄プロセスタイマにセットする。そして、内部状態（第１特別図柄プロセスフラグ）をステップＳ３０４Ａに対応した値（この例では４）に更新する。なお、演出制御用マイクロコンピュータ１００は、遊技制御用マイクロコンピュータ５６０が送信する図柄確定指定コマンドを受信すると、演出表示装置９において演出図柄が停止されるように制御する。
【０１４８】
第１特別図柄停止処理（ステップＳ３０４Ａ）：第１特別図柄プロセスフラグの値が４であるときに実行される。第１特別図柄変動中処理でセットされた図柄停止時間が経過すると、フラグのセット状況の確認処理を実行する。大当りフラグがセットされている場合には、内部状態（第１特別図柄プロセスフラグ）をステップＳ３０５Ａに対応した値（この例では５）に更新する。小当りフラグがセットされている場合には、内部状態（第１特別図柄プロセスフラグ）をステップＳ３０８Ａに対応した値（この例では８）に更新する。大当りフラグおよび小当りフラグがセットされていない場合には、内部状態（第１特別図柄プロセスフラグ）をステップＳ３００Ａに対応した値（この例では０）に更新する。
【０１４９】
第１大入賞口開放前処理（ステップＳ３０５Ａ）：第１特別図柄プロセスフラグの値が５であるときに実行される。第１大入賞口開放前処理では、大入賞口を開放する制御を行う。具体的には、カウンタ（例えば大入賞口に入った遊技球数をカウントするカウンタ）などを初期化するとともに、ソレノイド２１を駆動して大入賞口を開放状態にする。また、タイマによって大入賞口開放中処理の実行時間を設定し、内部状態（第１特別図柄プロセスフラグ）をステップＳ３０６Ａに対応した値（この例では６）に更新する。なお、第１大入賞口開放前処理は各ラウンド毎に実行されるが、第１ラウンドを開始する場合には、第１大入賞口開放前処理は大当り遊技を開始する処理でもある。
【０１５０】
第１大入賞口開放中処理（ステップＳ３０６Ａ）：第１特別図柄プロセスフラグの値が６であるときに実行される。大当り遊技状態中のラウンド表示の演出制御コマンドを演出制御用マイクロコンピュータ１００に送信する制御や大入賞口の閉成条件の成立を確認する処理等を行う。大入賞口の閉成条件が成立し、かつ、まだ残りラウンドがある場合には、内部状態（第１特別図柄プロセスフラグ）をステップＳ３０５Ａに対応した値（この例では５）に更新する。また、全てのラウンドを終えた場合には、内部状態（第１特別図柄プロセスフラグ）をステップＳ３０７Ａに対応した値（この例では７）に更新する。
【０１５１】
第１大当り終了処理（ステップＳ３０７Ａ）：第１特別図柄プロセスフラグの値が７であるときに実行される。大当り遊技状態が終了したことを遊技者に報知する表示制御を演出制御用マイクロコンピュータ１００に行わせるための制御を行う。また、遊技状態を示すフラグ（例えば、確変フラグ）をセットする処理を行う。そして、内部状態（第１特別図柄プロセスフラグ）をステップＳ３００Ａに対応した値（この例では０）に更新する。
【０１５２】
第１小当り開放前処理（ステップＳ３０８Ａ）：第１特別図柄プロセスフラグの値が８であるときに実行される。第１小当り開放前処理では、大入賞口を開放する制御を行う。具体的には、カウンタ（例えば大入賞口に入った遊技球数をカウントするカウンタ）などを初期化するとともに、ソレノイド２１を駆動して大入賞口を開放状態にする。また、タイマによって大入賞口開放中処理の実行時間を設定し、内部状態（第１特別図柄プロセスフラグ）をステップＳ３０９Ａに対応した値（この例では９）に更新する。なお、第１小当り開放前処理は各ラウンド毎に実行されるが、第１ラウンドを開始する場合には、第１小当り開放前処理は小当り遊技を開始する処理でもある。
【０１５３】
第１小当り開放中処理（ステップＳ３０９Ａ）：第１特別図柄プロセスフラグの値が９であるときに実行される。小当り遊技状態中のラウンド表示の演出制御コマンドを演出制御用マイクロコンピュータ１００に送信する制御や大入賞口の閉成条件の成立を確認する処理等を行う。大入賞口の閉成条件が成立し、かつ、まだ残りラウンドがある場合には、内部状態（第１特別図柄プロセスフラグ）をステップＳ３０８Ａに対応した値（この例では８）に更新する。また、全てのラウンドを終えた場合には、内部状態（第１特別図柄プロセスフラグ）をステップＳ３１０Ａに対応した値（この例では１０（１０進数））に更新する。
【０１５４】
第１小当り終了処理（ステップＳ３１０Ａ）：第１特別図柄プロセスフラグの値が１０であるときに実行される。小当り遊技状態が終了したことを遊技者に報知する表示制御を演出制御用マイクロコンピュータ１００に行わせるための制御を行う。そして、内部状態（第１特別図柄プロセスフラグ）をステップＳ３００Ａに対応した値（この例では０）に更新する。
【０１５５】
図１５は、ステップＳ３１２の第１始動口スイッチ通過処理を示すフローチャートである。第１始動口スイッチ通過処理において、ＣＰＵ５６は、第１保留記憶数が上限値である４になっているか否か確認する（ステップＳ２１１）。第１保留記憶数が４になっている場合には、処理を終了する。
【０１５６】
第１保留記憶数が４になっていない場合には、第１保留記憶数を示す第１保留記憶数カウンタの値を１増やす（ステップＳ２１２）。また、ＣＰＵ５６は、ソフトウェア乱数（大当り図柄決定用乱数等を生成するためのカウンタの値等）およびランダムＲ（大当り判定用乱数）を抽出し、それらを、抽出した乱数値として第１保留記憶数カウンタの値に対応する第１保留記憶バッファにおける保存領域に格納する処理を実行する（ステップＳ２１３）。ステップＳ２１３では、ＣＰＵ５６は、ソフトウェア乱数としてランダム１〜３（図６参照）の値を抽出し、乱数回路５０３のカウント値を読み出すことによってランダムＲを抽出する。また、第１保留記憶バッファにおいて、保存領域は、第１保留記憶数の上限値と同数確保されている。また、大当り図柄決定用乱数等を生成するためのカウンタや第１保留記憶バッファは、ＲＡＭ５５に形成されている。「ＲＡＭに形成されている」とは、ＲＡＭ内の領域であることを意味する。
【０１５７】
そして、第１特別図柄保留記憶表示器１８ａの表示を、第１保留記憶数カウンタの値を示す表示に変更する（ステップＳ２１４）。
【０１５８】
図１６および図１７は、第１特別図柄プロセス処理における第１特別図柄通常処理（ステップＳ３００Ａ）を示すフローチャートである。第１特別図柄通常処理において、ＣＰＵ５６は、第２特別図柄が変動中でないこと、大当り遊技中でないこと、および小当り遊技中でないことを条件に（ステップＳ５１）、ステップＳ５２以降の処理を行う。なお、第２特別図柄が変動中でないこと、大当り遊技中でないこと、および小当り遊技中でないことは、例えば、第２特別図柄プロセスフラグの値によって判定される。ステップＳ５２では、第１保留記憶数の値を確認する。具体的には、第１保留記憶数カウンタのカウント値を確認する。第１保留記憶数が０であれば処理を終了する。
【０１５９】
第１保留記憶数が０でなければ、ＣＰＵ５６は、第２保留記憶数の値を確認する（ステップＳ５３）。具体的には、第２保留記憶数カウンタのカウント値を確認する。第２保留記憶数が０でなければ、ＣＰＵ５６は、普通電動役物（可変入賞球装置１５）が開状態（開放中）であるか否かを確認する（ステップＳ５４）。ここで、可変入賞球装置１５が開放中であるかどうかは、例えば、出力ポートバッファ（ソレノイドバッファ）の普通電動役物ソレノイド出力ビットを確認することによって判断される。可変入賞球装置１５が開状態であれば処理を終了する。
【０１６０】
ＣＰＵ５６は、ＲＡＭ５５の第１保留記憶数バッファにおける第１保留記憶数＝１に対応する保存領域に格納されている各乱数値を読み出してＲＡＭ５５の乱数バッファ領域に格納する（ステップＳ５５）。そして、第１保留記憶数の値を１減らし（第１保留記憶数カウンタのカウント値を１減算し）、かつ、各保存領域の内容をシフトする（ステップＳ５６）。すなわち、ＲＡＭ５５の第１保留記憶数バッファにおいて第１保留記憶数＝ｎ（ｎ＝２，３，４）に対応する保存領域に格納されている各乱数値を、第１保留記憶数＝ｎ−１に対応する保存領域に格納する。よって、各第１保留記憶数に対応するそれぞれの保存領域に格納されている各乱数値が抽出された順番は、常に、第１保留記憶数＝１，２，３，４の順番と一致するようになっている。
【０１６１】
ステップＳ５２〜Ｓ５４の処理によって、第１始動入賞口１３への遊技球の入賞に応じて開始される第１特別図柄の変動は、第２保留記憶数が０でない場合には、可変入賞球装置１５が開放していないことを条件に開始される。つまり、第１保留記憶数と第２保留記憶数とがともに０でない場合には、可変入賞球装置１５が開放しているときには、第１特別図柄の変動は開始されない。可変入賞球装置１５が開放しているときには、第１始動入賞口１３への入賞に比べて第２始動入賞口１４への遊技球の入賞が生じやすいので、そのような制御によって、第１特別図柄と第２特別図柄とのうち、入賞しやすい始動口への入賞に対応する方の特別図柄の可変表示の開始が優先される。なお、第２特別図柄通常処理では、第１保留記憶数が０でない場合に、可変入賞球装置１５が閉鎖しているときには、第２特別図柄の変動は開始されない。
【０１６２】
そして、ＣＰＵ５６は、乱数バッファ領域からランダムＲ（大当り判定用乱数）を読み出し（ステップＳ６１）、大当り判定モジュールを実行する（ステップＳ６２）。大当り判定モジュールは、あらかじめ決められている大当り判定値（図７参照）と大当り判定用乱数とを比較し、それらが一致したら大当り（通常大当り、確変大当りまたは突然確変大当り）または小当りとすることに決定する処理を実行するプログラムである。
【０１６３】
なお、ＣＰＵ５６は、遊技状態が確変状態であるときには、図７（Ｂ）に示すような大当り判定値が設定されているテーブルにおける大当り判定値を使用し、遊技状態が通常状態（非確変状態）であるときには、図７（Ａ）に示すような大当り判定値が設定されているテーブルにおける大当り判定値を使用する。通常大当りとすることに決定した場合には（ステップＳ６３）、大当りフラグをセットして（ステップＳ７１）、ステップＳ７５に移行する。なお、大当り（通常大当り、確変大当りまたは突然確変大当り）とするか否か決定するということは、大当り遊技状態に移行させるか否か決定するということであるが、第１特別図柄表示器８ａにおける停止図柄を大当り図柄とするか否か決定するということでもある。
【０１６４】
ＣＰＵ５６は、確変大当りとすることに決定されている場合には、大当りフラグおよび確変大当りフラグをセットする（ステップＳ７２，Ｓ７３，Ｓ７４）。また、そして、乱数バッファ領域から大当り図柄決定用乱数を読み出し（ステップＳ７５）、大当り図柄決定用乱数にもとづいて停止図柄としての大当り図柄（例えば、奇数図柄のいずれか）を決定する（ステップＳ７６）。なお、この実施の形態では、確変大当りと通常大当りとを区別せずに停止図柄を決定する。その後、ステップＳ７０に移行する。
【０１６５】
また、小当りとすることに決定されている場合には、小当りフラグをセットする（ステップＳ７７，Ｓ７８）。突然確変大当りとすることに決定されている場合には、大当りフラグおよび突然確変大当りフラグをセットする（ステップＳ７９，Ｓ８０，Ｓ８１）。
【０１６６】
大当りまたは小当りとしないことに決定した場合には、ＣＰＵ５６は、乱数バッファ領域からはずれ図柄決定用乱数を読み出し（ステップＳ６４）、はずれ図柄決定用乱数にもとづいて停止図柄を決定する（ステップＳ６５）。この場合には、はずれ図柄（例えば、偶数図柄のいずれか）を決定する。
【０１６７】
さらに、時短状態であることを示す時短フラグがセットされている場合には（ステップＳ６６）、時短状態における特別図柄の変動可能回数を示す時短回数カウンタの値を−１する（ステップＳ６７）。そして、時短回数カウンタの値が０になった場合には、可変表示が終了したときに遊技状態を非時短状態に移行させるために時短終了フラグをセットする（ステップＳ６８，Ｓ６９）。そして、第１特別図柄プロセスフラグの値を第１変動パターン設定処理（ステップＳ３０１）に対応した値に更新する（ステップＳ９０）。なお、確変大当りフラグまたは突然確変大当りフラグがセットされた場合には、大当り遊技が終了したときに遊技状態が確変状態に移行される。
【０１６８】
なお、この実施の形態では、大当り判定用乱数にもとづいて、大当りとするか否かと大当りの種類とを決定するようにしているが（図７参照）、大当り判定用乱数にもとづいて大当りとするか否かを決定し、大当りとすることに決定された場合に大当り図柄決定用乱数にもとづいて所定の大当り図柄（あらかじめ決められている確変大当り図柄や突然確変大当り図柄）が決定されたときに確変状態に制御するようにしてもよい。
【０１６９】
また、この実施の形態では、小当りまたは突然確変大当りとすることに決定された場合には、特別図柄の停止図柄は、あらかじめ決められている図柄であるとする。
【０１７０】
図１８は、第１特別図柄プロセス処理における第１変動パターン設定処理（ステップＳ３０１Ａ）を示すフローチャートである。第１変動パターン設定処理において、ＣＰＵ５６は、乱数バッファ領域から変動パターン決定用乱数を読み出す（ステップＳ１００）。そして、変動パターン決定用乱数にもとづいて変動パターンを決定する（ステップＳ１０１）。
【０１７１】
ここで、遊技状態が非時短状態であって、はずれとすることに決定されている場合には、「通常変動」または「ノーマルリーチ」を選択する（図１０参照）。遊技状態が非時短状態であって、大当りとすることに決定されている場合には、「リーチＡ」、「リーチＡ・延長」、「リーチＢ」、「リーチＢ・延長」、「リーチＣ」、「スーパーリーチＡ」、「スーパーリーチＢ」または「リーチＡ・突確」を選択する（図８参照）。大当りのうち確変大当りとすることに決定されている場合に、「リーチＡ・延長」、「リーチＢ・延長」、「リーチＣ」、「スーパーリーチＡ」または「スーパーリーチＢ」を選択する。また、突然確変大当りとすることに決定されている場合に、「リーチＡ・突確」を選択する。大当りのうち通常大当り（小当りとすることに決定されている場合を含む。）とすることに決定されている場合（小当りとすることに決定されている場合を含む。）には、「リーチＡ」、「リーチＢ」、「リーチＣ」または「スーパーリーチＡ」を選択する。
【０１７２】
遊技状態が時短状態であって、はずれとすることに決定されている場合には、「通常変動・短縮」を選択する（図１０参照）。遊技状態が時短状態であって、大当りとすることに決定されている場合には、「リーチＡ・短縮」、「リーチＢ・短縮」、「リーチＣ・短縮」または「リーチＡ・突確」を選択する（図１０参照）。大当りのうち確変大当りとすることに決定されている場合に、「リーチＣ・短縮」を選択する。突然確変大当りとすることに決定されている場合に、「リーチＡ・突確」を選択する。大当りのうち通常大当りとすることに決定されている場合（小当りとすることに決定されている場合を含む。）には、「リーチＡ・短縮」、「リーチＢ・短縮」または「リーチＣ・短縮」を選択する。
【０１７３】
以上のような選択を容易にするために、遊技状態（時短状態か否か）と大当りとするか否かの決定結果（はずれ、および大当りの種類のそれぞれ）とに応じた変動パターンテーブルを用いる。変動パターンテーブルは、ＲＯＭ５４に記憶されるが、遊技状態と大当りとするか否かの決定結果とに応じて用意される。それぞれの変動パターンテーブルには、選択されうる変動パターンを示すデータと、それに対応する数値とが設定される。そして、ＣＰＵ５６は、遊技状態と大当りとするか否かの決定結果とに応じて、変動パターンテーブルを選択し、選択した変動パターンテーブルにおいて、変動パターン決定用乱数の値と一致する数値に対応する変動パターンを選択する。よって、遊技制御用マイクロコンピュータ５６０は、既に決定されている大当りとするか否か、および確変大当りとするか否かに応じて、変動パターンを選択することになる。
【０１７４】
そして、ＣＰＵ５６は、ステップＳ１０１で選択した変動パターンに応じた変動パターンコマンド（図９参照）を演出制御用マイクロコンピュータ１００に送信する制御を行う（ステップＳ１０２）。具体的には、ＣＰＵ５６は、演出制御用マイクロコンピュータ１００に演出制御コマンドを送信する際に、演出制御コマンドに応じたコマンド送信テーブル（あらかじめＲＯＭにコマンド毎に設定されている）のアドレスをポインタにセットする。そして、演出制御コマンドに応じたコマンド送信テーブルのアドレスをポインタにセットして、演出制御コマンド制御処理（ステップＳ２９）において演出制御コマンドを送信する。
【０１７５】
そして、第１特別図柄の変動を開始する（ステップＳ１０３）。例えば、ステップＳ３３の特別図柄表示制御処理で参照される開始フラグをセットする。また、ＲＡＭ５５に形成されている変動時間タイマに、選択された変動パターンに対応した変動時間（図１０参照）に応じた値を設定する（ステップＳ１０４）。そして、第１特別図柄プロセスフラグの値を第１表示結果特定コマンド送信処理（ステップＳ３０２Ａ）に対応した値に更新する（ステップＳ１０５）。
【０１７６】
図１９は、第１表示結果特定コマンド送信処理（ステップＳ３０２Ａ）を示すフローチャートである。第１表示結果特定コマンド送信処理において、ＣＰＵ５６は、決定されている大当りの種類（小当りを含む。）に応じて、表示結果１指定〜表示結果５指定のいずれかの演出制御コマンド（図９参照）を送信する制御を行う。具体的には、ＣＰＵ５６は、確変大当りフラグがセットされているときには、表示結果４指定コマンドを送信する制御を行う（ステップＳ１１０，Ｓ１１１）。突然確変大当りフラグがセットされているときには、表示結果５指定コマンドを送信する制御を行う（ステップＳ１１２，Ｓ１１３）。小当りフラグがセットされているときには、表示結果３指定コマンドを送信する制御を行う（ステップＳ１１４，Ｓ１１５）。確変大当りフラグ、突然確変大当りフラグおよび小当りフラグのいずれもセットされていない場合には、大当りフラグがセットされているときには（通常大当りの場合である。）、表示結果２指定コマンドを送信する制御を行う（ステップＳ１１６，Ｓ１１７）。大当りフラグがセットされていないときには（はずれの場合である。）、表示結果１指定コマンドを送信する制御を行う（ステップＳ１１６，Ｓ１１８）。そして、第１特別図柄プロセスフラグの値を第１特別図柄変動中処理（ステップＳ３０３Ａ）に対応した値に更新する（ステップＳ１１９）。
【０１７７】
図２０は、第１特別図柄プロセス処理における第１特別図柄変動中処理（ステップＳ３０３Ａ）を示すフローチャートである。第１特別図柄変動中処理において、ＣＰＵ５６は、第１変動時間タイマを１減算（ステップＳ１２１）、第１変動時間タイマがタイムアウトしたかどうか確認する（ステップＳ１２２）。第１変動時間タイマがタイムアウトしていなければ（ステップＳ１２２のＮ）、そのまま処理を終了する。第１変動時間タイマがタイムアウトしたときは（ステップＳ１２２のＹ）、ＣＰＵ５６は、ステップＳ３３の特別図柄表示制御処理で参照される終了フラグをセットして特別図柄の変動を終了させ、第１特別図柄表示器８ａに停止図柄を導出表示する制御を行う（ステップＳ１２３）。また、演出制御用マイクロコンピュータ１００に図柄確定指定コマンドを送信する制御を行う（ステップＳ１２４）。そして、ＣＰＵ５６は、第１特別図柄プロセスタイマに図柄停止時間を設定し（ステップＳ１２５）、第１特別図柄プロセスフラグの値を第１特別図柄停止処理（ステップＳ３０４Ａ）に対応した値に更新する（ステップＳ１２６）。
【０１７８】
図２１は、第１特別図柄プロセス処理における第１特別図柄停止処理（ステップＳ３０４Ａ）を示すフローチャートである。第１特別図柄停止処理において、ＣＰＵ５６は、第１特別図柄プロセスタイマの値を１減算し（ステップＳ１３１）、第１特別図柄プロセスタイマがタイムアウトしたかどうか確認する（ステップＳ１３２）。第１特別図柄プロセスタイマがタイムアウトしていなければ（ステップＳ１３２のＮ）、そのまま処理を終了する。第１特別図柄プロセスタイマがタイムアウトすると（ステップＳ１３２のＹ）、ＣＰＵ５６は、大当りフラグがセットされているか否か確認する（ステップＳ１３３）。そして、大当りフラグがセットされていない場合には、ステップＳ１３７に移行する。
【０１７９】
大当りフラグがセットされている場合には（ステップＳ１３３のＹ）、ＣＰＵ５６は、大当り開始指定コマンドを送信する制御を行う（ステップＳ１３４）。具体的には、確変大当りフラグがセットされている場合には大当り開始３指定コマンドを送信し、突然確変大当りフラグがセットされている場合には大当り開始４指定コマンドを送信し、そうでない場合には大当り開始１指定コマンドを送信する。
【０１８０】
また、大当り表示時間タイマに大当り表示時間（大当りが発生したことを例えば演出表示装置９において報知する時間）に相当する値を設定する（ステップＳ１３５）。そして、第１特別図柄プロセスフラグの値を第１特別図柄通常処理（ステップＳ３００Ａ）に対応した値に更新する（ステップＳ１３６）。
【０１８１】
ステップＳ１３７では、小当りフラグがセットされているか否か確認する。小当りフラグがセットされている場合には、第１特別図柄プロセスフラグの値を第１小当り開放前処理（ステップＳ３０８Ａ）に対応した値に更新する（ステップＳ１３７，Ｓ１３８）。小当りフラグがセットされていない場合には、時短終了フラグがセットされている場合には時短終了フラグをリセットし（ステップＳ１４１，Ｓ１４２）、遊技状態が時短状態であることを示す時短フラグをリセットする（ステップＳ１４３）。そして、第１特別図柄プロセスフラグの値を第１特別図柄通常処理（ステップＳ３００Ａ）に対応した値に更新する（ステップＳ１４４）。
【０１８２】
なお、時短終了フラグは、第１特別図柄通常処理におけるステップＳ６９でセットされている。また、時短フラグがリセットされることによって、遊技状態は非時短状態に移行する。この段階で遊技状態が確変状態であれば、遊技状態は、非時短状態の確変状態になる。また、非確変状態であれば、通常状態（確変状態でなく、かつ、時短状態でない状態）に移行する。
【０１８３】
第１大入賞口開放前処理では、ＣＰＵ５６は、大当り表示時間タイマが設定されている場合には、大当り表示時間タイマがタイムアウトしたら、大入賞口を開放する制御を行うとともに、大入賞口開放時間タイマに開放時間（例えば、通常大当りおよび確変大当りの場合には２９秒。突然確変大当りの場合には０．５秒）に相当する値を設定し、第１特別図柄プロセスフラグの値を第１大入賞口開放中処理（ステップＳ３０６Ａ）に対応した値に更新する。なお、大当り表示時間タイマが設定されている場合とは、第１ラウンドの開始前の場合である。インターバルタイマ（ラウンド間のインターバル時間を決めるためのタイマ）が設定されている場合には、インターバルタイマがタイムアウトしたら、大入賞口を開放する制御を行うとともに、大入賞口開放時間タイマに開放時間（例えば、通常大当りおよび確変大当りの場合には２９秒。突然確変大当りの場合には０．５秒）に相当する値を設定し、第１特別図柄プロセスフラグの値を第１大入賞口開放中処理（ステップＳ３０６Ａ）に対応した値に更新する。
【０１８４】
第１大入賞口開放中処理では、ＣＰＵ５６は、大入賞口開放時間タイマがタイムアウトするか、または大入賞口への入賞球数が所定数（例えば１０個）に達したら、最終ラウンドが終了していない場合には、大入賞口を閉鎖する制御を行うとともに、インターバルタイマにインターバル時間に相当する値を設定し、第１特別図柄プロセスフラグの値を第１大入賞口開放前処理（ステップＳ３０５Ａ）に対応した値に更新する。最終ラウンドが終了した場合には、第１特別図柄プロセスフラグの値を第１大当り終了処理（ステップＳ３０７Ａ）に対応した値に更新する。
【０１８５】
図２２は、第１特別図柄プロセス処理における第１大当り終了処理（ステップＳ３０７Ａ）を示すフローチャートである。第１大当り終了処理において、ＣＰＵ５６は、大当り終了表示タイマが設定されているか否か確認し（ステップＳ１５０）、大当り終了表示タイマが設定されている場合には、ステップＳ１５４に移行する。大当り終了表示タイマが設定されていない場合には、大当りフラグをリセットし（ステップＳ１５１）、大当り終了指定コマンドを送信する制御を行う（ステップＳ１５２）。ここで、確変大当りフラグまたは突然確変大当フラグがセットされている場合には大当り終了２指定コマンドを送信し、確変大当りフラグおよび突然確変大当フラグがセットされていない場合には大当り終了１指定コマンドを送信する。そして、大当り終了表示タイマに、演出表示装置９において大当り終了表示が行われている時間（大当り終了表示時間）に対応する表示時間に相当する値を設定し（ステップＳ１５３）、処理を終了する。
【０１８６】
ステップＳ１５４では、大当り終了表示タイマの値を１減算する。そして、ＣＰＵ５６は、大当り終了表示タイマの値が０になっているか否か、すなわち大当り終了表示時間が経過したか否か確認する（ステップＳ１５５）。経過していなければ処理を終了する。経過していれば、時短フラグをセットして遊技状態を時短状態に移行させ（ステップＳ１５６）、時短回数カウンタに１００を設定する（ステップＳ１５７）。
【０１８７】
そして、確変大当りフラグまたは突然確変大当フラグがセットされているか否か確認する（ステップＳ１５８）。確変大当りフラグまたは突然確変大当フラグがセットされている場合は、セットされているフラグ（確変大当りフラグまたは突然確変大当りフラグ）をリセットし（ステップＳ１５９）。確変フラグをセットして遊技状態を確変状態に移行させる（ステップＳ１６１）。なお、そのときの遊技状態が確変状態である場合には、既に確変フラグはセットされている。そして、第１特別図柄プロセスフラグの値を第１特別図柄通常処理（ステップＳ３００Ａ）に対応した値に更新する（ステップＳ１６２）。
【０１８８】
ステップＳ３０８Ａの第１小当り開放前処理では、第１大入賞口開放前処理（ステップＳ３０５Ａ）と同様の処理を行う。ただし、第１特別図柄プロセスフラグの値を、第１大入賞口開放中処理に対応した値に更新することに代えて、第１小当り開放中処理に対応した値に更新する。また、ステップＳ３０９Ａの第１小当り開放中処理では、第１大入賞口開放中処理（ステップＳ３０６Ａ）と同様の処理を行う。ただし、最終ラウンドでない場合には、第１特別図柄プロセスフラグの値を第１小当り開放前処理（ステップＳ３０８Ａ）に対応した値に更新し、最終ラウンド（第２ラウンド）であれば、第１特別図柄プロセスフラグの値を第１小当り終了処理（ステップＳ３１０Ａ）に対応した値に更新する。
【０１８９】
図２３は、第１特別図柄プロセス処理における第１小当り終了処理（ステップＳ３１０Ａ）を示すフローチャートである。第１小当り終了処理において、ＣＰＵ５６は、小当り終了表示タイマが設定されているか否か確認し（ステップＳ１７０）、小当り終了表示タイマが設定されている場合には、ステップＳ１７４に移行する。小当り終了表示タイマが設定されていない場合には、大当りフラグおよび小当りフラグをリセットし（ステップＳ１７１Ａ，Ｓ１７１Ｂ）、大当り終了１指定コマンドを送信する制御を行う（ステップＳ１７２）。そして、小当り終了表示タイマに、演出表示装置９において小当り終了表示が行われている時間（小当り終了表示時間）に対応する表示時間に相当する値を小当り終了表示タイマが設定し（ステップＳ１７３）、処理を終了する。
【０１９０】
ステップＳ１７４では、小当り終了表示タイマの値を１減算する。そして、ＣＰＵ５６は、小当り終了表示タイマの値が０になっているか否か、すなわち小当り終了表示時間が経過したか否か確認する（ステップＳ１７５）。経過していなければ処理を終了する。経過していれば、第１特別図柄プロセスフラグの値を第１特別図柄通常処理（ステップＳ３００）に対応した値に更新する（ステップＳ１７６）。
【０１９１】
図２４および図２５は、主基板３１に搭載される遊技制御用マイクロコンピュータ５６０（具体的には、ＣＰＵ５６）が実行する第２特別図柄プロセス処理（ステップＳ２７Ｂ）のプログラムの一例を示すフローチャートである。第２特別図柄プロセス処理では、第２特別図柄表示器８ｂおよび大入賞口を制御するための処理が実行される。
【０１９２】
第２特別図柄プロセス処理において、ＣＰＵ５６は、第２始動入賞口１４に遊技球が入賞したことを検出するための第２始動口スイッチ１４ａがオンしていたら、すなわち第２始動入賞が発生していたら、第２始動口スイッチ通過処理を実行する（ステップＳ３１１Ｂ，Ｓ３１２Ｂ）。そして、ステップＳ３００Ｂ〜Ｓ３１０Ｂのうちのいずれかの処理を行う。
【０１９３】
ステップＳ３００Ｂ〜Ｓ３１０Ｂの処理は、以下のような処理である。
【０１９４】
第２特別図柄通常処理（ステップＳ３００Ｂ）：第２特別図柄プロセスフラグの値が０であるときに実行される。遊技制御用マイクロコンピュータ５６０は、第２特別図柄の可変表示が開始できる状態になると、第２保留記憶数（第２始動入賞記憶数）を確認する。第２保留記憶数は第２保留記憶数カウンタのカウント値により確認できる。第２保留記憶数が０でない場合には、大当りとするか否か決定する。そして、内部状態（第２特別図柄プロセスフラグ）をステップＳ３０１Ｂに対応した値（この例では１）に更新する。
【０１９５】
第２変動パターン設定処理（ステップＳ３０１Ｂ）：第２特別図柄プロセスフラグの値が１であるときに実行される。第２特別図柄の可変表示後の停止図柄を決定する。また、変動パターンを決定し、その変動パターンにおける変動時間（可変表示時間：可変表示を開始してから表示結果が導出表示（停止表示）するまでの時間）を第２特別図柄の可変表示の変動時間とすることに決定する。また、第２特別図柄の変動時間を計測する第２変動時間タイマをスタートさせる。そして、内部状態（第２特別図柄プロセスフラグ）をステップＳ３０２Ｂに対応した値（この例では２）に更新する。
【０１９６】
第２表示結果特定コマンド送信処理（ステップＳ３０２Ｂ）：第２特別図柄プロセスフラグの値が２であるときに実行される。演出制御用マイクロコンピュータ１００に、表示結果特定コマンドを送信する制御を行う。そして、内部状態（特別図柄プロセスフラグ）をステップＳ３０３Ｂに対応した値（この例では３）に更新する。
【０１９７】
第２特別図柄変動中処理（ステップＳ３０３Ｂ）：第２特別図柄プロセスフラグの値が３であるときに実行される。第２変動パターン設定処理で選択された変動パターンの変動時間が経過（ステップＳ３０１Ｂでセットされる第２変動時間タイマがタイムアウトすなわち第２変動時間タイマの値が０になる）すると、第２特別図柄表示器８ｂにおける可変表示を停止して停止図柄を導出表示させる。また、演出制御用マイクロコンピュータ１００に、図柄確定指定コマンドを送信する制御を行う。また、第２特別図柄の停止図柄を停止表示させる時間（図柄停止時間）を第２特別図柄プロセスタイマにセットする。そして、内部状態（第２特別図柄プロセスフラグ）をステップＳ３０４Ｂに対応した値（この例では４）に更新する。なお、演出制御用マイクロコンピュータ１００は、遊技制御用マイクロコンピュータ５６０が送信する図柄確定指定コマンドを受信すると、演出表示装置９において演出図柄が停止されるように制御する。
【０１９８】
第２特別図柄停止処理（ステップＳ３０４Ｂ）：第２特別図柄プロセスフラグの値が４であるときに実行される。第２特別図柄変動中処理でセットされた図柄停止時間が経過すると、フラグのセット状況の確認処理を実行する。大当りフラグがセットされ、かつ、小当りフラグがセットされていない場合には、内部状態（第２特別図柄プロセスフラグ）をステップＳ３０５Ｂに対応した値（この例では５）に更新する。小当りフラグがセットされている場合には、内部状態（第２特別図柄プロセスフラグ）をステップＳ３０８Ｂに対応した値（この例では８）に更新する。大当りフラグがセットされていない場合には、内部状態（第２特別図柄プロセスフラグ）をステップＳ３００Ｂに対応した値（この例では０）に更新する。
【０１９９】
第２大入賞口開放前処理（ステップＳ３０５Ｂ）：第２特別図柄プロセスフラグの値が５であるときに実行される。第２大入賞口開放前処理では、大入賞口を開放する制御を行う。具体的には、カウンタ（例えば大入賞口に入った遊技球数をカウントするカウンタ）などを初期化するとともに、ソレノイド２１を駆動して大入賞口を開放状態にする。また、タイマによって大入賞口開放中処理の実行時間を設定し、内部状態（第２特別図柄プロセスフラグ）をステップＳ３０６Ｂに対応した値（この例では６）に更新する。なお、第２大入賞口開放前処理は各ラウンド毎に実行されるが、第１ラウンドを開始する場合には、第２大入賞口開放前処理は大当り遊技を開始する処理でもある。
【０２００】
第２大入賞口開放中処理（ステップＳ３０６Ｂ）：第２特別図柄プロセスフラグの値が６であるときに実行される。大当り遊技状態中のラウンド表示の演出制御コマンドを演出制御用マイクロコンピュータ１００に送信する制御や大入賞口の閉成条件の成立を確認する処理等を行う。大入賞口の閉成条件が成立し、かつ、まだ残りラウンドがある場合には、内部状態（第２特別図柄プロセスフラグ）をステップＳ３０５Ｂに対応した値（この例では５）に更新する。また、全てのラウンドを終えた場合には、内部状態（第２特別図柄プロセスフラグ）をステップＳ３０７Ｂに対応した値（この例では７）に更新する。
【０２０１】
第２大当り終了処理（ステップＳ３０７Ｂ）：第２特別図柄プロセスフラグの値が７であるときに実行される。大当り遊技状態が終了したことを遊技者に報知する表示制御を演出制御用マイクロコンピュータ１００に行わせるための制御を行う。また、遊技状態を示すフラグ（例えば、確変フラグ）をセットする処理を行う。そして、内部状態（第２特別図柄プロセスフラグ）をステップＳ３００Ｂに対応した値（この例では０）に更新する。
【０２０２】
第２小当り開放前処理（ステップＳ３０８Ｂ）：第２特別図柄プロセスフラグの値が８であるときに実行される。第２小当り開放前処理では、大入賞口を開放する制御を行う。具体的には、カウンタ（例えば大入賞口に入った遊技球数をカウントするカウンタ）などを初期化するとともに、ソレノイド２１を駆動して大入賞口を開放状態にする。また、タイマによって大入賞口開放中処理の実行時間を設定し、内部状態（第２特別図柄プロセスフラグ）をステップＳ３０９Ｂに対応した値（この例では９）に更新する。なお、第２小当り開放前処理は各ラウンド毎に実行されるが、第１ラウンドを開始する場合には、第２小当り開放前処理は小当り遊技を開始する処理でもある。
【０２０３】
第２小当り開放中処理（ステップＳ３０９Ｂ）：第２特別図柄プロセスフラグの値が９であるときに実行される。小当り遊技状態中のラウンド表示の演出制御コマンドを演出制御用マイクロコンピュータ１００に送信する制御や大入賞口の閉成条件の成立を確認する処理等を行う。大入賞口の閉成条件が成立し、かつ、まだ残りラウンドがある場合には、内部状態（第２特別図柄プロセスフラグ）をステップＳ３０８Ｂに対応した値（この例では８）に更新する。また、全てのラウンドを終えた場合には、内部状態（第２特別図柄プロセスフラグ）をステップＳ３１０Ｂに対応した値（この例では１０（１０進数））に更新する。
【０２０４】
第２小当り終了処理（ステップＳ３１０Ｂ）：第２特別図柄プロセスフラグの値が１０であるときに実行される。小当り遊技状態が終了したことを遊技者に報知する表示制御を演出制御用マイクロコンピュータ１００に行わせるための制御を行う。そして、内部状態（第２特別図柄プロセスフラグ）をステップＳ３００Ｂに対応した値（この例では０）に更新する。
【０２０５】
図２６は、第２特別図柄プロセス処理における第２特別図柄通常処理（ステップＳ３００Ｂ）を示すフローチャートである。第２特別図柄通常処理において、ＣＰＵ５６は、第１特別図柄が変動中でないこと、大当り遊技中でないこと、および小当り遊技中でないことを条件に（ステップＳ５１Ｂ）、ステップＳ５２Ｂ以降の処理を行う。なお、第２特別図柄が変動中でないこと、大当り遊技中でないこと、および小当り遊技中でないことは、例えば、第１特別図柄プロセスフラグの値によって判定される。ステップＳ５２Ｂでは、第２保留記憶数の値を確認する。具体的には、第２保留記憶数カウンタのカウント値を確認する。第２保留記憶数が０であれば処理を終了する。
【０２０６】
第２保留記憶数が０でなければ、ＣＰＵ５６は、第１保留記憶数の値を確認する（ステップＳ５３Ｂ）。具体的には、第１保留記憶数カウンタのカウント値を確認する。第１保留記憶数が０でなければ、ＣＰＵ５６は、普通電動役物（可変入賞球装置１５）が開状態（開放中）であるか否かを確認する（ステップＳ５４Ｂ）。可変入賞球装置１５が開放中であるかどうかは、例えば、出力ポートバッファ（ソレノイドバッファ）の普通電動役物ソレノイド出力ビットを確認することによって判断される。可変入賞球装置１５が開状態でなければ処理を終了する。
【０２０７】
ＣＰＵ５６は、ＲＡＭ５５の第２保留記憶数バッファにおける第２保留記憶数＝１に対応する保存領域に格納されている各乱数値を読み出してＲＡＭ５５の乱数バッファ領域に格納する（ステップＳ５５Ｂ）。そして、第２保留記憶数の値を１減らし（第２保留記憶数カウンタのカウント値を１減算し）、かつ、各保存領域の内容をシフトする（ステップＳ５６Ｂ）。すなわち、ＲＡＭ５５の第２保留記憶数バッファにおいて第２保留記憶数＝ｎ（ｎ＝２，３，４）に対応する保存領域に格納されている各乱数値を、第２保留記憶数＝ｎ−１に対応する保存領域に格納する。よって、各第２保留記憶数に対応するそれぞれの保存領域に格納されている各乱数値が抽出された順番は、常に、第２保留記憶数＝１，２，３，４の順番と一致するようになっている。
【０２０８】
その後、ＣＰＵ５６は、図１７に示す第１特別図柄通常処理におけるステップＳ６１以降の処理に相当する処理を実行する。なお、第１特別図柄通常処理におけるステップＳ６１以降の処理の説明において、「第１」を「第２」と読み替え、「第２」を「第１」と読み替えれば、第２特別図柄通常処理になる。
【０２０９】
また、第２特別図柄プロセス処理におけるステップＳ３０１Ｂ〜Ｓ３１０Ｂの処理は、第１特別図柄プロセス処理におけるステップＳ３０１Ａ〜Ｓ３１０Ａの処理と同様である。すなわち、第１特別図柄プロセス処理の説明において、「第１」を「第２」と読み替え、「第２」を「第１」と読み替えれば、第２特別図柄プロセス処理が説明されることになる。
【０２１０】
また、ステップＳ５２Ｂ〜Ｓ５４Ｂの処理によって、第２始動入賞口１４への遊技球の入賞に応じて開始される第２特別図柄の変動は、第１保留記憶数が０でない場合には、可変入賞球装置１５が開放していることを条件に開始される。つまり、第１保留記憶数と第２保留記憶数とがともに０でない場合には、可変入賞球装置１５が閉鎖しているときには、第２特別図柄の変動は開始されない。可変入賞球装置１５が閉鎖しているときには、第２始動入賞口１４への入賞に比べて第１始動入賞口１３への遊技球の入賞が生じやすいので、そのような制御によって、第１特別図柄と第２特別図柄とのうち、入賞しやすい始動口への入賞に対応する方の特別図柄の可変表示の開始が優先される。
【０２１１】
次に、遊技制御用マイクロコンピュータ５６０が実行する普通図柄プロセス処理（ステップＳ２８）について説明する。図２７は、普通図柄プロセス処理の一例を示すフローチャートである。普通図柄プロセス処理では、遊技制御用マイクロコンピュータ５６０は、ゲート３２を遊技球が通過してゲートスイッチ３２ａがオン状態となったことを検出すると（ステップＳ１１１Ａ）、ゲートスイッチ通過処理（ステップＳ１１２Ａ）を実行する。そして、遊技制御用マイクロコンピュータ５６０は、普通図柄プロセスフラグの値に応じてステップＳ１００Ａ〜Ｓ１０３Ａに示された処理のうちのいずれかの処理を実行する。
【０２１２】
ゲートスイッチ通過処理（ステップＳ１１２Ａ）：遊技制御用マイクロコンピュータ５６０は、ゲート通過記憶カウンタのカウント値（ゲート通過記憶数）が最大値（この例では「４」）に達しているか否か確認する。最大値に達していなければ、ゲート通過記憶カウンタのカウント値を＋１する。なお、ゲート通過記憶カウンタの値に応じて普通図柄保留記憶表示器４１のＬＥＤが点灯される。そして、遊技制御用マイクロコンピュータ５６０は、普通図柄当り判定用乱数（ランダム４）の値を抽出し、ゲート通過記憶数の値に対応した保存領域（普通図柄判定用バッファ）に格納する処理を行う。
【０２１３】
普通図柄通常処理（ステップＳ１００Ａ）：遊技制御用マイクロコンピュータ５６０は、普通図柄の変動を開始することができる状態（例えば普通図柄プロセスフラグの値がステップＳ１００を示す値となっている場合、具体的には、普通図柄表示器１０において普通図柄の変動表示が行われていない状態であって、かつ、普通図柄表示器１０に当たり図柄が導出表示されたことにもとづく可変入賞球装置１５の開閉動作中でもない場合）には、ゲート通過記憶数の値を確認する。具体的には、ゲート通過記憶数カウンタのカウント値を確認する。ゲート通過記憶数が０でなければ、当りとするか否か（普通図柄の停止図柄を当り図柄とするか否か）を決定する。そして、普通図柄プロセスタイマに普通図柄の変動時間をセットし、タイマをスタートさせる。そして、普通図柄プロセスフラグの値を普通図柄変動処理（ステップＳ１０１Ａ）を示す値（具体的には「１」）に更新する。
【０２１４】
普通図柄変動処理（ステップＳ１０１Ａ）：遊技制御用マイクロコンピュータ５６０は、普通図柄プロセスタイマがタイムアウトしたか否か確認し、タイムアウトしていたら、普通図柄表示器１０における普通図柄の変動を停止し、普通図柄プロセスタイマに普通図柄停止図柄表示時間をセットし、タイマをスタートさせる。そして、普通図柄プロセスフラグの値を普通図柄停止処理（ステップＳ１０２Ａ）を示す値（具体的には「２」）に更新する。
【０２１５】
普通図柄停止処理（ステップＳ１０２Ａ）：遊技制御用マイクロコンピュータ５６０は、普通図柄プロセスタイマがタイムアウトしたか否かを確認し、タイムアウトしていたら、普通図柄の停止図柄が当り図柄であるかどうかを確認する。当り図柄でなければ（はずれ図柄であれば）、普通図柄プロセスフラグの値を普通図柄通常処理（ステップＳ１００Ａ）を示す値（具体的には「０」）に更新する。普通図柄の停止図柄が当り図柄であれば、普通図柄プロセスフラグの値を普通電動開放前処理（ステップＳ１０３Ａ）を示す値（具体的には「３」）に更新する。
【０２１６】
普通図柄開放前処理（ステップＳ１０３Ａ）：遊技制御用マイクロコンピュータ５６０は、第１回目の開放前であれば、開放回数カウンタに開放回数をセットし、ソレノイド１６を駆動して普通電動役物（可変入賞球装置１５）を開放する。そして、普通図柄プロセスフラグの値を普通電動開放中処理（ステップＳ１０４Ａ）を示す値（具体的には「４」）に更新する。第１回目の開放前でなければ、すなわち２回目以降の開放後であれば、閉鎖時間を計測し、閉鎖時間が経過したら、普通図柄プロセスフラグの値を普通電動開放中処理（ステップＳ１０４Ａ）を示す値（具体的には「４」）に更新する。
【０２１７】
普通電動役物開放中処理（ステップＳ１０４Ａ）：遊技制御用マイクロコンピュータ５６０は、開放時間を計測し、開放時間が経過したら、ソレノイド１６の駆動を停止させて普通電動役物を閉鎖する。最後の開放が終了した場合には、普通図柄プロセスフラグの値を普通図柄通常処理（ステップＳ１００Ａ）を示す値（具体的には「０」）に更新する。最後の開放が終了した場合でなければ、普通図柄プロセスフラグの値を普通電動開放前処理（ステップＳ１０３Ａ）を示す値（具体的には「３」）に更新する。
【０２１８】
図２８は、普通図柄通常処理（ステップＳ１００Ａ）を示すフローチャートである。普通図柄通常処理において、遊技制御用マイクロコンピュータ５６０は、ゲート通過記憶数カウンタのカウント値を確認することにより、ゲート通過記憶数が０であるか否かを確認する（ステップＳ７２１）。ゲート通過記憶数が０であれば（ステップＳ７２１のＹ）、そのまま処理を終了する。ゲート通過記憶数が０でなければ（ステップＳ７２１のＮ）、遊技制御用マイクロコンピュータ５６０は、ゲート通過記憶数＝１に対応する保存領域に格納されている普通図柄当り判定用乱数値を読み出してＲＡＭ５５の乱数バッファ領域に格納する（ステップＳ７２２）。そして、遊技制御用マイクロコンピュータ５６０は、ゲート通過記憶数カウンタの値を１減らし、かつ、各保存領域の内容をシフトする（ステップＳ７２３）。すなわち、ゲート通過記憶数＝ｎ（ｎ＝２，３，４）に対応する保存領域に格納されている普通図柄当り判定用乱数値を、ゲート通過記憶数＝ｎ−１に対応する保存領域に格納する。よって、各ゲート通過記憶数に対応するそれぞれの保存領域に格納されている普通図柄当り判定用乱数値が抽出された順番は、常に、ゲート通過記憶数＝１，２，３，４の順番と一致するようになっている。
【０２１９】
次いで、遊技制御用マイクロコンピュータ５６０は、乱数格納バッファから普通図柄当り判定用乱数を読み出し（ステップＳ７２４）、読み出した乱数値にもとづいて当りとするかはずれとするかを決定する（ステップＳ７２５）。具体的には、普通図柄当り判定用乱数の値が当り判定値と一致するか否かが判定され、一致する当り判定値があれば当りと決定される。例えば、確変状態では、当り判定値を１〜１０のいずれかとし、通常時（確変時以外の状態）のときには、当り判定値を３または７としている。普通図柄当り判定用乱数が０〜１０の数値範囲で更新されるとすると、確変時の当選確率は１０／１１になり、通常時の当選確率は２／１１となる。このように、確変時は高確率で当りになり、通常状態のときは低確率で当りになる。
【０２２０】
次いで、遊技制御用マイクロコンピュータ５６０は、普通図柄プロセスタイマに普通図柄変動時間をセットし（ステップＳ７２６）、普通図柄表示器１０における普通図柄の変動を開始させる（ステップＳ７２７）。なお、この実施の形態では、図３１（Ａ）の説明図および図３１（Ｂ）のタイミング図に示すように、通常時の普通図柄の変動時間は３０．０秒であり、確変時の普通図柄の変動時間は１．０秒である。そして、遊技制御用マイクロコンピュータ５６０は、普通図柄プロセスフラグの値を普通図柄変動処理（ステップＳ１０１Ａ）を示す値（具体的には「１」）に更新する（ステップＳ１２８）。
【０２２１】
図２９は、普通図柄変動処理（ステップＳ１０１Ａ）を示すフローチャートである。普通図柄変動処理において、遊技制御用マイクロコンピュータ５６０は、普通図柄プロセスタイマの値が０になったかどうか、すなわち、普通図柄プロセスタイマがタイムアップしたかどうかを確認する（ステップＳ７３１）。普通図柄プロセスタイマがタイムアップしていなければ（ステップＳ７３１のＮ）、遊技制御用マイクロコンピュータ５６０は、普通図柄プロセスタイマの値を−１する（ステップＳ７３５）。
【０２２２】
普通図柄プロセスタイマがタイムアップしたとき、すなわち、普通図柄の変動時間が経過したときは（ステップＳ７３１のＹ）、遊技制御用マイクロコンピュータ５６０は、普通図柄表示器１０における普通図柄の変動を停止させる（ステップＳ７３２）。そして、遊技制御用マイクロコンピュータ５６０は、普通図柄プロセスタイマに普通図柄停止図柄表示時間をセットする（ステップＳ７３３）。そして、遊技制御用マイクロコンピュータ５６０は、普通図柄プロセスフラグの値を普通図柄停止処理（ステップＳ７０２）を示す値（具体的には「２」）に更新する（ステップＳ７３４）。
【０２２３】
図３０は、普通図柄停止処理（ステップＳ１０２Ａ）を示すフローチャートである。普通図柄停止処理において、遊技制御用マイクロコンピュータ５６０は、普通図柄プロセスタイマの値が０になったかどうか、すなわち、普通図柄プロセスタイマがタイムアップしたかどうかを確認する（ステップＳ７４１）。普通図柄プロセスタイマがタイムアップしていなければ（ステップＳ７４１のＮ）、遊技制御用マイクロコンピュータ５６０は、普通図柄プロセスタイマの値を−１する（ステップＳ７４２）。
【０２２４】
普通図柄プロセスタイマがタイムアップしたとき、すなわち、普通図柄停止図柄表示時間が経過したときは（ステップＳ７４１のＹ）、遊技制御用マイクロコンピュータ５６０は、普通図柄の停止図柄が当り図柄であるかどうか（ステップＳ７２５にて当りと判定されたかどうか）を確認する（ステップＳ７４３）。なお、普通図柄の停止図柄が当り図柄かどうかは、例えば、ステップＳ７２５にて当りと判定されたときに普通図柄当り判定フラグをセットすることとして、そのフラグがセットされているかどうかによって確認することができる。
【０２２５】
普通図柄の停止図柄が当り図柄であるときは（ステップＳ７４３のＹ）、遊技制御用マイクロコンピュータ５６０は、遊技状態が確変状態であるか通常状態であるかを確認する（ステップＳ７４４）。確変状態であるか通常状態であるかは、確変フラグがセットされているかどうかによって確認することができる。確変フラグがセットされているときは確変状態であると判断し、確変フラグがセットされていないときは通常状態であると判断することができる。なお、確変状態のときに、確変状態であることを示す確変状態フラグをセットし、そのフラグがセットされているかどうかによって、確変状態であるか通常状態であるかを判断するようにしてもよい。
【０２２６】
確変状態であるときは、遊技制御用マイクロコンピュータ５６０は、普通電動役物の開放パターンとして図３１（Ａ）の下段に示す値が設定されている確変時テーブルに設定されている開放パターンを選択する（ステップＳ７４５）。通常状態であるときは、遊技制御用マイクロコンピュータ５６０は、普通電動役物の開放パターンとして図３１（Ａ）の上段に示す値が設定されている通常時テーブルに設定されている開放パターンを選択する（ステップＳ７４６）。図３１に示す例では、通常時テーブルには、開放時間が０．３秒（０．３ｓ）で、閉鎖時間が１．０秒（１．０ｓ）で、開放回数が２回の開放パターンのデータが設定されている。また、確変時テーブルには、開放時間が１．２秒（１．２ｓ）で、閉鎖時間が１．５秒（１．５ｓ）で、開放回数が３回の開放パターンのデータが設定されている。すなわち、開放時間よりも閉鎖時間の方が長く設定されている。この実施の形態では、可変入賞球装置１５を開状態にした後閉状態にする開閉動作（２回または３回の開放状態と開放状態の間での閉鎖状態とを繰り返す動作）における閉鎖状態（閉状態）の時間は、２つの開放状態（開状態）の時間の間であるが、開放状態である時間よりも長い。
【０２２７】
なお、確変時に比べて、通常時の方が、開状態である時間（開時間）に対する閉状態である時間（閉時間）の比率が高い。また、通常時と確変時とで、閉時間と開時間のいずれかが同じであってもよい。また、通常時と確変時とで、閉時間と開時間との和の時間は同じであってもよい。さらに、開閉動作における開放回数が複数である場合（この実施の形態でも複数）、１回目の開放時間と２回目の開放時間とが異なっていてもよい。
【０２２８】
そして、遊技制御用マイクロコンピュータ５６０は、第１回開放前フラグをセットする（ステップＳ７４７）。また、ステップＳ７４５またはＳ７４６の処理で選択した開放パターンを開放パターンバッファにセットする（ステップＳ７４８）。その後、普通図柄プロセスフラグの値を普通電動役物開放前処理（ステップＳ１０３Ａ）を示す値（具体的には「３」）に更新する（ステップＳ７４９）。
【０２２９】
ステップＳ７４３の処理において、普通図柄の停止図柄が当り図柄でなく、はずれ図柄であると判定されたときは、遊技制御用マイクロコンピュータ５６０は、普通図柄プロセスフラグの値を普通図柄通常処理（ステップＳ１００Ａ）を示す値（具体的には「０」）に更新する（ステップＳ７５０）。
【０２３０】
図３２は、普通電動役物開放前処理（ステップＳ１０３Ａ）を示すフローチャートである。普通電動役物開放前処理において、遊技制御用マイクロコンピュータ５６０は、第１回開放前フラグがセットされているか否か確認する（ステップＳ７６１）。第１回開放前フラグがセットされている場合には、第１回開放前フラグをリセットし（ステップＳ７６２）、開放パターンバッファにセットされている開放回数を開放回数カウンタにセットする（ステップＳ７６３）。また、開放パターンバッファにセットされている開放時間に相当する値を普通電役タイマにセットする（ステップＳ７６４）。さらに、ソレノイド１６を駆動して可変入賞球装置１５を開放し（ステップＳ７６５）、普通図柄プロセスフラグの値を普通電動開放中処理（ステップＳ１０４Ａ）を示す値（具体的には「４」）に更新する（ステップＳ７５０）。
【０２３１】
ステップＳ７６１の処理で第１回開放前フラグがセットされていないことを確認した場合には、普通電役タイマの値を１減算する（ステップＳ７６７）。そして、普通電役タイマの値が０になった場合には、すなわち普通電役タイマがタイムアウトしたらステップＳ７６４に移行する（ステップＳ７６８）。なお、ステップＳ７６７，Ｓ７６８の処理は、第１回目以降の開放が終了した後の閉鎖時間を計測するための処理である。
【０２３２】
図３３は、普通電動役物開放中処理（ステップＳ１０４Ａ）を示すフローチャートである。普通電動役物開放中処理において、遊技制御用マイクロコンピュータ５６０は、普通電役タイマの値を１減算する（ステップＳ７７１）。そして、普通電役タイマの値が０になった場合には、すなわち普通電役タイマがタイムアウトしたら（ステップＳ７７２）、ソレノイド１６の駆動を停止して普通電動役物（可変入賞球装置１５）を閉鎖する（ステップＳ７７３）。
【０２３３】
また、開放回数カウンタの値を−１し（ステップＳ７７４）、開放回数カウンタの値が０になっていなければ、開放パターンバッファにセットされている閉鎖時間に相当する値を普通電役タイマにセットする（ステップＳ７７６）。その後、普通図柄プロセスフラグの値を普通電動開放前処理（ステップＳ１０３Ａ）を示す値（具体的には「３」）を示す値に更新する（ステップＳ７７７）。
【０２３４】
遊技制御用マイクロコンピュータ５６０は、ステップＳ７７５の処理で開放回数カウンタの値が０になっていることを確認したら、遅延用タイマをセットし（ステップＳ７７８）、普通図柄プロセスフラグの値を普通図柄通常処理（ステップＳ１００Ａ）を示す値（具体的には「０」）を示す値に更新する（ステップＳ７７９）。ステップＳ７７８の処理については後述する。
【０２３５】
以上の処理によって、通常時の開放パターンと確変時の開放パターンとが実現される。
【０２３６】
図３４は、遊技制御用マイクロコンピュータにおける遊技球を検出するスイッチに関わる入力ポートのビット割り当ての例を示す説明図である。図３４に示すように、入力ポート０のビット０〜７には、それぞれ、カウントスイッチ２３、ゲートスイッチ３２ａ、入賞口スイッチ３３ａ，３９ａ，２９ａ，３０ａ、第１始動口スイッチ１３ａ、および第２始動口スイッチ１４ａの検出信号が入力される。なお、入力ポート０は、図２に示されたＩ／Ｏポート部５７の一部である。
【０２３７】
次に、主基板３１と払出制御基板３７との間で送受信される払出制御コマンド（払出制御信号）について説明する。図３５は、遊技制御用マイクロコンピュータ５６０から払出制御用マイクロコンピュータに対して出力される払出制御信号の内容の一例を示す説明図である。
【０２３８】
賞球ＲＥＱ信号は、賞球個数コマンドの送信時に出力状態（＝オン状態）になる信号（すなわち賞球払出要求のトリガ信号）である。賞球個数信号は、払出要求を行う遊技球の個数（０〜１５個）を指定するために出力される信号（賞球個数コマンド）である。
【０２３９】
図３６は、図３５に示す各制御信号の送受信に用いられる信号線等を示すブロック図である。図３６に示すように、賞球ＲＥＱ信号および４ビットの賞球個数信号は、遊技制御用マイクロコンピュータ５６０によって出力回路６７を介して出力され、入力回路３７３Ａを介して払出制御用マイクロコンピュータ３７０に入力される。出力回路６７は、主基板３１において、図２に示されたＩ／Ｏポート部５７の外側に設置されている（図２では図示せず）。また、払出制御基板３７において、払出制御用マイクロコンピュータにおける入力ポートの前段に出力回路６７が設置されている。
【０２４０】
図３７は、払出制御信号の出力の仕方の一例を示すタイミング図である。図３７に示すように、入賞検出スイッチ（カウントスイッチ２３、入賞口スイッチ３３ａ，３９ａ，２９ａ，３０ａ、第１始動口スイッチ１３ａ、および第２始動口スイッチ１４ａ）が遊技球の入賞を検出したことにもとづいて、遊技制御用マイクロコンピュータ５６０は、賞球ＲＥＱ信号をオン状態にするとともに、賞球個数信号の出力状態を、入賞に応じて払い出される賞球数に応じた状態にする。なお、具体的には、遊技制御用マイクロコンピュータ５６０は、遊技球が遊技機に設けられている入賞領域に入賞したことが入賞検出スイッチの検出信号によって検知すると、あらかじめ決められた賞球数をバックアップＲＡＭに形成されている総賞球数格納バッファの内容に加算する。そして、総賞球数格納バッファの内容が０でない値になったら、賞球ＲＥＱ信号をオン状態にするとともに、賞球個数信号の出力状態を、入賞に応じて払い出される賞球数に応じた状態にする。
【０２４１】
また、この実施の形態では、第１始動口スイッチ１３ａおよび第２始動口スイッチ１４ａで遊技球が検出されると４個の賞球払出を行い、入賞口スイッチ３３ａ，３９ａ，２９ａ，３０ａのいずれかで遊技球が検出されると７個の賞球払出を行い、カウントスイッチ２３で遊技球が検出されると１５個の賞球払出を行う。また、上述したように、賞球個数信号は４ビットで構成されているので、８ビットで表現されている００（Ｈ）〜０Ｆ（Ｈ）の賞球個数信号のうち、下位の４ビットが賞球個数信号によって主基板３１から払出制御基板３７に伝達される。以下、「００（Ｈ）〜０Ｆ（Ｈ）の賞球個数信号」のように表現することがあるが、実際には、賞球個数信号は、８ビットで表現されている００（Ｈ）〜０Ｆ（Ｈ）のうちの下位の４ビットに相当する。
【０２４２】
また、この実施の形態では、賞球個数信号は、主基板３１から払出制御基板３７に向かう方にしか信号が伝達されない単方向通信によって賞球個数信号が送信されるが、双方向通信によって、主基板３１から払出制御基板３７に賞球個数信号が送信されるようにしてもよい。双方向通信を行う場合に、払出制御用マイクロコンピュータは、例えば、賞球ＲＥＱ信号の受信に応じてＡＣＫ信号（応答信号）を遊技制御用マイクロコンピュータ５６０に送信したり、賞球個数信号を受信したことを示すＡＣＫ信号を遊技制御用マイクロコンピュータ５６０に送信する。
【０２４３】
次に、メイン処理におけるスイッチ処理（ステップＳ２１）を説明する。この実施の形態では、入賞検出またはゲート通過に関わる各スイッチの検出信号のオン状態が所定時間継続すると、確かにスイッチがオンしたと判定される。具体的には、スイッチ処理は２ｍｓ毎に起動されるのであるが、現時点において起動されたスイッチ処理と２ｍｓ前に起動されたスイッチ処理との双方において、スイッチのオンを検出すると、確かにスイッチがオンしたと判定される。
【０２４４】
図３８は、スイッチ処理で使用されるＲＡＭ５５に形成される各１バイトのバッファを示す説明図である。前々回ポートバッファは、前々回（４ｍｓ前とする。）のスイッチオン／オフの判定結果が格納されるバッファである。前回ポートバッファは、前回（２ｍｓ前とする。）のスイッチオン／オフの判定結果が格納されるバッファである。スイッチオンバッファは、上述したように、スイッチのオンが検出された場合にそのスイッチの対応ビットにおいて１が設定され、スイッチのオフが検出された場合にそのスイッチの対応ビットにおいて０が設定されるバッファである。また、前回データは、スイッチ処理の実行時に一時的に用いられるバッファ領域である。前々回ポートバッファ、前回ポートバッファ、スイッチオンバッファおよび前回データは、ＲＡＭ５５に形成されている。また、前々回ポートバッファ、前回ポートバッファおよびスイッチオンバッファのビット配列は、入力ポート０のビット配列に対応している。つまり、図３４に示すビット０〜７に割り当てられているスイッチの検出信号のそれぞれに対応する情報が、前々回ポートバッファ、前回ポートバッファおよびスイッチオンバッファのビット０〜７に設定される。
【０２４５】
図３９は、遊技制御処理におけるステップＳ２１のスイッチ処理の処理例を示すフローチャートである。スイッチ処理において、遊技制御用マイクロコンピュータ５６０は、前回ポートバッファの内容を、前回データに設定する（ステップＳ３３１）。また、前々回ポートバッファの内容と前回データとの排他的論理和をとる（ステップＳ３３２）。そして、排他的論理和演算の結果を前回データに設定する（ステップＳ３３３）。この段階で、前回データにおいて、前々回ポートバッファの８ビットと前回ポートバッファの８ビットとのうちで、値が異なるビットが「１」になっている。また、前回ポートバッファの内容を前々回ポートバッファに設定する（ステップＳ３３４）。
【０２４６】
そして、入力ポート０のデータを入力し（ステップＳ３３５）、入力したデータを前回ポートバッファに設定する（ステップＳ３３６）。ステップＳ３３４，Ｓ３３６の処理は、次回（２ｍｓ後）にスイッチ処理が実行されるときの準備処理に相当する。
【０２４７】
次いで、遊技制御用マイクロコンピュータ５６０は、入力ポート０から入力したデータと前回データの論理積をとる（ステップＳ３３７）。この段階で、前回データにおいて、前々回ポートバッファの８ビットと前回ポートバッファの８ビットとのうちで値が異なるビットが「１」になっている。つまり、７つのスイッチの検出信号のうちで、２ｍｓ前の状態が４ｍｓ前の状態から変化した（「０」から「１」に、または「１」から「０」に）検出信号に対応するビットが「１」になっている。よって、ステップＳ３３７で前回データと入力ポート０から入力したデータとの論理積をとると、入力ポート０から入力したデータのうちで「１」になっているビットであって、かつ、２ｍｓ前の状態が４ｍｓ前の状態から変化したビットが、「１」になる。すなわち、論理積演算の結果、現時点の状態がオン状態であって、かつ、前回（２ｍｓ前）のスイッチ処理時にオフ状態からオン状態に変化したことが検出された検出信号に対応したビットが「１」になる。換言すれば、オフ状態からオン状態に変化し、その後、２回連続してオン状態が検出された検出信号に対応するビットが「１」になっている。なお、「２回連続して」とは、「ある時点で実行されたスイッチ処理と、そのスイッチ処理の２ｍｓ後に実行されるスイッチ処理との双方で」という意味である。
【０２４８】
遊技制御用マイクロコンピュータ５６０は、論理積演算の結果をスイッチオンバッファに格納する（ステップＳ３３８）。スイッチオンバッファにおいて、オフ状態からオン状態に変化した後、２回連続してオン状態が検出された検出信号に対応するビットが「１」になっている。よって、遊技制御用マイクロコンピュータ５６０は、スイッチオンバッファにおいて「１」になっているビットに対応するスイッチの検出信号が確実にオン状態になったと確認できる。なお、「確実に」とは、２回連続してオン状態が検出されたので、すなわち４ｍｓ間オン状態が継続していると見なせるので、検出信号のオン状態がノイズ等によるものではないと判断できるということである。
【０２４９】
図４０は、ステップＳ３１の賞球処理の一例を示すフローチャートである。賞球処理において、遊技制御用マイクロコンピュータ５６０は、賞球個数加算処理（ステップＳ３４１）と賞球制御処理（ステップＳ３４２）とを実行する。
【０２５０】
賞球個数加算処理では、図４１に示す賞球個数テーブルが使用される。賞球個数テーブルは、ＲＯＭ５４に設定されている。賞球個数テーブルの先頭アドレスには処理数（この例では「７」）が設定され、その次のアドレスから、入賞により賞球を払い出すことになる入賞口の各スイッチについてのスイッチ入力ビット判定値、および賞球数が、入賞口の各スイッチのそれぞれに対応して順次設定されている。なお、スイッチ入力ビット判定値は、入力ポート０における各スイッチの検出信号が入力されるビットに対応した値である（図３４参照）。
【０２５１】
図４２は、ステップＳ３４１の賞球個数加算処理を示すフローチャートである。賞球個数加算処理において、遊技制御用マイクロコンピュータ５６０は、賞球個数テーブルの先頭アドレスをポインタにセットする（ステップＳ３５１）。そして、ポインタが指すアドレスのデータ（この場合には処理数）をロードする（ステップＳ３５２）。次に、スイッチオンバッファをレジスタにロードする（ステップＳ３５３）。
【０２５２】
そして、ポインタの値を１増やし（ステップＳ３５４）、スイッチオンバッファの内容と、ポインタが指す賞球個数テーブルのデータ（この場合にはスイッチ入力ビット判定値）との論理積をとる（ステップＳ３５５）。また、ポインタの値を１増やす（ステップＳ３５６）。
【０２５３】
ステップＳ３５５における演算結果が０でなければ（ステップＳ３６１のＮ）、すなわち、検査対象のスイッチの検出信号がオン状態であれば、ステップＳ３６２Ａに移行する。ステップＳ３５５における演算結果が０であれば（ステップＳ３６１のＹ）、すなわち、検査対象のスイッチの検出信号がオン状態でなければ、処理数を１減らし（ステップＳ３５９）、処理数が０であれば処理を終了し、処理数が０でなければステップＳ３５４に戻る（ステップＳ３６０）。
【０２５４】
ステップＳ３６２Ａでは、遊技制御用マイクロコンピュータ５６０は、ステップＳ３５５の処理で使用されたスイッチ入力ビット判定値がカウントスイッチ入力ビット判定値であったか否か確認する。すなわち、ステップＳ３６１でカウントスイッチ２３がオンしたことが確認されたか否か（検査対象のスイッチがカウントスイッチ２３であったか否か）確認する。
【０２５５】
スイッチ入力ビット判定値がカウントスイッチ入力ビット判定値であった場合には（ステップＳ３６２ＡのＹ）、遊技制御用マイクロコンピュータ５６０は、特別図柄プロセスフラグ（第１特別図柄プロセスフラグまたは第２特別図柄プロセスフラグ）の値が４以上であるか否か確認する（ステップＳ３６２Ｂ）。特別図柄プロセスフラグ（第１特別図柄プロセスフラグまたは第２特別図柄プロセスフラグ）の値が４以上であるということは、第１特別図柄プロセス処理または第２特別図柄プロセス処理において、ステップＳ３０５ＡまたはＳ３０５Ｂの大入賞口開放前処理以後の処理が実行されていることを意味する。すなわち、大当り遊技中または小当り遊技中であることを意味する。なお、ここでは、大当り遊技中は、大当り表示が開始されてから大当り終了処理が終了するまでの期間とする。また、小当り遊技中は、小当り表示が開始されてから小当り終了処理が終了するまでの期間とする。つまり、特別図柄プロセスフラグ（第１特別図柄プロセスフラグまたは第２特別図柄プロセスフラグ）の値が４以上であるということは、遊技制御が正常に実行されている場合において、大入賞口が開放される制御がなされる可能性がある状態であることを示す。
【０２５６】
特別図柄プロセスフラグ（第１特別図柄プロセスフラグまたは第２特別図柄プロセスフラグ）の値が５以上である場合には（ステップＳ３６２ＢのＹ）、遊技制御用マイクロコンピュータ５６０は、ポインタが指す賞球個数テーブルのデータ（この場合には賞球個数）を賞球加算値に設定し（ステップＳ３６４）、賞球加算値を、ＲＡＭ５５に形成されている１６ビットの総賞球数格納バッファの内容に加算する（ステップＳ３６５）。加算の結果、桁上げが発生した場合には、総賞球数格納バッファの内容を６５５３５（＝ＦＦＦＦ（Ｈ））に設定する（ステップＳ３５７，Ｓ３５８）。そして、ステップＳ３５９の処理に移行する。
【０２５７】
特別図柄プロセスフラグ（第１特別図柄プロセスフラグおよび第２特別図柄プロセスフラグ）の値が５未満である状態は、大当り遊技および小当り遊技は実行されず、大入賞口を開放する制御は実行されない状態である。そのような状態においてカウントスイッチ２３がオンしたことが検出されたということは、大入賞口に異常入賞が生じたこと、またはカウントスイッチ２３からの検出信号に長期間（４ｍｓを越える）に亘るノイズが乗ったことを意味する。そこで、特別図柄プロセスフラグ（第１特別図柄プロセスフラグおよび第２特別図柄プロセスフラグ）の値が５未満である状態でカウントスイッチ２３がオンしたことが検出された場合には（ステップＳ３６２ＢのＮ）、総賞球数格納バッファに賞球加算値を加算する制御を実行しないようにする。すなわち、カウントスイッチ２３がオンしたことにもとづく賞球払出を実行しないようにする（ステップＳ３６４，Ｓ３６５の処理をスキップする）。そして、ステップＳ３５９の処理に移行する。
【０２５８】
スイッチ入力ビット判定値がカウントスイッチ入力ビット判定値でない場合は（ステップＳ３６２ＡのＮ）、遊技制御用マイクロコンピュータ５６０は、ステップＳ３５５の処理で使用されたスイッチ入力ビット判定値が第２始動口スイッチ入力ビット判定値であったか否か確認する（ステップＳ３６３Ａ）。すなわち、ステップＳ３６１で第２始動口スイッチ１４ａがオンしたことが確認されたか否か（検査対象のスイッチが第２始動口スイッチ１４ａであったか否か）確認する。
【０２５９】
スイッチ入力ビット判定値が第２始動口スイッチ入力ビット判定値であった場合には（ステップＳ３６３ＡのＹ）、遊技制御用マイクロコンピュータ５６０は、普通図柄プロセスフラグの値が３以上であるか否か確認する（ステップＳ３６３Ｂ）。普通図柄プロセスフラグの値が３以上であるということは、普通図柄プロセス処理において、ステップＳ１０３Ａの普通電動役物開放前処理またはステップＳ１０４Ａの普通電動役物開放中処理が実行されていることを意味する。すなわち、普通電動役物（可変入賞球装置１５）の開閉動作中であることを意味する。
【０２６０】
スイッチ入力ビット判定値が第２始動口スイッチ入力ビット判定値でなかった場合（ステップＳ３６３ＡのＮ）、および普通図柄プロセスフラグの値が３以上である場合（ステップＳ３６３ＢのＹ）には、遊技制御用マイクロコンピュータ５６０は、ポインタが指す賞球個数テーブルのデータ（この場合には賞球個数）を賞球加算値に設定し（ステップＳ３６４）、賞球加算値を、ＲＡＭ５５に形成されている１６ビットの総賞球数格納バッファの内容に加算する（ステップＳ３６５）。加算の結果、桁上げが発生した場合には、総賞球数格納バッファの内容を６５５３５（＝ＦＦＦＦ（Ｈ））に設定する（ステップＳ３５７，Ｓ３５８）。そして、ステップＳ３５９の処理に移行する。
【０２６１】
普通図柄プロセスフラグの値が３以上でない状態は、可変入賞球装置１５が開放していない状態である。そのような状態において第２始動口スイッチ１４ａがオンしたことが検出されたということは、第２始動入賞口１４に異常入賞が生じたこと、または第２始動口スイッチ１４ａからの検出信号に長期間（４ｍｓを越える）に亘るノイズが乗ったことを意味する。そこで、普通図柄プロセスフラグの値が３未満である状態で第２始動口スイッチ１４ａがオンしたことが検出された場合には（ステップＳ３６３ＢのＮ）、総賞球数格納バッファに賞球加算値を加算する制御を実行しないようにする。すなわち、第２始動口スイッチ１４ａがオンしたことにもとづく賞球払出を実行しないようにする（ステップＳ３６４，Ｓ３６５の処理をスキップする）。そして、ステップＳ３５９の処理に移行する。
【０２６２】
なお、上記の処理では、遊技制御用マイクロコンピュータ５６０が、特別図柄プロセスフラグ（第１特別図柄プロセスフラグおよび第２特別図柄プロセスフラグ）の値にもとづいて大入賞口への異常入賞が生じたか否か判定するようにしたが、実際に大入賞口を開放していないときにカウントスイッチ２３がオンしたことが検出された場合に、カウントスイッチ２３がオンしたことにもとづく賞球払出を実行しないようにしてもよい。しかし、この実施の形態のように、第１特別図柄プロセスフラグおよび第２特別図柄プロセスフラグの値にもとづいて異常入賞が生じたか否か判定するように構成する場合には、１つのデータにもとづいて異常入賞が生じたか否か判定できるので、判定処理が簡素化される。大入賞口は複数ラウンドに亘って開放されたり閉鎖されたりされるので、実際に大入賞口を開放する制御を行っているのかいないのか判断して異常入賞が生じたか否か判定すると、処理が複雑化する。
【０２６３】
また、大入賞口の入口からカウントスイッチ２３の設置位置までの間にはある程度の距離があるので、実際に大入賞口を開放する制御を行っているのかいないのか判断して異常入賞が生じたか否か判定する場合には、大入賞口を閉鎖する制御を行ってから、閉鎖直前に大入賞口に入賞した可能性がある遊技球を考慮する必要がある。すなわち、大入賞口の入口からカウントスイッチ２３の設置位置までの間を遊技球が流れる時間を考慮しなければならない。つまり、実際に大入賞口を閉鎖する制御を行ってからある程度の期間をおいてから、異常入賞が生じたか否かの判定を開始する必要がある。そのことからも、処理が複雑化する。
【０２６４】
しかし、この実施の形態のように、大当り終了処理または小当り終了処理が終了してから、大入賞口への異常入賞が生じたか否か判定するように構成されている場合には、大入賞口の入口からカウントスイッチ２３の設置位置までの間を遊技球が流れる時間を考慮する必要はない。大入賞口が閉鎖されてから、大当り終了処理または小当り終了処理の処理期間中に、閉鎖直前に大入賞口に入賞した遊技球はカウントスイッチ２３の設置位置まで到達しているからである。なお、この実施の形態では、大当り終了処理または小当り終了処理の処理期間、すなわち演出表示装置９において大当り終了表示または小当り終了表示がなされている期間は、大入賞口に入賞した遊技球がカウントスイッチ２３の設置位置に到達するまでの時間よりも長く設定されている。
【０２６５】
また、遊技制御用マイクロコンピュータ５６０が、普通図柄プロセスフラグの値にもとづいて第２始動入賞口１４への異常入賞が生じたか否か判定するようにしたが（ステップＳ３６３Ｂ参照）、実際に可変入賞球装置１５を開放していないとき（すなわち、図３３に示す普通電動役物開放中処理において遊技状態に応じた開放パターンにもとづいて可変入賞球装置１５が開閉動作を繰り返すときの可変入賞球装置１５が閉鎖状態のとき）に第２始動口スイッチ１４ａがオンしたことが検出された場合に、第２始動口スイッチ１４ａがオンしたことにもとづく賞球払出を実行しないようにしてもよい。しかし、この実施の形態のように、普通図柄プロセスフラグの値にもとづいて異常入賞が生じたか否か判定するように構成する場合には、１つのデータにもとづいて異常入賞が生じたか否か判定できるので、判定処理が簡素化される。例えば、確変状態のときのように可変入賞球装置１５が複数回（この実施の形態では２回または３回）に亘って開放されたり閉鎖されたりする場合には、実際に可変入賞球装置１５を開放する制御を行っているのかいないのか判断して異常入賞が生じたか否か判定すると、処理が複雑化するが、普通図柄プロセスフラグにより判定することで処理を簡素化することができる。
【０２６６】
また、第２始動入賞口１４の入口から第２始動口スイッチ１４ａの設置位置までの間にはある程度の距離があるので、実際に可変入賞球装置１５を開放する制御を行っているのかいないのか判断して異常入賞が生じたか否か判定する場合には、可変入賞球装置１５を閉鎖する制御を行ってから、閉鎖直前に第２始動入賞口１４に入賞した可能性がある遊技球を考慮する必要がある。すなわち、第２始動入賞口１４の入口から第２始動口スイッチ１４ａの設置位置までの間を遊技球が流れる時間を考慮しなければならない。そこで、異常入賞を判定するタイミングを可変入賞球装置１５を閉鎖するタイミングよりも遅らせることが好ましい。
【０２６７】
例えば、普通電動役物開放中処理において、可変入賞球装置１５が最後に閉鎖してから、第２始動入賞口１４に入賞した遊技球が第２始動口スイッ１４ａの設置位置に到達するまでの時間よりも長い遅延処理（ソフトウェアによってディレイ時間を作成）を行う。その後、普通図柄プロセスフラグの値を４から０に切り替える。そのような制御によって、可変入賞球装置１５の閉鎖直前に遊技球が入賞したことによって、異常入賞が発生したと誤検出してしまうのを防止することができる。
【０２６８】
異常入賞を判定するタイミングを可変入賞球装置１５を閉鎖するタイミングよりも遅らせる方法として、普通図柄プロセスフラグの値が４から０になる時点（例えば、図３３に示すステップＳ７７９の処理の直前（直後でもよい））で遅延用タイマに所定時間をセットし（図３３に示すステップＳ７７８の処理）、タイマ割込み毎（２ｍｓ毎）に遅延用タイマをカウントダウンしていく。そして、賞球個数加算処理において普通図柄プロセスフラグの値が３以上でないと判定されたときに（ステップＳ３６３ＢのＮ）、遅延用タイマが０かどうかを判定し、遅延用タイマが０のときにステップＳ３６４，Ｓ３６５の処理をスキップしてステップＳ３５９の処理に移行するようにしてもよい。このような構成によっても、異常入賞を判定するタイミングを可変入賞球装置１５を閉鎖するタイミングよりも遅らせることができる。この実施の形態では、図３３に示すように（ステップＳ７７８参照）、こちらの方式を用いている。
【０２６９】
なお、大入賞口への異常入賞の判定においても、同様の方法により異常入賞を判定するタイミングを大入賞口（特定可変入賞球装置２０）を閉鎖するタイミングよりも遅らせることができる。具体的には、第１特別図柄プロセスフラグまたは第２特別図柄プロセスフラグの値が７から０に、または１０から０になった時点で遅延用タイマに所定時間をセットし、そして、タイマ割込み毎（２ｍｓ毎）に遅延用タイマをカウントダウンしていく。そして、賞球個数加算処理において特別図柄プロセスフラグ（第１特別図柄プロセスフラグおよび第２特別図柄プロセスフラグ）の値が５以上でないと判定されたときに（ステップＳ３６２ＢのＮ）、遅延用タイマが０かどうかを判定し、遅延用タイマが０のときにステップＳ３６４，Ｓ３６５の処理をスキップしてステップＳ３５９の処理に移行するようにする。
【０２７０】
なお、ステップＳ３６２Ｂにおいて特別図柄プロセスフラグ（第１特別図柄プロセスフラグおよび第２特別図柄プロセスフラグ）の値が５未満である場合（ステップＳ３６２ＢのＮ）やステップＳ３６３Ｂにおいて普通図柄プロセスフラグの値が３以上でない場合（ステップＳ３６３ＢのＮ）に、賞球払い出しを禁止する制御を行わないようにしてもよい。後述するように、異常入賞が発生したと判定された場合は、遊技制御用マイクロコンピュータ５６０が異常入賞報知１指定コマンドまたは異常入賞報知２指定コマンドを演出制御用マイクロコンピュータ１００に送信し、演出制御用マイクロコンピュータ１００が異常入賞の発生を報知するように構成されているので、異常入賞にもとづく賞球払い出しは最小限に食い止めることができると考えられるからである。
【０２７１】
図４３は、ステップＳ３４２の賞球制御処理を示すフローチャートである。賞球制御処理では、遊技制御用マイクロコンピュータ５６０は、総賞球数格納バッファの内容を確認する（ステップＳ３７１）。その値が０であれば処理を終了する。０でなければ、総賞球数格納バッファの内容が賞球コマンド最大値（この例では「１５」）よりも小さいか否か確認する（ステップＳ３７２）。総賞球数格納バッファの内容が賞球コマンド最大値以上であれば、賞球コマンド最大値を賞球個数バッファに設定する（ステップＳ３７３）。また、総賞球数格納バッファの内容が賞球コマンド最大値よりも小さい場合には、総賞球数格納バッファの内容を賞球個数バッファに設定する（ステップＳ３７４）。そして、賞球個数バッファの内容を、賞球個数信号を出力するための出力ポートにセットする（ステップＳ３７５）。また、賞球ＲＥＱ信号を出力するための出力ポートの賞球ＲＥＱ信号のビットに「１」をセットする（ステップＳ３７６）。
【０２７２】
ステップＳ３７６の処理によって、賞球ＲＥＱ信号が出力される。すなわち、賞球ＲＥＱ信号がオン状態になる（図３７参照）。また、ステップＳ３７５の処理によって、賞球個数信号が出力される（図３７参照）。なお、この実施の形態では、賞球コマンド最大値は「１５」である。従って、最大で「１５」の払出数を指定する賞球個数信号が払出制御基板３７に送信される。
【０２７３】
賞球個数信号を送信すると、遊技制御用マイクロコンピュータ５６０は、総賞球数格納バッファの内容から、賞球個数バッファの内容（払出制御手段に指令した賞球払出個数）を減算する（ステップＳ３７７）。
【０２７４】
次いで、遊技制御用マイクロコンピュータ５６０は、賞球ＲＥＱ信号のオン期間を設定する。具体的には、ウェイトカウンタに、初期値をセットする（ステップＳ３７８）。そして、ウェイトカウンタの値が０になるまでウェイトカウンタの値を１ずつ減算する（ステップＳ３７９，Ｓ３８０）。ウェイトカウンタの値が０になったら、オン期間を終了させる。
【０２７５】
すなわち、賞球ＲＥＱ信号を出力するための出力ポートの賞球ＲＥＱ信号のビットに「０」をセットし（ステップＳ３８１）、賞球個数信号を出力するための出力ポートに００（Ｈ）をセットする（ステップＳ３８２）。
【０２７６】
払出基板３７に搭載されている払出制御用マイクロコンピュータは、賞球個数信号を受信すると、賞球個数信号で指定された数の遊技球が払い出されるように払出装置９７を駆動する。
【０２７７】
図４４は、ステップＳ２３の異常入賞報知処理を示すフローチャートである。異常入賞報知処理において、遊技制御用マイクロコンピュータ５６０は、異常報知禁止フラグがセットされているか否か確認する（ステップＳ２５１）。異常報知禁止フラグは、遊技機への電力供給が開始されたときに実行されるメイン処理でセットされている（図４におけるステップＳ４４参照）。異常報知禁止フラグがセットされていない場合には、ステップＳ２５５に移行する。異常報知禁止フラグがセットされている場合には、ステップＳ４５で設定された禁止期間タイマの値を−１する（ステップＳ２５２）。そして、禁止期間タイマの値が０になったら、すなわち禁止期間タイマがタイムアウトしたら、異常報知禁止フラグをリセットする（ステップＳ２５３，Ｓ２５４）。
【０２７８】
次いで、遊技制御用マイクロコンピュータ５６０は、特別図柄プロセスフラグ（第１特別図柄プロセスフラグまたは第２特別図柄プロセスフラグ）の値が５以上であるか否か確認する（ステップＳ２５５）。特別図柄プロセスフラグ（第１特別図柄プロセスフラグまたは第２特別図柄プロセスフラグ）の値が５以上であるときは（ステップＳ２５５のＹ）、大当り遊技中または小当り遊技中である状態である。そのような状態であれば、大入賞口に遊技球が入賞する可能性があるので、大入賞口への異常入賞の確認処理を行わずに、ステップＳ２６１の処理に移行する。
【０２７９】
特別図柄プロセスフラグ（第１特別図柄プロセスフラグおよび第２特別図柄プロセスフラグ）の値が５未満である状態は、大当り遊技も小当り遊技も行われていない状態である。このような状態のときに大入賞口に遊技球の入賞があれば、その入賞は異常入賞であると判断することができる。従って、以下に示す大入賞口への異常入賞の確認処理を行う。
【０２８０】
すなわち、特別図柄プロセスフラグ（第１特別図柄プロセスフラグおよび第２特別図柄プロセスフラグ）の値が５未満であれば（ステップＳ２５５のＮ）、遊技制御用マイクロコンピュータ５６０は、スイッチオンバッファの内容をレジスタにロードする（ステップＳ２５６）。そして、遊技制御用マイクロコンピュータ５６０は、ロードしたスイッチオンバッファの内容とカウントスイッチ入力ビット判定値（０１（Ｈ）、図４１参照）との論理積をとる（ステップＳ２５７）。スイッチオンバッファの内容が０１（Ｈ）であったとき、すなわちカウントスイッチ２３がオンしているときには、論理積の演算結果は０１（Ｈ）になる。カウントスイッチ２３がオンしていないときには、論理積の演算結果は、０（００（Ｈ））になる。
【０２８１】
論理積の演算結果が０でない場合には（ステップＳ２５８のＮ）、大入賞口への異常入賞が生じたと判定し、演出制御基板８０に、異常入賞報知２指定コマンドを送信する制御を行う（ステップＳ２５８Ａ，Ｓ２５９）。論理積の演算結果が０である場合には（ステップＳ２５８のＹ）、大入賞口への異常入賞が生じていないと判定し、ステップＳ２６１の処理に移行する。
【０２８２】
ステップＳ２６１では、遊技制御用マイクロコンピュータ５６０は、普通図柄プロセスフラグの値が３以上であるか否か確認する（ステップＳ２６１）。普通図柄プロセスフラグの値が３以上である状態は、普通電動役物（可変入賞球装置１５）が開閉動作している状態である。そのような状態であれば（ステップＳ２６１のＹ）、第２始動入賞口１４に遊技球が入賞する可能性があるので、第２始動入賞口１４への異常入賞の確認処理を行わずに異常入賞報知処理を終了する。
【０２８３】
普通図柄プロセスフラグの値が３以上でない状態（３未満の状態）は（ステップＳ２６１のＮ）、普通電動役物（可変入賞球装置１５）が開閉動作していない状態である。このような状態のときに第２始動入賞口１４に遊技球の入賞があれば、その入賞は異常入賞であると判断することができる。従って、以下に示す第２始動入賞口１４への異常入賞の確認処理を行う。なお、ステップＳ２６１の処理で、普通図柄プロセスフラグの値が４であるか否か判定するようにしてもよい。その場合には、開閉動作における開状態でのみ判定結果が「Ｙ」になるので、より厳密に可変入賞球装置１５が閉状態であるか否かを判定することができる。
【０２８４】
すなわち、普通図柄プロセスフラグの値が３未満であれば（ステップＳ２６１のＮ）、遊技制御用マイクロコンピュータ５６０は、スイッチオンバッファの内容をレジスタにロードする（ステップＳ２６２）。そして、遊技制御用マイクロコンピュータ５６０は、ロードしたスイッチオンバッファの内容と第２始動口スイッチ入力ビット判定値（８０（Ｈ）、図４１参照）との論理積をとる（ステップＳ２６３）。スイッチオンバッファの内容が８０（Ｈ）であったとき、すなわち第２始動口スイッチ１４ａがオンしているときには、論理積の演算結果は８０（Ｈ）になる。第２始動口スイッチ１４ａがオンしていないときには、論理積の演算結果は、０（００（Ｈ））になる。
【０２８５】
論理積の演算結果が０でない場合には（ステップＳ２６４のＮ）、第２始動入賞口１４が開状態以外の状態（所定のインターバル期間の状態を含む）であるにもかかわらず、第２始動入賞口１４に遊技球が入賞した場合である。この場合、遊技制御用マイクロコンピュータ５６０は、入賞累積数カウンタの値を１加算するとともに（ステップＳ２６４Ａ）、加算後の入賞累積数カウンタの値が所定値（この例では５）以上であるか否かを確認する（ステップＳ２６４Ｂ）。所定値以上である場合には、遊技制御用マイクロコンピュータ５６０は、第２始動入賞口１４への異常入賞が生じたと判定し、異常入賞報知フラグをセットするとともに（ステップＳ２６４Ｃ）、演出制御基板８０に、異常入賞報知１指定コマンドを送信する制御を行う（ステップＳ２６５）。論理積の演算結果が０である場合（ステップＳ２６４のＹ）、または入賞累積数カウンタの値が所定値以上でない場合（ステップＳ２６４ＢのＮ）には、第２始動入賞口１４への異常入賞が生じていないと判定し、異常入賞報知１指定コマンドを送信する制御を行わずに異常入賞報知処理を終了する。
【０２８６】
以上のような処理によって、大当り遊技も小当り遊技も行われていない状態においてカウントスイッチ２３がオンした場合には、異常入賞報知２指定コマンドが送信される。また、可変入賞球装置１５が開閉動作していない状態（第２始動入賞口１４が開状態以外の状態）において第２始動口スイッチ１４ａがオンした場合にも、異常入賞報知１指定コマンドが送信される。なお、この実施の形態では、入賞累積数カウンタの値が所定値（この例では５）以上である場合に、遊技制御用マイクロコンピュータ５６０は、第２始動入賞口１４への異常入賞が生じたと判定したが、ステップＳ２６４の判定処理で「Ｎ」であったときに直ちに第２始動入賞口１４への異常入賞が生じたと判定してもよい。
【０２８７】
また、ステップＳ２５１〜Ｓ２５３の処理によって、演出制御用マイクロコンピュータ１００が初期化報知を行っているときに、異常報知が開始されることが禁止される。なお、演出制御用マイクロコンピュータ１００は、異常報知を開始してから禁止期間に相当する期間が経過するまで、初期化報知を継続して実行している。
【０２８８】
なお、ステップＳ２５５の処理では、遊技制御用マイクロコンピュータ５６０が、第１特別図柄プロセスフラグおよび第２特別図柄プロセスフラグの値にもとづいて大入賞口への異常入賞が生じたか否か判定するようにしている。そのため、２つのデータにもとづいて異常入賞が生じたか否か判定できるので、判定処理を簡素化することができる。また、上述したように、特定可変入賞球装置２０が閉鎖した後に大当り終了処理または小当り終了処理が所定時間実行されるので、特定可変入賞球装置２０が閉鎖する直前に大入賞口に入賞した遊技球が、特別図柄プロセスフラグの値が０に戻った後にカウントスイッチ２３で検出されてしまうということが防止され、正規の入賞であるにもかかわらずエラーが報知されてしまうようなことはない。
【０２８９】
また、ステップＳ２６１の処理では、遊技制御用マイクロコンピュータ５６０が、普通図柄プロセスフラグの値にもとづいて第２始動入賞口１４への異常入賞が生じたか否か判定するようにしている。そのため、１つのデータにもとづいて異常入賞が生じたか否か判定できるので、判定処理を簡素化することができる。また、上述したように、異常入賞を判定するタイミングを可変入賞球装置１５を閉鎖するタイミングよりも遅らせる方法として、普通図柄プロセスフラグの値が４から０に切り替わる所定時間前に可変入賞球装置１５を閉鎖し、普通図柄プロセスフラグの値が４から０に切り替わった時点で異常入賞の判定を行うようにした場合には、可変入賞球装置１５が閉鎖する直前に第２始動入賞口１４に入賞した遊技球が、普通図柄プロセスフラグの値が０に戻った後に第２始動口スイッチ１４ａで検出されてしまうということが防止され、正規の入賞であるにもかかわらずエラーが報知されてしまうようなことはない。
【０２９０】
次に、演出制御手段の動作を説明する。図４５は、演出制御基板８０に搭載されている演出制御用マイクロコンピュータ１００（具体的には、演出制御用ＣＰＵ１０１）が実行するメイン処理を示すフローチャートである。演出制御用マイクロコンピュータ１００は、電源が投入されると、メイン処理の実行を開始する。メイン処理では、まず、ＲＡＭ領域のクリアや各種初期値の設定、また演出制御の起動間隔（例えば、２ｍｓ）を決めるためのタイマの初期設定等を行うための初期化処理を行う（ステップＳ７０１）。
【０２９１】
そして、演出制御用マイクロコンピュータ１００は、タイマ割込フラグの監視（ステップＳ７０２）を行うループ処理に移行する。タイマ割込が発生すると、演出制御用マイクロコンピュータ１００は、タイマ割込処理においてタイマ割込フラグをセットする。メイン処理において、タイマ割込フラグがセットされていたら、演出制御用マイクロコンピュータ１００は、そのフラグをクリアし（ステップＳ７０３）、演出制御処理を実行する。
【０２９２】
演出制御処理において、演出制御用マイクロコンピュータ１００は、まず、受信した演出制御コマンドを解析し、受信した演出制御コマンドに応じたフラグをセットする処理等を実行する（コマンド解析処理：ステップＳ７０４）。次いで、演出制御用マイクロコンピュータ１００は、演出制御プロセス処理を実行する（ステップＳ７０５）。演出制御プロセス処理では、制御状態に応じた各プロセスのうち、現在の制御状態（演出制御プロセスフラグ）に対応した処理を選択して演出表示装置９の表示制御等を実行する。また、所定の乱数（例えば、停止図柄を決定するための乱数）を生成するためのカウンタのカウンタ値を更新する乱数更新処理を実行する（ステップＳ７０６）。さらに、演出表示装置９等の演出装置を用いて報知を行う報知制御処理を実行する（ステップＳ７０７）。その後、ステップＳ７０２に移行する。
【０２９３】
図４６は、主基板３１の遊技制御用マイクロコンピュータ５６０から受信した演出制御コマンドを格納するためのコマンド受信バッファの一構成例を示す説明図である。この例では、２バイト構成の演出制御コマンドを６個格納可能なリングバッファ形式のコマンド受信バッファが用いられる。従って、コマンド受信バッファは、受信コマンドバッファ１〜１２の１２バイトの領域で構成される。そして、受信したコマンドをどの領域に格納するのかを示すコマンド受信個数カウンタが用いられる。コマンド受信個数カウンタは、０〜１１の値をとる。なお、必ずしもリングバッファ形式でなくてもよい。
【０２９４】
なお、遊技制御用マイクロコンピュータ５６０から送信された演出制御コマンドは、演出制御ＩＮＴ信号にもとづく割込処理で受信され、ＲＡＭに形成されているバッファ領域に保存されている。コマンド解析処理では、バッファ領域に保存されている演出制御コマンドがどのコマンド（図９参照）であるのか解析する。
【０２９５】
図４７および図４８は、コマンド解析処理（ステップＳ７０４）の具体例を示すフローチャートである。主基板３１から受信された演出制御コマンドは受信コマンドバッファに格納されるが、コマンド解析処理では、演出制御用ＣＰＵ１０１は、コマンド受信バッファに格納されているコマンドの内容を確認する。
【０２９６】
コマンド解析処理において、演出制御用ＣＰＵ１０１は、まず、コマンド受信バッファに受信コマンドが格納されているか否か確認する（ステップＳ６１１）。格納されているか否かは、コマンド受信個数カウンタの値と読出ポインタとを比較することによって判定される。両者が一致している場合が、受信コマンドが格納されていない場合である。コマンド受信バッファに受信コマンドが格納されている場合には、演出制御用ＣＰＵ１０１は、コマンド受信バッファから受信コマンドを読み出す（ステップＳ６１２）。なお、読み出したら読出ポインタの値を＋２しておく（ステップＳ６１３）。＋２するのは２バイト（１コマンド）ずつ読み出すからである。
【０２９７】
受信した演出制御コマンドが変動パターンコマンドであれば（ステップＳ６１４）、演出制御用ＣＰＵ１０１は、その変動パターンコマンドを、ＲＡＭに形成されている変動パターンコマンド格納領域に格納する（ステップＳ６１５）。そして、変動パターンコマンド受信フラグをセットする（ステップＳ６１６）。
【０２９８】
受信した演出制御コマンドが表示結果特定コマンドであれば（ステップＳ６１７）、演出制御用ＣＰＵ１０１は、その表示結果特定コマンドを、ＲＡＭに形成されている表示結果特定コマンド格納領域に格納する（ステップＳ６１８）。そして、表示結果特定コマンド受信フラグをセットする（ステップＳ６１９）。
【０２９９】
受信した演出制御コマンドが図柄確定指定コマンドであれば（ステップＳ６２１）、演出制御用ＣＰＵ１０１は、確定コマンド受信フラグをセットする（ステップＳ６２２）。
【０３００】
受信した演出制御コマンドが大当り開始１〜４指定コマンドのいずれかであれば（ステップＳ６２３）、演出制御用ＣＰＵ１０１は、大当り開始１〜４指定コマンド受信フラグをセットする（ステップＳ６２４）。
【０３０１】
受信した演出制御コマンドが電源投入指定コマンド（初期化指定コマンド）であれば（ステップＳ６３１）、演出制御用ＣＰＵ１０１は、初期化処理が実行されたことを示す初期画面を演出表示装置９に表示する制御を行う（ステップＳ６３２Ａ）。初期画面には、あらかじめ決められている演出図柄の初期表示が含まれる。また、初期報知フラグをセットし（ステップＳ６３２Ｂ）、期間タイマに、初期報知期間値に相当する値を設定する（ステップＳ６３２Ｃ）。初期報知期間は、初期化指定コマンドの受信に応じて初期化報知を行っている期間である。演出制御用ＣＰＵ１０１は、初期報知期間が経過すると、初期化報知を終了させる。なお、初期報知期間は、遊技制御用マイクロコンピュータ５６０がステップＳ４５の処理で設定する禁止期間と同じである。よって、初期化報知が行われているときに、異常報知指定コマンドを受信することはない。
【０３０２】
また、受信した演出制御コマンドが停電復旧指定コマンドであれば（ステップＳ６３３）、あらかじめ決められている停電復旧画面（遊技状態が継続していることを遊技者に報知する情報を表示する画面）を表示する制御を行う（ステップＳ６３４）。
【０３０３】
受信した演出制御コマンドが大当り終了１指定コマンドであれば（ステップＳ６４１）、演出制御用ＣＰＵ１０１は、大当り終了１指定コマンド受信フラグをセットする（ステップＳ６４２）。受信した演出制御コマンドが大当り終了２指定コマンドであれば（ステップＳ６４３）、演出制御用ＣＰＵ１０１は、大当り終了２指定コマンド受信フラグをセットする（ステップＳ６４４）。
【０３０４】
受信した演出制御コマンドが異常入賞報知１指定コマンドであれば（ステップＳ６４５）、演出制御用ＣＰＵ１０１は、異常入賞報知１指定コマンド受信フラグをセットする（ステップＳ６４６）。
【０３０５】
受信した演出制御コマンドが異常入賞報知２指定コマンドであれば（ステップＳ６４７）、演出制御用ＣＰＵ１０１は、異常入賞報知２指定コマンド受信フラグをセットする（ステップＳ６４８）。
【０３０６】
受信した演出制御コマンドがその他のコマンドであれば、演出制御用ＣＰＵ１０１は、受信した演出制御コマンドに応じたフラグをセットする（ステップＳ６４９）。そして、ステップＳ６１１に移行する。
【０３０７】
図４９は、メイン処理における演出制御プロセス処理（ステップＳ７０５）を示すフローチャートである。演出制御プロセス処理では、演出制御用マイクロコンピュータ１００は、演出制御プロセスフラグの値に応じてステップＳ８００〜Ｓ８０８のうちのいずれかの処理を行う。各処理において、以下のような処理を実行する。
【０３０８】
変動パターンコマンド受信待ち処理（ステップＳ８００）：コマンド受信割込処理によって、変動パターン指定の演出制御コマンド（変動パターンコマンド）を受信したか否か確認する。具体的には、変動パターンコマンドが受信されたことを示す変動パターン受信フラグがセットされたか否か確認する。変動パターン受信フラグは、演出制御用マイクロコンピュータ１００が実行するコマンド解析処理におけるステップＳ６１８で設定される。
【０３０９】
演出図柄変動開始処理（ステップＳ８０１）：演出図柄の変動が開始されるように制御する。また、変動時間タイマに変動時間に相当する値を設定し、使用するプロセステーブルを選択するとともに、プロセステーブルの最初に設定されているプロセスタイマ設定値をプロセスタイマに設定する。
【０３１０】
演出図柄変動中処理（ステップＳ８０２）：変動パターンを構成する各変動状態（変動速度）の切替タイミングを制御するとともに、変動時間の終了を監視する。
【０３１１】
演出図柄変動停止処理（ステップＳ８０３）：変動時間タイマがタイムアウトしたことに応じて、演出図柄の変動を停止し停止図柄（確定図柄）を導出表示する制御を行う。
【０３１２】
大当り表示処理（ステップＳ８０４）：変動時間の終了後、大当り表示の制御を行う。例えば、大当りの開始を指定するファンファーレコマンドを受信したら、ファンファーレ演出を実行する。また、突然確変大当りの開始を指定するファンファーレコマンドを受信したら、２ラウンド用演出を実行する。
【０３１３】
ラウンド中処理（ステップＳ８０５）：ラウンド中の表示制御を行う。例えば、大入賞口が開放中であることを示す大入賞口開放中コマンドを受信したら、ラウンド数の表示制御等を行う。
【０３１４】
ラウンド後処理（ステップＳ８０６）：ラウンド間の表示制御を行う。例えば、大入賞口が開放後（閉鎖中）であることを示す大入賞口開放後コマンドを受信したら、インターバル表示等を行う。
【０３１５】
大当り終了演出処理（ステップＳ８０７）：大当り遊技の終了後の大当り終了表示の制御を行う。例えば、大当りの終了を指定するエンディングコマンドを受信したら、エンディング演出を実行する。
【０３１６】
小当り演出処理（ステップＳ８０８）：変動時間の終了後、小当りの開始を指定するファンファーレコマンドを受信したら、小当り中の演出である２ラウンド用演出を実行する。
【０３１７】
図５０は、プロセステーブルの一構成例を示す説明図である。プロセステーブルは、プロセスタイマ設定値と表示制御実行データ、ランプ制御実行データおよび音番号データの組み合わせが複数集まったデータで構成されている。表示制御実行データには、変動パターンを構成する各変動態様が記載されている。また、プロセスタイマ設定値には、その変動態様での変動時間が設定されている。演出制御用マイクロコンピュータ１００は、プロセステーブルを参照し、プロセスタイマ設定値に設定されている時間だけ表示制御実行データに設定されている変動態様で演出図柄を変動表示させる制御を行う。
【０３１８】
また、演出制御用マイクロコンピュータ１００は、表示制御実行データにもとづく制御と同様に、プロセスタイマ設定値に設定されている時間だけランプ制御実行データにもとづいて各種ランプの点灯状態を制御し、音番号データを音声出力基板７０に出力する。
【０３１９】
図５０に示すプロセスデータは、演出制御基板８０におけるＲＯＭに格納されている。また、プロセステーブルは、各変動パターンのそれぞれに応じて用意されている。
【０３２０】
図５１は、演出制御プロセス処理における変動パターンコマンド受信待ち処理（ステップＳ８００）を示すフローチャートである。変動パターンコマンド受信待ち処理において、演出制御用マイクロコンピュータ１００は、変動パターン受信フラグがセットされたか否か確認する（ステップＳ８１１）。セットされていたら、そのフラグをリセットする（ステップＳ８１２）。そして、演出制御用マイクロコンピュータ１００は、変動パターンコマンドで指定された内容（変動パターン、変動時間）にもとづいて、演出図柄の変動パターンを決定する（ステップＳ８１３）。その後、演出制御用マイクロコンピュータ１００は、演出制御プロセスフラグの値を演出図柄変動開始処理（ステップＳ８０１）に対応した値に変更する（ステップＳ８１４）。
【０３２１】
図５２は、演出制御プロセス処理における演出図柄変動開始処理（ステップＳ８０１）を示すフローチャートである。演出図柄変動開始処理において、演出制御用マイクロコンピュータ１００は、まず、変動パターンに応じたプロセステーブルを選択する（ステップＳ８２１）。そして、演出制御用マイクロコンピュータ１００は、選択したプロセステーブルのプロセスデータ１におけるプロセスタイマをスタートさせる（ステップＳ８２２）。
【０３２２】
そして、演出制御用マイクロコンピュータ１００は、異常入賞の報知を行っていることを示す異常報知中フラグがセットされていないことを条件に（ステップＳ８２３のＮ）、プロセスデータ１の内容（表示制御実行データ１、ランプ制御実行データ１、音番号データ１）に従って演出装置（演出用部品としての演出表示装置９、演出用部品としての各種ランプおよび演出用部品としてのスピーカ２７）の制御を実行する（ステップＳ８２４）。例えば、演出表示装置９において変動パターンに応じた画像を表示させるために、ＶＤＰ１０９に指令を出力する。また、各種ランプを点灯／消灯制御を行わせるために、ランプドライバ基板３５に対して制御信号（ランプ制御実行データ）を出力する。また、スピーカ２７からの音声出力を行わせるために、音声出力基板７０に対して制御信号（音番号データ）を出力する。
【０３２３】
異常報知中フラグがセットされている場合には（ステップＳ８２３のＹ）、演出制御用マイクロコンピュータ１００は、音番号データ１を除くプロセスデータ１の内容に従って演出装置の制御を実行する（ステップＳ８２５）。つまり、異常報知中フラグがセットされている場合には、演出図柄の新たな可変表示が開始される場合に、その可変表示に応じた音演出が実行されるのではなく、異常入賞の報知に応じた音出力が継続される。なお、可変表示に応じた音演出の効果音と異常入賞の報知に応じた警報音（報知音）とが別チャンネルに設定され、それらの音を同時に音出力することが可能であれば、ステップＳ８２４とステップＳ８２５の処理を分ける必要はない。
【０３２４】
また、ステップＳ８２５の処理を行うときに、演出制御用マイクロコンピュータ１００は、単に表示制御実行データ１にもとづく指令をＶＤＰ１０９に出力するのではなく、「重畳表示」を行うための指令もＶＤＰ１０９に出力する。つまり、演出表示装置９におけるそのときの表示（異常入賞の報知がなされている。）と、演出図柄の可変表示の表示演出の画像とが、同時に演出表示装置９において表示されるように制御する。すなわち、異常報知中フラグがセットされている場合には、演出図柄の新たな可変表示が開始される場合に、その可変表示に応じた表示演出演出のみが実行されるのではなく、異常入賞の報知に応じた報知も継続される。
【０３２５】
そして、変動時間タイマに、変動パターンコマンドで特定される変動時間に相当する値を設定し（ステップＳ８２６）、演出制御プロセスフラグの値を演出図柄変動中処理（ステップＳ８０２）に対応した値に更新する（ステップＳ８２７）。
【０３２６】
図５３は、演出制御プロセス処理における演出図柄変動中処理（ステップＳ８０２）を示すフローチャートである。演出図柄変動中処理において、演出制御用マイクロコンピュータ１００は、プロセスタイマの値を１減算するとともに（ステップＳ８４１）、変動時間タイマの値を−１（１減算）する（ステップＳ８４２）。プロセスタイマがタイムアウトしたら（ステップＳ８４３）、プロセスデータの切替を行う。すなわち、プロセステーブルにおける次に設定されているプロセスタイマ設定値をプロセスタイマに設定する（ステップＳ８４４）。また、異常報知中フラグがセットされていないことを条件に、その次に設定されている表示制御実行データ、ランプ制御実行データおよび音番号データにもとづいて演出装置に対する制御状態を変更する（ステップＳ８４５Ａ，Ｓ８４５Ｂ）。
【０３２７】
異常報知中フラグがセットされている場合には、プロセスデータｉ（ｉは２〜ｎのいずれか）の内容（ただし、音番号データｉを除く。）に従って演出装置の制御を実行する（ステップＳ８４５Ａ，Ｓ８４５Ｃ）。よって、異常報知中フラグがセットされている場合には、演出図柄の可変表示に応じた音演出が実行されるのではなく、異常入賞の報知に応じた音出力が継続される。
【０３２８】
また、ステップＳ８４５Ｃの処理が行われるときに、演出制御用ＣＰＵ１０１は、単に表示制御実行データｉにもとづく指令をＶＤＰ１０９に出力するのではなく、「重畳表示」を行うための指令もＶＤＰ１０９に出力する。よって、異常報知中フラグがセットされている場合には、演出図柄の可変表示に応じた表示演出演出のみが実行されるのではなく、異常入賞の報知に応じた報知も継続される。
【０３２９】
また、変動時間タイマがタイムアウトしていれば（ステップＳ８４６）、演出制御プロセスフラグの値を演出図柄変動停止処理（ステップＳ８０３）に応じた値に更新する（ステップＳ８４８）。変動時間タイマがタイムアウトしていなくても、図柄確定指定コマンドを受信したことを示す確定コマンド受信フラグがセットされていたら（ステップＳ８４７）、ステップＳ８４８に移行する。変動時間タイマがタイムアウトしていなくても図柄確定指定コマンドを受信したら変動を停止させる制御に移行するので、例えば、基板間でのノイズ等に起因して長い変動時間を示す変動パターンコマンドを受信したような場合でも、正規の変動時間経過時（特別図柄の変動終了時）に、演出図柄の変動を終了させることができる。
【０３３０】
図５４は、演出制御プロセス処理における演出図柄変動停止処理（ステップＳ８０３）を示すフローチャートである。演出図柄変動停止処理において、演出制御用マイクロコンピュータ１００は、確定コマンド受信フラグがセットされているか否か確認する（ステップＳ８５１）。確定コマンド受信フラグがセットされている場合には（ステップＳ８５１のＹ）、確定コマンド受信フラグをリセットし（ステップＳ８５２）、コマンド解析処理において決定され格納されている演出図柄の停止図柄を導出表示する制御を行う（ステップＳ８５３）。
【０３３１】
なお、この実施の形態では、演出制御用マイクロコンピュータ１００が、遊技制御用マイクロコンピュータ５６０からの図柄確定指定コマンド（演出図柄停止指定コマンド）の受信に応じて演出図柄を停止表示する制御を行うが、このような構成に限られず、変動時間タイマがタイムアップしたことにもとづいて演出図柄を停止表示する制御を行うようにしてもよい。
【０３３２】
ステップＳ８５３で導出表示された演出図柄の停止図柄が小当り図柄である場合（ステップＳ８５４のＹ）は、演出制御用マイクロコンピュータ１００は、小当り用のファンファーレ受信フラグがセットされたか否か確認する（ステップＳ８５５）。小当り用のファンファーレ受信フラグがセットされたときは（ステップＳ８５５のＹ）、演出制御用マイクロコンピュータ１００は、格納されたファンファーレコマンドの内容にもとづいて、２ラウンド用演出を選択する（ステップＳ８５６）。そして、演出制御用マイクロコンピュータ１００は、選択した２ラウンド用演出に応じたプロセスデータを選択する（ステップＳ８５７）。そして、プロセスタイマをスタートさせるとともに（ステップＳ８５８）、２ラウンド用演出の実行時間を計測する２Ｒ用演出時間タイマをスタートさせる（ステップＳ８５９）。そして、演出制御プロセスフラグの値を小当り演出処理（ステップＳ８０８）に対応した値に更新する（ステップＳ８６０）。
【０３３３】
ステップＳ８５３で導出表示された演出図柄の停止図柄が小当り図柄でなく大当り図柄（非確変図柄、確変図柄、突然確変図柄）である場合は（ステップＳ８６１のＹ）、演出制御用マイクロコンピュータ１００は、ファンファーレ受信フラグがセットされたか否か確認する（ステップＳ８６２）。ファンファーレ受信フラグがセットされたときは（ステップＳ８６２のＹ）、演出制御用マイクロコンピュータ１００は、格納されたファンファーレコマンドの内容にもとづいて、ファンファーレ演出または２ラウンド用演出のいずれかを選択する（ステップＳ８６３）。そして、演出制御用マイクロコンピュータ１００は、選択したファンファーレ演出または２ラウンド用演出に応じたプロセスデータを選択する（ステップＳ８６４）。そして、プロセスタイマをスタートさせ（ステップＳ８６５）、演出制御プロセスフラグの値を大当り表示処理（ステップＳ８０４）に対応した値に更新する（ステップＳ８６６）。
【０３３４】
ステップＳ８６１で導出表示された演出図柄の停止図柄が大当り図柄（非確変図柄、確変図柄、突然確変図柄）でない場合、すなわち、はずれ図柄である場合（ステップＳ８６１のＮ）は、演出制御用マイクロコンピュータ１００は、所定のフラグをリセットする（ステップＳ８６７）。例えば、図柄情報コマンド受信フラグなどをリセットする。そして、演出制御プロセスフラグの値を変動パターンコマンド受信待ち処理（ステップＳ８００）に対応した値に更新する（ステップＳ８６８）。
【０３３５】
図５５は、演出制御プロセス処理における大当り表示処理（ステップＳ８０４）を示すフローチャートである。大当り表示処理において、演出制御用マイクロコンピュータ１００は、まず、大入賞口開放中コマンドを受信したことを示す大入賞口開放中フラグがセットされているか否かを確認する（ステップＳ９０１）。なお、大入賞口開放中フラグは、コマンド解析処理でセットされる（ステップＳ６４９参照）。大入賞口開放中フラグがセットされていないときは（ステップＳ９０１のＮ）、演出制御用マイクロコンピュータ１００は、プロセスタイマの値を１減算し（ステップＳ９０２）、プロセスデータｎの内容に従って演出装置（演出表示装置９、スピーカ２７、ランプ２８ａ〜２８ｃ等）の制御を実行する（ステップＳ９０３）。例えば、１５ラウンド大当りの場合は、演出表示装置９において大当り表示図柄を表示するとともに、大当りが発生したことを示す文字やキャラクタなどを表示する演出が実行される。また、例えば、２ラウンド用演出では、特殊な文字やキャラクタなどを表示させる演出が実行される。
【０３３６】
次いで、演出制御用マイクロコンピュータ１００は、プロセスタイマがタイムアウトしていないかどうかを確認し（ステップＳ９０４）、プロセスタイマがタイムアウトしていれば、プロセスデータの切替を行う（ステップＳ９０５）。すなわち、プロセステーブルにおける次に設定されているプロセスデータ（表示制御実行データ、ランプ制御実行データおよび音番号データ）に切り替える。そして、次のプロセスデータにおけるプロセスタイマ設定値をプロセスタイマに設定してプロセスタイマをスタートさせる（ステップＳ９０６）。
【０３３７】
大入賞口開放中フラグがセットされているときは（ステップＳ９０１のＹ）、演出制御用マイクロコンピュータ１００は、１５ラウンド用の大入賞口開放中コマンドの内容にもとづいてラウンド中演出（ラウンド数に応じたラウンド表示を実行する演出）を選択する（ステップＳ９０７）。なお、２ラウンド用の大入賞口開放中コマンドを受信したときは、ラウンド中も継続して２ラウンド用演出が実行されているので、新たに演出を選択する必要はないが、ラウンド毎に２ラウンド用演に含まれる演出を切り替えたりするとき（例えば２ラウンド用演出の表示画面を切り替えたりするとき）は、２ラウンド用演出に含まれる演出をラウンド毎に新たに選択するようにしてもよい。次いで、大入賞口開放中フラグをリセットし（ステップＳ９０８）、ラウンド中演出に応じたプロセスデータを選択する（ステップＳ９０９）。そして、プロセスタイマをスタートさせ（ステップＳ９１０）、演出制御プロセスフラグの値をラウンド中処理（ステップＳ８０５）に対応した値に設定する（ステップＳ９１１）。
【０３３８】
図５６は、演出制御プロセス処理におけるラウンド中処理（ステップＳ８０５）を示すフローチャートである。ラウンド中処理において、演出制御用マイクロコンピュータ１００は、まず、演出制御用マイクロコンピュータ１００は、大入賞口開放後コマンドを受信したことを示す大入賞口開放後フラグがセットされているか否かを確認する（ステップＳ９２１）。なお、大入賞口開放後フラグはコマンド解析処理でセットされる（ステップＳ６４９参照）。大入賞口開放後フラグもセットされていないときは（ステップＳ９２１のＮ）、演出制御用マイクロコンピュータ１００は、プロセスタイマの値を１減算し（ステップＳ９２２）、プロセスデータｎの内容に従って演出装置（演出表示装置９、スピーカ２７、ランプ２８ａ〜２８ｃ等）の制御を実行する（ステップＳ９２３）。例えば、演出表示装置９において大当り表示図柄を表示するとともに、ラウンド数を示す文字やその他のキャラクタなどを表示する演出が実行される。また、２ラウンド用演出では、特殊な文字やキャラクタなどを表示させる演出が実行される。
【０３３９】
次いで、演出制御用マイクロコンピュータ１００は、プロセスタイマがタイムアウトしていないかどうかを確認し（ステップＳ９２４）、プロセスタイマがタイムアウトしていれば、プロセスデータの切替を行う（ステップＳ９２５）。すなわち、プロセステーブルにおける次に設定されているプロセスデータ（表示制御実行データ、ランプ制御実行データおよび音番号データ）に切り替える。そして、次のプロセスデータにおけるプロセスタイマ設定値をプロセスタイマに設定してプロセスタイマをスタートさせる（ステップＳ９２６）。
【０３４０】
ステップＳ９２１において大入賞口開放後フラグがセットされているときは（ステップＳ９２１のＹ）、演出制御用マイクロコンピュータ１００は、大入賞口開放後コマンドの内容にもとづいてインターバル演出（ラウンド数に応じたインターバル表示を行う演出）を選択する（ステップＳ９２８）。なお、２ラウンド用の大入賞口開放後コマンドを受信したときは、ラウンド後も継続して２ラウンド用演出が実行されているので、新たに演出を選択する必要はないが、ラウンド後に２ラウンド用演出に含まれる演出を切り替えたりするとき（例えば２ラウンド用演出の表示画面を切り替えたりするとき）は、２ラウンド用演出に含まれる演出をラウンド後に新たに選択するようにしてもよい。そして、演出制御用マイクロコンピュータ１００は、大入賞口開放後フラグをリセットし（ステップＳ９２８）、選択したインターバル演出に応じたプロセスデータを選択する（ステップＳ９２９）。そして、プロセスタイマをスタートさせ（ステップＳ９３０）、演出制御プロセスフラグの値をラウンド後処理（ステップＳ８０６）に対応した値に設定する（ステップＳ９３１）。
【０３４１】
図５７および図５８は、演出制御プロセス処理におけるラウンド後処理（ステップＳ８０６）を示すフローチャートである。ラウンド後処理において、演出制御用マイクロコンピュータ１００は、まず、エンディングフラグがセットされているかどうかを確認する（ステップＳ９４０）。エンディングフラグがセットされていないときは（ステップＳ９４０のＮ）、演出制御用マイクロコンピュータ１００は、大入賞口開放中コマンドを受信したことを示す大入賞口開放中フラグがセットされているか否かを確認する（ステップＳ９４１）。大入賞口開放中フラグがセットされていないときは（ステップＳ９４１のＮ）、演出制御用マイクロコンピュータ１００は、プロセスタイマの値を１減算し（ステップＳ９４２）、プロセスデータｎの内容に従って演出装置（演出表示装置９、スピーカ２７、ランプ２８ａ〜２８ｃ等）の制御を実行する（ステップＳ９４３）。
【０３４２】
次いで、演出制御用マイクロコンピュータ１００は、プロセスタイマがタイムアウトしていないかどうかを確認し（ステップＳ９４４）、プロセスタイマがタイムアウトしていれば、プロセスデータの切替を行う（ステップＳ９４５）。すなわち、プロセステーブルにおける次に設定されているプロセスデータ（表示制御実行データ、ランプ制御実行データおよび音番号データ）に切り替える。そして、次のプロセスデータにおけるプロセスタイマ設定値をプロセスタイマに設定してプロセスタイマをスタートさせる（ステップＳ９４６）。
【０３４３】
大入賞口開放中フラグがセットされているときは（ステップＳ９４１のＹ）、大入賞口開放中フラグをリセットし（ステップＳ９５１）、ラウンド中演出に応じたプロセスデータを選択する（ステップＳ９５２）。そして、プロセスタイマをスタートさせ（ステップＳ９５３）、演出制御プロセスフラグの値をラウンド中処理（ステップＳ８０５）に対応した値に設定する（ステップＳ９５４）。
【０３４４】
ステップＳ９４０においてエンディング受信フラグがセットされたときは（ステップＳ９４１のＹ）、エンディング受信フラグをリセットし（ステップＳ９５８）、エンディング演出に応じたプロセスデータを選択する（ステップＳ９５９）。そして、プロセスタイマをスタートさせ（ステップＳ９６０）、演出制御プロセスフラグの値を大当り終了演出処理（ステップＳ８０７）に対応した値に設定する（ステップＳ９６１）。
【０３４５】
図５９は、演出制御プロセス処理における大当り終了演出処理（ステップＳ８０７）を示すフローチャートである。大当り終了演出処理において、演出制御用マイクロコンピュータ１００は、プロセスタイマの値を１減算し（ステップＳ９７１）、プロセスデータｎの内容に従って演出装置（演出表示装置９、スピーカ２７等）を制御する処理を実行する（ステップＳ９７２）。例えば、大当りが終了することを表示する。
【０３４６】
そして、演出制御用マイクロコンピュータ１００は、プロセスタイマがタイムアウトしていないかどうかを確認し（ステップＳ９７３）、プロセスタイマがタイムアウトしていれば、所定のフラグ（確変大当り決定フラグ、通常大当り決定フラグ、突然確変大当り決定フラグ、図柄情報コマンド受信フラグなど）をリセットし（ステップＳ９７４）、演出制御プロセスフラグの値を変動パターンコマンド受信待ち処理（ステップＳ８００）に対応した値に設定する（ステップＳ９７５）。
【０３４７】
図６０は、演出制御プロセス処理における小当り演出処理（ステップＳ８０８）を示すフローチャートである。小当り演出処理において、演出制御用マイクロコンピュータ１００は、プロセスタイマの値を１減算し（ステップＳ９８１）、プロセスデータｎの内容に従って演出装置（演出表示装置９、スピーカ２７等）を制御する処理を実行する（ステップＳ９８２）。
【０３４８】
そして、演出制御用マイクロコンピュータ１００は、２Ｒ用演出時間タイマがタイムアウトしていないかどうかを確認する（ステップＳ９８３）。タイムアウトしていなければ、そのまま処理を終了する。タイムアウトしていなければ、演出制御用マイクロコンピュータ１００は、プロセスタイマがタイムアウトしていないかどうかを確認し（ステップＳ９８４）、プロセスタイマがタイムアウトしていれば、プロセスデータの切り替えを行う（ステップＳ９８５）。そして、プロセスタイマをスタートさせる（ステップＳ９８６）。
【０３４９】
２Ｒ用演出時間タイマがタイムアウトしていれば（ステップＳ９８３のＹ）、演出制御用マイクロコンピュータ１００は、所定のフラグ（小当りフラグ、図柄情報コマンド受信フラグなど）をリセットし（ステップＳ９８７）、演出制御プロセスフラグの値を変動パターンコマンド受信待ち処理（ステップＳ８００）に対応した値に設定する（ステップＳ９８８）。
【０３５０】
図６１は、演出表示装置９に表示される報知画面の例を示す説明図である。図６１（Ａ）には、演出制御用マイクロコンピュータ１００が、初期化指定コマンドの受信に応じて演出表示装置９に表示する初期画面の例が示されている。図６１（Ｂ）には、演出制御用マイクロコンピュータ１００が、停電復旧指定コマンドの受信に応じて演出表示装置９に表示する停電復旧画面の例が示されている。図６１（Ｃ）には、演出制御用マイクロコンピュータ１００が、異常入賞報知指定コマンド（異常入賞報知１指定コマンドまたは異常入賞報知２指定コマンド）の受信に応じて演出表示装置９に表示する異常報知画面の例が示され、かつ、演出図柄の変動が開始されても、異常報知画面の表示が継続されることが示されている（図６１（Ｃ）の右側参照）。
【０３５１】
図６２は、ステップＳ７０７の報知制御処理を示すフローチャートである。報知制御処理において、演出制御用マイクロコンピュータ１００は、初期報知フラグがセットされているか否か確認する（ステップＳ１００１）。初期報知フラグは、遊技制御用マイクロコンピュータ５６０から電源投入指定指定コマンドを受信した場合にセットされている（図４８におけるステップＳ６３２Ｂ参照）。初期報知フラグがセットされていない場合には、ステップＳ１００６に移行する。初期報知フラグがセットされている場合には、ステップＳ６３２Ｃで設定された期間タイマの値を−１する（ステップＳ１００２）。そして、期間タイマの値が０になったら、すなわち初期報知期間が経過したら、初期報知フラグをリセットする（ステップＳ１００３，Ｓ１００４）。
【０３５２】
さらに、演出制御用マイクロコンピュータ１００は、演出表示装置９において初期画面または停電復旧画面を消去させるための指令をＶＤＰ１０９に出力する（ステップＳ１００５）。ＶＤＰ１０９は、指令に応じて、演出表示装置９から初期画面または停電復旧画面を消去する。
【０３５３】
ステップＳ１００６では、演出制御用マイクロコンピュータ１００は、異常入賞報知２指定コマンドを受信したことを示す異常入賞報知２指定コマンド受信フラグがセットされているか否か確認する。セットされていなければ、ステップＳ１００８に移行する。異常入賞報知２指定コマンド受信フラグがセットされている場合には、異常入賞報知２指定コマンド受信フラグをリセットし（ステップＳ１００７）、ステップＳ１０１２に移行する。すなわち、異常入賞報知２指定コマンドを受信したということは、大入賞口への異常入賞が検出された場合であるが、この場合、後述するステップＳ１０１２を実行することによって音出力のみによる異常入賞報知が実行される。
【０３５４】
ステップＳ１００８では、演出制御用マイクロコンピュータ１００は、異常入賞報知１指定コマンドを受信したことを示す異常入賞報知１指定コマンド受信フラグがセットされているか否か確認する。セットされていなければ、そのまま処理を終了する。異常入賞報知１指定コマンド受信フラグがセットされている場合には、異常入賞報知１指定コマンド受信フラグをリセットし（ステップＳ１００９）、異常入賞報知１受信カウンタの値を１加算する（ステップＳ１０１０）。異常入賞報知１受信カウンタは、異常入賞報知１指定コマンドの受信回数をカウントするためのカウンタである。
【０３５５】
次いで、演出制御用マイクロコンピュータ１００は、異常入賞報知１受信カウンタの値が１であるか否か（すなわち、異常入賞報知１指定コマンドを１回だけ受信したか否か）を確認する（ステップＳ１０１１）。異常入賞報知１受信カウンタの値が１であれば、演出制御用マイクロコンピュータ１００は、異常入賞の報知に応じた音出力を示す音データを音声出力基板７０に出力する（ステップＳ１０１２）。音声出力基板７０に搭載されている音声合成用ＩＣ７０３は、入力された音データに対応したデータを音声データＲＯＭ７０４から読み出し、読み出したデータに従って音声信号をスピーカ２７側に出力する。よって、以後、異常入賞の報知に応じた音出力（異常報知音の出力）が行われる。そして、演出制御用マイクロコンピュータ１００は、異常報知を行っていることを示す異常報知中フラグをセットする（ステップＳ１０１９）。
【０３５６】
異常入賞報知１受信カウンタの値が１でなければ、演出制御用マイクロコンピュータ１００は、異常入賞報知１受信カウンタの値が２であるか否か（すなわち、異常入賞報知１指定コマンドを２回受信したか否か）を確認する（ステップＳ１０１３）。異常入賞報知１受信カウンタの値が２であれば、演出制御用マイクロコンピュータ１００は、異常入賞の報知に応じた音出力を示す音データを音声出力基板７０に出力する（ステップＳ１０１４）。また、演出制御用マイクロコンピュータ１００は、異常入賞の報知に応じたランプ表示を示すランプ制御実行データをランプドライバ基板３５に出力する（ステップＳ１０１５）。よって、以後、異常入賞の報知に応じたランプ表示および音出力（異常報知音の出力）が行われる。そして、演出制御用マイクロコンピュータ１００は、異常報知を行っていることを示す異常報知中フラグをセットする（ステップＳ１０１９）。
【０３５７】
異常入賞報知１受信カウンタの値が２でなければ（すなわち、異常入賞報知１受信カウンタの値が３以上であれば（異常入賞報知１指定コマンドを３回以上受信していれば））、演出制御用マイクロコンピュータ１００は、異常入賞の報知に応じた音出力を示す音データを音声出力基板７０に出力する（ステップＳ１０１６）。また、演出制御用マイクロコンピュータ１００は、異常入賞の報知に応じたランプ表示を示すランプ制御実行データをランプドライバ基板３５に出力する（ステップＳ１０１７）。さらに、演出制御用マイクロコンピュータ１００は、演出表示装置９において、そのときに表示されている画面に対して、異常報知画面を重畳表示する指令をＶＤＰ１０９に出力する（ステップＳ１０１８）。ＶＤＰ１０９は、指令に応じて、演出表示装置９に異常報知画面を重畳表示する（図６１（Ｃ）参照）。よって、以後、異常入賞の報知に応じたランプ表示および音出力（異常報知音の出力）が行われるとともに、演出表示装置９に異常報知画面が重畳表示される。そして、演出制御用マイクロコンピュータ１００は、異常報知を行っていることを示す異常報知中フラグをセットする（ステップＳ１０１９）。
【０３５８】
以上の処理が実行されることによって、演出制御用マイクロコンピュータ１００は、異常入賞報知１指定コマンドまたは異常入賞報知２指定コマンドを受信したことにもとづいて、異常入賞報知を実行する。また、演出制御用マイクロコンピュータ１００は、異常入賞報知１指定コマンドを受信したことにもとづいて異常入賞報知を開始した後にさらに異常入賞報知１指定コマンドを受信した場合には、異常入賞報知１指定コマンドの受信回数に応じて異常入賞報知の報知態様を切り替える。すなわち、この実施の形態では、異常入賞報知１指定コマンドを１回だけ受信した場合には、音出力のみを用いて異常入賞報知を実行する。また、異常入賞報知１指定コマンドを２回受信した場合には、音出力に加えてランプ表示を用いて異常入賞報知を実行する。さらに、異常入賞報知１指定コマンドを３回以上受信した場合には、ランプ表示および音出力に加えて、異常報知画面を重畳表示することによって異常入賞報知を実行する。
【０３５９】
なお、この実施の形態で示した異常入賞報知の報知態様は一例であり、例えば、出力する異常報知音を変化させたり、ランプの表示パターン（例えば、点灯や点滅）を変化させることによって、異常入賞報知の報知態様を切り替えてもよい。また、この実施の形態では、異常入賞報知１指定コマンドの受信回数に応じて異常入賞報知の報知態様を切り替える場合を説明したが、異常入賞報知１指定コマンドを１回受信したときに、音出力に加えて異常報知画面表示およびランプ表示の全てを用いて異常入賞報知を行うようにしてもよい。この場合、演出制御用マイクロコンピュータ１００は、異常入賞報知１指定コマンドを１回受信すると、スピーカ２７を用いた異常報知音の出力制御を行うとともに、演出表示装置９に異常報知画面を重畳表示させ、各ランプ２５，２８ａ，２８ｂ，２８ｃを用いた異常表示の表示制御を行う。
【０３６０】
また、この実施の形態では、異常入賞報知１指定コマンドを１回だけ受信した場合に音出力のみを用いて異常入賞報知を実行する場合を示したが、異常入賞報知の組合せの態様は、この実施の形態で示したものに限られない。例えば、異常入賞報知１指定コマンドを１回だけ受信した場合に、演出表示装置９に異常報知画面を重畳表示させてもよく、各ランプ２５，２８ａ，２８ｂ，２８ｃを用いた異常表示の表示制御を行ってもよい。また、異常報知画面の重畳表示、音出力または各ランプ２５，２８ａ，２８ｂ，２８ｃを用いた異常表示のうちのいずれか２つまたは全てを用いて異常報知演出を行ってもよい。
【０３６１】
図６３は、演出表示装置９における表示演出およびスピーカ２７による音演出の状況の例を示す説明図である。図６３（Ａ）には、演出表示装置９において演出図柄の可変表示が行われているときの例が示されている。図６３（Ｂ）には、演出表示装置９において初期化報知が行われている場合の例が示されている。
【０３６２】
図６３（Ｃ）には、演出表示装置９において異常報知が行われ、スピーカ２７によって異常報知音の出力がなされている場合の例が示されている。演出制御用マイクロコンピュータ１００は、遊技制御用マイクロコンピュータ５６０から異常入賞報知指定コマンドを受信すると、演出表示装置９に異常報知画面を表示する制御を行うとともに、スピーカ２７から異常報知音を出力させる制御を行う。また、変動パターンコマンドの受信に応じて演出図柄の可変表示が開始されても、演出表示装置９における異常報知画面の表示とスピーカ２７からの異常報知音の出力とを継続させる。また、演出図柄の可変表示が終了しても、演出表示装置９における異常報知画面の表示とスピーカ２７からの異常報知音の出力とを継続させる。なお、演出制御用マイクロコンピュータ１００は異常報知画面を消去する制御および異常報知音の出力を停止する制御を実行しないので、演出表示装置９における異常報知画面の表示とスピーカ２７からの異常報知音の出力とは、遊技機に対する電力供給が停止するまで継続する。ただし、演出制御用マイクロコンピュータ１００は、異常報知画面の表示と異常報知音の出力とが開始されてから所定時間が経過すると、異常報知画面の表示と異常報知音の出力とを停止するように制御してもよい。
【０３６３】
また、この実施の形態では、異常報知は、演出表示装置９とスピーカ２７とによってなされるが、ランプ・ＬＥＤも用いて異常報知を行うようにしてもよい。その場合、演出制御用マイクロコンピュータ１００は、異常入賞報知指定コマンドを受信すると、ランプ・ＬＥＤを、通常状態（異常入賞が発生していないとき）における態様とは異なる態様で点滅させるように制御する。
【０３６４】
また、この実施の形態では、遊技制御用マイクロコンピュータ５６０は、遊技機に対する電力供給が開始されてから所定期間（初期化報知が実行されている期間）、異常入賞の検出を行わず、遊技制御用マイクロコンピュータ５６０から異常入賞報知指定コマンドが送信されることはない。しかし、遊技制御用マイクロコンピュータ５６０は、第１特別図柄プロセスフラグまたは第２特別図柄プロセスフラグの値が所定値（この実施の形態では５）未満のとき、または普通図柄プロセスフラグの値が所定値（この実施の形態では３）以外のときには常時異常入賞の検出を行うようにして、演出制御用マイクロコンピュータ１００が、遊技機に対する電力供給が開始されてから所定期間の間に異常入賞報知１指定コマンドまたは異常入賞報知２指定コマンドを受信した場合には、異常入賞の報知を行わないようにしてもよい。
【０３６５】
以上に説明したように、この実施の形態では、初期化報知が異常報知に対して優先されるので、初期化報知が認識しにくくなるような事態が生ずることが防止される。すなわち、目立つように初期化報知が行われる。遊技制御用マイクロコンピュータ５６０は、遊技機に対する電力供給が開始されたとき以外でも、プログラムを先頭番地（例えば、００００番地）から実行開始させるユーザリセットが発生したときには、初期化指定コマンドを送信する。ユーザリセットが発生する原因として、例えば、ウォッチドッグタイマを使用するように構成されている場合において、プログラムの円滑な進行を妨げるような不正行為によってウォッチドッグタイマがタイムアウトしたような場合がある。そのような不正行為は、特に、大当り図柄決定用乱数にもとづいて所定の大当り図柄（あらかじめ決められている確変大当り図柄や突然確変大当り図柄）が決定されたときに確変状態に制御するように構成されている場合に生じやすい。つまり、遊技制御用マイクロコンピュータ５６０を初期化して大当り図柄決定用乱数を生成するためのカウンタを初期化させ、そのカウンタのカウント値を把握しやすくするような不正行為を受けやすい。この実施の形態のように、初期化報知を目立つようにすることによって、遊技制御用マイクロコンピュータ５６０が初期化されたことを遊技機の外部から容易に把握できるので、不正行為がなされた可能性があることが容易に認識される。
【０３６６】
また、この実施の形態では、確変状態において、通常状態（非確変状態）に比べて、普通図柄の変動時間を短くし、かつ、可変入賞球装置１５の開放時間を長くしたが、時短状態においても、普通図柄の変動時間を短くしたり、可変入賞球装置１５の開放時間を長くするようにしてもよい。
【０３６７】
また、この実施の形態では、演出制御用マイクロコンピュータ１００は、所定期間が経過すると初期化報知を終了させたが（ステップＳ１００１〜Ｓ１００５参照）、他のタイミングで初期化報知を終了させるようにしてもよい。例えば、初期化報知が開始されてから最初に演出図柄の可変表示が開始されるときに初期化報知を終了させたり、演出図柄の可変表示が開始される前に異常入賞報知指定コマンドを受信したときに初期化報知を終了させたりしてもよい。また、客待ちデモ指定コマンドを受信したり、初期化報知が開始されてから客待ちデモ指定コマンド以外の最初の演出制御コマンドを受信したときに初期化報知を終了させてもよい。つまり、遊技店員等が、初期化報知を認識することができるのに十分な期間だけ、初期化報知が継続されることが好ましい。
【０３６８】
なお、この実施の形態では、図４２のステップＳ３６２Ｂおよび図４４のステップＳ２５５において第１特別図柄プロセスフラグまたは第２特別図柄プロセスフラグの値が５以上であるかどうかで大入賞口への異常入賞の発生タイミングであるかどうか判定するようにしていたが、第１特別図柄プロセスフラグおよび第２特別図柄プロセスフラグの値が５のとき（大入賞口開放前処理の実行時）は、特定可変入賞球装置２０が開放されていない状態であるので、第１特別図柄プロセスフラグまたは第２特別図柄プロセスフラグの値が６以上であるかどうかで異常入賞の発生タイミングであるかどうか判定するようにしてもよい。
【０３６９】
また、この実施の形態では、異常入賞の発生タイミング（第１特別図柄プロセスフラグまたは第２特別図柄プロセスフラグの値が５以上、普通図柄プロセスフラグの値が３以外）のときに１個の遊技球が大入賞口または第２始動入賞口１４に入賞すれば、異常入賞が発生したと判定していたが、このような構成に限られず、異常入賞の発生タイミングのときに所定個数の遊技球が大入賞口または第２始動入賞口１４に入賞すれば、異常入賞が発生したと判定するようにしてもよい。例えば、大当り遊技中および小当り遊技中以外のときに累積して５個の遊技球が大入賞口に入賞したと判定された場合に異常入賞が発生したと判定する。また、可変入賞球装置１５の開閉動作中以外のときに累積して２個の遊技球が第２始動入賞口１４に入賞したと判定された場合に異常入賞が発生したと判定する。
【０３７０】
なお、この実施の形態では、大入賞口への異常入賞が発生した場合も第２始動入賞口１４への異常入賞が発生した場合も同じ内容の異常入賞報知を行っていたが、異なる異常入賞報知を行うようにしてもよい。具体的には、演出制御用マイクロコンピュータ１００は、遊技制御用マイクロコンピュータ５６０からの異常入賞報知指定コマンドの種類に応じて異なる異常入賞報知を実行する。例えば、大入賞口への異常入賞が発生した場合と第２始動入賞口１４への異常入賞が発生した場合とで異なる報知音を鳴らす。または大入賞口への異常入賞が発生した場合の方が大きな音で異常報知を行う。
【０３７１】
実施の形態２．
第１の実施の形態では、第２始動入賞口１４への異常入賞が生じたことが検出されたときでも、第２特別図柄表示器８ｂにおける第２特別図柄の変動や演出表示装置９における演出図柄の変動は継続して実行されるように構成されていた。従って、不正に第２始動入賞口１４に遊技球を入賞させた場合（例えば、普通図柄が当り図柄になっていないのに不正に可変入賞球装置１５を開放させ、第２始動入賞口１４に遊技球を入賞させたような場合）であっても、その始動入賞により大当りが発生してしまい、不正に出球が獲得させてしまうことが生じ得る。そこで、第２の実施の形態では、第２始動入賞口１４への異常入賞が生じたことが検出されたときに、所定のタイミングで特別図柄の変動を停止するように構成している。
【０３７２】
図６４は、第２の実施の形態における第２特別図柄プロセス処理を示すフローチャートである。第２特別図柄プロセス処理において、ＣＰＵ５６は、まず、第２始動入賞口１４への異常入賞が検出されたことを示す異常入賞報知フラグがセットされたかどうか確認する（ステップＳ１３１５）。ここで、異常入賞検出フラグは、第２始動入賞口１４への異常入賞が検出されたとき、つまり、図４４のステップＳ２５８ＡおよびステップＳ２６４Ｃでセットされる。
【０３７３】
異常入賞報知フラグがセットされているときは（ステップＳ１３１５のＹ）、ＣＰＵ５６は、第２特別図柄表示器８ｂにおいて第２特別図柄の変動が行われているかどうか、具体的には第２特別図柄プロセスフラグの値が第２特別図柄変動中処理（図２４に示すステップＳ３０３Ｂ）を示す値（「３」）であるかどうかを判定する（ステップＳ１３１６）。第２特別図柄プロセスフラグの値が第２特別図柄変動中処理を示す値（「３」）であるときは（ステップＳ１３１６のＹ）、ステップＳ１３１１（図２４におけるステップＳ３１１Ｂと同内容の処理）以降の処理を実行する。すなわち、第２特別図柄表示器８ｂにおいて第２特別図柄の変動を継続して実行させる。第２特別図柄プロセスフラグの値が第２特別図柄変動中処理を示す値（「３」）でないときは（ステップＳ１３１６のＮ）、第２特別図柄プロセス処理を終了させる。すなわち、第２特別図柄表示器８ｂにおいて第２特別図柄の変動制御を停止させる。このような構成により、第２始動入賞口１４への異常入賞が検出された時点で、第２特別図柄の変動中でないときは、直ちに第２特別図柄の変動が禁止され、第２特別図柄の変動中であったときは、第２特別図柄の変動を継続させ、次の第２特別図柄の変動が禁止されることになる。
【０３７４】
なお、図６４では、第２始動入賞口１４への異常入賞が検出されたことにもとづいて、第２特別図柄の変動を禁止する制御について説明していたが、第２始動入賞口１４への異常入賞が検出されたことにもとづいて、第１特別図柄の変動を禁止する制御を行うようにしてもよい。この場合は、図６４に示すステップＳ１３１５，Ｓ１３１６と同様の処理を、図１３に示した第１特別図柄プロセス処理におけるステップＳ３１１Ａの処理の前に実行するようにすればよい。
【０３７５】
実施の形態３．
第１の実施の形態では、第２始動入賞口１４への異常入賞が生じたことが検出されたときでも、特別図柄表示器（第１特別図柄表示器ａまたは第２特別図柄表示器８ｂ）における特別図柄（第１特別図柄または第２特別図柄）の変動や演出表示装置９における演出図柄の変動は継続して実行されるように構成されていた。従って、不正に第２始動入賞口１４に遊技球を入賞させた場合（例えば、普通図柄が当り図柄になっていないのに不正に可変入賞球装置１５を開放させ、第２始動入賞口１４に遊技球を入賞させたような場合）であっても、その始動入賞により大当りが発生してしまい、不正に出球が獲得させてしまうことが生じ得る。そこで、第３の実施の形態では、第２始動入賞口１４への異常入賞が生じたことが検出されたときに、所定のタイミングで演出図柄の変動を停止するように構成している。
【０３７６】
図６５は、第３の実施の形態における演出制御プロセス処理を示すフローチャートである。演出制御プロセス処理において、演出制御用マイクロコンピュータ１００は、まず、異常入賞報知指定コマンド受信フラグ（異常入賞報知１指定コマンド受信フラグまたは異常入賞報知２指定コマンド受信フラグ）がセットされたかどうか確認する（ステップＳ８０９Ａ）。異常入賞報知指定コマンド受信フラグがセットされているときは（ステップＳ８０９ＡのＹ）、演出制御用マイクロコンピュータ１００は、演出表示装置９において演出図柄の変動が行われているかどうか、具体的には演出制御プロセスフラグの値が演出図柄変動中処理（ステップＳ８０２）を示す値（「２」）であるかどうかを判定する（ステップＳ８０９Ｂ）。演出制御プロセスフラグの値が演出図柄変動中処理を示す値（「２」）であるときは（ステップＳ８０９ＢのＹ）、演出図柄変動中処理（ステップＳ８０２）を実行する。すなわち、演出表示装置９において演出図柄の変動を継続して実行させる。演出制御プロセスフラグの値が演出図柄変動中処理を示す値（「２」）でないときは（ステップＳ８０９ＢのＮ）、演出制御プロセス処理を終了させる。すなわち、演出表示装置９において演出図柄の変動制御を停止させる。このような構成により、異常入賞報知指定コマンドを受信した時点で、演出図柄の変動中でないときは、直ちに演出図柄の変動が禁止され、演出図柄の変動中であったときは、演出図柄の変動を継続させ、演出図柄の変動が禁止されることになる。
【０３７７】
以上のように、第３の実施の形態によれば、第２始動入賞口１４への異常入賞の検出にもとづいて特別図柄表示器８における特別図柄の変動および演出表示装置９における演出図柄の変動を禁止する制御を実行するので、不正行為によって第２始動入賞口１４への入賞を発生させたような場合（例えば、普通図柄が当り図柄になっていないのに可変入賞球装置１５を開放させて遊技球を第２始動入賞口１４に入賞させるような場合）であっても、その入賞にもとづいて大当りが発生するのを確実に防止することができる。
【０３７８】
なお、第３の実施の形態では、特別図柄プロセスフラグ（第１特別図柄プロセスフラグまたは第２特別図柄プロセスフラグ）の値が特別図柄変動中処理（第１特別図柄変動中処理または第２特別図柄変動中処理）を示す値になっているかどうか、および演出制御プロセスフラグの値が演出図柄変動中処理を示す値になっていないかどうかを確認して、図柄の変動を禁止する制御を実行していたが、このような構成に限られるわけではなく、例えば、異常入賞報知フラグがセットされたとき、および異常入賞報知指定コマンド受信フラグ（異常入賞報知１指定コマンド受信フラグまたは異常入賞報知２指定コマンド受信フラグ）がセットされたときに、直ちに図柄の変動を禁止する制御を行うようにしてもよい。また、第２始動入賞口１４への異常入賞が検出された時点の保留記憶数を確認し、その保留記憶数分の図柄の変動が終了するまで、図柄の変動を継続し、保留記憶数分の図柄の変動が終了すると、図柄の変動を禁止する制御を行うようにしてもよい。具体的には、異常入賞報知フラグがセットされたときに保留記憶数を確認し、確認した保留記憶数分の変動が実行されたかどうかをカウンタでカウントし、保留記憶数分の変動が終了したときに変動を禁止する制御を実行する。このような構成によれば、正常な第２始動入賞口１４への始動入賞にもとづく変動については継続させ、異常入賞にもとづく変動について禁止することができる。なお、上記の構成において、正確に異常入賞にもとづく図柄の変動を禁止させる場合には、異常入賞が検出された時点の（保留記憶数−１）分の変動が終了した時点で図柄の変動を禁止するようにしてもよい。
【０３７９】
実施の形態４．
以下、本発明の第４の実施の形態を、図面を参照して説明する。まず、パチンコ遊技機１の全体の構成について説明する。図６６はパチンコ遊技機（弾球遊技機）１を正面からみた正面図である。
【０３８０】
パチンコ遊技機１は、縦長の方形状に形成された外枠（図示せず）と、外枠の内側に開閉可能に取り付けられた遊技枠とで構成される。また、パチンコ遊技機１は、遊技枠に開閉可能に設けられている額縁状に形成されたガラス扉枠２を有する。遊技枠は、外枠に対して開閉自在に設置される前面枠（図示せず）と、機構部品等が取り付けられる機構板（図示せず）と、それらに取り付けられる種々の部品（後述する遊技盤６を除く）とを含む構造体である。
【０３８１】
ガラス扉枠２の下部表面には打球供給皿（上皿）３がある。打球供給皿３の下部には、打球供給皿３に収容しきれない遊技球を貯留する余剰球受皿４や、打球を発射する打球操作ハンドル（操作ノブ）５が設けられている。また、ガラス扉枠２の背面には、遊技盤６が着脱可能に取り付けられている。なお、遊技盤６は、それを構成する板状体と、その板状体に取り付けられた種々の部品とを含む構造体である。また、遊技盤６の前面には、打ち込まれた遊技球が流下可能な遊技領域７が形成されている。
【０３８２】
遊技領域７の中央付近には、液晶表示装置（ＬＣＤ）で構成された演出表示装置９が設けられている。演出表示装置９の表示画面には、可変表示の実行条件である始動条件の成立（例えば、打球が第１始動入賞口１３または第２始動入賞口１４に入賞したこと）にもとづいて各々を識別可能な複数種類の演出用の演出図柄を可変表示し表示結果を導出表示する表示領域がある。また、演出表示装置９の表示画面には、第１始動入賞口１３および第２始動入賞口１４に入った有効入賞球数すなわち保留記憶数（保留記憶を、始動記憶または始動入賞記憶ともいう。）を表示する表示領域（保留記憶表示領域１８ｃ）がある。保留記憶表示領域１８ｃでは、有効始動入賞がある毎に、保留記憶数を示す保留記憶表示の点灯色を１つ変化させる（例えば赤色から青色に変化させる）。そして、演出表示装置９での可変表示が開始される毎に、保留記憶表示の点灯色を１つもとに戻す（例えば青色から赤色に戻す）。
【０３８３】
なお、入賞とは、入賞口などのあらかじめ入賞領域として定められている領域に遊技球が入ったことである。また、表示結果を導出表示するとは、図柄を停止表示させることである。
【０３８４】
遊技盤６における左側方下部には、識別情報としての特別図柄を可変表示する特別図柄表示器（特別図柄表示装置）８が設けられている。この実施の形態では、特別図柄表示器８は、０〜９の数字を可変表示可能な簡易で小型の２つの表示器（例えば７セグメントＬＥＤ）で実現されている。よって、特別図柄表示器８は、特別図柄としての００〜９９の数字（または、２桁の記号）を可変表示するように構成されている。なお、この実施の形態では、特別図柄の変動は、特別図柄表示器８における左右の表示器のそれぞれに表示される図柄が「−」→「０」→・・・→「９」と変化することによって実現される。
【０３８５】
特別図柄表示器８の近傍には、第１始動入賞口１３および第２始動入賞口１４に入った有効入賞球数すなわち保留記憶数（保留記憶を、始動記憶または始動入賞記憶ともいう。）を表示する４つの表示器からなる特別図柄保留記憶表示器１８が設けられている。特別図柄保留記憶表示器１８は、有効始動入賞がある毎に、点灯する表示器の数を１増やす。そして、特別図柄表示器８での可変表示が開始される毎に、点灯する表示器の数を１減らす。
【０３８６】
演出表示装置９は、特別図柄表示器８による特別図柄の可変表示時間中に、装飾用（演出用）の図柄としての演出図柄の可変表示を行う。演出図柄の可変表示を行う演出表示装置９は、演出制御基板に搭載されている演出制御用マイクロコンピュータによって制御される。特別図柄の可変表示を行う特別図柄表示器８は、遊技制御基板に搭載されている遊技制御用マイクロコンピュータによって制御される。
【０３８７】
演出表示装置９の下方には、遊技球が入賞可能な第１始動入賞口１３が形成されている。第１始動入賞口１３に入賞した遊技球は、遊技盤６の背面に導かれ、第１始動口スイッチ１３ａによって検出される。
【０３８８】
また、第１始動入賞口１３の真下には、第２始動入賞口１４が形成されている。そして、第２始動入賞口１４には開閉動作を行う可変入賞球装置１５が設けられている。可変入賞球装置１５が閉状態のときは第２始動入賞口１４に遊技球が入賞せず、可変入賞球装置１５が開状態のときに第２始動入賞口１４に遊技球が入賞可能となる。可変入賞球装置１５は、ソレノイド１６によって開閉される。可変入賞球装置１５が開状態になることによって、遊技球が第２始動入賞口１４に入賞可能になり（始動可能になり）、遊技者にとって有利な状態になる。第２始動入賞口１４に入賞した遊技球は、遊技盤６の背面に導かれ、第２始動口スイッチ１４ａによって検出される。
【０３８９】
演出表示装置９の下部には、第２大入賞口を形成する役物７５が設けられている。役物７５には、モータ等の駆動装置によって駆動される羽根状の可動部材７６が設けられている。可動部材７６が左に倒れるような位置に制御されると、遊技球が第２大入賞口に進入可能な状態（開放状態）になる。可動部材７６が第２大入賞口を塞ぐような位置に制御されると、遊技球が第２大入賞口に進入不可能な状態（閉鎖状態）になる。以下、役物７５を、「第２大入賞口」または「第２大入賞口（役物）」と表現することがある。
【０３９０】
第２大入賞口（役物）の内部には、進入した遊技球を検出する第２大入賞口入賞スイッチ７１ａが設けられている。さらに、第１特定領域７３と、第１特定領域７３を通過した遊技球を検出する第１特定領域通過スイッチ７３ａとが設けられている。また、第２特定領域７４と、第２特定領域７４を通過した遊技球を検出する第２特定領域通過スイッチ７４ａとが設けられている。
【０３９１】
また、可変入賞球装置１５の下方には、特別図柄表示器８に特定表示結果（大当り図柄）が導出表示された場合に生ずる特定遊技状態（大当り遊技状態）においてソレノイド２１によって開状態とされる特定可変入賞球装置２０が設けられている。特定可変入賞球装置２０は、開閉板を備え、第１大入賞口を形成する。第１大入賞口に入った遊技球はカウントスイッチ２３で検出される。
【０３９２】
遊技盤６の右側方下部には、普通図柄表示器１０が設けられている。普通図柄表示器１０は、普通図柄と呼ばれる複数種類の識別情報（例えば、「○」および「×」）を可変表示する。
【０３９３】
遊技球がゲート３２を通過しゲートスイッチ３２ａで検出されると、普通図柄表示器１０の表示の可変表示が開始される。この実施の形態では、左右のランプ（点灯時に図柄が視認可能になる）が交互に点灯することによって可変表示が行われ、例えば、可変表示の終了時に左側のランプが点灯すれば当りとなる。そして、普通図柄表示器１０における停止図柄が所定の図柄（当り図柄）である場合に、可変入賞球装置１５が所定回数、所定時間だけ開状態になる。すなわち、可変入賞球装置１５の状態は、普通図柄の停止図柄が当り図柄である場合に、遊技者にとって不利な状態から有利な状態（第２始動入賞口１４に遊技球が入賞可能な状態）に変化する。普通図柄表示器１０の近傍には、ゲート３２を通過した入賞球数を表示する４つのＬＥＤによる表示部を有する普通図柄保留記憶表示器４１が設けられている。ゲート３２への遊技球の通過がある毎に、すなわちゲートスイッチ３２ａによって遊技球が検出される毎に、普通図柄保留記憶表示器４１は点灯するＬＥＤを１増やす。そして、普通図柄表示器１０の可変表示が開始される毎に、点灯するＬＥＤを１減らす。
【０３９４】
遊技盤６の遊技領域７の左右周辺には、遊技中に点滅表示される装飾ランプ２５が設けられ、下部には、入賞しなかった打球が取り込まれるアウト口２６がある。また、遊技領域７の外側の左右上部には、所定の音声出力として効果音や音声を発声する２つのスピーカ２７が設けられている。遊技領域７の外周上部、外周左部および外周右部には、前面枠に設けられた天枠ランプ２８ａ、左枠ランプ２８ｂおよび右枠ランプ２８ｃが設けられている。さらに、遊技領域７における各構造物（第２大入賞口等）の周囲には装飾ＬＥＤが設置されている。天枠ランプ２８ａ、左枠ランプ２８ｂ、右枠ランプ２８ｃおよび装飾用ＬＥＤは、遊技機に設けられている装飾発光体の一例である。また、左枠ランプ２８ｂの近傍には賞球残数があるときに点灯する賞球ランプ５１が設けられ、右枠ランプ２８ｃの近傍には補給球が切れたときに点灯する球切れランプ５２が設けられている。
【０３９５】
遊技機には、遊技者が打球操作ハンドル５を操作することに応じて駆動モータを駆動し、駆動モータの回転力を利用して遊技球を遊技領域７に発射する打球発射装置（図示せず）が設けられている。打球発射装置から発射された遊技球は、遊技領域７を囲むように円形状に形成された打球レールを通って遊技領域７に入り、その後、遊技領域７を下りてくる。遊技球が第１始動入賞口１３または第２始動入賞口１４に入り第１始動口スイッチ１３ａまたは第２始動口スイッチ１４ａで検出されると、特別図柄の可変表示を開始できる状態であれば（例えば、前回の可変表示または大当り遊技が終了し、可変表示の開始条件が成立したこと）、特別図柄表示器８において特別図柄の可変表示（変動）が開始されるとともに、演出表示装置９において演出図柄の可変表示が開始される。特別図柄の可変表示を開始できる状態でなければ、保留記憶数が上限値に達していないことを条件として、保留記憶数を１増やす。
【０３９６】
図６７は、この実施の形態の遊技機の遊技の進み方の一例を示す説明図である。第１始動入賞口１３または第２始動入賞口１４に遊技球が入賞すると、すなわち始動入賞が生ずると、遊技の進行を制御する遊技制御手段（遊技制御用マイクロコンピュータ５６０）によって抽選が実行される。抽選では、はずれ、第１大当りＡ、第１大当りＢ、小当りＡ、小当りＢ、第２大当りのいずれかが決定される。そして、可変表示の開始条件が成立したことにもとづいて、特別図柄および演出図柄の変動（可変表示）が開始される。
【０３９７】
変動時間（可変表示時間）が経過すると、特別図柄および演出図柄の変動が終了する。抽選の結果、はずれに決定されている場合には、大当り遊技は実行されず、第１大入賞口は開放されない。抽選の結果、第１大当りＡに決定されている場合には、第１大入賞口が１５回（１５ラウンド、１ラウンドの開放許容時間は２９秒）開放する第１大当り遊技（第１大当り遊技Ａ）が行われ、第１大当りＢに決定されている場合には、第１大入賞口が２回（２ラウンド、１ラウンドの開放許容時間は２９秒）開放する第１大当り遊技（第１大当り遊技Ｂ）が行われる。なお、第１大当りＡと第１大当りＢとを第１大当りと総称し、第１大当りと第２大当りとを、大当りと総称することがある。
【０３９８】
抽選の結果、小当りＡおよび小当りＢのいずれかに決定されている場合には、第２大入賞口が２回開放する（１回当り０．５秒の開放）。但し、小当りＡに決定された場合と小当りＢに決定された場合とは、第２大入賞口が開放するタイミングが異なる。すなわち、図柄の変動が終了したとき（停止図柄が導出表示されたとき）から第２大入賞口が開放されるまでのタイミングが、小当りＡに決定された場合と小当りＢに決定された場合とで異なる。なお、小当りＡに決定されたときの第２大入賞口が開放するタイミングを開放タイミングＡといい、小当りＢに決定されたときの第２大入賞口が開放するタイミングを開放タイミングＢという。また、第２大入賞口が２回開放（１回当り０．５秒の開放の場合）する動作を始動動作ということがある。
【０３９９】
遊技球が、第２大入賞口内に進入し、第２大入賞口内の第１特定領域７３に入賞した場合には、第２大入賞口が１５ラウンド開放する（１ラウンド当り２秒、７回の開放）第２大当り遊技が実行される。遊技球が、第２大入賞口内の第２特定領域７４に入賞した場合には、第２大入賞口が７ラウンド開放する（１ラウンド当り２秒、７回の開放）第２大当り遊技が実行される。なお、始動動作中でも、第２大当り動作中でも、第２大入賞口に遊技球が入賞し、第２大入賞口入賞スイッチ７１ａで遊技球が検出されると賞球払出がなされる。
【０４００】
抽選の結果、第２大当りにすることに決定されている場合には、始動動作が行われることなく、第２大入賞口が１５ラウンド開放する（１ラウンド当り２秒、７回の開放）第２大当り遊技が実行される。
【０４０１】
図６８〜図７０は、第２大入賞口を形成する役物７５内の構造例、および役物７５内の遊技球の流れの様子を示す説明図である。また、図７１および図７２は、流路切替部材７８の貯留動作を説明するための説明図である。役物７５において、駆動装置としてのモータ２４によって可動部材７６が倒れた状態になると、第２大入賞口が開放し、遊技球が第２大入賞口内に進入可能になる。第２大入賞口内に進入した遊技球は、例えば近接スイッチによる第２大入賞口入賞スイッチ７１ａで検出され、流路切替部材７８に至る。
【０４０２】
流路切替部材７８は、モータ２２で駆動され、図６８に示す下方に倒れた状態（遊技球を役物７５内の下部に導く状態）と、図６９〜図７２に示す水平の状態（遊技球を流路切替部材７８の先に導く状態）と、図７１に示す上方に立った状態（遊技球を貯留（止める）状態）とに変化する。このように流路切替部材７８が変化（可動）することによって、第２大入賞口内に進入した遊技球の流路（経路）が切り替えられる。この実施の形態では、流路切替部材７８は、最初、水平の状態にある。そして、図柄の変動が終了して停止図柄（小当りになったことを示す小当り図柄）が導出表示されてから所定時間経過したときに、流路切替部材７８の動作が開始される。そして、下方に倒れた状態と水平の状態と上方に立った状態とを所定期間交互に繰り返す。なお、この実施の形態では、小当りＡが発生したとき（小当りＡになったことを示す小当り図柄が導出表示されたとき）も、小当りＢが発生したとき（小当りＢになったことを示す小当り図柄が導出表示されたとき）も、小当り図柄が導出表示されてから流路切替部材７８の動作が開始されるまでの時間は一定とされている。これに対し、この実施の形態では、小当りＡが発生したときと小当りＢが発生したときとで、小当り図柄が導出表示されてから可動部材７６が動作されるまでの時間を異ならせている。
【０４０３】
流路切替部材７８が下方に倒れた状態のときに遊技球が流路切替部材７８に到達すると、図６８に示すように、遊技球は役物７５内の下部に導かれる。役物７５内の下部に導かれた遊技球は、遊技盤６の背面側に導かれて排出される。なお、遊技盤６の背面側に導かれた遊技球は、１つの排出経路に導かれ、排出経路に設けられている第２大入賞口排出スイッチ７２ａで検出される。
【０４０４】
流路切替部材７８は、例えばモータ２２の逆回転によって、図６９および図７０に示すように、遊技球を流路切替部材７８の先に導くような位置に戻る（流路切替部材７８が水平になる）。流路切替部材７８の先には、第１特定領域７３と第２特定領域７４とが設けられている。
【０４０５】
図６９に示すように、第１特定領域７３を通過した遊技球は、例えば近接スイッチによる第１特定領域スイッチ７３ａで検出された後、遊技盤６の背面側に導かれて排出される。なお、遊技盤６の背面側に導かれた遊技球は、１つの排出経路に導かれ、排出経路に設けられている第２大入賞口排出スイッチ７２ａで検出される。
【０４０６】
また、図７０に示すように、第２特定領域７４を通過した遊技球は、例えば近接スイッチによる第２特定領域スイッチ７４ａで検出された後、遊技盤６の背面側に導かれて排出される。なお、遊技盤６の背面側に導かれた遊技球は、１つの排出経路に導かれ、排出経路に設けられている第２大入賞口排出スイッチ７２ａで検出される。
【０４０７】
流路切替部材７８が上方に立った状態のときに遊技球が流路切替部材７８に到達すると、図７１に示すように、遊技球は流路切替部材７８でせき止められ一旦貯留される。その後、流路切替部材７８が水平な状態に戻ると、貯留されていた遊技球が、第１特定領域７３および第２特定領域７４が設けられているクルーン（遊技球を振り分けるために用いられる皿状で穴の開いている部品。役物の一部。）の方へゆっくりと進行する。この場合、遊技球の進行速度が遅いので、遊技球は手前側に設けられている第１特定領域７３に進入する割合が高くなる。
【０４０８】
流路切替部材７８が水平の状態のときに遊技球が流路切替部材７８に到達すると、図７２に示すように、遊技球は貯留されずに流路切替部材７８を通過する。流路切替部材７８を通過した遊技球は、第１特定領域７３および第２特定領域７４が設けられているクルーンの方へ速い速度で進行する。この場合、遊技球の進行速度が速いので、遊技球は奥側に設けられている第２特定領域７４に進入する割合が高くなる。
【０４０９】
以上のように、遊技球が第２大入賞口内に進入したときの流路切替部材７８の状態によって、経路が切り替えられる。すなわち、流路切替部材７８が下方に倒れた状態であるかどうかによって、有利経路（特定領域に至る経路）と不利経路（特定領域に至らない経路）とが切り替えられる。また、流路切替部材７８が上方に立った状態であるかどうかによって、第１特定領域７３に進入しやすいか第２特定領域７４に進入しやすいかが決定される。
【０４１０】
この実施の形態では、流路切替部材７８はモータ２２の駆動に応じて位置を変えるが、流路切替部材７８をソレノイドで駆動するようにしてもよい。また、可動部材７６はモータ２４の駆動に応じて位置を変えるが、可動部材７６をソレノイドで駆動するようにしてもよい。
【０４１１】
図６８〜図７０に例示された役物７５の構造は一例であって、第１特定領域７３と第２特定領域７４との位置関係、大きさの差、第１特定領域と第２特定領域の数の違いなどを変更してもよい。
【０４１２】
図７３は、主基板（遊技制御基板）３１における回路構成の一例を示すブロック図である。なお、図７３には、払出制御基板３７および演出制御基板８０等も示されている。主基板３１には、プログラムに従ってパチンコ遊技機１を制御する遊技制御用マイクロコンピュータ（遊技制御手段に相当）５６０が搭載されている。遊技制御用マイクロコンピュータ５６０は、ゲーム制御（遊技進行制御）用のプログラム等を記憶するＲＯＭ５４、ワークメモリとして使用される記憶手段としてのＲＡＭ５５、プログラムに従って制御動作を行うＣＰＵ５６およびＩ／Ｏポート部５７を含む。この実施の形態では、ＲＯＭ５４およびＲＡＭ５５は遊技制御用マイクロコンピュータ５６０に内蔵されている。すなわち、遊技制御用マイクロコンピュータ５６０は、１チップマイクロコンピュータである。１チップマイクロコンピュータには、少なくともＣＰＵ５６のほかＲＡＭ５５が内蔵されていればよく、ＲＯＭ５４は外付けであっても内蔵されていてもよい。また、Ｉ／Ｏポート部５７は、外付けであってもよい。
【０４１３】
なお、遊技制御用マイクロコンピュータ５６０においてＣＰＵ５６がＲＯＭ５４に格納されているプログラムに従って制御を実行するので、以下、遊技制御用マイクロコンピュータ５６０（またはＣＰＵ５６）が実行する（または、処理を行う）ということは、具体的には、ＣＰＵ５６がプログラムに従って制御を実行することである。このことは、主基板３１以外の他の基板に搭載されているマイクロコンピュータについても同様である。
【０４１４】
また、ゲートスイッチ３２ａ、第１始動口スイッチ１３ａ、第２始動口スイッチ１４ａ、カウントスイッチ２３、第２大入賞口入賞スイッチ７１ａ、第２大入賞口排出スイッチ７２ａ、第１特定領域通過スイッチ７３ａおよび第２特定領域通過スイッチ７４ａからの検出信号を遊技制御用マイクロコンピュータ５６０に与える入力ドライバ回路５８も主基板３１に搭載されている。また、可変入賞球装置１５を開閉するソレノイド１６、第１大入賞口を形成する特定可変入賞球装置２０を開閉するソレノイド２１、第２大入賞口（役物）内への遊技球の進入を許容するための可動部材７６を駆動するモータ２４、および第２大入賞口（役物）内の流路切替部材７８を駆動するモータ２２を遊技制御用マイクロコンピュータ５６０からの指令に従って駆動する出力回路５９も主基板３１に搭載されている。さらに、大当り遊技状態の発生を示す大当り情報等の情報出力信号をホールコンピュータ等の外部装置に対して出力する情報出力回路（図示せず）も主基板３１に搭載されている。
【０４１５】
また、遊技制御用マイクロコンピュータ５６０は、特別図柄を可変表示する特別図柄表示器８、普通図柄を可変表示する普通図柄表示器１０、特別図柄保留記憶表示器１８および普通図柄保留記憶表示器４１の表示制御を行う。
【０４１６】
この実施の形態では、演出制御基板８０に搭載されている演出制御手段（演出制御用マイクロコンピュータで構成される。）が、中継基板７７を介して遊技制御用マイクロコンピュータ５６０からの演出制御コマンドを受信し、演出図柄を可変表示する演出表示装置９の表示制御を行う。
【０４１７】
なお、この実施の形態における中継基板７７、演出制御基板８０、ランプドライバ基板３５および音声出力基板７０の回路構成は、図３に示す第１の実施の形態における回路構成と同様である。
【０４１８】
また、この実施の形態において、主基板３１における遊技制御用マイクロコンピュータ５６０が実行するメイン処理は、図４に示す第１の実施の形態のメイン処理と同様である。
【０４１９】
なお、この実施の形態では、初期値用乱数とは、大当りとするか否か決定するための乱数を発生するためのカウンタ（大当り判定用乱数発生カウンタ）等の、カウント値の初期値を決定するための乱数である。遊技の進行を制御する遊技制御処理（遊技制御用マイクロコンピュータ５６０が、遊技機に設けられている演出表示装置、可変入賞球装置、球払出装置等の遊技用の装置を、自身で制御する処理、または他のマイクロコンピュータに制御させるために指令信号を送信する処理、遊技装置制御処理ともいう）において、普通図柄当り判定用乱数のカウント値が１周（普通図柄当り判定用乱数の取りうる値の最小値から最大値までの間の数値の個数分歩進したこと）すると、そのカウンタに初期値が設定される。
【０４２０】
図７４は、各乱数を示す説明図である。各乱数は、以下のように使用される。
（１）ランダム１：大当り（小当りを含む。）を発生させるか否か決定する（大当り判定用）
（２）ランダム２：大当りを発生させるときの特別図柄の停止図柄を決定する（大当り図柄決定用）
（３）ランダム３： 特別図柄のはずれ図柄（停止図柄）を決定する（はずれ図柄決定用）
（４）ランダム４：特別図柄の変動パターン（変動時間）を決定する（変動パターン決定用）
（５）ランダム５：普通図柄にもとづく当りを発生させるか否か決定する（普通図柄当り判定用）
（６）ランダム６：ランダム１の初期値を決定する（ランダム１初期値決定用）
（７）ランダム７：ランダム５の初期値を決定する（ランダム５初期値決定用）
【０４２１】
図７５は、大当り判定用乱数と大当り判定値との関係の一例を示す説明図である。ＣＰＵ５６は、所定の時期に、大当り判定用乱数を発生するためのカウンタのカウント値を抽出して抽出値を大当り判定用乱数値とするのであるが、大当り判定用乱数値が図７５に示す大当り判定値に一致すると、大当り（第１大当りＡ、第１大当りＢまたは第２大当り）または小当り（小当りＡまたは小当りＢ）とすることに決定する。
【０４２２】
なお、この実施の形態では、抽選の結果、大当りが発生する確率が高められる確変状態に制御しない。つまり、確変状態は生じない。しかし、所定の確変状態移行条件が成立すると、遊技状態を、大当りが発生する確率を高めた確変状態に制御するようにしてもよい。その場合、確変状態では、大当り判定値の数が多くなる。また、確変状態では、普通図柄表示器１０における停止図柄が当り図柄になる確率が高められるとともに、可変入賞球装置１５の開放時間と開放回数が高められるようにしてもよい。
【０４２３】
この実施の形態では、第１大当り遊技の終了後に所定の変動回数（例えば５０回）だけ遊技状態が時短状態（特別図柄の可変表示時間が通常遊技状態のときよりも短縮される遊技状態）に制御される。このように可変表示時間が短縮されることにより、頻繁に図柄の可変表示が実行され、単位時間当たりの大当りの発生確率が向上する結果、遊技者にとって有利な状態となる。なお、図２２に示すように、第１大当り終了処理では、遊技状態が時短状態に制御されていることを示す時短フラグがセットされる。また、特別図柄プロセス処理における所定の処理（例えば変動パターン設定処理など）において時短状態への移行後の変動回数を変動回数カウンタでカウントし、第１大当り遊技終了後の変動回数が所定回数（例えば５０回）に達した時点で時短フラグをリセットする処理が行われる。また、この実施の形態では、時短状態に制御されているときには、普通図柄表示器１０における停止図柄が当り図柄になる確率が通常遊技状態のときよりも高められるとともに、可変入賞球装置１５の開放時間と開放回数が通常遊技状態のときよりも高められる（図２８参照）。さらに、時短状態に制御されているときには、普通図柄の可変表示時間（変動時間）を短縮する制御が行われる。これにより、第２始動入賞（第２始動入賞口１４への入賞）が発生する確率が高くなり、遊技者にとってさらに有利な状態になる。なお、普通図柄の停止図柄が当り図柄になる確率が向上し、可変入賞球装置１５における開放時間と開放回数の一方または双方が高められ、普通図柄の可変表示時間が短縮された状態を確変時の状態といい、確変時の状態以外の通常の状態を通常の状態という。
【０４２４】
図７６は、この実施の形態での始動入賞にもとづいて特別図柄の変動が行われた場合の遊技状態の変化の仕方を説明するための説明図である。始動入賞が生ずると、ＣＰＵ５６は大当りまたは小当りとするか否かの抽選処理を行う。抽選結果が「第１大当りＡ」を発生させることである場合には、特別図柄の可変表示が終了した後、第１大当り遊技に移行され、第１大入賞口が１５回（１５Ｒ＝１５ラウンド）開閉される。また、抽選結果が「第１大当りＢ」を発生させることである場合には、特別図柄の可変表示が終了した後、第１大当り遊技に移行され、第１大入賞口が２回（２Ｒ＝２ラウンド）開閉される。また、抽選結果が「第２大当り」を発生させることである場合には、特別図柄の可変表示が終了した後、第２大当り遊技に移行され、第２大入賞口が所定回（１５Ｒまたは７Ｒ）開閉される。また、抽選結果が「小当りＡ」を発生させることである場合には、特別図柄の可変表示が終了した後、小当り遊技に移行されて第２大入賞口が２回開閉され、第２大入賞口内の特定領域に遊技球が入賞したことによって第２大当り遊技に移行され、さらに第２大入賞口が所定回（１５Ｒまたは７Ｒ）開閉される。また、抽選結果が「小当りＢ」を発生させることである場合には、特別図柄の可変表示が終了した後、小当り遊技に移行されて第２大入賞口が２回開閉され、第２大入賞口内の特定領域に遊技球が入賞したことによって第２大当り遊技に移行され、さらに第２大入賞口が所定回（１５Ｒまたは７Ｒ）開閉される。
【０４２５】
図７７は、演出表示装置９における演出図柄の停止図柄の一例を示す説明図である。図７７に示す例では、第１大当りＡが発生する場合には、停止図柄として「７７７」（第１大当りＡの発生を想起させるような停止図柄）が導出表示される。また、第１大当りＢが発生する場合には、「１１１」「３３３」「５５５」「９９９」（第１大当りＢの発生を想起させるような停止図柄）が導出表示される。また、第２大当りが発生する場合には、「２２２」「４４４」「６６６」「８８８」（第２大当りの発生を想起させるような停止図柄）が導出表示される。また、小当りＡが発生する場合には、「１３５」「３５７」「５７９」（小当りＡの発生を想起させるような停止図柄）が導出表示される。また、小当りＢが発生する場合には、「１２３」「３４５」「５６７」（小当りＢの発生を想起させるような停止図柄）が導出表示される。そして、はずれの場合には、左中右の図柄が不揃いの停止図柄または左右図柄と中図柄とが一致しない停止図柄（小当り図柄を除く。）が導出表示される。なお、演出表示装置９において可変表示および停止表示される演出図柄は、数字、アルファベット、キャラクタ状の図柄、キャラクタ状の表示物の中に数字等が表示されている図柄、その他どのような図柄であってもよい。以下、第１大当り（第１大当りＡまたは第１大当りＢ）の発生を想起させるような演出図柄の停止図柄も、第２大当りの発生を想起させるような演出図柄の停止図柄も、大当り図柄という。また、小当り（小当りＡまたは小当りＢ）の発生を想起させるような演出図柄の停止図柄を、小当り図柄という。
【０４２６】
なお、特別図柄の停止図柄は、大当りが発生する場合には、例えば左右の数字が奇数の数字で揃った状態の図柄であり、小当りが発生する場合には、例えば左右の数字が偶数の数字で揃った状態の図柄であり、大当りおよび小当りが発生しない場合には、例えば左右の数字が揃わない状態の図柄である。
【０４２７】
図７８は、小当りにもとづいて役物７５が開放状態に制御された場合の状態変化を示す説明図である。小当りが発生すると可動部材７６が開放状態になって第２大入賞口が開放するのであるが、第２大入賞口内に設けられている第１特別領域７３に遊技球が入賞すると、さらに第２大入賞口が１５ラウンド（１ラウンド当り２秒、７回）開放する第２大当り遊技が実行され、第２大入賞口内に設けられている第２特別領域７４に遊技球が入賞すると、さらに第２入賞口が７ラウンド（１ラウンド当り２秒、７回）開放する第２大当り遊技が実行される。なお、可動部材７６が開放状態になることを羽根開放ともいう。また、この実施の形態では、小当り遊技は、始動動作と、それに続く第２大当り遊技とを含めた遊技である。
【０４２８】
図７９は、始動動作としての第２大入賞口開放後の遊技状態の変化の仕方を説明するための説明図である。可動部材７６が開放状態になると（（Ａ）参照）、遊技球が第２大入賞口（役物）に進入可能になるが、進入した遊技球が流路切替部材７８によって落下させられると、遊技球は特定領域（第１特定領域７３および第２特定領域７４）に入賞できない（（Ｂ）参照）。
【０４２９】
第２大入賞口（役物）に進入した遊技球が流路切替部材７８によって落下させられず、第１特定領域７３を通過すると（（Ｃ）参照）、１５ラウンドの第２大当り遊技が実行される。また、第２大入賞口（役物）に進入した遊技球が流路切替部材７８によって落下させられず、第２特定領域７４を通過すると（（Ｄ）参照）、７ラウンドの第２大当り遊技が実行される。
【０４３０】
メイン処理において、タイマ割込が発生すると、ＣＰＵ５６は、図８０に示すステップＳ２０〜Ｓ３５のタイマ割込処理を実行する。タイマ割込処理において、まず、電源断信号が出力されたか否か（オン状態になったか否か）を検出する電源断検出処理を実行する（ステップＳ２０）。電源断信号は、例えば電源基板に搭載されている電圧低下監視回路が、遊技機に供給される電源の電圧の低下を検出した場合に出力する。そして、電源断検出処理において、ＣＰＵ５６は、電源断信号が出力されたことを検出したら、必要なデータをバックアップＲＡＭ領域に保存するための電力供給停止時処理を実行する。次いで、入力ドライバ回路５８を介して、ゲートスイッチ３２ａ、第１始動口スイッチ１３ａ、第２始動口スイッチ１４ａ、カウントスイッチ２３、第２大入賞口入賞スイッチ７１ａ、第２大入賞口排出スイッチ７２ａ、第１特定領域通過スイッチ７３ａおよび第２特定領域通過スイッチ７４ａの検出信号を入力し、それらの状態判定を行う（スイッチ処理：ステップＳ２１）。
【０４３１】
次に、ＣＰＵ５６は、特別図柄表示器８、普通図柄表示器１０、特別図柄保留記憶表示器１８および普通図柄保留記憶表示器４１の表示制御を行う表示制御処理を実行する（ステップＳ２２）。特別図柄表示器８および普通図柄表示器１０については、ステップＳ３３，Ｓ３４で設定された出力バッファの内容に応じて各表示器に対して駆動信号を出力する制御を実行する。
【０４３２】
また、ＣＰＵ５６は、正規の時期以外の時期において大入賞口（第１大入賞口、第２大入賞口）に遊技球が入賞したことを検出した場合や、正規の時期以外の時期において第２始動入賞口に遊技球が入賞したことを検出した場合に、異常入賞の報知を行わせるための処理を行う（ステップＳ２３：異常入賞報知処理）。
【０４３３】
次に、遊技制御に用いられる大当り判定用の乱数等の各判定用乱数を生成するための各カウンタのカウント値を更新する処理を行う（判定用乱数更新処理：ステップＳ２４）。ＣＰＵ５６は、さらに、初期値用乱数および表示用乱数を生成するためのカウンタのカウント値を更新する処理を行う（初期値用乱数更新処理，表示用乱数更新処理：ステップＳ２５，Ｓ２６）。
【０４３４】
図８０に示された遊技制御処理におけるステップＳ２４では、遊技制御用マイクロコンピュータ５６０は、図７４に示す説明図を用いて説明した（１）の大当り判定用乱数、（２）の大当り図柄決定用乱数、および（５）の普通図柄当り判定用乱数を生成するためのカウンタのカウントアップ（１加算）を行う。すなわち、それらが判定用乱数であり、それら以外の乱数が表示用乱数または初期値用乱数である。なお、遊技効果を高めるために、（１）〜（７）の乱数以外の乱数も用いられている。また、この実施の形態では、特別図柄のはずれ図柄を１種類（例えば、「−−」）にしているので、はずれ図柄決定用乱数を用いなくてもよい。
【０４３５】
さらに、ＣＰＵ５６は、特別図柄プロセス処理を行う（ステップＳ２７Ｃ）。特別図柄プロセス処理では、遊技状態に応じて特別図柄表示器８および大入賞口（第１大入賞口、第２大入賞口）を所定の順序で制御するための特別図柄プロセスフラグに従って該当する処理を実行する。ＣＰＵ５６は、特別図柄プロセスフラグの値を、遊技状態に応じて更新する。
【０４３６】
また、ＣＰＵ５６は、切替部材制御処理を行う（ステップＳ２７Ｄ）。切替部材制御処理では、所定のタイミングになると流路切替部材７８の作動を開始させ、所定のタイミングなると流路切替部材７８の作動を停止させる制御を行う。
【０４３７】
また、ＣＰＵ５６は、普通図柄プロセス処理を行う（ステップＳ２８）。普通図柄プロセス処理では、ＣＰＵ５６は、普通図柄表示器１０の表示状態を所定の順序で制御するための普通図柄プロセスフラグに従って該当する処理を実行する。ＣＰＵ５６は、普通図柄プロセスフラグの値を、遊技状態に応じて更新する。
【０４３８】
次いで、ＣＰＵ５６は、演出表示装置９の表示制御に関する演出制御コマンドを送出する処理を行う（演出制御コマンド制御処理：ステップＳ２９）。
【０４３９】
さらに、ＣＰＵ５６は、例えばホール管理用コンピュータに供給される大当り情報、始動情報、確率変動情報などのデータを出力する情報出力処理を行う（ステップＳ３０）。
【０４４０】
また、ＣＰＵ５６は、第１始動口スイッチ１３ａ、第２始動口スイッチ１４ａ、第２大入賞口入賞スイッチ７１ａ、およびカウントスイッチ２３の検出信号にもとづく賞球個数の設定などを行う賞球処理を実行する（ステップＳ３１）。具体的には、第１始動口スイッチ１３ａ、第２始動口スイッチ１４ａ、第２大入賞口入賞スイッチ７１ａ、およびカウントスイッチ２３のいずれかがオンしたことにもとづく入賞検出に応じて、払出制御基板３７に搭載されている払出制御用マイクロコンピュータに賞球個数を示す払出制御コマンドを出力する。払出制御用マイクロコンピュータは、賞球個数を示す払出制御コマンドに応じて球払出装置９７を駆動する。
【０４４１】
この実施の形態では、出力ポートの出力状態に対応したＲＡＭ領域（出力ポートバッファ）が設けられているのであるが、ＣＰＵ５６は、出力ポートのＲＡＭ領域におけるソレノイドのオン／オフに関する内容を出力ポートに出力する（ステップＳ３２：出力処理）。また、ＣＰＵ５６は、出力処理において、モータ２２，２４を駆動するための信号出力処理も行う。
【０４４２】
また、ＣＰＵ５６は、特別図柄プロセスフラグの値に応じて特別図柄の演出表示を行うための特別図柄表示制御データを特別図柄表示制御データ設定用の出力バッファに設定する特別図柄表示制御処理を行う（ステップＳ３３）。ＣＰＵ５６は、例えば、変動速度が１コマ／０．２秒であれば、０．２秒が経過する毎に、出力バッファに設定される表示制御データの値を＋１する。また、ＣＰＵ５６は、出力バッファに設定された表示制御データに応じて、ステップＳ２２において駆動信号を出力することによって、特別図柄表示器８における特別図柄の可変表示を実行する。
【０４４３】
さらに、ＣＰＵ５６は、普通図柄プロセスフラグの値に応じて普通図柄の演出表示を行うための普通図柄表示制御データを普通図柄表示制御データ設定用の出力バッファに設定する普通図柄表示制御処理を行う（ステップＳ３４）。ＣＰＵ５６は、例えば普通図柄の変動速度が０．２秒ごとに表示状態（「○」および「×」）を切り替えるような速度であれば、０．２秒が経過する毎に、出力バッファに設定される表示制御データの値（例えば、「○」を示す１と「×」を示す０）を切り替える。また、ＣＰＵ５６は、出力バッファに設定された表示制御データに応じて、ステップＳ２２において駆動信号を出力することによって、普通図柄表示器１０における普通図柄の演出表示を実行する。その後、割込許可状態に設定し（ステップＳ３５）、処理を終了する。
【０４４４】
以上の制御によって、この実施の形態では、遊技制御処理は２ｍｓ毎に起動されることになる。なお、遊技制御処理は、タイマ割込処理におけるステップＳ２１〜Ｓ３４（ステップＳ３０を除く。）の処理に相当する。また、この実施の形態では、タイマ割込処理で遊技制御処理が実行されているが、タイマ割込処理では例えば割込が発生したことを示すフラグのセットのみがなされ、遊技制御処理はメイン処理において実行されるようにしてもよい。
【０４４５】
図８１および図８２は、主基板３１に搭載される遊技制御用マイクロコンピュータ５６０（具体的には、ＣＰＵ５６）が実行する特別図柄プロセス処理（ステップＳ２７Ｃ）のプログラムの一例を示すフローチャートである。上述したように、特別図柄プロセス処理では特別図柄表示器８および大入賞口（第１大入賞口、第２大入賞口）を制御するための処理が実行される。
【０４４６】
ＣＰＵ５６は、特別図柄プロセス処理を行う際に、遊技盤６に設けられている第１始動入賞口１３に遊技球が入賞したことを検出するための第１始動口スイッチ１３ａがオンしていたら、すなわち遊技球が第１始動入賞口１３に入賞する始動入賞が発生していたら（ステップＳ３２１のＹ）、第１始動口スイッチ通過処理を実行する（ステップＳ３２２）。
【０４４７】
また、ＣＰＵ５６は、遊技盤６に設けられている第２始動入賞口１４に遊技球が入賞したことを検出するための第２始動口スイッチ１４ａがオンしていたら、すなわち遊技球が第２始動入賞口１４に入賞する始動入賞が発生していたら（ステップＳ３２３のＹ）、第２始動口スイッチ通過処理を実行する（ステップＳ３２４）。そして、ステップＳ３００Ｃ〜Ｓ３１４Ｃのうちのいずれかの処理を行う。
【０４４８】
ステップＳ３００Ｃ〜Ｓ３１４Ｃの処理は、以下のような処理である。
【０４４９】
特別図柄通常処理（ステップＳ３００Ｃ）：特別図柄プロセスフラグの値が０であるときに実行される。遊技制御用マイクロコンピュータ５６０は、特別図柄の可変表示が開始できる状態になると、保留記憶数（始動入賞記憶数）を確認する。保留記憶数は保留記憶数カウンタのカウント値により確認できる。保留記憶数が０でない場合には、大当りとするか否か決定する。そして、内部状態（特別図柄プロセスフラグ）をステップＳ３０１Ｃに対応した値（この例では１）に更新する。
【０４５０】
変動パターン設定処理（ステップＳ３０１Ｃ）：特別図柄プロセスフラグの値が１であるときに実行される。特別図柄の可変表示後の停止図柄を決定する。また、変動パターンを決定し、その変動パターンにおける変動時間（可変表示時間：可変表示を開始してから表示結果が導出表示（停止表示）するまでの時間）を特別図柄の可変表示の変動時間とすることに決定する。また、特別図柄の変動時間を計測する変動時間タイマをスタートさせる。そして、内部状態（特別図柄プロセスフラグ）をステップＳ３０２Ｃに対応した値（この例では２）に更新する。
【０４５１】
表示結果特定コマンド送信処理（ステップＳ３０２Ｃ）：特別図柄プロセスフラグの値が２であるときに実行される。演出制御用マイクロコンピュータ１００に、表示結果特定コマンドを送信する制御を行う。そして、内部状態（特別図柄プロセスフラグ）をステップＳ３０３Ｃに対応した値（この例では３）に更新する。
【０４５２】
特別図柄変動中処理（ステップＳ３０３Ｃ）：特別図柄プロセスフラグの値が３であるときに実行される。変動パターン設定処理で選択された変動パターンの変動時間が経過（ステップＳ３０１Ｃでセットされる変動時間タイマがタイムアウトすなわち変動時間タイマの値が０になる）すると、特別図柄表示器８における可変表示を停止して停止図柄を導出表示させる。また、演出制御用マイクロコンピュータ１００に、図柄確定指定コマンドを送信する制御を行う。そして、内部状態（特別図柄プロセスフラグ）をステップＳ３０４Ｃに対応した値（この例では４）に更新する。なお、演出制御用マイクロコンピュータ１００は、遊技制御用マイクロコンピュータ５６０が送信する図柄確定指定コマンドを受信すると演出表示装置９において演出図柄が停止されるように制御する。
【０４５３】
特別図柄停止処理（ステップＳ３０４Ｃ）：特別図柄プロセスフラグの値が４であるときに実行される。特別図柄を停止表示する時間が経過（特別図柄プロセスタイマがタイムアウト）すると、第１大当りフラグがセットされている場合には、内部状態（特別図柄プロセスフラグ）をステップＳ３０５Ｃに対応した値（この例では５）に更新する。第２大当りフラグまたは小当りフラグがセットされている場合には、内部状態（特別図柄プロセスフラグ）をステップＳ３０８Ｃに対応した値（この例では８）に更新する。そして、第１大当りフラグ、第２大当りフラグおよび小当りフラグがセットされていない場合には、内部状態（特別図柄プロセスフラグ）をステップＳ３００Ｃに対応した値（この例では０）に更新する。
【０４５４】
第１大入賞口開放前処理（ステップＳ３０５Ｃ）：特別図柄プロセスフラグの値が５であるときに実行される。第１大入賞口開放前処理では、第１大入賞口を開放する制御を行う。具体的には、カウンタ（例えば第１大入賞口に入った遊技球数をカウントするカウンタ）などを初期化するとともに、ソレノイド２１を駆動して第１大入賞口を開放状態にする。また、タイマによって第１大入賞口開放中処理の実行時間を設定し、内部状態（特別図柄プロセスフラグ）をステップＳ３０６Ｃに対応した値（この例では６）に更新する。なお、第１大入賞口開放前処理は各ラウンド毎に実行されるが、第１ラウンドを開始する場合には、第１大入賞口開放前処理は第１大当り遊技を開始する処理でもある。
【０４５５】
第１大入賞口開放中処理（ステップＳ３０６Ｃ）：特別図柄プロセスフラグの値が６であるときに実行される。第１大当り遊技状態中のラウンド表示の演出制御コマンドを演出制御用マイクロコンピュータ１００に送信する制御や第１大入賞口の閉成条件の成立を確認する処理等を行う。第１大入賞口の閉成条件が成立し、かつ、まだ残りラウンドがある場合には、内部状態（特別図柄プロセスフラグ）をステップＳ３０５Ｃに対応した値（この例では５）に更新する。また、全てのラウンドを終えた場合には、内部状態（特別図柄プロセスフラグ）をステップＳ３０７Ｃに対応した値（この例では７）に更新する。
【０４５６】
大当り終了処理（ステップＳ３０７Ｃ）：特別図柄プロセスフラグの値が７であるときに実行される。第１大当り遊技状態が終了したことを遊技者に報知する表示制御を演出制御用マイクロコンピュータ１００に行わせるための制御を行う。そして、内部状態（特別図柄プロセスフラグ）をステップＳ３００Ｃに対応した値（この例では０）に更新する。
【０４５７】
役物開放制御通常処理（ステップＳ３０８Ｃ）：特別図柄プロセスフラグの値が８であるときに実行される。遊技制御用マイクロコンピュータ５６０は、小当りフラグがセットされている場合は、始動動作を行わせるための処理を実行して、内部状態（特別図柄プロセスフラグ）を役物開放中処理（ステップＳ３０９Ｃ）に応じた値（この例では９）に更新する。小当りフラグがセットされていない場合（つまり第２大当りフラグがセットされている場合）には、第２大当り遊技状態を開始させるための処理を実行して、内部状態（特別図柄プロセスフラグ）を第２大入賞口開放前処理（ステップＳ３１１Ｃ）に応じた値（この例では１１）に更新する。
【０４５８】
役物開放中処理（ステップＳ３０９Ｃ）：特別図柄プロセスフラグの値が９であるときに実行される。遊技球が第１特別領域７３に入賞したことを検出したら第１Ｖ入賞フラグをセットし、遊技球が第２特別領域７４に入賞したことを検出したら第２Ｖ入賞フラグをセットする。始動入賞時の第２大入賞口開放時間が経過したら、第２大入賞口を閉鎖する制御を行い、内部状態（特別図柄プロセスフラグ）を役物閉鎖後処理（ステップＳ３１０Ｃ）に応じた値（この例では１０）に更新する。
【０４５９】
役物閉鎖後処理（ステップＳ３１０Ｃ）：特別図柄プロセスフラグの値が１０であるときに実行される。遊技球が第１特別領域７３に入賞したことを検出したら第１Ｖ入賞フラグをセットし、遊技球が第２特別領域７４に入賞したことを検出したら第２Ｖ入賞フラグをセットする。第２大入賞口に入賞した遊技球が全て第２大入賞口から排出された場合に、始動動作における２回の第２大入賞口の開放が完了していたときには、第１Ｖ入賞フラグまたは第２Ｖ入賞フラグがセットされていることを条件に、内部状態（特別図柄プロセスフラグ）を第２大入賞口開放前処理（ステップＳ３１１Ｃ）に応じた値（この例では１１）に更新する。第１Ｖ入賞フラグおよび第２Ｖ入賞フラグがセットされていない場合には、内部状態（特別図柄プロセスフラグ）を特別図柄通常処理（ステップＳ３００Ｃ）に応じた値（この例では０）に更新する。始動動作における２回の第２大入賞口の開放が完了していないときには、内部状態（特別図柄プロセスフラグ）を役物開放中処理（ステップＳ３０９Ｃ）に応じた値（この例では９）に更新する。
【０４６０】
第２大入賞口開放前処理（ステップＳ３１１Ｃ）：特別図柄プロセスフラグの値が１１であるときに実行される。第２大入賞口を開放する制御を行う。具体的には、カウンタ（例えば第２大入賞口に入った遊技球数をカウントするカウンタ）などを初期化するとともに、モータ２４を駆動して第２大入賞口を開放状態にする。また、タイマによって第２大入賞口開放中処理の実行時間を設定し、内部状態（特別図柄プロセスフラグ）を第２大入賞口開放中処理（ステップＳ３１２Ｃ）に応じた値（この例では１２）に更新する。なお、第２大入賞口開放前処理は各ラウンド毎に実行されるが、第１ラウンドを開始する場合には、第２大入賞口開放前処理は第２大当り遊技を開始する処理でもある。
【０４６１】
第２大入賞口開放中処理（ステップＳ３１２Ｃ）：特別図柄プロセスフラグの値が１２であるときに実行される。第２大入賞口の閉成条件の成立を確認する処理等を行う。第２大入賞口の閉成条件が成立した場合には、内部状態（特別図柄プロセスフラグ）を第２大入賞口閉鎖後処理（ステップＳ３１３Ｃ）に応じた値（この例では１３）に更新する。
【０４６２】
第２大入賞口閉鎖後処理（ステップＳ３１３Ｃ）：特別図柄プロセスフラグの値が１３であるときに実行される。第２大入賞口から全ての遊技球が排出されたことを確認する処理等を行う。全ての遊技球が排出され、かつ、まだ残りラウンドがある場合には、内部状態（特別図柄プロセスフラグ）を第２大入賞口開放中処理（ステップＳ３１２Ｃ）に応じた値（この例では１２）に更新する。また、全てのラウンドを終えた場合には、内部状態（特別図柄プロセスフラグ）を第２大当り終了処理（ステップＳ３１４Ｃ）に応じた値（この例では１４）に更新する。
【０４６３】
第２大当り終了処理（ステップＳ３１４Ｃ）：特別図柄プロセスフラグの値が１４であるときに実行される。第２大当り遊技状態が終了したことを遊技者に報知する表示制御を演出制御用マイクロコンピュータ１００に行わせるための制御を行う。そして、内部状態（特別図柄プロセスフラグ）を特別図柄通常処理（ステップＳ３００Ｃ）に応じた値（この例では０）に更新する。
【０４６４】
図８３は、この実施の形態の演出制御用マイクロコンピュータ１００に送出される演出制御コマンドの内容の一例を示す説明図である。図８３に示す例において、コマンド８００１（Ｈ）〜８００８（Ｈ）は、特別図柄の可変表示に対応して演出表示装置９において可変表示される演出図柄の変動パターンを指定する演出制御コマンド（変動パターンコマンド）である。なお、変動パターンを指定する演出制御コマンドは、変動開始を指定するためのコマンドでもある。従って、演出制御用マイクロコンピュータ１００は、コマンド８００１（Ｈ）〜８００８（Ｈ）のいずれかを受信すると、演出表示装置９において演出図柄の可変表示を開始するように制御する。
【０４６５】
コマンド８Ｃ０１（Ｈ）は、変動パターンコマンドで指定する演出図柄の可変表示の表示結果を第１大当りＡ図柄（図７５参照）にすることを指定する演出制御コマンド（第１大当りＡ指定コマンド）である。コマンド８Ｃ０２（Ｈ）は、変動パターンコマンドで指定する演出図柄の可変表示の表示結果を第１大当りＢ図柄にすることを指定する演出制御コマンド（第１大当りＢ指定コマンド）である。コマンド８Ｃ０３（Ｈ）は、変動パターンコマンドで指定する演出図柄の可変表示の表示結果を小当りＡ図柄にすることを指定する演出制御コマンド（小当りＡ指定コマンド）である。コマンド８Ｃ０４（Ｈ）は、変動パターンコマンドで指定する演出図柄の可変表示の表示結果を小当りＢ図柄にすることを指定する演出制御コマンド（小当りＢ指定コマンド）である。コマンド８Ｃ０５（Ｈ）は、変動パターンコマンドで指定する演出図柄の可変表示の表示結果を第２大当り図柄にすることを指定する演出制御コマンド（第２大当り指定コマンド）である。コマンド８Ｃ０６（Ｈ）は、変動パターンコマンドで指定する演出図柄の可変表示の表示結果をはずれ図柄とすることを指定する演出制御コマンド（はずれ指定コマンド）である。演出制御用マイクロコンピュータ１００は、コマンド８Ｃ０１（Ｈ）〜８Ｃ０６（Ｈ）の受信に応じて演出図柄の表示結果を決定するので、コマンド８Ｃ０１（Ｈ）〜８Ｃ０６（Ｈ）を表示結果特定コマンドという。
【０４６６】
なお、遊技制御用マイクロコンピュータ５６０が表示結果特定コマンドを送信するのではなく、第１大当りＡ／第１大当りＢ／小当りＡ／小当りＢ／第２大当り／はずれのそれぞれに対応させて変動パターンコマンドを定め、演出制御用マイクロコンピュータ１００は、受信した変動パターンコマンドにもとづいて演出図柄の停止図柄を決定するようにしてもよい。
【０４６７】
コマンド８Ｆ００（Ｈ）は、特別図柄の可変表示（変動）を終了して表示結果（停止図柄）を導出表示することを示す演出制御コマンド（図柄確定指定コマンド）である。演出制御用マイクロコンピュータ１００は、図柄確定指定コマンドを受信すると、演出図柄の可変表示（変動）を終了して表示結果を導出表示する。なお、導出表示とは、図柄を最終的に停止表示させることである。
【０４６８】
コマンド９０００（Ｈ）は、遊技機に対する電力供給が開始されたときに送信される演出制御コマンド（初期化指定コマンド：電源投入指定コマンド）である。コマンド９２００（Ｈ）は、遊技機に対する電力供給が再開されたときに送信される演出制御コマンド（停電復旧指定コマンド）である。遊技制御用マイクロコンピュータ５６０は、遊技機に対する電力供給が開始されたときに、バックアップＲＡＭにデータが保存されている場合には、停電復旧指定コマンドを送信し、そうでない場合には、初期化指定コマンドを送信する。
【０４６９】
コマンド９Ｆ００（Ｈ）は、客待ちデモンストレーションを指定する演出制御コマンド（客待ちデモ指定コマンド）である。
【０４７０】
コマンドＡ００１（Ｈ）は、第１大当り遊技の開始を指定する演出制御コマンド（第１大当り開始指定コマンド：ファンファーレ指定コマンド）である。
【０４７１】
コマンドＡ１ＸＸ（Ｈ）は、ＸＸで示す回数目（ラウンド）の大入賞口開放中の表示を示す演出制御コマンド（大入賞口開放中指定コマンド）である。Ａ２ＸＸ（Ｈ）は、ＸＸで示す回数目（ラウンド）の大入賞口閉鎖を示す演出制御コマンド（大入賞口開放後指定コマンド）である。
【０４７２】
コマンドＡ３０１（Ｈ）は、第１大当り終了画面を表示すること、すなわち第１大当り遊技の終了を指定する演出制御コマンド（第１大当り終了指定コマンド：エンディング指定コマンド）である。
【０４７３】
コマンドＡ５０１（Ｈ）は、第２大当り遊技の開始を指定する演出制御コマンド（第２大当り開始指定コマンド：ファンファーレ指定コマンド）である。コマンドＡ７０１（Ｈ）は、第２大当り終了画面を表示すること、すなわち第２大当り遊技の終了を指定する演出制御コマンド（第２大当り終了指定コマンド：エンディング指定コマンド）である。
【０４７４】
コマンドＤ００１（Ｈ）は、第１大入賞口への異常入賞の報知を指示する演出制御コマンド（第１異常入賞指定コマンド）である。コマンドＤ００２（Ｈ）は、第２始動入賞口１４への異常入賞の報知を指示する演出制御コマンド（第２異常入賞指定コマンド）である。コマンドＤ００３（Ｈ）は、第２大入賞口への異常入賞の報知を指示する演出制御コマンド（第３異常入賞指定コマンド）である。コマンドＤ００４（Ｈ）は、第２大入賞口から遊技球が排出されないことの報知を指示する演出制御コマンド（排出異常指定コマンド）である。
【０４７５】
演出制御基板８０に搭載されている演出制御用マイクロコンピュータ１００（具体的には、演出制御用ＣＰＵ１０１）は、主基板３１に搭載されている遊技制御用マイクロコンピュータ５６０から上述した演出制御コマンドを受信すると図８３に示された内容に応じて演出表示装置９の表示状態を変更するとともに、ランプの表示状態を変更し、音声出力基板７０に対して音番号データを出力する。
【０４７６】
なお、変動パターンコマンドを送信する前に、遊技状態（例えば、確変状態や時短状態（特別図柄の可変表示時間が短縮される遊技状態）に制御するように構成されている場合の通常状態／時短状態／確変状態）に応じた演出表示装置９における背景画像を指定する背景指定コマンドを送信するようにしてもよい。また、表示結果特定コマンドに続いて保留記憶数を示す演出制御コマンドを送信するようにしてもよい。
【０４７７】
なお、図８１に示すステップＳ３００Ｃ，Ｓ３０１Ｃ，Ｓ３０２Ｃ，Ｓ３０３Ｃ，Ｓ３０５Ｃ，Ｓ３０６Ｃ，Ｓ３０７Ｃの処理は、図１３に示すステップＳ３００，Ｓ３０１，Ｓ３０２，Ｓ３０３，Ｓ３０５，Ｓ３０６，Ｓ３０７の各処理とそれぞれ同様である。
【０４７８】
図８４は、特別図柄プロセス処理における特別図柄停止処理（ステップＳ３０４Ｃ）を示すフローチャートである。特別図柄停止処理において、ＣＰＵ５６は、特別図柄プロセスタイマの値を１減算し（ステップＳ２３１）、特別図柄プロセスタイマがタイムアウトしたかどうかを確認する（ステップＳ２３２）。特別図柄プロセスタイマがタイムアウトしていなければ、そのまま処理を終了する。
【０４７９】
特別図柄プロセスタイマがタイムアウトしたときは（ステップＳ２３２のＹ）、ＣＰＵ５６は、第１大当りフラグがセットされているかどうか確認する（ステップＳ２３３）。第１大当りフラグがセットされている場合には（ステップＳ２３３のＹ）、ＣＰＵ５６は、第１大当り開始指定コマンドを送信する制御を行う（ステップＳ２３４）。また、第１大当り表示時間タイマに第１大当り表示時間（第１大当りが発生したことを例えば演出表示装置９において報知する時間）に相当する値を設定する（ステップＳ２３５）。そして、特別図柄プロセスフラグの値を第１大入賞口開放前処理（ステップＳ３０５Ｃ）に対応した値に更新する（ステップＳ２３６）。
【０４８０】
第１大当りフラグがセットされていない場合には（ステップＳ２３３のＮ）、ＣＰＵ５６は、第２大当りフラグがセットされているかどうか確認する（ステップＳ２３７）。第２大当りフラグがセットされている場合には、ＣＰＵ５６は、役物開放時間タイマに所定時間（例えば２秒）を設定し（ステップＳ２３８Ａ）、第２大当り開始指定コマンドを送信する制御を行う（ステップＳ２３８Ｂ）。そして、特別図柄プロセスフラグの値を役物開放制御通常処理（ステップＳ３０８Ｃ）に対応した値に更新する（ステップＳ２４４）。
【０４８１】
第２大当りフラグがセットされていない場合には（ステップＳ２３７のＮ）、ＣＰＵ５６は、小当りフラグがセットされているかどうかを確認する（ステップＳ２３９）。小当りフラグがセットされている場合には（ステップＳ２３９のＹ）、ＣＰＵ５６は、小当りＡフラグがセットされているかどうか確認する（ステップＳ２４０）。小当りＡフラグがセットされているときは（ステップＳ２４０のＹ）、小当りＡが発生することになるので、ＣＰＵ５６は、役物開放時間タイマに開放タイミングＡの時間を設定する（ステップＳ２４１）。開放タイミングＡの時間は、小当りＡ図柄が導出表示された状態で図柄停止時間が経過した時点から可動部材７６が最初に作動（動作）するまでの時間である。
【０４８２】
小当りＡフラグがセットされていないときは（ステップＳ２４０のＮ）、小当りＢが発生することになるので、ＣＰＵ５６は、役物開放時間タイマに開放タイミングＢの時間を設定する（ステップＳ２４２）。開放タイミングＢの時間は、小当りＢ図柄が導出表示された状態で図柄停止時間が経過した時点から可動部材７６が最初に作動（動作）するまでの時間である。
【０４８３】
そして、ＣＰＵ５６は、切替部材制御タイマに作動開始時間を設定する（ステップＳ２４３）。作動開始時間は、小当り図柄（小当りＡ図柄または小当りＢ図柄）が導出表示された状態で図柄停止時間が経過した時点（停止図柄が確定した時点）から流路切替部材７８が作動（動作）を開始するまでの時間である。その後、ＣＰＵ５６は、特別図柄プロセスフラグの値を役物開放制御通常処理（ステップＳ３０８Ｃ）に対応した値に更新する（ステップＳ２４４）。
【０４８４】
なお、この実施の形態では、小当りが発生したときに小当り遊技の開始（第２大入賞口（可動部材７６）の始動動作）を指定する演出制御コマンドを送信する制御を行っていないが、そのような演出制御コマンドを送信するように構成してもよい。この場合は、演出制御用ＣＰＵ１０１は、小当り遊技の開始（第２大入賞口の始動動作）を指定する演出制御コマンドを受信したことにもとづいて、小当り遊技の開始を遊技者に報知する演出を演出表示装置９等の演出装置を用いて実行する。
【０４８５】
小当りフラグがセットされていない場合には（ステップＳ２３９のＮ）、ＣＰＵ５６は、特別図柄プロセスフラグの値を特別図柄通常処理（ステップＳ３００Ｃ）に対応した値に更新する（ステップＳ２４５）。
【０４８６】
この実施の形態では、大当り遊技中の処理として以下のような処理を実行する。
【０４８７】
第１大入賞口開放前処理では、ＣＰＵ５６は、第１大当り表示時間タイマが設定されている場合には、第１大当り表示時間タイマがタイムアウトしたら、第１大入賞口を開放する制御を行うとともに、第１大入賞口開放時間タイマに開放時間（例えば２９秒）に相当する値を設定し、特別図柄プロセスフラグの値を第１大入賞口開放中処理（ステップＳ３０６Ｃ）に対応した値に更新する。なお、第１大当り表示時間タイマが設定されている場合とは、第１ラウンドの開始前の場合である。インターバルタイマ（ラウンド間のインターバル時間を決めるためのタイマ）が設定されている場合には、インターバルタイマがタイムアウトしたら、第１大入賞口を開放する制御を行うとともに、第１大入賞口開放時間タイマに開放時間（例えば２９秒）に相当する値を設定し、特別図柄プロセスフラグの値を第１大入賞口開放中処理（ステップＳ３０６Ｃ）に対応した値に更新する。
【０４８８】
第１大入賞口開放中処理では、ＣＰＵ５６は、第１大入賞口開放時間タイマがタイムアウトするか、または第１大入賞口への入賞球数が所定数（例えば１０個）に達したら、最終ラウンドが終了していない場合には、第１大入賞口を閉鎖する制御を行うとともに、インターバルタイマにインターバル時間に相当する値を設定し、特別図柄プロセスフラグの値を第１大入賞口開放前処理（ステップＳ３０５Ｃ）に対応した値に更新する。最終ラウンドが終了した場合には、特別図柄プロセスフラグの値を第１大当り終了処理（ステップＳ３０７Ｃ）に対応した値に更新する。
【０４８９】
図８５は、役物開放中処理（ステップＳ３０９Ｃ）を示すフローチャートである。役物開放中処理において、ＣＰＵ５６は、役物開放時間タイマの値を−１する（ステップＳ４２１）。そして、ＣＰＵ５６は、役物開放時間タイマがタイムアウトしたか否か確認する（ステップＳ４２２）。
【０４９０】
役物開放時間タイマがタイムアウトしていない場合には（ステップＳ４２２のＮ）、ＣＰＵ５６は、第２大入賞口入賞スイッチ７１ａがオンしたかどうか確認する（ステップＳ４２３）。第２大入賞口入賞スイッチ７１ａがオンしたら（ステップＳ４２３のＹ）、すなわち第２大入賞口に進入した遊技球を検出したら、役物内遊技球個数カウンタの値を＋１する（ステップＳ４２４）。また、ＣＰＵ５６は、第２大入賞口排出スイッチ７２ａがオンしたかどうか確認する（ステップＳ４２５）。第２大入賞口排出スイッチ７２ａがオンしたら（ステップＳ４２５のＹ）、すなわち第２大入賞口から排出された遊技球を検出したら、役物内遊技球個数カウンタの値を−１する（ステップＳ４２６）。なお、第１特定領域７３および第２特定領域７４を通過しない遊技球を通過させる通過口と、通過口を通過した遊技球を検出する通過口スイッチを設け、第１特定領域通過スイッチ７３ａ、第２特定領域通過スイッチ７４ａおよび通過口スイッチで検出された遊技球の合計で排出球数を計測してもよい。
【０４９１】
遊技球が第１特定領域７３を通過したことを示す第１特定領域通過スイッチ７３ａがオンしたら（ステップＳ４２７のＹ）、ＣＰＵ５６は、第１Ｖ入賞フラグをセットする（ステップＳ４２８）。また、遊技球が第２特定領域７４を通過したことを示す第２特定領域通過スイッチ７４ａがオンしたら（ステップＳ４２９のＹ）、ＣＰＵ５６は、第２Ｖ入賞フラグをセットする（ステップＳ４３０）。
【０４９２】
役物開放時間タイマがタイムアウトした場合には（ステップＳ４２２のＹ）、ＣＰＵ５６は、第２大入賞口（役物）を閉鎖状態に制御する（ステップＳ４３１）。具体的には、第２大入賞口（役物）内への遊技球の進入を禁止するためにモータ２４を逆回転させ、可動部材７６を、遊技球が第２大入賞口（役物）の内部に進入不可能な状態に戻す。そして、ＣＰＵ５６は、第２大入賞口（役物）に進入した遊技球が第２大入賞口（役物）から排出されたことを監視する時間である検出監視時間に相当する値を排出監視タイマに設定し（ステップＳ４３２）、特別図柄プロセスフラグの値を、役物閉鎖後処理（ステップＳ３１０Ｃ）に応じた値に更新する（ステップＳ４３３）。
【０４９３】
図８６および図８７は、役物閉鎖後処理（ステップＳ３１０Ｃ）を示すフローチャートである。役物閉鎖後処理において、ＣＰＵ５６は、排出監視タイマの値を−１する（ステップＳ４４１）。そして、排出監視タイマの値が０になったかどうか、すなわち排出監視タイマがタイムアウトしたか否か確認する（ステップＳ４４２）。排出監視タイマがタイムアウトしていない場合には、役物内遊技球個数カウンタの値が０になっているか否か確認する（ステップＳ４４３）。役物内遊技球個数カウンタの値が０になっているということは、遊技球が第２大入賞口に全く入賞しなかったか、または、第２大入賞口に入賞した全ての遊技球が第２大入賞口から排出されたことを意味する。
【０４９４】
役物内遊技球個数カウンタの値が０になっている場合には、ＣＰＵ５６は、役物開放回数カウンタの値を−１する（ステップＳ４５３）。そして、役物開放回数カウンタの値を確認し（ステップＳ４５４）、役物開放回数カウンタの値が０になっていない場合には（ステップＳ４５４のＮ）、ステップＳ４６３に移行する。役物開放回数カウンタの値が０になっている場合（ステップＳ４５４のＹ）、すなわち、始動動作における２回の開放が終了している場合には、第１Ｖ入賞フラグまたは第２Ｖ入賞フラグがセットされているか否か確認する（ステップＳ４５５、Ｓ４５７）。第１Ｖ入賞フラグがセットされている場合には、役物開放回数カウンタに７を設定して（ステップＳ４５６）、ステップＳ４５９に移行する。なお、この場合に役物開放回数カウンタに設定される値は、第２大当り遊技における第１ラウンドの第２大入賞口の開放回数を示す。
【０４９５】
第２Ｖ入賞フラグがセットされている場合には（ステップＳ４５７のＹ）、役物開放回数カウンタに７を設定する（ステップＳ４５８）。なお、この場合に役物開放回数カウンタに設定される値も、第２大当り遊技における第１ラウンドの第２大入賞口の開放回数を示す。
【０４９６】
ステップＳ４５９では、ＣＰＵ５６は、第２大当り開始要求フラグをセットし（ステップＳ４５９）、また、役物開放時間タイマに０．５秒に相当する時間を設定する（ステップＳ４６０）。そして、特別図柄プロセスフラグの値を、第２大入賞口開放前処理（ステップＳ３１１Ｃ）に応じた値に更新する（ステップＳ４６１）。
【０４９７】
第１Ｖ入賞フラグも第２Ｖ入賞フラグもセットされていない場合には（ステップＳ４５７のＮ）、ステップＳ４６７に移行する。
【０４９８】
なお、この実施の形態では、第１Ｖ入賞フラグと第２Ｖ入賞フラグとの双方がセットされている場合には、第１Ｖ入賞フラグが優先されて、１５Ｒの第２大当り遊技が開始される。
【０４９９】
ステップＳ４４３の処理で役物内遊技球個数カウンタの値が０になっていないことを確認したら、すなわち大入賞口（役物）内に遊技球がまだ存在している場合には、第２大入賞口排出スイッチ７２ａがオンしたら、すなわち第２大入賞口から排出された遊技球を検出したら（ステップＳ４４４）、役物内遊技球個数カウンタの値を−１する（ステップＳ４４５）。また、遊技球が第１特定領域７３を通過したことを示す第１特定領域通過スイッチ７３ａがオンしたら（ステップＳ４４６）、第１Ｖ入賞フラグをセットする（ステップＳ４４７）。また、遊技球が第２特定領域７４を通過したことを示す第２特定領域通過スイッチ７４ａがオンしたら（ステップＳ４４８）、第２Ｖ入賞フラグをセットする（ステップＳ４４９）。
【０５００】
ＣＰＵ５６は、ステップＳ４４２で排出監視タイマがタイムアウトしたことを確認したら、すなわち第２大入賞口（役物）から全ての遊技球が排出される前に排出監視タイマがタイムアウトした場合には、演出制御用マイクロコンピュータ１００に、排出異常指定コマンドを送信する制御を行う（ステップＳ４５１）。その後、ループ処理を実行する。
【０５０１】
よって、遊技制御用マイクロコンピュータ５６０は、遊技制御処理を実行しない状態に移行する。すなわち、遊技の進行が停止される。換言すれば、遊技制御用マイクロコンピュータ５６０は、遊技を停止させる制御を行う。
【０５０２】
ステップＳ４６３では、ＣＰＵ５６は、役物開放時間タイマに０．５秒に相当する値を設定する。さらに、第２大入賞口（役物）を開放状態に制御する（ステップＳ４６４）。第２大入賞口（役物）の内部に進入した遊技球を計数する役物内遊技球個数カウンタをクリア（０に初期化）し（ステップＳ４６５）、特別図柄プロセスフラグの値を、役物開放中処理（ステップＳ３０９Ｃ）に応じた値に更新する（ステップＳ４６６）。
【０５０３】
ステップＳ４６７では、ＣＰＵ５６は、役物開放中フラグをリセットする。そして、特別図柄プロセスフラグの値を、特別図柄通常処理（ステップＳ３００Ｃ）に応じた値に更新する（ステップＳ４６８）。第１Ｖ入賞フラグも第２Ｖ入賞フラグもセットされていないので、すなわち、第１特定領域７３にも第２特別領域７４にも遊技球が入賞しなかったので、第２大当り遊技に移行することなく、始動動作が終了する。
【０５０４】
図８８は、第２大入賞口開放中処理（ステップＳ３１２Ｃ）を示すフローチャートである。第２大入賞口開放中処理において、ＣＰＵ５６は、役物開放時間タイマの値を１減算する（ステップＳ４８１）。役物開放時間タイマの値が０になっていたら、すなわち、役物開放時間タイマがタイムアウトしたら（ステップＳ４８２のＹ）、ステップＳ４９１に移行する。
【０５０５】
役物開放時間タイマがタイムアウトしていない場合には（ステップＳ４８２のＮ）、ＣＰＵ５６は、入賞個数カウンタの値が１０になったか否か確認する（ステップＳ４８３）。入賞個数カウンタの値が１０になった場合には、ステップＳ４９１に移行する。入賞個数カウンタの値が１０になっていない場合には、第２大入賞口入賞スイッチ７１ａがオンしたら、すなわち第２大入賞口に進入した遊技球を検出したら（ステップＳ４８４のＹ）、役物内遊技球個数カウンタの値を＋１する（ステップＳ４８５）。また、第２大入賞口排出スイッチ７２ａがオンしたら、すなわち第２大入賞口から排出された遊技球を検出したら（ステップＳ４８６のＹ）、役物内遊技球個数カウンタの値を−１する（ステップＳ４８７）。また、遊技球が第１特定領域７３を通過したことを示す第１特定領域通過スイッチ７３ａまたは遊技球が第２特定領域７４を通過したことを示す第２特定領域通過スイッチ７４ａがオンしたら（ステップＳ４８８のＹ）、入賞個数カウンタの値を＋１する（ステップＳ４８９）。
【０５０６】
ステップＳ４９１では、ＣＰＵ５６は、第２大入賞口を閉鎖させるための処理を行う。具体的には、第２大入賞口（役物）を閉鎖状態に制御する。また、第２大入賞口（役物）に進入した遊技球が第２大入賞口（役物）から排出されたことを監視する時間である検出監視時間に相当する値を排出監視タイマに設定する（ステップＳ４９２）。そして、特別図柄プロセスフラグの値を、第２大入賞口閉鎖後処理（ステップＳ３１３Ｃ）に応じた値に更新する（ステップＳ４９３）。
【０５０７】
第２大入賞口開放後処理（ステップＳ３１３Ｃ）では、ＣＰＵ５６は、排出監視タイマの値を−１する処理と、役物内遊技球個数カウンタの値が０になっているか否か確認する処理とを実行するのであるが、役物内遊技球個数カウンタの値が０になる前に排出監視タイマがタイムアウト（排出監視タイマの値＝０）した場合には、ＣＰＵ５６は、演出制御用マイクロコンピュータ１００に、排出異常指定コマンドを送信する制御を行うようにしてもよい。その場合、演出制御用マイクロコンピュータ１００は、排出異常指定コマンドを受信すると、例えば、「役物内を点検してください」等の役物点検を促す報知表示を行う。そのように制御すれば、第２大入賞口の開放中に入賞した遊技球が所定の排出監視時間（例えば、４１．５秒）以内に第２大入賞口内の第２大入賞口排出スイッチ７２ａを通過しなかったときに報知がなされる。その後、ＣＰＵ５６は、第２大入賞口入賞スイッチ７１ａがオン（遊技球が第２大入賞口入賞スイッチ７１ａを通過）したときに監視タイマ（例えば、４１．５秒でタイムアウト）をスタートさせ、監視タイマがタイムアウトする前に第２大入賞口排出スイッチ７２ａがオンしたら、エラー解除コマンドを演出制御用マイクロコンピュータ１００に送信する。演出制御用マイクロコンピュータ１００は、そのコマンドを受信すると、報知表示を終了させる。なお、第２大入賞口排出スイッチ７２ａがオンする前に第２大入賞口入賞スイッチ７１ａが再びオンしたら、ＣＰＵ５６は、監視タイマを再スタートさせる。
【０５０８】
図８９は、遊技制御用マイクロコンピュータ５６０が実行する切替部材制御処理（ステップＳ２７Ｄ）を示すフローチャートである。切替部材制御処理において、ＣＰＵ５６は、まず、特別図柄プロセスフラグの値が８〜１０であるか、すなわち、役物開放制御通常処理（ステップＳ３０８Ｃ）、役物開放中処理（ステップＳ３０９Ｃ）または役物閉鎖後処理（ステップＳ３１０Ｃ）の実行中であるかどうかを確認する（ステップＳ５３１）。特別図柄プロセスフラグの値が８〜１０でないときは（ステップＳ５３１のＮ）、ＣＰＵ５６は、流路切替部材７８が初期位置（水平な状態）にあるかどうかを確認する（ステップＳ５３６）。なお、この実施の形態では、流路切替部材７８が作動していない状態（待機しているとき）では、常に流路切替部材７８は初期位置（水平な状態）に位置している。従って、流路切替部材７８が作動を開始していない状態では、常に流路切替部材７８が初期位置にあると判断され（ステップＳ５３６のＮ）、流路切替部材７８は作動を停止したままの状態に維持される（ステップＳ５３７）。
【０５０９】
特別図柄プロセスフラグの値が８〜１０であるときは（ステップＳ５３１のＹ）、ＣＰＵ５６は、特別図柄プロセスフラグの値が８であるか、すなわち、役物開放制御通常処理（ステップＳ３０８Ｃ）の実行中であるかどうかを確認する（ステップＳ５３２）。特別図柄プロセスフラグの値が８であるときは（ステップＳ５３２のＹ）、ＣＰＵ５６は、切替部材制御タイマを−１する（ステップＳ５３３）。そして、ＣＰＵ５６は、切替部材制御タイマがタイムアウトしたかどうか確認する（ステップＳ５３４）。切替部材制御タイマがタイムアウトしていないときは（ステップＳ５３２のＮ）、作動開始時間が経過せず、未だ流路切替部材７８の作動開始タイミングに至っていないので、処理を終了する。
【０５１０】
切替部材制御タイマがタイムアウトしたときは（ステップＳ５３４のＹ）、ＣＰＵ５６は、流路切替部材７８の作動を開始させる制御を実行する（ステップＳ５３５）。流路切替部材７８の制御では、ＣＰＵ５６は、例えば流路切替部材７８の回転軸に接続されているモータ２２を正回転させる制御と逆回転させる制御とを所定時間（例えば、１秒）毎に繰り返す。例えば、モータ２２が正回転すると、流路切替部材７８は、遊技球を落下させる状態になるように動く。また、モータ２２が逆回転すると、流路切替部材７８は、遊技球を有利経路に通過させる状態（水平な状態）になるように戻る。また、モータ２２が逆回転すると、流路切替部材７８は、遊技球を貯留する状態になるように動く。さらに、モータ２２が正回転すると、流路切替部材７８は、遊技球を有利経路に通過させる状態になるように戻る。
【０５１１】
ここで、小当り図柄が確定してから流路切替部材７８の作動が開始するまでの時間（作動開始時間）については、小当りＡ，Ｂのいずれが決定された場合でも一定である。小当り図柄が確定してから羽根状の可動部材７６の作動が開始する（第２大入賞口が開放する）までの時間については、上述したように、小当りＡが決定されたときは開放タイミングＡの時間であり、小当りＢが決定されたときは開放タイミングＢの時間である。このように、小当りの種類（小当りＡ，Ｂ）に応じて第２大入賞口が開放するタイミングを複数種類設けることにより、小当りの種類に応じて第２大入賞口が開放したときの流路切替部材７８の状態をあらかじめ設定することが可能となる。
【０５１２】
例えば、小当りＡが決定されたときの第２大入賞口を開放する開放タイミングＡを、流路切替部材７８が水平の状態から下方に倒れた状態になる直前のタイミングに設定する。このようなタイミングであれば、第２大入賞口が開放した直後に第２大入賞口内に入賞した遊技球は役物７５内の下部に導かれる可能性が高くなり、第２大入賞口が閉鎖する直前に第２大入賞口内に入賞した遊技球は流路切替部材７８で貯留されずに通過し、第２特定領域７４に入賞する可能性が高くなる。小当りＢが決定されたときの第２大入賞口を開放する開放タイミングＢを、流路切替部材７８が水平の状態から下方に倒れた状態になり、その状態から水平の状態に戻り、そして上方（垂直）に立った状態になる直前のタイミングに設定する。このようなタイミングであれば、第２大入賞口が開放した直後に第２大入賞口内に入賞した遊技球は流路切替部材７８で貯留される可能性が高くなり、その結果、第１特定領域７３に入賞する可能性が高くなる。また、第２大入賞口が閉鎖する直前に第２大入賞口内に入賞した遊技球は流路切替部材７８で貯留されずに通過し、第２特定領域７４に入賞する可能性が高くなる。
【０５１３】
このような構成によれば、同じタイミングで遊技球が打ち出されても、第２大入賞口への遊技球の進入割合や、第１特定領域７３および第２特定領域７４への遊技球の進入割合が異なってくるため、遊技が単調になるのを防止することができる。なお、以上のような第２大入賞口の開放タイミングが一例であって、その他のタイミングであってもよい。
【０５１４】
ステップＳ５３２において、特別図柄プロセスフラグの値が８でない場合（ステップＳ５３２のＮ）、すなわち、役物開放中処理（ステップＳ３０９Ｃ）または役物閉鎖後処理（ステップＳ３１０Ｃ）の実行中である場合は、ＣＰＵ５６は、流路切替部材７８の作動をそのまま継続させる。
【０５１５】
その後、始動動作（第２大入賞口の２回の開放動作）が終了すると、特別図柄プロセスフラグの値は８〜１０でない値となる（ステップＳ５３１のＮ）。この場合、ＣＰＵ５６は、流路切替部材７８が初期位置（水平な状態）にあるかどうかを確認する（ステップＳ５３６）。この時点（始動動作が終了した時点）で、流路切替部材７８が初期位置になっていない場合には（ステップＳ５３６のＮ）、流路切替部材７８を継続して作動させる。流路切替部材７８が初期位置に戻った場合は（ステップＳ５３６のＹ）、ＣＰＵ５６は、流路切替部材７８の作動を停止させる（ステップＳ５３７）。このような処理によって、流路切替部材７８が作動していないときは初期位置に維持されることになる。
【０５１６】
なお、この実施の形態では、流路切替部材７８の作動開始時間を一定にし、第２大入賞口の開放タイミングを小当りの種類に応じて異ならせていたが、第２大入賞口の開放タイミングを一定にし、流路切替部材７８の作動開始時間を小当りの種類に応じて異ならせるようにしてもよい。具体的には、特別図柄停止処理において、小当りＡか小当りＢかによって異なる作動開始時間を切替部材制御タイマに設定し、また一定の開放タイミングの時間を役物開放時間タイマに設定するように構成してもよい。
【０５１７】
また、この実施の形態では、始動動作中に流路切替部材７８を作動させるようにしていたが、第２大当り遊技中にも流路切替部材７８を作動させるようにしてもよい。この場合、特別図柄プロセスフラグの値が第２大入賞口開放前処理（ステップＳ３１１Ｃ）を示す値（この例では１１）になったときに流路切替部材７８の作動を開始させ、特別図柄プロセスフラグの値が第２大当り終了処理（ステップＳ３１４Ｃ）または特別図柄通常処理（ステップＳ３００Ｃ）を示す値（この例では１４または０）になったときに流路切替部材７８の作動を停止させるようにすればよい。
【０５１８】
次に、遊技制御用マイクロコンピュータ５６０が実行する普通図柄プロセス処理（ステップＳ２８）について説明する。図９０は、普通図柄プロセス処理の一例を示すフローチャートである。普通図柄プロセス処理では、ＣＰＵ５６は、ゲート３２を遊技球が通過してゲートスイッチ３２ａがオン状態となったことを検出すると（ステップＳ１１１Ｂ）、ゲートスイッチ通過処理（ステップＳ１１２Ｂ）を実行する。そして、ＣＰＵ５６は、普通図柄プロセスフラグの値に応じてステップＳ１００Ｂ〜Ｓ１０３Ｂに示された処理のうちのいずれかの処理を実行する。
【０５１９】
ゲートスイッチ通過処理（ステップＳ１１２Ｂ）：ＣＰＵ５６は、ゲート通過記憶カウンタのカウント値（ゲート通過記憶数）が最大値（この例では「４」）に達しているか否か確認する。最大値に達していなければ、ゲート通過記憶カウンタのカウント値を＋１する。なお、ゲート通過記憶カウンタの値に応じて普通図柄保留記憶表示器４１のＬＥＤが点灯される。そして、ＣＰＵ５６は、普通図柄当り判定用乱数（ランダム４）の値を抽出し、ゲート通過記憶数の値に対応した保存領域（普通図柄判定用バッファ）に格納する処理を行う。
【０５２０】
普通図柄通常処理（ステップＳ１００Ｂ）：普通図柄プロセスフラグが０のときに実行される。ＣＰＵ５６は、普通図柄の変動を開始することができる状態（例えば普通図柄プロセスフラグの値がステップＳ１００を示す値となっている場合、具体的には、普通図柄表示器１０において普通図柄の変動表示がなされていない状態であって、かつ、普通図柄表示器１０に当たり図柄が導出表示されたことにもとづく可変入賞球装置１５の開閉動作中でもない場合）には、ゲート通過記憶数の値を確認する。具体的には、ゲート通過記憶数カウンタのカウント値を確認する。ゲート通過記憶数が０でなければ、当りとするか否か（普通図柄の停止図柄を当り図柄とするか否か）を決定する。そして、普通図柄プロセスタイマに普通図柄の変動時間をセットし、タイマをスタートさせる。そして、普通図柄プロセスフラグの値を普通図柄変動処理（ステップＳ１０１Ｂ）を示す値（具体的には「１」）に更新する。
【０５２１】
普通図柄変動処理（ステップＳ１０１Ｂ）：普通図柄プロセスフラグの値が１のときに実行される。ＣＰＵ５６は、普通図柄プロセスタイマがタイムアウトしたか否か確認し、タイムアウトしていたら、普通図柄表示器１０における普通図柄の変動を停止し、普通図柄プロセスタイマに普通図柄停止図柄表示時間をセットし、タイマをスタートさせる。そして、普通図柄プロセスフラグの値を普通図柄停止処理（ステップＳ１０２Ｂ）を示す値（具体的には「２」）に更新する。
【０５２２】
普通図柄停止処理（ステップＳ１０２Ｂ）：遊技制御用マイクロコンピュータ５６０は、普通図柄プロセスタイマがタイムアウトしたか否かを確認し、タイムアウトしていたら、普通図柄の停止図柄が当り図柄であるかどうかを確認する。当り図柄でなければ（はずれ図柄であれば）、普通図柄プロセスフラグの値を普通図柄通常処理（ステップＳ１００Ｂ）を示す値（具体的には「０」）に更新する。普通図柄の停止図柄が当り図柄であれば、普通図柄プロセスフラグの値を普通電動開放前処理（ステップＳ１０３Ｂ）を示す値（具体的には「３」）に更新する。
【０５２３】
普通図柄開放前処理（ステップＳ１０３Ｂ）：遊技制御用マイクロコンピュータ５６０は、第１回目の開放前であれば、開放回数カウンタに開放回数をセットし、ソレノイド１６を駆動して普通電動役物（可変入賞球装置１５）を開放する。そして、普通図柄プロセスフラグの値を普通電動開放中処理（ステップＳ１０４Ｂ）を示す値（具体的には「４」）に更新する。第１回目の開放前でなければ、すなわち２回目以降の開放後であれば、閉鎖時間を計測し、閉鎖時間が経過したら、普通図柄プロセスフラグの値を普通電動開放中処理（ステップＳ１０４Ｂ）を示す値（具体的には「４」）に更新する。
【０５２４】
普通電動役物開放中処理（ステップＳ１０４Ｂ）：遊技制御用マイクロコンピュータ５６０は、開放時間を計測し、開放時間が経過したら、ソレノイド１６の駆動を停止させて普通電動役物を閉鎖する。最後の開放が終了した場合には、普通図柄プロセスフラグの値を普通図柄通常処理（ステップＳ１００Ｂ）を示す値（具体的には「０」）に更新する。最後の開放が終了した場合でなければ、普通図柄プロセスフラグの値を普通電動開放前処理（ステップＳ１０３Ｂ）を示す値（具体的には「３」）に更新する。
【０５２５】
なお、図９０に示すステップＳ１００Ｂ〜ステップＳ１０４Ｂの具体的な処理は、図２７に示すステップＳ１００〜ステップＳ１０４の処理（図２８〜図３０，図３２のフローチャートによる処理）と同様である。
【０５２６】
この実施の形態では、普通図柄停止処理（ステップＳ１０２Ｂ）において、確変時の状態であるときは（図３０に示すステップＳ７４４のＹ参照）、遊技制御用マイクロコンピュータ５６０は、普通電動役物の開放パターンとして図９１に示す確変時テーブルに設定されている開放パターンを選択する（図３０に示すステップＳ７４５参照）。通常時の状態であるときは（図３０に示すステップＳ７４４のＮ参照）、遊技制御用マイクロコンピュータ５６０は、普通電動役物の開放パターンとして図９１に示す通常時テーブルに設定されている開放パターンを選択する（図３０に示すステップＳ７４６参照）。
【０５２７】
図９２は、遊技制御用マイクロコンピュータにおける遊技球を検出するスイッチに関わる入力ポートのビット割り当ての例を示す説明図である。図９２に示すように、入力ポート０のビット０〜７には、それぞれ、カウントスイッチ２３、ゲートスイッチ３２ａ、第２特定領域通過スイッチ７４ａ、第１特定領域通過スイッチ７３ａ、第２大入賞口排出スイッチ７２ａ、第２大入賞口入賞スイッチ７１ａ、第１始動口スイッチ１３ａ、および第２始動口スイッチ１４ａの検出信号が入力される。なお、入力ポート０は、図７３に示されたＩ／Ｏポート部５７の一部である。
【０５２８】
図９３および図９４は、ステップＳ２３の異常入賞報知処理を示すフローチャートである。異常入賞報知処理において、ＣＰＵ５６は、異常報知禁止フラグがセットされているか否か確認する（ステップＳ５６１）。異常報知禁止フラグは、遊技機への電力供給が開始されたときに実行されるメイン処理でセットされている（図４におけるステップＳ４４参照）。異常報知禁止フラグがセットされていない場合には、ステップＳ５６５に移行する。異常報知禁止フラグがセットされている場合には、ステップＳ４５で設定された禁止期間タイマの値を−１する（ステップＳ５６２）。そして、禁止期間タイマの値が０になったら、すなわち禁止期間タイマがタイムアウトしたら、異常報知禁止フラグをリセットする（ステップＳ５６３，Ｓ５６４）。
【０５２９】
次いで、特別図柄プロセスフラグの値が５〜７（５以上で７以下）であるか否か確認する（ステップＳ５６５）。特別図柄プロセスフラグの値が５〜７である状態は、第１大当り遊技中である状態である。そのような状態であれば、第１大入賞口に遊技球が入賞する可能性があるので、第１大入賞口への異常入賞が生じたことの確認を行わない。すなわち、特別図柄プロセスフラグの値が５〜７であれば、ステップＳ５６６〜Ｓ５６９の処理を実行することなく、ステップＳ５７０に移行する。
【０５３０】
特別図柄プロセスフラグの値が５未満または８以上（第１大当り遊技が行われていない状態）であれば、ＣＰＵ５６は、スイッチオンバッファの内容をレジスタにロードする（ステップＳ５６６）。そして、ロードしたスイッチオンバッファの内容とカウントスイッチ入力ビット判定値（０１（Ｈ）、スイッチオンバッファにおけるビット割当は入力ポート０におけるビット割当と同じ）との論理積をとる（ステップＳ５６７）。スイッチオンバッファの内容が０１（Ｈ）であったとき、すなわちカウントスイッチ２３がオンしているときには、論理積の演算結果は０１（Ｈ）になる。カウントスイッチ２３がオンしていないときには、論理積の演算結果は、０（００（Ｈ））になる。
【０５３１】
論理積の演算結果が０でない場合には、第１大入賞口への異常入賞が生じたと判定し、演出制御基板８０に、第１異常入賞報知指定コマンドを送信する制御を行う（ステップＳ５６８，Ｓ５６９）。論理積の演算結果が０である場合には、ステップＳ５７０に移行する。
【０５３２】
ステップＳ５７０では、ＣＰＵ５６は、普通図柄プロセスフラグの値が３以上であるか否か確認する（ステップＳ５７０）。普通図柄プロセスフラグの値が３以上である状態は、普通電動役物（可変入賞球装置１５）が開閉動作している状態である。そのような状態であれば、第２始動入賞口１４に遊技球が入賞する可能性があるので、第２始動入賞口１４への異常入賞が生じたことの確認を行わない。すなわち、普通図柄プロセスフラグの値が３以上であれば、ステップＳ５７１〜Ｓ５７４の処理を実行することなく、ステップＳ５７５に移行する。
【０５３３】
普通図柄プロセスフラグの値が３未満の値（普通電動役物が開閉動作していない状態）であれば、ＣＰＵ５６は、スイッチオンバッファの内容をレジスタにロードする（ステップＳ５７１）。そして、ロードしたスイッチオンバッファの内容と第２始動口スイッチ入力ビット判定値（８０（Ｈ））との論理積をとる（ステップＳ５７２）。スイッチオンバッファの内容が８０（Ｈ）であったとき、すなわち第２始動口スイッチ１４ａがオンしているときには、論理積の演算結果は８０（Ｈ）になる。第２始動口スイッチ１４ａがオンしていないときには、論理積の演算結果は、０（００（Ｈ））になる。
【０５３４】
論理積の演算結果が０でない場合には、第２始動入賞口１４への異常入賞が生じたと判定し、演出制御基板８０に、第２異常入賞報知指定コマンドを送信する制御を行う（ステップＳ５７３，Ｓ５７４）。論理積の演算結果が０である場合には、ステップＳ５７５に移行する。
【０５３５】
なお、ここでは、ステップＳ５７３の判定処理で「Ｎ」であったときに直ちに第２始動入賞口１４への異常入賞が生じたと判定しているが、第１の実施の形態の場合と同様に、ステップＳ５７３の判定処理で「Ｎ」であったときに入賞累積数カウンタの値を１加算し、加算後の入賞累積数カウンタの値が所定値（例えば５）以上である場合に、遊技制御用マイクロコンピュータ５６０は、第２始動入賞口１４への異常入賞が生じたと判定するようにしてもよい。
【０５３６】
ステップＳ５７５では、ＣＰＵ５６は、役物開放中フラグがセットされているか否か確認する（ステップＳ５７５）。役物開放中フラグがセットされている場合には、処理を終了する。
【０５３７】
不正行為を受けたりスイッチからの検出信号にノイズが乗ったりしない限り、役物開放中フラグがセットされていないときに第２大入賞口に入賞したことを示す検出信号が第２大入賞口入賞スイッチ７１ａから出力されることはない。そこで、ＣＰＵ５６は、役物開放中フラグがセットされていない場合に第２大入賞口入賞スイッチ７１ａから検出信号が出力されたと判定すると第２大入賞口について異常入賞が発生したと見なす。
【０５３８】
具体的には、ＣＰＵ５６は、スイッチオンバッファの内容をレジスタにロードする（ステップＳ５７６）。そして、ロードしたスイッチオンバッファの内容と第２大入賞口入賞スイッチ入力ビット判定値（２０（Ｈ））との論理積をとり（ステップＳ５７７）、論理積の演算結果が０でない場合には、第２大入賞口について異常入賞が生じたと判定し、演出制御基板８０に、第３異常入賞報知指定コマンドを送信する制御を行う（ステップＳ５７８，Ｓ５７９）。
【０５３９】
以上のような処理によって、第１大当り遊技が行われていない状態においてカウントスイッチ２３がオンした場合には、第１異常入賞報知指定コマンドが送信される。また、普通電動役物（可変入賞球装置１５）の開閉動作が行われていない状態において第２始動口スイッチ１４ａがオンした場合には、第２異常入賞報知指定コマンドが送信される。さらに、第２大当り遊技および小当り遊技が行われていない状態において第２大入賞口入賞スイッチ７１ａがオンした場合には、第３異常入賞報知指定コマンドが送信される。さらに、ステップＳ５５１〜Ｓ５５３の処理によって、演出制御用マイクロコンピュータ１００（演出制御用ＣＰＵ１０１）が初期化報知を行っているときに、異常報知が開始されることが禁止される。なお、演出制御用マイクロコンピュータ１００は、異常報知を開始してから禁止期間に相当する期間が経過するまで、初期化報知を継続して実行している。
【０５４０】
また、この実施の形態では、遊技制御用マイクロコンピュータ５６０は、役物開放中フラグにもとづいて異常入賞を検出している。また、上述したように、役物開放中フラグは、小当り遊技（始動動作を含む。）および第２大当り遊技における最終ラウンドで第２大入賞口が閉鎖された後、第２大入賞口内の遊技球が全て第２大入賞口から排出されたときにリセットされる。役物開放中フラグがリセットされた状態において異常入賞を検出しているので、第２大入賞口（役物）が第２の状態（例えば、開放状態）に変化したときに、第２大入賞口（役物）に進入した遊技球が第２大入賞口（役物）から排出されたことが判定されたことを条件に異常入賞の検出が実行されていることになる。なお、小当り遊技（始動動作を含む。）および第２大当り遊技が全く実行されていないときにも、異常入賞の検出が実行されることになる。
【０５４１】
なお、ステップＳ５７５では、役物開放中フラグがセットされているかどうかによって、第２大当り遊技および小当り遊技が行われている状態であるかどうかを判定するようにしていたが、例えば、特別図柄プロセスフラグの値が８〜１４であるかどうか（役物開放制御通常処理（ステップＳ３０８Ｃ）から第２大当り終了処理（ステップＳ３１４Ｃ）までの処理の実行中であるかどうか）で判定するようにしてもよい。
【０５４２】
なお、ステップＳ５６５の処理では、遊技制御用マイクロコンピュータ５６０（ＣＰＵ５６）が、特別図柄プロセスフラグの値にもとづいて第１大入賞口への異常入賞が生じたか否か判定するようにしているので、第１の実施の形態におけるステップＳ３６３Ｂの処理（図４２参照）と同様に、１つのデータにもとづいて異常入賞が生じたか否か判定できるので、判定処理を簡素化することができる。また、上述したように、特定可変入賞球装置２０が閉鎖した後に第１大当り終了処理が所定時間実行されるので、特定可変入賞球装置２０が閉鎖する直前に第１大入賞口に入賞した遊技球が、特別図柄プロセスフラグの値が０に戻った後にカウントスイッチ２３で検出されてしまうということが防止され、正規の入賞であるにもかかわらずエラーが報知されてしまうようなことはない。
【０５４３】
また、ステップＳ５７０の処理では、遊技制御用マイクロコンピュータ５６０（ＣＰＵ５６）が、普通図柄プロセスフラグの値にもとづいて第２始動入賞口１４への異常入賞が生じたか否か判定するようにしているので、ステップＳ３６７の処理と同様に、１つのデータにもとづいて異常入賞が生じたか否か判定できるので、判定処理を簡素化することができる。また、異常入賞を判定するタイミングを可変入賞球装置１５を閉鎖するタイミングよりも遅らせる方法として、普通図柄プロセスフラグの値が４から０に切り替わる所定時間前に可変入賞球装置１５を閉鎖し、普通図柄プロセスフラグの値が４から０に切り替わった時点で異常入賞の判定を行うようにした場合には、可変入賞球装置１５が閉鎖する直前に第２始動入賞口１４に入賞した遊技球が、普通図柄プロセスフラグの値が０に戻った後に第２始動口スイッチ１４ａで検出されてしまうということが防止され、正規の入賞であるにもかかわらずエラーが報知されてしまうようなことはない。
【０５４４】
また、ステップＳ５７５の処理では、遊技制御用マイクロコンピュータ５６０（ＣＰＵ５６）が、役物開放中フラグにもとづいて第２大入賞口への異常入賞が生じたか否か判定するようにしているので、ステップＳ３６５の処理と同様に、１つのデータにもとづいて異常入賞が生じたか否か判定できるので、判定処理を簡素化することができる。また、上述したように、第２大入賞口が閉鎖した後に第２大当り終了処理が所定時間実行されるので、第２大入賞口が閉鎖する直前に第２大入賞口に入賞した遊技球が、役物開放中フラグがリセットされた後にカウントスイッチ２３で検出されてしまうということが防止され、正規の入賞であるにもかかわらずエラーが報知されてしまうようなことはない。
【０５４５】
なお、上述したように、可変入賞球装置１５を閉鎖すると同時に普通図柄プロセスフラグの値が４から０に切り替え、普通図柄プロセスフラグの値が４から０に切り替わってから所定時間経過後に異常入賞の判定を行うようにしてもよい。また、大入賞口（第１大入賞口、第２大入賞口）への異常入賞の判定においても、同様の方法により異常入賞を判定するタイミングを大入賞口を閉鎖するタイミングよりも遅らせるようにしてもよい。
【０５４６】
なお、ステップＳ５６９，Ｓ５７４，Ｓ５７９の処理を実行する前に、第１の実施の形態の場合と同等に（図４４におけるステップＳ２６４Ａ，２６４Ｂ参照）、入賞累積数をカウントして、入賞累積数が所定値以上であった場合に、各異常入賞報知指定コマンドを送信するようにしてもよい。
【０５４７】
次に、演出制御手段の動作を説明する。演出制御基板８０に搭載されている演出制御用マイクロコンピュータ１００（具体的には、演出制御用ＣＰＵ１０１）が実行するメイン処理は、図４５に示す第１の実施の形態におけるメイン処理と同様である。
【０５４８】
なお、図９５は、この実施の形態における演出制御プロセス処理（図４５に示すステップＳ７０５参照）を示すフローチャートである。演出制御プロセス処理では、演出制御用ＣＰＵ１０１は、演出制御プロセスフラグの値に応じてステップＳ８００Ｂ〜Ｓ８０６Ｂのうちのいずれかの処理を行う。各処理において、以下のような処理を実行する。
【０５４９】
変動パターンコマンド受信待ち処理（ステップＳ８００Ｂ）：遊技制御用マイクロコンピュータ５６０から変動パターンコマンドを受信しているか否か確認する。具体的には、コマンド解析処理でセットされる変動パターンコマンド受信フラグがセットされているか否か確認する。変動パターンコマンドを受信していれば、演出制御プロセスフラグの値を演出図柄変動開始処理（ステップＳ８０１Ｂ）に対応した値に変更する。
【０５５０】
演出図柄変動開始処理（ステップＳ８０１Ｂ）：演出図柄の変動が開始されるように制御する。そして、演出制御プロセスフラグの値を演出図柄変動中処理（ステップＳ８０２Ｂ）に対応した値に更新する。
【０５５１】
演出図柄変動中処理（ステップＳ８０２Ｂ）：変動パターンを構成する各変動状態（変動速度）の切替タイミング等を制御するとともに、変動時間の終了を監視する。そして、変動時間が終了したら、演出制御プロセスフラグの値を演出図柄変動停止処理（ステップＳ８０３Ｂ）に対応した値に更新する。
【０５５２】
演出図柄変動停止処理（ステップＳ８０３Ｂ）：全図柄停止を指示する演出制御コマンド（図柄確定指定コマンド）を受信したことにもとづいて、演出図柄の変動を停止し表示結果（停止図柄）を導出表示する制御を行う。そして、演出制御プロセスフラグの値を大当り表示処理（ステップＳ８０４Ｂ）または変動パターンコマンド受信待ち処理（ステップＳ８００Ｂ）に対応した値に更新する。
【０５５３】
大当り表示処理（ステップＳ８０４Ｂ）：変動時間の終了後、演出表示装置９に第１大当りの発生を報知するための画面を表示する制御を行う。そして、演出制御プロセスフラグの値を大当り遊技中処理（ステップＳ８０５Ｂ）に対応した値に更新する。
【０５５４】
大当り遊技中処理（ステップＳ８０５Ｂ）：第１大当り遊技中の制御を行う。例えば、大入賞口開放中指定コマンドや大入賞口開放後指定コマンドを受信したら、演出表示装置９におけるラウンド数の表示制御等を行う。そして、演出制御プロセスフラグの値を大当り終了処理（ステップＳ８０６Ｂ）に対応した値に更新する。
【０５５５】
大当り終了処理（ステップＳ８０６Ｂ）：演出表示装置９において、第１大当り遊技状態が終了したことを遊技者に報知する表示制御を行う。そして、演出制御プロセスフラグの値を変動パターンコマンド受信待ち処理（ステップＳ８００Ｂ）に対応した値に更新する。
【０５５６】
図９６は、演出表示装置９に表示される異常報知画面の例を示す説明図である。図９６（Ａ）には、演出制御用ＣＰＵ１０１が、第１異常入賞報知指定コマンドの受信に応じて演出表示装置９に表示する第１異常報知画面の例が示され、かつ、演出図柄の変動が開始されても、第１異常報知画面の表示が継続されることが示されている（図９６（Ａ）の右側参照）。図９６（Ｂ）には、演出制御用ＣＰＵ１０１が、第２異常入賞報知指定コマンドの受信に応じて演出表示装置９に表示する第２異常報知画面の例が示され、かつ、演出図柄の変動が開始されても、第２異常報知画面の表示が継続されることが示されている（図９６（Ｂ）の右側参照）。図９６（Ｃ）には、演出制御用ＣＰＵ１０１が、第３異常入賞報知指定コマンドの受信に応じて演出表示装置９に表示する第３異常報知画面の例が示され、かつ、演出図柄の変動が開始されても、第３異常報知画面の表示が継続されることが示されている（図９６（Ｃ）の右側参照）。
【０５５７】
図９７および図９８は、報知制御処理（図４５に示すステップＳ７０７）を示すフローチャートである。報知制御処理において、演出制御用ＣＰＵ１０１は、初期報知フラグがセットされているか否か確認する（ステップＳ１１０１）。初期報知フラグは、遊技制御用マイクロコンピュータ５６０から初期化指定コマンドを受信した場合にセットされている（図６１におけるステップＳ６３２Ｂ参照）。初期報知フラグがセットされていない場合には、ステップＳ１１０６に移行する。初期報知フラグがセットされている場合には、ステップＳ６３２Ｃで設定された期間タイマの値を−１する（ステップＳ１１０２）。そして、期間タイマの値が０になったら、すなわち初期報知期間が経過したら、初期報知フラグをリセットする（ステップＳ１１０３，Ｓ１１０４）。
【０５５８】
さらに、演出制御用ＣＰＵ１０１は、演出表示装置９において初期画面または停電復旧画面を消去させるための指令をＶＤＰ１０９に出力する（ステップＳ１１０５）。ＶＤＰ１０９は、指令に応じて、演出表示装置９から初期画面または停電復旧画面を消去する。
【０５５９】
ステップＳ１１０６では、演出制御用ＣＰＵ１０１は、第１異常入賞報知指定コマンドを受信したことを示す第１異常入賞報知指定コマンド受信フラグがセットされているか否か確認する。セットされていなければ、ステップＳ１１１１に移行する。第１異常入賞報知指定コマンド受信フラグがセットされている場合には、第１異常入賞報知指定コマンド受信フラグをリセットし（ステップＳ１１０７）、演出表示装置９において、そのときに表示されている画面に対して、第１異常報知画面を重畳表示する指令をＶＤＰ１０９に出力する（ステップＳ１１０８）。ＶＤＰ１０９は、指令に応じて、演出表示装置９に第１異常報知画面を重畳表示する（図９６（Ａ）参照）。
【０５６０】
さらに、演出制御用ＣＰＵ１０１は、異常入賞の報知に応じた音出力を示す音データを音声出力基板７０に出力する（ステップＳ１１０９）。音声出力基板７０に搭載されている音声合成用ＩＣ７０３は、入力された音データに対応したデータを音声データＲＯＭ７０４から読み出し、読み出したデータに従って音声信号をスピーカ２７側に出力する。よって、以後、異常入賞の報知に応じた音出力（異常報知音の出力）が行われる。そして、演出制御用ＣＰＵ１０１は、異常報知を行っていることを示す第１異常報知中フラグをセットする（ステップＳ１１１０）。
【０５６１】
ステップＳ１１１１では、演出制御用ＣＰＵ１０１は、第２異常入賞報知指定コマンドを受信したことを示す第２異常入賞報知指定コマンド受信フラグがセットされているか否か確認する。セットされていなければ、ステップＳ１１１６に移行する。第２異常入賞報知指定コマンド受信フラグがセットされている場合には、第２異常入賞報知指定コマンド受信フラグをリセットし（ステップＳ１１１２）、演出表示装置９において、そのときに表示されている画面に対して、第２異常報知画面を重畳表示する指令をＶＤＰ１０９に出力する（ステップＳ１１１３）。ＶＤＰ１０９は、指令に応じて、演出表示装置９に第２異常報知画面を重畳表示する（図９６（Ｂ）参照）。
【０５６２】
さらに、演出制御用ＣＰＵ１０１は、異常入賞の報知に応じた音出力を示す音データを音声出力基板７０に出力する（ステップＳ１１１４）。音声出力基板７０に搭載されている音声合成用ＩＣ７０３は、入力された音データに対応したデータを音声データＲＯＭ７０４から読み出し、読み出したデータに従って音声信号をスピーカ２７側に出力する。よって、以後、異常入賞の報知に応じた音出力（異常報知音の出力）が行われる。そして、演出制御用ＣＰＵ１０１は、異常報知を行っていることを示す第２異常報知中フラグをセットする（ステップＳ１１１５）。
【０５６３】
ステップＳ１１１６では、演出制御用ＣＰＵ１０１は、第３異常入賞報知指定コマンドを受信したことを示す第３異常入賞報知指定コマンド受信フラグがセットされているか否か確認する。セットされていなければ、ステップＳ１１２１に移行する。第３異常入賞報知指定コマンド受信フラグがセットされている場合には、第３異常入賞報知指定コマンド受信フラグをリセットし（ステップＳ１１１７）、演出表示装置９において、そのときに表示されている画面に対して、第３異常報知画面を重畳表示する指令をＶＤＰ１０９に出力する（ステップＳ１１１８）。ＶＤＰ１０９は、指令に応じて、演出表示装置９に第３異常報知画面を重畳表示する（図９６（Ｃ）参照）。
【０５６４】
さらに、演出制御用ＣＰＵ１０１は、異常入賞の報知に応じた音出力を示す音データを音声出力基板７０に出力する（ステップＳ１１１９）。音声出力基板７０に搭載されている音声合成用ＩＣ７０３は、入力された音データに対応したデータを音声データＲＯＭ７０４から読み出し、読み出したデータに従って音声信号をスピーカ２７側に出力する。よって、以後、異常入賞の報知に応じた音出力（異常報知音の出力）が行われる。そして、演出制御用ＣＰＵ１０１は、異常報知を行っていることを示す第３異常報知中フラグをセットする（ステップＳ１１２０）。
【０５６５】
なお、演出制御用ＣＰＵ１０１は、第１大入賞口への異常入賞が発生したときの異常報知（ステップＳ１１０８，Ｓ１１０９の処理による異常報知）と、第２始動入賞口１４への異常入賞が発生したときの異常報知（ステップＳ１１１３，Ｓ１１１４の処理による異常報知）と、第２大入賞口に関する異常入賞が発生したときの異常報知（ステップＳ１１１８，Ｓ１１１９の処理による異常報知）とを区別可能に異常報知を行う（図９６参照）。
【０５６６】
ステップＳ１１２１では、演出制御用ＣＰＵ１０１は、排出異常報知指定コマンドを受信したことを示す排出異常報知指定コマンド受信フラグがセットされているか否か確認する。セットされていなければ、処理を終了する。排出異常報知指定コマンド受信フラグがセットされている場合には、排出異常報知指定コマンド受信フラグをリセットし（ステップＳ１１２２）、演出表示装置９において、そのときに表示されている画面に対して、排出異常報知画面を重畳表示する指令をＶＤＰ１０９に出力する（ステップＳ１１２３）。ＶＤＰ１０９は、指令に応じて、演出表示装置９に排出異常報知画面を重畳表示する。
【０５６７】
さらに、演出制御用ＣＰＵ１０１は、排出異常の報知に応じた音出力を示す音データを音声出力基板７０に出力する（ステップＳ１１２４）。音声出力基板７０に搭載されている音声合成用ＩＣ７０３は、入力された音データに対応したデータを音声データＲＯＭ７０４から読み出し、読み出したデータに従って音声信号をスピーカ２７側に出力する。よって、以後、排出異常の報知に応じた音出力（異常報知音の出力）が行われる。そして、演出制御用ＣＰＵ１０１は、排出異常報知を行っていることを示す排出異常報知中フラグをセットする（ステップＳ１１２５）。
【０５６８】
以上に説明したように、この実施の形態では、初期化報知が異常報知（異常入賞の報知および排出異常の報知）に対して優先されるので、初期化報知が認識しにくくなるような事態が生ずることが防止される。すなわち、目立つように初期化報知が行われる。遊技制御用マイクロコンピュータ５６０は、遊技機に対する電力供給が開始されたとき以外でも、プログラムを先頭番地（例えば、００００番地）から実行開始させるユーザリセットが発生したときには、初期化指定コマンドを送信する。ユーザリセットが発生する原因として、例えば、ウォッチドッグタイマを使用するように構成されている場合において、プログラムの円滑な進行を妨げるような不正行為によってウォッチドッグタイマがタイムアウトしたような場合がある。そのような不正行為は、特に、大当り判定用乱数にもとづいて大当り遊技状態に制御するように構成されている場合に生じやすい。つまり、遊技制御用マイクロコンピュータ５６０を初期化して大当り判定用乱数を生成するためのカウンタを初期化させ、そのカウンタのカウント値を把握しやすくするような不正行為を受けやすい。この実施の形態のように、初期化報知を目立つようにすることによって、遊技制御用マイクロコンピュータ５６０が初期化されたことを遊技機の外部から容易に把握できるので、不正行為がなされた可能性があることが容易に認識される。
【０５６９】
また、この実施の形態では、演出制御用マイクロコンピュータ１００は、所定期間が経過すると初期化報知を終了させたが（ステップＳ１１０１〜Ｓ１１０５参照）、他のタイミングで初期化報知を終了させるようにしてもよい。例えば、初期化報知が開始されてから最初に演出図柄の可変表示が開始されるときに初期化報知を終了させたり、演出図柄の可変表示が開始される前に異常入賞報知指定コマンドを受信したときに初期化報知を終了させたりしてもよい。また、客待ちデモ指定コマンドを受信したり、初期化報知が開始されてから客待ちデモ指定コマンド以外の最初の演出制御コマンドを受信したときに初期化報知を終了させてもよい。つまり、遊技店員等が、初期化報知を認識することができるのに十分な期間だけ、初期化報知が継続されることが好ましい。
【０５７０】
また、この実施の形態では、第２大入賞口内の特定領域となる第１特定領域７３および第２特定領域７４と、第２大入賞口内の入賞領域とを兼用したが、それらを別にしてもよい。
【０５７１】
なお、この実施の形態では、異常入賞の発生タイミング（特別図柄プロセスフラグの値が４以下または８以上、普通図柄プロセスフラグの値が３以外、役物開放中フラグのリセット）のときに１個の遊技球が大入賞口（第１大入賞口、第２大入賞口）または第２始動入賞口１４に入賞すれば、異常入賞が発生したと判定していたが、このような構成に限られず、異常入賞の発生タイミングのときに所定個数の遊技球が大入賞口または第２始動入賞口１４に入賞した場合に、異常入賞が発生したと判定するようにしてもよい。例えば、第１大当り遊技中以外のときに累積して５個の遊技球が大入賞口に入賞したと判定された場合に異常入賞が発生したと判定する。また、第２大当り遊技中以外のときに累積して５個の遊技球が大入賞口に入賞したと判定された場合に異常入賞が発生したと判定する。また、可変入賞球装置１５の開閉動作中以外のときに累積して２個の遊技球が第２始動入賞口１４に入賞したと判定された場合に異常入賞が発生したと判定する。
【０５７２】
また、異常入賞の種類に応じて異常入賞が発生したことを報知する報知音を変化させてもよい。例えば、大入賞口への異常入賞が発生した場合と第２始動入賞口１４への異常入賞が発生した場合とで異なる報知音を鳴らすようにしてもよく、また、大入賞口への異常入賞が発生した場合の方が第２始動入賞口１４への異常入賞が発生した場合よりも大きな音で異常報知を行うようにしてもよい。
【０５７３】
実施の形態５．
第４の実施の形態では、第２始動入賞口１４への異常入賞が生じたことが検出されたときでも、特別図柄表示器８における特別図柄の変動や演出表示装置９における演出図柄の変動は継続して実行されるように構成されていた。従って、不正に第２始動入賞口１４に遊技球を入賞させた場合（例えば、普通図柄が当り図柄になっていないのに不正に可変入賞球装置１５を開放させ、第２始動入賞口１４に遊技球を入賞させたような場合）であっても、その始動入賞により大当りが発生してしまい、不正に出球が獲得させてしまうことが生じ得る。そこで、第５の実施の形態では、第２始動入賞口１４への異常入賞が生じたことが検出されたときに、所定のタイミングで特別図柄の変動および演出図柄の変動を停止するように構成している。
【０５７４】
図９９は、第５の実施の形態における特別図柄プロセス処理を示すフローチャートである。特別図柄プロセス処理において、ＣＰＵ５６は、まず、第２始動入賞口１４への異常入賞が検出されたことを示す異常入賞検出フラグがセットされたかどうか確認する（ステップＳ３２５Ａ）。ここで、異常入賞検出フラグは、第２始動入賞口１４への異常入賞が検出されたとき、つまり、図９３のステップＳ５７３のＮのときにセットされる。
【０５７５】
異常入賞検出フラグがセットされているときは（ステップＳ３２５ＡのＹ）、ＣＰＵ５６は、特別図柄表示器８において特別図柄の変動が行われているかどうか、具体的には特別図柄プロセスフラグの値が特別図柄変動中処理（ステップＳ３０２Ｃ）を示す値（「３」）であるかどうかを判定する（ステップＳ３２５Ｂ）。特別図柄プロセスフラグの値が特別図柄変動中処理を示す値（「３」）であるときは（ステップＳ３２５ＢのＹ）、ステップＳ３２１以降の処理を実行する。すなわち、特別図柄表示器８において特別図柄の変動を継続して実行させる。特別図柄プロセスフラグの値が特別図柄変動中処理を示す値（「３」）でないときは（ステップＳ３２５ＢのＮ）、特別図柄プロセス処理を終了させる。すなわち、特別図柄表示器８において特別図柄の変動制御を停止させる。このような構成により、第２始動入賞口への異常入賞が検出された時点で、特別図柄の変動中でないときは、直ちに特別図柄の変動が禁止され、特別図柄の変動中であったときは、特別図柄の変動を継続させ、次の特別図柄の変動が禁止されることになる。また、特別図柄の変動が禁止されることにより、小当り図柄が導出表示されることがなくなり、第２大入賞口の開放も禁止されることになる。
【０５７６】
図１００は、第５の実施の形態における演出制御プロセス処理を示すフローチャートである。演出制御プロセス処理において、演出制御用ＣＰＵ１０１は、まず、第２異常入賞報知指定コマンド受信フラグがセットされたかどうか確認する（ステップＳ８０７Ａ）。第２異常入賞報知指定コマンド受信フラグがセットされているときは（ステップＳ８０７ＡのＹ）、演出制御用ＣＰＵ１０１は、演出表示装置９において演出図柄の変動が行われているかどうか、具体的には演出制御プロセスフラグの値が演出図柄変動中処理（ステップＳ８０２）を示す値（「２」）であるかどうかを判定する（ステップＳ８０７Ｂ）。演出制御プロセスフラグの値が演出図柄変動中処理を示す値（「２」）であるときは（ステップＳ８０７ＢのＹ）、演出図柄変動中処理（ステップＳ８０２）を実行する。すなわち、演出表示装置９において演出図柄の変動を継続して実行させる。演出制御プロセスフラグの値が演出図柄変動中処理を示す値（「２」）でないときは（ステップＳ８０７ＢのＮ）、演出制御プロセス処理を終了させる。すなわち、演出表示装置９において演出図柄の変動制御を停止させる。このような構成により、異常入賞報知指定コマンドを受信した時点で、演出図柄の変動中でないときは、直ちに演出図柄の変動が禁止され、演出図柄の変動中であったときは、演出図柄の変動を継続させ、次の演出図柄の変動が禁止されることになる。
【０５７７】
以上のように、この実施の形態では、第２始動入賞口１４への異常入賞の検出にもとづいて特別図柄表示器８における特別図柄の変動および演出表示装置９における演出図柄の変動を禁止する制御を実行するので、不正行為によって第２始動入賞口１４への入賞を発生させたような場合（例えば、普通図柄が当り図柄になっていないのに可変入賞球装置１５を開放させて遊技球を第２始動入賞口１４に入賞させるような場合）であっても、その入賞にもとづいて第１大当りが発生するのを確実に防止することができる。また、特別図柄の変動が禁止されると、小当り図柄が導出表示されることも禁止されることになり、第２大入賞口の開放も禁止される。従って、不正行為によって第２大当りが発生することも確実に防止することができる。
【０５７８】
なお、第５の実施の形態では、特別図柄プロセスフラグの値が特別図柄変動中処理を示す値になっているかどうか、および演出制御プロセスフラグの値が演出図柄変動中処理を示す値になっていないかどうかを確認して、図柄の変動を禁止する制御を実行していたが、このような構成に限られるわけではなく、例えば、異常入賞検出フラグがセットされたとき、および異常入賞報知指定コマンド受信フラグがセットされたときに、直ちに図柄の変動を禁止する制御を行うようにしてもよい。また、第２始動入賞口１４への異常入賞が検出された時点の保留記憶数を確認し、その保留記憶数分の図柄の変動が終了するまで、図柄の変動を継続し、保留記憶数分の図柄の変動が終了すると、図柄の変動を禁止する制御を行うようにしてもよい。具体的には、異常入賞検出フラグがセットされたときに保留記憶数を確認し、確認した保留記憶数分の変動が実行されたかどうかをカウンタでカウントし、保留記憶数分の変動が終了したときに変動を禁止する制御を実行する。このような構成によれば、正常な第２始動入賞口１４への始動入賞にもとづく変動については継続させ、異常入賞にもとづく変動について禁止することができる。なお、上記の構成において、正確に異常入賞にもとづく図柄の変動を禁止させる場合には、異常入賞が検出された時点の保留記憶数−１分の変動が終了した時点で図柄の変動を禁止するようにしてもよい。
【０５７９】
また、上記の各実施の形態では、演出装置を制御する回路が搭載された基板として、演出制御基板８０、音声出力基板７０およびランプドライバ基板３５が設けられているが、演出装置を制御する回路を１つの基板に搭載してもよい。さらに、演出表示装置９等を制御する回路が搭載された第１の演出制御基板（表示制御基板）と、その他の演出装置（ランプ、ＬＥＤ、スピーカ２７など）を制御する回路が搭載された第２の演出制御基板との２つの基板を設けるようにしてもよい。
【０５８０】
また、上記の各実施の形態では、遊技制御用マイクロコンピュータ５６０は、演出制御用マイクロコンピュータ１００に対して直接コマンドを送信していたが、遊技制御用マイクロコンピュータ５６０が他の基板（例えば、図３に示す音声出力基板７０やランプドライバ基板３５など、または音声出力基板７０に搭載されている回路による機能とランプドライバ基板３５に搭載されている回路による機能とを備えた音／ランプ基板）に演出制御コマンドを送信し、他の基板を経由して演出制御基板８０における演出制御用マイクロコンピュータ１００に送信されるようにしてもよい。その場合、他の基板においてコマンドが単に通過するようにしてもよいし、音声出力基板７０、ランプドライバ基板３５、音／ランプ基板にマイクロコンピュータ等の制御手段を搭載し、制御手段がコマンドを受信したことに応じて音声制御やランプ制御に関わる制御を実行し、さらに、受信したコマンドを、そのまま、または例えば簡略化したコマンドに変更して、演出表示装置９を制御する演出制御用マイクロコンピュータ１００に送信するようにしてもよい。その場合でも、演出制御用マイクロコンピュータ１００は、上記の実施の形態における遊技制御用マイクロコンピュータ５６０から直接受信した演出制御コマンドに応じて表示制御を行うのと同様に、音声出力基板７０、ランプドライバ基板３５または音／ランプ基板から受信したコマンドに応じて表示制御を行うことができる。
【産業上の利用可能性】
【０５８１】
本発明は、可変入賞装置（普通電動役物、可変入賞球装置１５）が開放しているときに始動入賞が生じやすいパチンコ遊技機等の遊技機に適用される。
【図面の簡単な説明】
【０５８２】
【図１】パチンコ遊技機を正面からみた正面図である。
【図２】遊技制御基板（主基板）の回路構成例を示すブロック図である。
【図３】中継基板、演出制御基板、ランプドライバ基板および音声出力基板の回路構成例を示すブロック図である。
【図４】遊技制御用マイクロコンピュータが実行するメイン処理の一例を示すフローチャートである。
【図５】タイマ割込処理を示すフローチャートである。
【図６】各乱数を示す説明図である。
【図７】第１特別図柄を表示させる大当り判定用乱数と大当り判定値との関係の一例を示す説明図である。
【図８】第２特別図柄を表示させる大当り判定用乱数と大当り判定値との関係の一例を示す説明図である。
【図９】演出制御コマンドの内容の一例を示す説明図である。
【図１０】変動パターンの一例を示す説明図である。
【図１１】演出制御コマンドの信号線を示す説明図である。
【図１２】制御コマンドを構成する８ビットの制御信号とＩＮＴ信号との関係を示すタイミング図である。
【図１３】第１特別図柄プロセス処理を示すフローチャートである。
【図１４】第１特別図柄プロセス処理を示すフローチャートである。
【図１５】第１始動口スイッチ通過処理を示すフローチャートである。
【図１６】第１特別図柄通常処理を示すフローチャートである。
【図１７】第１特別図柄通常処理を示すフローチャートである。
【図１８】第１変動パターン設定処理を示すフローチャートである。
【図１９】第１表示結果特定コマンド送信処理を示すフローチャートである。
【図２０】第１特別図柄変動中処理を示すフローチャートである。
【図２１】第１特別図柄停止処理を示すフローチャートである。
【図２２】第１大当り終了処理を示すフローチャートである。
【図２３】第１小当り終了処理を示すフローチャートである。
【図２４】第２特別図柄プロセス処理を示すフローチャートである。
【図２５】第２特別図柄プロセス処理を示すフローチャートである。
【図２６】第２特別図柄通常処理を示すフローチャートである。
【図２７】普通図柄プロセス処理を示すフローチャートである。
【図２８】普通図柄通常処理の一例を示すフローチャートである。
【図２９】普通図柄変動処理の一例を示すフローチャートである。
【図３０】普通図柄停止処理の一例を示すフローチャートである。
【図３１】普通図柄の変動時間および可変入賞球装置の開放パターンの一例を示す説明図である。
【図３２】普通電動役物開放前処理の一例を示すフローチャートである。
【図３３】普通電動役物開放中処理の一例を示すフローチャートである。
【図３４】遊技制御用マイクロコンピュータにおける入力ポートのビット割り当て例を示す説明図である。
【図３５】払出制御信号の内容の一例を示す説明図である。
【図３６】払出制御信号の送受信に用いられる信号線等を示すブロック図である。
【図３７】払出制御信号の出力の仕方の一例を示すタイミング図である。
【図３８】スイッチ処理で使用されるバッファを示す説明図である。
【図３９】スイッチ処理を示すフローチャートである。
【図４０】賞球処理を示すフローチャートである。
【図４１】賞球個数テーブルの構成例を示す説明図である。
【図４２】賞球個数加算処理を示すフローチャートである。
【図４３】賞球制御処理を示すフローチャートである。
【図４４】異常入賞報知処理を示すフローチャートである。
【図４５】演出制御用マイクロコンピュータが実行するメイン処理の一例を示すフローチャートである。
【図４６】コマンド受信バッファの構成例を示す説明図である。
【図４７】コマンド解析処理の一例を示すフローチャートである。
【図４８】コマンド解析処理の一例を示すフローチャートである。
【図４９】演出制御プロセス処理の一例を示すフローチャートである。
【図５０】プロセステーブルの構成例を示す説明図である。
【図５１】変動パターンコマンド受信待ち処理の一例を示すフローチャートである。
【図５２】演出図柄変動開始処理の一例を示すフローチャートである。
【図５３】演出図柄変動中処理の一例を示すフローチャートである。
【図５４】演出図柄変動停止処理の一例を示すフローチャートである。
【図５５】大当り表示処理の一例を示すフローチャートである。
【図５６】ラウンド中処理の一例を示すフローチャートである。
【図５７】ラウンド後処理の一例を示すフローチャートである。
【図５８】ラウンド後処理の一例を示すフローチャートである。
【図５９】大当り終了演出処理の一例を示すフローチャートである。
【図６０】小当り演出処理の一例を示すフローチャートである。
【図６１】演出表示装置に表示される報知画面の例を示す説明図である。
【図６２】報知制御処理を示すフローチャートである。
【図６３】演出表示装置における表示演出およびスピーカによる音演出の状況の例を示す説明図である。
【図６４】第２の実施の形態における第２特別図柄プロセス処理を示すフローチャートである。
【図６５】第３の実施の形態における演出制御プロセス処理を示すフローチャートである。
【図６６】第４の実施の形態におけるパチンコ遊技機を正面からみた正面図である。
【図６７】第４の実施の形態における第１始動入賞口および第２始動入賞口への遊技球の入賞の仕方を説明するための説明図である。
【図６８】第４の実施の形態における第２大入賞口を形成する役物内の構造例、および役物内の遊技球の流れの様子を示す説明図である。
【図６９】第４の実施の形態における第２大入賞口を形成する役物内の構造例、および役物内の遊技球の流れの様子を示す説明図である。
【図７０】第４の実施の形態における第２大入賞口を形成する役物内の構造例、および役物内の遊技球の流れの様子を示す説明図である。
【図７１】流路切替部材の貯留動作を説明するための説明図である。
【図７２】流路切替部材の貯留動作を説明するための説明図である。
【図７３】第４の実施の形態における遊技制御基板（主基板）の回路構成例を示すブロック図である。
【図７４】第４の実施の形態における各乱数を示す説明図である。
【図７５】第４の実施の形態における大当り判定用乱数と大当り判定値との関係の一例を示す説明図である。
【図７６】第４の実施の形態において始動入賞にもとづいて特別図柄の変動が行われた場合の遊技状態の変化の仕方を説明するための説明図である。
【図７７】第４の実施の形態における演出図柄の停止図柄の一例を示す説明図である。
【図７８】小当りにもとづいて役物が開放状態に制御された場合の状態変化を示す説明図である。
【図７９】始動動作としての第２大入賞口開放後の遊技状態の変化の仕方を説明するための説明図である。
【図８０】第４の実施の形態におけるタイマ割込処理を示すフローチャートである。
【図８１】第４の実施の形態における特別図柄プロセス処理を示すフローチャートである。
【図８２】第４の実施の形態における特別図柄プロセス処理を示すフローチャートである。
【図８３】第４の実施の形態における演出制御コマンドの内容の一例を示す説明図である。
【図８４】第４の実施の形態における特別図柄停止処理を示すフローチャートである。
【図８５】第４の実施の形態における役物開放中処理を示すフローチャートである。
【図８６】第４の実施の形態における役物閉鎖後処理を示すフローチャートである。
【図８７】第４の実施の形態における役物閉鎖後処理を示すフローチャートである。
【図８８】第４の実施の形態における第２大入賞口開放中処理を示すフローチャートである。
【図８９】第４の実施の形態における切替部材制御処理を示すフローチャートである。
【図９０】第４の実施の形態における普通図柄プロセス処理を示すフローチャートである。
【図９１】第４の実施の形態における普通図柄の変動時間および可変入賞球装置の開放パターンの一例を示す説明図である。
【図９２】第４の実施の形態における遊技制御用マイクロコンピュータにおける入力ポートのビット割り当て例を示す説明図である。
【図９３】第４の実施の形態における異常入賞報知処理を示すフローチャートである。
【図９４】第４の実施の形態における異常入賞報知処理を示すフローチャートである。
【図９５】第４の実施の形態における演出制御プロセス処理を示すフローチャートである。
【図９６】第４の実施の形態において演出表示装置に表示される異常報知画面の例を示す説明図である。
【図９７】第４の実施の形態における報知制御処理を示すフローチャートである。
【図９８】第４の実施の形態における報知制御処理を示すフローチャートである。
【図９９】第５の実施の形態における特別図柄プロセス処理を示すフローチャートである。
【図１００】第５の実施の形態における演出制御プロセス処理を示すフローチャートである。
【符号の説明】
【０５８３】
１      パチンコ遊技機
８ａ    第１特別図柄表示器
８ｂ    第１特別図柄表示器
９      演出表示装置
１３    第１始動入賞口
１３ａ  第１始動口スイッチ
１４    第２始動入賞口
１４ａ  第２始動口スイッチ
１５    可変入賞球装置
２０    特別可変入賞球装置（第１大入賞口）
３１    主基板
５６    ＣＰＵ
７３    第１特定領域
７３ａ  第１特定領域通過スイッチ
７４    第２特定領域
７４ａ  第２特定領域通過スイッチ
７５    役物（第２大入賞口）
７６    可動部材
７８    流路切替部材
８０    演出制御基板
１００  演出制御用マイクロコンピュータ
１０１  演出制御用ＣＰＵ
５６０  遊技制御用マイクロコンピュータ
【図１】
2008161377.tif 000003
【図２】
2008161377.tif 000004
【図３】
2008161377.tif 000005
【図４】
2008161377.tif 000006
【図５】
2008161377.tif 000007
【図６】
2008161377.tif 000008
【図７】
2008161377.tif 000009
【図８】
2008161377.tif 000010
【図９】
2008161377.tif 000011
【図１０】
2008161377.tif 000012
【図１１】
2008161377.tif 000013
【図１２】
2008161377.tif 000014
【図１３】
2008161377.tif 000015
【図１４】
2008161377.tif 000016
【図１５】
2008161377.tif 000017
【図１６】
2008161377.tif 000018
【図１７】
2008161377.tif 000019
【図１８】
2008161377.tif 000020
【図１９】
2008161377.tif 000021
【図２０】
2008161377.tif 000022
【図２１】
2008161377.tif 000023
【図２２】
2008161377.tif 000024
【図２３】
2008161377.tif 000025
【図２４】
2008161377.tif 000026
【図２５】
2008161377.tif 000027
【図２６】
2008161377.tif 000028
【図２７】
2008161377.tif 000029
【図２８】
2008161377.tif 000030
【図２９】
2008161377.tif 000031
【図３０】
2008161377.tif 000032
【図３１】
2008161377.tif 000033
【図３２】
2008161377.tif 000034
【図３３】
2008161377.tif 000035
【図３４】
2008161377.tif 000036
【図３５】
2008161377.tif 000037
【図３６】
2008161377.tif 000038
【図３７】
2008161377.tif 000039
【図３８】
2008161377.tif 000040
【図３９】
2008161377.tif 000041
【図４０】
2008161377.tif 000042
【図４１】
2008161377.tif 000043
【図４２】
2008161377.tif 000044
【図４３】
2008161377.tif 000045
【図４４】
2008161377.tif 000046
【図４５】
2008161377.tif 000047
【図４６】
2008161377.tif 000048
【図４７】
2008161377.tif 000049
【図４８】
2008161377.tif 000050
【図４９】
2008161377.tif 000051
【図５０】
2008161377.tif 000052
【図５１】
2008161377.tif 000053
【図５２】
2008161377.tif 000054
【図５３】
2008161377.tif 000055
【図５４】
2008161377.tif 000056
【図５５】
2008161377.tif 000057
【図５６】
2008161377.tif 000058
【図５７】
2008161377.tif 000059
【図５８】
2008161377.tif 000060
【図５９】
2008161377.tif 000061
【図６０】
2008161377.tif 000062
【図６１】
2008161377.tif 000063
【図６２】
2008161377.tif 000064
【図６３】
2008161377.tif 000065
【図６４】
2008161377.tif 000066
【図６５】
2008161377.tif 000067
【図６６】
2008161377.tif 000068
【図６７】
2008161377.tif 000069
【図６８】
2008161377.tif 000070
【図６９】
2008161377.tif 000071
【図７０】
2008161377.tif 000072
【図７１】
2008161377.tif 000073
【図７２】
2008161377.tif 000074
【図７３】
2008161377.tif 000075
【図７４】
2008161377.tif 000076
【図７５】
2008161377.tif 000077
【図７６】
2008161377.tif 000078
【図７７】
2008161377.tif 000079
【図７８】
2008161377.tif 000080
【図７９】
2008161377.tif 000081
【図８０】
2008161377.tif 000082
【図８１】
2008161377.tif 000083
【図８２】
2008161377.tif 000084
【図８３】
2008161377.tif 000085
【図８４】
2008161377.tif 000086
【図８５】
2008161377.tif 000087
【図８６】
2008161377.tif 000088
【図８７】
2008161377.tif 000089
【図８８】
2008161377.tif 000090
【図８９】
2008161377.tif 000091
【図９０】
2008161377.tif 000092
【図９１】
2008161377.tif 000093
【図９２】
2008161377.tif 000094
【図９３】
2008161377.tif 000095
【図９４】
2008161377.tif 000096
【図９５】
2008161377.tif 000097
【図９６】
2008161377.tif 000098
【図９７】
2008161377.tif 000099
【図９８】
2008161377.tif 000100
【図９９】
2008161377.tif 000101
【図１００】
2008161377.tif 000102